(57)【要約】【課題】受信品質のよいデータの伝送を実現する。【解決手段】送信方法は、第１変調信号ｓ１（ｋ）を含む第１ＯＦＤＭシンボルと、第２変調信号ｓ２（ｋ）を含む第２ＯＦＤＭシンボルとを生成し、第２変調信号ｓ２（ｋ）に第１の位相変更を施して第２の位相変更後の信号ｚ２（ｋ）を生成し、第１ＯＦＤＭシンボルと第２ＯＦＤＭシンボルそれぞれ第１アンテナと第２アンテナから同時に同じ周波数帯域で送信し、第３変調信号ｓ３（ｋ）を含む第３ＯＦＤＭシンボルと、第４変調信号ｓ４（ｋ）を含む第４ＯＦＤＭシンボルとを生成し、第４変調信号ｓ４（ｋ）に第２の位相変更を施して第４の位相変更後の信号ｚ４（ｋ）を生成し、第３ＯＦＤＭシンボルと第４ＯＦＤＭシンボルそれぞれ第１アンテナと第２アンテナから同時に同じ周波数帯域で送信する。【選択図】図１２
2019193278.tif 000002
【特許請求の範囲】
【請求項１】
送信方法であって、
第１変調信号ｓ１（ｋ）を含む第１ＯＦＤＭ（Ｏｒｔｈｏｇｏｎａｌ  Ｆｒｅｑｕｅｎｃｙ  Ｄｉｖｉｓｉｏｎ  Ｍｏｄｕｌａｔｅｄ）シンボルと、第２変調信号ｓ２（ｋ）を含む第２ＯＦＤＭシンボルとを生成し、前記ｋはキャリア番号であり、前記第２変調信号ｓ２（ｋ）は前記第１変調信号ｓ１（ｋ）と同一であり、前記第１変調信号ｓ１（ｋ）は、それぞれ第１の１６ＱＡＭ（Ｑｕａｄｒａｔｕｒｅ  Ａｍｐｌｉｔｕｄｅ  Ｍｏｄｕｌａｔｉｏｎ）方式の１６個の信号点のいずれか一つと対応する４ビットのデータブロックを含み、
前記第２変調信号ｓ２（ｋ）に第１の位相変更を施して第２の位相変更後の信号ｚ２（ｋ）を生成し、前記第１の位相変更では第２変調信号ｓ２（ｋ）にｅｊθ（ｋ）を乗算しており、ここでｅｊθ（ｋ）はｋの関数であり、θ（ｋ）は角度であり、
前記第１ＯＦＤＭシンボルと第２ＯＦＤＭシンボルそれぞれ第１アンテナと第２アンテナから同時に同じ周波数帯域で送信し、
第３変調信号ｓ３（ｋ）を含む第３ＯＦＤＭ（Ｏｒｔｈｏｇｏｎａｌ  Ｆｒｅｑｕｅｎｃｙ  Ｄｉｖｉｓｉｏｎ  Ｍｏｄｕｌａｔｅｄ）シンボルと、第４変調信号ｓ４（ｋ）を含む第４ＯＦＤＭシンボルとを生成し、前記第４変調信号ｓ４（ｋ）は前記第３変調信号ｓ３（ｋ）と同一であり、前記第３変調信号ｓ３（ｋ）は、それぞれ第２の１６ＱＡＭ方式の１６個の信号点のいずれか一つと対応する４ビットのデータブロックを含み、第２の１６ＱＡＭ方式の１６個の信号点の配置は、第１の１６ＱＡＭ方式の１６個の信号点の配置と異なり、
前記第４変調信号ｓ４（ｋ）に第２の位相変更を施して第４の位相変更後の信号ｚ４（ｋ）を生成し、前記第２の位相変更では第４変調信号ｓ４（ｋ）にｅｊθ（ｋ）を乗算しており、
前記第３ＯＦＤＭシンボルと第４ＯＦＤＭシンボルそれぞれ第１アンテナと第２アンテナから同時に同じ周波数帯域で送信する、送信方法。
【請求項２】
前記第１ＯＦＤＭシンボル、第２ＯＦＤＭシンボル、第３ＯＦＤＭシンボルおよび第４ＯＦＤＭシンボルは、それぞれさらにパイロット信号を含む、請求項１記載の送信方法。
【請求項３】
送信システムであって、
第１変調信号ｓ１（ｋ）を含む第１ＯＦＤＭ（Ｏｒｔｈｏｇｏｎａｌ  Ｆｒｅｑｕｅｎｃｙ  Ｄｉｖｉｓｉｏｎ  Ｍｏｄｕｌａｔｅｄ）シンボルと、第２変調信号ｓ２（ｋ）を含む第２ＯＦＤＭシンボルとを生成し、前記ｋはキャリア番号であり、前記第２変調信号ｓ２（ｋ）は前記第１変調信号ｓ１（ｋ）と同一であり、前記第１変調信号ｓ１（ｋ）は、それぞれ第１の１６ＱＡＭ（Ｑｕａｄｒａｔｕｒｅ  Ａｍｐｌｉｔｕｄｅ  Ｍｏｄｕｌａｔｉｏｎ）方式の１６個の信号点のいずれか一つと対応する４ビットのデータブロックを含み、第３変調信号ｓ３（ｋ）を含む第３ＯＦＤＭ（Ｏｒｔｈｏｇｏｎａｌ  Ｆｒｅｑｕｅｎｃｙ  Ｄｉｖｉｓｉｏｎ  Ｍｏｄｕｌａｔｅｄ）シンボルと、第４変調信号ｓ４（ｋ）を含む第４ＯＦＤＭシンボルとを生成し、前記第４変調信号ｓ４（ｋ）は前記第３変調信号ｓ３（ｋ）と同一であり、前記第３変調信号ｓ３（ｋ）は、それぞれ第２の１６ＱＡＭ方式の１６個の信号点のいずれか一つと対応する４ビットのデータブロックを含み、第２の１６ＱＡＭ方式の１６個の信号点の配置は、第１の１６ＱＡＭ方式の１６個の信号点の配置と異なる、生成部と、
前記第２変調信号ｓ２（ｋ）に第１の位相変更を施して第２の位相変更後の信号ｚ２（ｋ）を生成し、前記第１の位相変更では第２変調信号ｓ２（ｋ）にｅｊθ（ｋ）を乗算しており、ここでｅｊθ（ｋ）はｋの関数であり、θ（ｋ）は角度であり、前記第４変調信号ｓ４（ｋ）に第２の位相変更を施して第４の位相変更後の信号ｚ４（ｋ）を生成し、前記第２の位相変更では第４変調信号ｓ４（ｋ）にｅｊθ（ｋ）を乗算している、位相変更部と、
前記第１ＯＦＤＭシンボルと前記第３ＯＦＤＭシンボルとを第１アンテナから送信する第１の送信機と、
前記第２ＯＦＤＭシンボルを第２アンテナから前記第１ＯＦＤＭシンボルと同時に同じ周波数帯域で送信し、前記第４ＯＦＤＭシンボルを前記第２アンテナから前記第３ＯＦＤＭシンボルと同時に同じ周波数帯域で送信する、第２の送信機と、
を備える送信システム。
【請求項４】
前記第１ＯＦＤＭシンボル、第２ＯＦＤＭシンボル、第３ＯＦＤＭシンボルおよび第４ＯＦＤＭシンボルは、それぞれさらにパイロット信号を含む、請求項３記載の送信システム。
【発明の詳細な説明】
【技術分野】
【０００１】
本開示は、データの送信方法、受信方法、送信装置及び受信装置に関する。例えば、放送における映像データの配信において、データの伝送速度の向上と受信品質のよいデータの伝送の両立の実現に関する。
【背景技術】
【０００２】
従来、マルチアンテナを用いた通信方法として例えばＭＩＭＯ（Ｍｕｌｔｉｐｌｅ−Ｉｎｐｕｔ  Ｍｕｌｔｉｐｌｅ−Ｏｕｔｐｕｔ）と呼ばれる通信方法がある。ＭＩＭＯに代表されるマルチアンテナ通信では、複数系列の送信データをそれぞれ変調し、各変調信号を異なるアンテナから同時に送信することで、データの通信速度を高めるようになっている。
【先行技術文献】
【特許文献】
【０００３】
【特許文献１】国際公開第２００５／０５０８８５号
【非特許文献】
【０００４】
【非特許文献１】“Ａｃｈｉｅｖｉｎｇ  ｎｅａｒ−ｃａｐａｃｉｔｙ  ｏｎ  ａ  ｍｕｌｔｉｐｌｅ−ａｎｔｅｎｎａ  ｃｈａｎｎｅｌ”  ＩＥＥＥ  Ｔｒａｎｓａｃｔｉｏｎ  ｏｎ  ｃｏｍｍｕｎｉｃａｔｉｏｎｓ，  ｖｏｌ．５１，  ｎｏ．３，  ｐｐ．３８９−３９９，  Ｍａｒｃｈ  ２００３．
【非特許文献２】“Ｐｅｒｆｏｒｍａｎｃｅ  ａｎａｌｙｓｉｓ  ａｎｄ  ｄｅｓｉｇｎ  ｏｐｔｉｍｉｚａｔｉｏｎ  ｏｆ  ＬＤＰＣ−ｃｏｄｅｄ  ＭＩＭＯ  ＯＦＤＭ  ｓｙｓｔｅｍｓ”  ＩＥＥＥ  Ｔｒａｎｓ．  Ｓｉｇｎａｌ  Ｐｒｏｃｅｓｓｉｎｇ．，  ｖｏｌ．５２，  ｎｏ．２，  ｐｐ．３４８−３６１，  Ｆｅｂ．  ２００４．
【非特許文献３】“ＢＥＲ  ｐｅｒｆｏｒｍａｎｃｅ  ｅｖａｌｕａｔｉｏｎ  ｉｎ  ２ｘ２  ＭＩＭＯ  ｓｐａｔｉａｌ  ｍｕｌｔｉｐｌｅｘｉｎｇ  ｓｙｓｔｅｍｓ  ｕｎｄｅｒ  Ｒｉｃｉａｎ  ｆａｄｉｎｇ  ｃｈａｎｎｅｌｓ，”  ＩＥＩＣＥ  Ｔｒａｎｓ．  Ｆｕｎｄａｍｅｎｔａｌｓ，  ｖｏｌ．Ｅ９１−Ａ，  ｎｏ．１０，  ｐｐ．２７９８−２８０７，  Ｏｃｔ．  ２００８．
【非特許文献４】“Ｔｕｒｂｏ  ｓｐａｃｅ−ｔｉｍｅ  ｃｏｄｅｓ  ｗｉｔｈ  ｔｉｍｅ  ｖａｒｙｉｎｇ  ｌｉｎｅａｒ  ｔｒａｎｓｆｏｒｍａｔｉｏｎｓ，  ”ＩＥＥＥ  Ｔｒａｎｓ．  Ｗｉｒｅｌｅｓｓ  ｃｏｍｍｕｎｉｃａｔｉｏｎｓ，  ｖｏｌ．６，  ｎｏ．２，  ｐｐ．４８６−４９３，  Ｆｅｂ．  ２００７．
【非特許文献５】“Ｌｉｋｅｌｉｈｏｏｄ  ｆｕｎｃｔｉｏｎ  ｆｏｒ  ＱＲ−ＭＬＤ  ｓｕｉｔａｂｌｅ  ｆｏｒ  ｓｏｆｔ−ｄｅｃｉｓｉｏｎ  ｔｕｒｂｏ  ｄｅｃｏｄｉｎｇ  ａｎｄ  ｉｔｓ  ｐｅｒｆｏｒｍａｎｃｅ，”  ＩＥＩＣＥ  Ｔｒａｎｓ．  Ｃｏｍｍｕｎ．，  ｖｏｌ．Ｅ８８−Ｂ，  ｎｏ．１，  ｐｐ．４７−５７，  Ｊａｎ．  ２００４．
【非特許文献６】「Ｓｈａｎｎｏｎ限界への道標：“Ｐａｒａｌｌｅｌ  ｃｏｎｃａｔｅｎａｔｅｄ  （Ｔｕｒｂｏ）  ｃｏｄｉｎｇ”，  “Ｔｕｒｂｏ  （ｉｔｅｒａｔｉｖｅ）  ｄｅｃｏｄｉｎｇ”とその周辺」電子情報通信学会、信学技法ＩＴ９８−５１
【非特許文献７】“Ａｄｖａｎｃｅｄ  ｓｉｇｎａｌ  ｐｒｏｃｅｓｓｉｎｇ  ｆｏｒ  ＰＬＣｓ：  Ｗａｖｅｌｅｔ−ＯＦＤＭ，”  Ｐｒｏｃ．  ｏｆ  ＩＥＥＥ  Ｉｎｔｅｒｎａｔｉｏｎａｌ  ｓｙｍｐｏｓｉｕｍ  ｏｎ  ＩＳＰＬＣ  ２００８，  ｐｐ．１８７−１９２，  ２００８．
【非特許文献８】Ｄ．  Ｊ．  Ｌｏｖｅ，  ａｎｄ  Ｒ．  Ｗ．  Ｈｅａｔｈ，  Ｊｒ．，  “Ｌｉｍｉｔｅｄ  ｆｅｅｄｂａｃｋ  ｕｎｉｔａｒｙ  ｐｒｅｃｏｄｉｎｇ  ｆｏｒ  ｓｐａｔｉａｌ  ｍｕｌｔｉｐｌｅｘｉｎｇ  ｓｙｓｔｅｍｓ，”  ＩＥＥＥ  Ｔｒａｎｓ．  Ｉｎｆ．  Ｔｈｅｏｒｙ，  ｖｏｌ．５１，  ｎｏ．８，  ｐｐ．２９６７−１９７６，  Ａｕｇ．  ２００５．
【非特許文献９】ＤＶＢ  Ｄｏｃｕｍｅｎｔ  Ａ１２２，  Ｆｒａｍｉｎｇ  ｓｔｒｕｃｔｕｒｅ，  ｃｈａｎｎｅｌ  ｃｏｄｉｎｇ  ａｎｄ  ｍｏｄｕｌａｔｉｏｎ  ｆｏｒ  ａ  ｓｅｃｏｎｄ  ｇｅｎｅｒａｔｉｏｎ  ｄｉｇｉｔａｌ  ｔｅｒｒｅｓｔｒｉａｌ  ｔｅｌｅｖｉｓｉｏｎ  ｂｒｏａｄｃａｓｔｉｎｇ  ｓｙｓｔｅ，ｍ  （ＤＶＢ−Ｔ２），  Ｊｕｎｅ  ２００８．
【非特許文献１０】Ｌ．  Ｖａｎｇｅｌｉｓｔａ，  Ｎ．  Ｂｅｎｖｅｎｕｔｏ，  ａｎｄ  Ｓ．  Ｔｏｍａｓｉｎ，  “Ｋｅｙ  ｔｅｃｈｎｏｌｏｇｉｅｓ  ｆｏｒ  ｎｅｘｔ−ｇｅｎｅｒａｔｉｏｎ  ｔｅｒｒｅｓｔｒｉａｌ  ｄｉｇｉｔａｌ  ｔｅｌｅｖｉｓｉｏｎ  ｓｔａｎｄａｒｄ  ＤＶＢ−Ｔ２，”  ＩＥＥＥ  Ｃｏｍｍｕｎ．  Ｍａｇａｚｉｎｅ，  ｖｏ．４７，  ｎｏ．１０，  ｐｐ．１４６−１５３，  Ｏｃｔ．  ２００９．
【非特許文献１１】Ｔ．  Ｏｈｇａｎｅ，  Ｔ．  Ｎｉｓｈｉｍｕｒａ，  ａｎｄ  Ｙ．  Ｏｇａｗａ，  “Ａｐｐｌｉｃａｔｉｏｎ  ｏｆ  ｓｐａｃｅ  ｄｉｖｉｓｉｏｎ  ｍｕｌｔｉｐｌｅｘｉｎｇ  ａｎｄ  ｔｈｏｓｅ  ｐｅｒｆｏｒｍａｎｃｅ  ｉｎ  ａ  ＭＩＭＯ  ｃｈａｎｎｅｌ，”  ＩＥＩＣＥ  Ｔｒａｎｓ．  Ｃｏｍｍｕｎ．，  ｖｏ．８８−Ｂ，  ｎｏ．５，  ｐｐ．１８４３−１８５１，  Ｍａｙ  ２００５．
【非特許文献１２】Ｒ．  Ｇ．  Ｇａｌｌａｇｅｒ，  “Ｌｏｗ−ｄｅｎｓｉｔｙ  ｐａｒｉｔｙ−ｃｈｅｃｋ  ｃｏｄｅｓ，”  ＩＲＥ  Ｔｒａｎｓ．  Ｉｎｆｏｒｍ．  Ｔｈｅｏｒｙ，  ＩＴ−８，  ｐｐ−２１−２８，  １９６２．
【非特許文献１３】Ｄ．  Ｊ．  Ｃ．  Ｍａｃｋａｙ，  “Ｇｏｏｄ  ｅｒｒｏｒ−ｃｏｒｒｅｃｔｉｎｇ  ｃｏｄｅｓ  ｂａｓｅｄ  ｏｎ  ｖｅｒｙ  ｓｐａｒｓｅ  ｍａｔｒｉｃｅｓ，”  ＩＥＥＥ  Ｔｒａｎｓ．  Ｉｎｆｏｒｍ．  Ｔｈｅｏｒｙ，  ｖｏｌ．４５，  ｎｏ．２，  ｐｐ３９９−４３１，  Ｍａｒｃｈ  １９９９．
【非特許文献１４】ＥＴＳＩ  ＥＮ  ３０２  ３０７，  “Ｓｅｃｏｎｄ  ｇｅｎｅｒａｔｉｏｎ  ｆｒａｍｉｎｇ  ｓｔｒｕｃｔｕｒｅ，  ｃｈａｎｎｅｌ  ｃｏｄｉｎｇ  ａｎｄ  ｍｏｄｕｌａｔｉｏｎ  ｓｙｓｔｅｍｓ  ｆｏｒ  ｂｒｏａｄｃａｓｔｉｎｇ，  ｉｎｔｅｒａｃｔｉｖｅ  ｓｅｒｖｉｃｅｓ，  ｎｅｗｓ  ｇａｔｈｅｒｉｎｇ  ａｎｄ  ｏｔｈｅｒ  ｂｒｏａｄｂａｎｄ  ｓａｔｅｌｌｉｔｅ  ａｐｐｌｉｃａｔｉｏｎｓ，  “  ｖ．１．１．２，  Ｊｕｎｅ  ２００６．
【非特許文献１５】Ｙ．−Ｌ．  Ｕｅｎｇ，  ａｎｄ  Ｃ．−Ｃ．  Ｃｈｅｎｇ，  “ａ  ｆａｓｔ−ｃｏｎｖｅｒｇｅｎｃｅ  ｄｅｃｏｄｉｎｇ  ｍｅｔｈｏｄ  ａｎｄ  ｍｅｍｏｒｙ−ｅｆｆｉｃｉｅｎｔ  ＶＬＳＩ  ｄｅｃｏｄｅｒ  ａｒｃｈｉｔｅｃｔｕｒｅ  ｆｏｒ  ｉｒｒｅｇｕｌａｒ  ＬＤＰＣ  ｃｏｄｅｓ  ｉｎ  ｔｈｅ  ＩＥＥＥ  ８０２．１６ｅ  ｓｔａｎｄａｒｄｓ，”  ＩＥＥＥ  ＶＴＣ−２００７  Ｆａｌｌ，  ｐｐ．１２５５−１２５９．
【非特許文献１６】Ｓ．Ｍ．Ａｌａｍｏｕｔｉ、  “Ａ  ｓｉｍｐｌｅ  ｔｒａｎｓｍｉｔ  ｄｉｖｅｒｓｉｔｙ  ｔｅｃｈｎｉｑｕｅ  ｆｏｒ  ｗｉｒｅｌｅｓｓ  ｃｏｍｍｕｎｉｃａｔｉｏｎｓ，”ＩＥＥＥ  Ｊ．  Ｓｅｌｅｃｔ．  Ａｒｅａｓ  Ｃｏｍｍｕｎ．，  ｖｏｌ．１６，  ｎｏ．８，  ｐｐ．１４５１−１４５８，  Ｏｃｔ  １９９８．
【非特許文献１７】Ｖ．  Ｔａｒｏｋｈ，  Ｈ．  Ｊａｆｒｋｈａｎｉ，  ａｎｄ  Ａ．Ｒ．Ｃａｌｄｅｒｂａｎｋ、  “Ｓｐａｃｅ−ｔｉｍｅ  ｂｌｏｃｋ  ｃｏｄｉｎｇ  ｆｏｒ  ｗｉｒｅｌｅｓｓ  ｃｏｍｍｕｎｉｃａｔｉｏｎｓ：  Ｐｅｒｆｏｒｍａｎｃｅ  ｒｅｓｕｌｔｓ、”ＩＥＥＥ  Ｊ．  Ｓｅｌｅｃｔ．  Ａｒｅａｓ  Ｃｏｍｍｕｎ．，  ｖｏｌ.１７，  ｎｏ．３，  ｐｐ．４５１―４６０，  Ｍａｒｃｈ  １９９９．
【発明の概要】
【０００５】
本開示に係る送信方法は、第１変調信号ｓ１（ｋ）を含む第１ＯＦＤＭ（Ｏｒｔｈｏｇｏｎａｌ  Ｆｒｅｑｕｅｎｃｙ  Ｄｉｖｉｓｉｏｎ  Ｍｏｄｕｌａｔｅｄ）シンボルと、第２変調信号ｓ２（ｋ）を含む第２ＯＦＤＭシンボルとを生成し、前記ｋはキャリア番号であり、前記第２変調信号ｓ２（ｋ）は前記第１変調信号ｓ１（ｋ）と同一であり、前記第１変調信号ｓ１（ｋ）は、それぞれ第１の１６ＱＡＭ（Ｑｕａｄｒａｔｕｒｅ  Ａｍｐｌｉｔｕｄｅ  Ｍｏｄｕｌａｔｉｏｎ）方式の１６個の信号点のいずれか一つと対応する４ビットのデータブロックを含み、前記第２変調信号ｓ２（ｋ）に第１の位相変更を施して第２の位相変更後の信号ｚ２（ｋ）を生成し、前記第１の位相変更では第２変調信号ｓ２（ｋ）にｅｊθ（ｋ）を乗算しており、ここでｅｊθ（ｋ）はｋの関数であり、θ（ｋ）は角度であり、前記第１ＯＦＤＭシンボルと第２ＯＦＤＭシンボルそれぞれ第１アンテナと第２アンテナから同時に同じ周波数帯域で送信し、第３変調信号ｓ３（ｋ）を含む第３ＯＦＤＭ（Ｏｒｔｈｏｇｏｎａｌ  Ｆｒｅｑｕｅｎｃｙ  Ｄｉｖｉｓｉｏｎ  Ｍｏｄｕｌａｔｅｄ）シンボルと、第４変調信号ｓ４（ｋ）を含む第４ＯＦＤＭシンボルとを生成し、前記第４変調信号ｓ４（ｋ）は前記第３変調信号ｓ３（ｋ）と同一であり、前記第３変調信号ｓ３（ｋ）は、それぞれ第２の１６ＱＡＭ方式の１６個の信号点のいずれか一つと対応する４ビットのデータブロックを含み、第２の１６ＱＡＭ方式の１６個の信号点の配置は、第１の１６ＱＡＭ方式の１６個の信号点の配置と異なり、前記第４変調信号ｓ４（ｋ）に第２の位相変更を施して第４の位相変更後の信号ｚ４（ｋ）を生成し、前記第２の位相変更では第４変調信号ｓ４（ｋ）にｅｊθ（ｋ）を乗算しており、前記第３ＯＦＤＭシンボルと第４ＯＦＤＭシンボルそれぞれ第１アンテナと第２アンテナから同時に同じ周波数帯域で送信する。
【図面の簡単な説明】
【０００６】
【図１】図１は、送受信装置の構成の一例を示す図である。
【図２】図２の（Ａ）（Ｂ）は、レイリ−フェージング環境、及びライスファクタＫ＝３、１０、１６ｄＢのライスフェージング環境において、ＬＤＰＣ（ｌｏｗ−ｄｅｎｓｉｔｙ  ｐａｒｉｔｙ−ｃｈｅｃｋ）符号化されたデータを２×２（２アンテナ送信、２アンテナ受信）空間多重ＭＩＭＯ伝送した場合のＢＥＲ（Ｂｉｔ  Ｅｒｒｏｒ  Ｒａｔｅ）特性（縦軸：ＢＥＲ、横軸：ＳＮＲ（ｓｉｇｎａｌ−ｔｏ−ｎｏｉｓｅ  ｐｏｗｅｒ  ｒａｔｉｏ））のシミュレーション結果の一例を示す図である。
【図３】図３は、同相Ｉ−直交Ｑ平面における１６ＱＡＭの信号点配置の一例を示す図である。
【図４】図４は、同相Ｉ−直交Ｑ平面における１６ＱＡＭの信号点配置の更に一例を示す図である。
【図５】図５は、同相Ｉ−直交Ｑ平面における１６ＱＡＭの信号点配置の更に一例を示す図である。
【図６】図６は、同相Ｉ−直交Ｑ平面における６４ＱＡＭの信号点配置の一例を示す図である。
【図７】図７は、同相Ｉ−直交Ｑ平面における６４ＱＡＭの信号点配置の更に一例を示す図である。
【図８】図８は、同相Ｉ−直交Ｑ平面における６４ＱＡＭの信号点配置の更に一例を示す図である。
【図９】図９は、同相Ｉ−直交Ｑ平面における２５６ＱＡＭの信号点配置の一例を示す図である。
【図１０】図１０は、同相Ｉ−直交Ｑ平面における２５６ＱＡＭの信号点配置の更に一例を示す図である。
【図１１】図１１は、同相Ｉ−直交Ｑ平面における２５６ＱＡＭの信号点配置の更に一例を示す図である。
【図１２】図１２は、送信装置の信号処理に係る構成の一例を示す図である。
【図１３】図１３は、送信装置の信号処理に係る構成の更に一例を示す図である。
【図１４】図１４は、図１２または図１３の信号処理後における信号処理に係る構成の一例を示す図である。
【図１５】図１５は、ＭＩＭＯを用いたフレーム構成の一例を示す図である。
【図１６】図１６は、送信装置と受信装置との関係を説明するための図である。
【図１７】図１７は、位相変更の一例を示す図である。
【図１８】図１８は、図１２または図１３の信号処理後における信号処理に係る構成の更に一例を示す図である。
【図１９】図１９は、図１２または図１３の信号処理後における信号処理に係る構成の更に一例を示す図である。
【図２０】図２０は、図１２または図１３の信号処理後における信号処理に係る構成の更に一例を示す図である。
【図２１】図２１は、図１２または図１３の信号処理後における信号処理に係る構成の更に一例を示す図である。
【発明を実施するための形態】
【０００７】
（本開示の基礎となった知見）
図１は、送信アンテナ数２、受信アンテナ数２、送信変調信号（送信ストリーム）数２のときの送受信装置の構成の一例を示している。送信装置では、符号化されたデータをインタリーブし、インタリーブ後のデータを変調し、周波数変換等を行い送信信号が生成され、送信信号はアンテナから送信される。このとき、送信アンテナからそれぞれ異なる変調信号が同一時刻に同一周波数に送信する方式が空間多重ＭＩＭＯ方式である。
【０００８】
このとき、特許文献１では送信アンテナごとに異なるインタリーブパターンを具備する送信装置が提案されている。つまり、図１の送信装置において２つのインタリーブ（πａ、πｂ）が互いに異なるインタリーブパターンを有していることになる。そして、受信装置において、非特許文献１、非特許文献２に示されているように、ソフト値を用いた検波方法（図１におけるＭＩＭＯ  ｄｅｔｅｃｔｏｒ）を、反復して行うことによって、受信品質が向上することになる。
【０００９】
ところで、無線通信における実伝搬環境のモデルとして、レイリーフェージング環境で代表されるＮＬＯＳ（ｎｏｎ−ｌｉｎｅ  ｏｆ  ｓｉｇｈｔ）環境、ライスフェージング環境で代表されるＬＯＳ（ｌｉｎｅ  ｏｆ  ｓｉｇｈｔ）環境が存在する。送信装置においてシングルの変調信号を送信し、受信装置において複数のアンテナで受信した信号に対して最大比合成を行い、最大比合成後の信号に対して復調、及び復号を行う場合、ＬＯＳ環境、特に、散乱波の受信電力に対する直接波の受信電力の大きさを示すライスファクタが大きい環境では、良好な受信品質を得ることができる。しかし、伝送方式（例えば、空間多重ＭＩＭＯ伝送方式）によっては、ライスファクタが大きくなると受信品質が劣化するという問題が発生する（非特許文献３参照）。
【００１０】
図２の（Ａ）（Ｂ）は、レイリ−フェージング環境、及びライスファクタＫ＝３、１０、１６ｄＢのライスフェージング環境において、ＬＤＰＣ（ｌｏｗ−ｄｅｎｓｉｔｙ  ｐａｒｉｔｙ−ｃｈｅｃｋ）符号化されたデータを２×２（２アンテナ送信、２アンテナ受信）空間多重ＭＩＭＯ伝送した場合のＢＥＲ（Ｂｉｔ  Ｅｒｒｏｒ  Ｒａｔｅ）特性（縦軸：ＢＥＲ、横軸：ＳＮＲ（ｓｉｇｎａｌ−ｔｏ−ｎｏｉｓｅ  ｐｏｗｅｒ  ｒａｔｉｏ））のシミュレーション結果の一例を示している。図２の（Ａ）は、反復検波を行わないＭａｘ−ｌｏｇ−ＡＰＰ（非特許文献１、非特許文献２参照）（ＡＰＰ：ａ  ｐｏｓｔｅｒｉｏｒ  ｐｒｏｂａｂｉｌｉｔｙ）のＢＥＲ特性、図２の（Ｂ）は、反復検波を行ったＭａｘ−ｌｏｇ−ＡＰＰ（非特許文献１、非特許文献２参照）（反復回数５回）のＢＥＲ特性を示している。図２（Ａ）（Ｂ）からわかるように、反復検波を行う、または行わないに関係なく、空間多重ＭＩＭＯシステムでは、ライスファクタが大きくなると受信品質が劣化することが確認できる。このことから、「空間多重ＭＩＭＯシステムでは、伝搬環境が安定的になると受信品質が劣化する」という従来のシングルの変調信号を送信するシステムにはない、空間多重ＭＩＭＯシステム固有の課題をもつことがわかる。
【００１１】
放送やマルチキャスト通信は、いろいろな伝播環境に対応しなければならないサービスであり、ユーザが所持する受信機と放送局との間の電波伝搬環境はＬＯＳ環境であることは当然ありうる。前述の課題をもつ空間多重ＭＩＭＯシステムを、放送やマルチキャスト通信に用いた場合、受信機において、電波の受信電界強度は高いが、受信品質の劣化によりサービスを受けることができない、という現象が発生する可能性がある。つまり、空間多重ＭＩＭＯシステムを放送やマルチキャスト通信で用いるには、ＮＬＯＳ環境、及びＬＯＳ環境のいずれの場合においても、ある程度の受信品質が得られるＭＩＭＯ伝送方式の開発が望まれる。
【００１２】
非特許文献８では、通信相手からのフィードバック情報からプリコーディングに用いるコードブック（プリコーディング行列（プリコーディングウェイト行列ともいう））を選択する方法について述べられているが、上記のように、放送やマルチキャスト通信のように、通信相手からのフィードバック情報が得られない状況において、プリコーディングを行う方法については全く記載されていない。
【００１３】
一方、非特許文献４では、フィードバック情報が無い場合にも適用することができる、時間とともに、プリコーディング行列を切り替える方法について述べられている。この文献では、プリコーディングに用いる行列として、ユニタリ行列を用いること、また、ユニタリ行列をランダムに切り替えることについて述べられているが、上記で示したＬＯＳ環境での受信品質の劣化に対する適用方法については全く記載されていなく、単にランダムに切り替えることのみが記載されている。当然であるが、ＬＯＳ環境の受信品質の劣化を改善するためのプリコーディング方法、および、プリコーディング行列の構成方法に関する記述は一切されていない。さらに、プリコーディングを適用する際に、変調方式の同相Ｉ―直交Ｑ平面における信号点配置（マッピング）、特に、ＬＯＳ環境において、データの受信品質を向上させるためのマッピング方法については一切記述されていない。
【００１４】
以下、本開示の実施の形態について、図面を参照して詳細に説明する。
【００１５】
本開示は、複数の送信アンテナと受信アンテナを利用したＭＩＭＯ（Multiple-Input  Multiple-Output）方式をマルチキャスト伝送、放送に利用する際、受信装置における受信データの品質を向上させる伝送方法に関する。
【００１６】
直接波が支配的な電波伝搬環境において、受信時における同相Ｉ−直交Ｑ平面における信号点の最小ユークリッドが大きくなる確率を大きくすると、受信装置における受信データの品質が向上する可能性が高い。
【００１７】
以下では、この課題を解決するための実施例について説明する。
【００１８】
（実施の形態１）
まず、本実施の形態に関連するマッピング方法（変調方式における同相Ｉ―直交Ｑにおける信号点配置）について、例として１６ＱＡＭ、６４ＱＡＭ、２５６ＱＡＭのマッピング方法について説明する。
【００１９】
＜１６ＱＡＭのマッピングについて＞
１６ＱＡＭのマッピング方法について説明する。
【００２０】
図３は、同相Ｉ−直交Ｑ平面における１６ＱＡＭの信号点配置の例を示している。なお、図３において、１６個の○が１６ＱＡＭの信号点であり、横軸Ｉ、縦軸Ｑとなる。
【００２１】
また、図３においてｆ＞０（ｆは０より大きい実数）であり、ｆ≠３、かつ、ｆ≠１であるものとする。
【００２２】
１６ＱＡＭの１６個の信号点（図Ｈ１の「○」が信号点である。）の同相Ｉ−直交Ｑ平面におけるそれぞれの座標は、
（３×ｗ１６ａ，３×ｗ１６ａ）、（３×ｗ１６ａ，ｆ×ｗ１６ａ）、（３×ｗ１６ａ，−ｆ×ｗ１６ａ）、（３×ｗ１６ａ，−３×ｗ１６ａ）、（ｆ×ｗ１６ａ，３×ｗ１６ａ）、（ｆ×ｗ１６ａ，ｆ×ｗ１６ａ）、（ｆ×ｗ１６ａ，−ｆ×ｗ１６ａ）、（ｆ×ｗ１６ａ，−３×ｗ１６ａ）、（−ｆ×ｗ１６ａ，３×ｗ１６ａ）、（−ｆ×ｗ１６ａ，ｆ×ｗ１６ａ）、（−ｆ×ｗ１６ａ，−ｆ×ｗ１６ａ）、（−ｆ×ｗ１６ａ，−３×ｗ１６ａ）、（−３×ｗ１６ａ，３×ｗ１６ａ）、（−３×ｗ１６ａ，ｆ×ｗ１６ａ）、（−３×ｗ１６ａ，−ｆ×ｗ１６ａ）、（−３×ｗ１６ａ，−３×ｗ１６ａ）、となる（ｗ１６ａは０より大きい実数となる）。
【００２３】
ここで、送信するビット（入力ビット）をｂ０、ｂ１、ｂ２、ｂ３とする。例えば、送信するビットが（ｂ０、ｂ１、ｂ２、ｂ３）＝（０、０、０、０）の場合、図３における信号点Ｈ１０１にマッピングされ、マッピング後のベースバンド信号の同相成分をＩ、直交成分をＱとすると、（Ｉ，Ｑ）＝（３×ｗ１６ａ，３×ｗ１６ａ）となる。
【００２４】
つまり、送信するビット（ｂ０、ｂ１、ｂ２、ｂ３）に基づき、（１６ＱＡＭ時の）マッピング後のベースバンド信号の同相成分Ｉ、直交成分Ｑが決定される。なお、ｂ０、ｂ１、ｂ２、ｂ３のセット（００００〜１１１１）と信号点の座標の関係の一例は図３のとおりである。１６ＱＡＭの１６個の信号点（図Ｈ１の「○」）
（３×ｗ１６ａ，３×ｗ１６ａ）、（３×ｗ１６ａ，ｆ×ｗ１６ａ）、（３×ｗ１６ａ，−ｆ×ｗ１６ａ）、（３×ｗ１６ａ，−３×ｗ１６ａ）、（ｆ×ｗ１６ａ，３×ｗ１６ａ）、（ｆ×ｗ１６ａ，ｆ×ｗ１６ａ）、（ｆ×ｗ１６ａ，−ｆ×ｗ１６ａ）、（ｆ×ｗ１６ａ，−３×ｗ１６ａ）、（−ｆ×ｗ１６ａ，３×ｗ１６ａ）、（−ｆ×ｗ１６ａ，ｆ×ｗ１６ａ）、（−ｆ×ｗ１６ａ，−ｆ×ｗ１６ａ）、（−ｆ×ｗ１６ａ，−３×ｗ１６ａ）、（−３×ｗ１６ａ，３×ｗ１６ａ）、（−３×ｗ１６ａ，ｆ×ｗ１６ａ）、（−３×ｗ１６ａ，−ｆ×ｗ１６ａ）、（−３×ｗ１６ａ，−３×ｗ１６ａ）
の直下にｂ０、ｂ１、ｂ２、ｂ３のセット００００〜１１１１の値が示されている。ｂ０、ｂ１、ｂ２、ｂ３のセット００００〜１１１１の直上の信号点（「○」）の同相Ｉ−直交Ｑ平面におけるそれぞれの座標が、マッピング後のベースバンド信号の同相成分Ｉおよび直交成分Ｑとなる。なお、１６ＱＡＭ時のｂ０、ｂ１、ｂ２、ｂ３のセット（００００〜１１１１）と信号点の座標の関係は、図３に限ったものではない。
【００２５】
図３の１６個の信号点に対し、「信号点１」「信号点２」・・・「信号点１５」「信号点１６」と名付ける。（１６個の信号点が存在するので、「信号点１」から「信号点１６」が存在することになる。）同相Ｉ―直交Ｑ平面において、「信号点ｉ」と原点の距離をＤｉとする。このとき、ｗ１６ａを以下のように与える。
【００２６】
【数１】
2019193278.tif 000003
【００２７】
すると、マッピング後のベースバンド信号の平均パワーはｚ２となる。
【００２８】
なお、上述の説明の１６ＱＡＭのマッピング方法を、non-uniform 16QAMと一般的に呼ばれる。このマッピング方法をここでは「１６ＱＡＭマッピング方法＃１」とよぶ。
【００２９】
そして、上述の説明において、「ｆ≠３、かつ、ｆ≠１」としたが、「ｆ＝１」のときuniform 16QAMとよび、このマッピング方法をここでは「１６ＱＡＭマッピング方法＃０」とよぶ。
【００３０】
１６ＱＡＭのマッピング方法について説明する。
【００３１】
図４は、同相Ｉ−直交Ｑ平面における１６ＱＡＭの信号点配置の例を示している。なお、図４において、１６個の○が１６ＱＡＭの信号点であり、横軸Ｉ、縦軸Ｑとなる。
【００３２】
また、図４においてｆ１＞０（ｆ１は０より大きい実数）、かつ、ｆ２＞０（ｆ２は０より大きい実数）であり、ｆ１≠３、かつ、ｆ２≠３、かつ、ｆ１≠ｆ２であるものとする。
【００３３】
１６ＱＡＭの１６個の信号点（図Ｈ２の「○」が信号点である。）の同相Ｉ−直交Ｑ平面におけるそれぞれの座標は、
（３×ｗ１６ｂ，３×ｗ１６ｂ）、（３×ｗ１６ｂ，ｆ２×ｗ１６ｂ）、（３×ｗ１６ｂ，−ｆ２×ｗ１６ｂ）、（３×ｗ１６ｂ，−３×ｗ１６ｂ）、（ｆ１×ｗ１６ｂ，３×ｗ１６ｂ）、（ｆ１×ｗ１６ｂ，ｆ２×ｗ１６ｂ）、（ｆ１×ｗ１６ｂ，−ｆ２×ｗ１６ｂ）、（ｆ１×ｗ１６ｂ，−３×ｗ１６ｂ）、（−ｆ１×ｗ１６ｂ，３×ｗ１６ｂ）、（−ｆ１×ｗ１６ｂ，ｆ２×ｗ１６ｂ）、（−ｆ１×ｗ１６ｂ，−ｆ２×ｗ１６ｂ）、（−ｆ１×ｗ１６ｂ，−３×ｗ１６ｂ）、（−３×ｗ１６ｂ，３×ｗ１６ｂ）、（−３×ｗ１６ｂ，ｆ２×ｗ１６ｂ）、（−３×ｗ１６ｂ，−ｆ２×ｗ１６ｂ）、（−３×ｗ１６ｂ，−３×ｗ１６ｂ）、
となる（ｗ１６ｂは０より大きい実数となる）。
【００３４】
ここで、送信するビット（入力ビット）をｂ０、ｂ１、ｂ２、ｂ３とする。例えば、送信するビットが（ｂ０、ｂ１、ｂ２、ｂ３）＝（０、０、０、０）の場合、図４における信号点Ｈ２０１にマッピングされ、マッピング後のベースバンド信号の同相成分をＩ、直交成分をＱとすると、（Ｉ，Ｑ）＝（３×ｗ１６ｂ，３×ｗ１６ｂ）となる。
【００３５】
つまり、送信するビット（ｂ０、ｂ１、ｂ２、ｂ３）に基づき、（１６ＱＡＭ時の）マッピング後のベースバンド信号の同相成分Ｉ、直交成分Ｑが決定される。なお、ｂ０、ｂ１、ｂ２、ｂ３のセット（００００〜１１１１）と信号点の座標の関係の一例は図４のとおりである。１６ＱＡＭの１６個の信号点（図Ｈ２の「○」）
（３×ｗ１６ｂ，３×ｗ１６ｂ）、（３×ｗ１６ｂ，ｆ２×ｗ１６ｂ）、（３×ｗ１６ｂ，−ｆ２×ｗ１６ｂ）、（３×ｗ１６ｂ，−３×ｗ１６ｂ）、（ｆ１×ｗ１６ｂ，３×ｗ１６ｂ）、（ｆ１×ｗ１６ｂ，ｆ２×ｗ１６ｂ）、（ｆ１×ｗ１６ｂ，−ｆ２×ｗ１６ｂ）、（ｆ１×ｗ１６ｂ，−３×ｗ１６ｂ）、（−ｆ１×ｗ１６ｂ，３×ｗ１６ｂ）、（−ｆ１×ｗ１６ｂ，ｆ２×ｗ１６ｂ）、（−ｆ１×ｗ１６ｂ，−ｆ２×ｗ１６ｂ）、（−ｆ１×ｗ１６ｂ，−３×ｗ１６ｂ）、（−３×ｗ１６ｂ，３×ｗ１６ｂ）、（−３×ｗ１６ｂ，ｆ２×ｗ１６ｂ）、（−３×ｗ１６ｂ，−ｆ２×ｗ１６ｂ）、（−３×ｗ１６ｂ，−３×ｗ１６ｂ）、
の直下にｂ０、ｂ１、ｂ２、ｂ３のセット００００〜１１１１の値が示されている。ｂ０、ｂ１、ｂ２、ｂ３のセット００００〜１１１１の直上の信号点（「○」）の同相Ｉ−直交Ｑ平面におけるそれぞれの座標が、マッピング後のベースバンド信号の同相成分Ｉおよび直交成分Ｑとなる。なお、１６ＱＡＭ時のｂ０、ｂ１、ｂ２、ｂ３のセット（００００〜１１１１）と信号点の座標の関係は、図Ｈ２に限ったものではない。
【００３６】
図４の１６個の信号点に対し、「信号点１」「信号点２」・・・「信号点１５」「信号点１６」と名付ける。（１６個の信号点が存在するので、「信号点１」から「信号点１６」が存在することになる。）同相Ｉ―直交Ｑ平面において、「信号点ｉ」と原点の距離をＤｉとする。このとき、ｗ１６ｂを以下のように与える。
【００３７】
【数２】
2019193278.tif 000004
【００３８】
すると、マッピング後のベースバンド信号の平均パワーはｚ２となる。
【００３９】
なお、上述の説明の１６ＱＡＭのマッピング方法をここでは「１６ＱＡＭマッピング方法＃２」とよぶ。
【００４０】
１６ＱＡＭのマッピング方法について説明する。
【００４１】
図５は、同相Ｉ−直交Ｑ平面における１６ＱＡＭの信号点配置の例を示している。なお、図５において、１６個の○が１６ＱＡＭの信号点であり、横軸Ｉ、縦軸Ｑとなる。
【００４２】
また、図５においてｋ１＞０（ｋ１は０より大きい実数）、かつ、ｋ２＞０（ｋ２は０より大きい実数）であり、ｋ１≠１、かつ、ｋ２≠１、かつ、ｋ１≠ｋ２であるものとする。
【００４３】
１６ＱＡＭの１６個の信号点（図５の「○」が信号点である。）の同相Ｉ−直交Ｑ平面におけるそれぞれの座標は、
（ｋ１×ｗ１６ｃ，ｋ２×ｗ１６ｃ）、（ｋ１×ｗ１６ｃ，１×ｗ１６ｃ）、（ｋ１×ｗ１６ｃ，−１×ｗ１６ｃ）、（ｋ１×ｗ１６ｃ，−ｋ２×ｗ１６ｃ）、（１×ｗ１６ｃ，ｋ２×ｗ１６ｃ）、（１×ｗ１６ｃ，１×ｗ１６ｃ）、（１×ｗ１６ｃ，−１×ｗ１６ｃ）、（１×ｗ１６ｃ，−ｋ２×ｗ１６ｃ）、（−１×ｗ１６ｃ，ｋ２×ｗ１６ｃ）、（−１×ｗ１６ｃ，１×ｗ１６ｃ）、（−１×ｗ１６ｃ，−１×ｗ１６ｃ）、（−１×ｗ１６ｃ，−ｋ２×ｗ１６ｃ）、（−ｋ１×ｗ１６ｃ，ｋ２×ｗ１６ｃ）、（−ｋ１×ｗ１６ｃ，１×ｗ１６ｃ）、（−ｋ１×ｗ１６ｃ，−１×ｗ１６ｃ）、（−ｋ１×ｗ１６ｃ，−ｋ２×ｗ１６ｃ）、
となる（ｗ１６ｃは０より大きい実数となる）。
【００４４】
ここで、送信するビット（入力ビット）をｂ０、ｂ１、ｂ２、ｂ３とする。例えば、送信するビットが（ｂ０、ｂ１、ｂ２、ｂ３）＝（０、０、０、０）の場合、図５における信号点Ｈ３０１にマッピングされ、マッピング後のベースバンド信号の同相成分をＩ、直交成分をＱとすると、（Ｉ，Ｑ）＝（ｋ１×ｗ１６ｃ，ｋ２×ｗ１６ｃ）となる。
【００４５】
つまり、送信するビット（ｂ０、ｂ１、ｂ２、ｂ３）に基づき、（１６ＱＡＭ時の）マッピング後のベースバンド信号の同相成分Ｉ、直交成分Ｑが決定される。なお、ｂ０、ｂ１、ｂ２、ｂ３のセット（００００〜１１１１）と信号点の座標の関係の一例は図Ｈ３のとおりである。１６ＱＡＭの１６個の信号点（図５の「○」）
（ｋ１×ｗ１６ｃ，ｋ２×ｗ１６ｃ）、（ｋ１×ｗ１６ｃ，１×ｗ１６ｃ）、（ｋ１×ｗ１６ｃ，−１×ｗ１６ｃ）、（ｋ１×ｗ１６ｃ，−ｋ２×ｗ１６ｃ）、（１×ｗ１６ｃ，ｋ２×ｗ１６ｃ）、（１×ｗ１６ｃ，１×ｗ１６ｃ）、（１×ｗ１６ｃ，−１×ｗ１６ｃ）、（１×ｗ１６ｃ，−ｋ２×ｗ１６ｃ）、（−１×ｗ１６ｃ，ｋ２×ｗ１６ｃ）、（−１×ｗ１６ｃ，１×ｗ１６ｃ）、（−１×ｗ１６ｃ，−１×ｗ１６ｃ）、（−１×ｗ１６ｃ，−ｋ２×ｗ１６ｃ）、（−ｋ１×ｗ１６ｃ，ｋ２×ｗ１６ｃ）、（−ｋ１×ｗ１６ｃ，１×ｗ１６ｃ）、（−ｋ１×ｗ１６ｃ，−１×ｗ１６ｃ）、（−ｋ１×ｗ１６ｃ，−ｋ２×ｗ１６ｃ）、
の直下にｂ０、ｂ１、ｂ２、ｂ３のセット００００〜１１１１の値が示されている。ｂ０、ｂ１、ｂ２、ｂ３のセット００００〜１１１１の直上の信号点（「○」）の同相Ｉ−直交Ｑ平面におけるそれぞれの座標が、マッピング後のベースバンド信号の同相成分Ｉおよび直交成分Ｑとなる。なお、１６ＱＡＭ時のｂ０、ｂ１、ｂ２、ｂ３のセット（００００〜１１１１）と信号点の座標の関係は、図５に限ったものではない。
【００４６】
図５の１６個の信号点に対し、「信号点１」「信号点２」・・・「信号点１５」「信号点１６」と名付ける。（１６個の信号点が存在するので、「信号点１」から「信号点１６」が存在することになる。）同相Ｉ―直交Ｑ平面において、「信号点ｉ」と原点の距離をＤｉとする。このとき、ｗ１６ｃを以下のように与える。
【００４７】
【数３】
2019193278.tif 000005
【００４８】
すると、マッピング後のベースバンド信号の平均パワーはｚ２となる。
【００４９】
なお、上述の説明の１６ＱＡＭのマッピング方法をここでは「１６ＱＡＭマッピング方法＃３」とよぶ。
【００５０】
次に、６４ＱＡＭのマッピング方法について説明する。
【００５１】
図６は、同相Ｉ−直交Ｑ平面における６４ＱＡＭの信号点配置の例を示している。なお、図６において、６４個の○が６４ＱＡＭの信号点であり、横軸Ｉ、縦軸Ｑとなる。
【００５２】
図６においてｇ１＞０（ｇ１は０より大きい実数）、かつ、ｇ２＞０（ｇ２は０より大きい実数）、かつ、ｇ３＞０（ｇ３は０より大きい実数）であり、
｛｛ｇ１≠７、かつ、ｇ２≠７、かつ、ｇ３≠７｝が成立する｝、
かつ、｛｛（ｇ１、ｇ２、ｇ３）≠（１、３、５）、かつ、（ｇ１、ｇ２、ｇ３）≠（１、５、３）、かつ、（ｇ１、ｇ２、ｇ３）≠（３、１、５）、かつ、（ｇ１、ｇ２、ｇ３）≠（３、５、１）、かつ、（ｇ１、ｇ２、ｇ３）≠（５、１、３）、かつ、（ｇ１、ｇ２、ｇ３）≠（５、３、１）｝が成立する｝、
かつ、｛｛ｇ１≠ｇ２、かつ、ｇ１≠ｇ３、かつ、ｇ２≠ｇ３｝が成立する｝
であるものとする。
【００５３】
６４ＱＡＭの６４個の信号点（図Ｈ４の「○」が信号点である。）の同相Ｉ−直交Ｑ平面におけるそれぞれの座標は、
（７×ｗ６４ａ，７×ｗ６４ａ）、（７×ｗ６４ａ，ｇ３×ｗ６４ａ）、（７×ｗ６４ａ，ｇ２×ｗ６４ａ）、（７×ｗ６４ａ，ｇ１×ｗ６４ａ）、（７×ｗ６４ａ，−ｇ１×ｗ６４ａ）、（７×ｗ６４ａ，−ｇ２×ｗ６４ａ）、（７×ｗ６４ａ，−ｇ３×ｗ６４ａ）、（７×ｗ６４ａ，−７×ｗ６４ａ）
（ｇ３×ｗ６４ａ，７×ｗ６４ａ）、（ｇ３×ｗ６４ａ，ｇ３×ｗ６４ａ）、（ｇ３×ｗ６４ａ，ｇ２×ｗ６４ａ）、（ｇ３×ｗ６４ａ，ｇ１×ｗ６４ａ）、（ｇ３×ｗ６４ａ，−ｇ１×ｗ６４ａ）、（ｇ３×ｗ６４ａ，−ｇ２×ｗ６４ａ）、（ｇ３×ｗ６４ａ，−ｇ３×ｗ６４ａ）、（ｇ３×ｗ６４ａ，−７×ｗ６４ａ）
（ｇ２×ｗ６４ａ，７×ｗ６４ａ）、（ｇ２×ｗ６４ａ，ｇ３×ｗ６４ａ）、（ｇ２×ｗ６４ａ，ｇ２×ｗ６４ａ）、（ｇ２×ｗ６４ａ，ｇ１×ｗ６４ａ）、（ｇ２×ｗ６４ａ，−ｇ１×ｗ６４ａ）、（ｇ２×ｗ６４ａ，−ｇ２×ｗ６４ａ）、（ｇ２×ｗ６４ａ，−ｇ３×ｗ６４ａ）、（ｇ２×ｗ６４ａ，−７×ｗ６４ａ）
（ｇ１×ｗ６４ａ，７×ｗ６４ａ）、（ｇ１×ｗ６４ａ，ｇ３×ｗ６４ａ）、（ｇ１×ｗ６４ａ，ｇ２×ｗ６４ａ）、（ｇ１×ｗ６４ａ，ｇ１×ｗ６４ａ）、（ｇ１×ｗ６４ａ，−ｇ１×ｗ６４ａ）、（ｇ１×ｗ６４ａ，−ｇ２×ｗ６４ａ）、（ｇ１×ｗ６４ａ，−ｇ３×ｗ６４ａ）、（ｇ１×ｗ６４ａ，−７×ｗ６４ａ）
（−ｇ１×ｗ６４ａ，７×ｗ６４ａ）、（−ｇ１×ｗ６４ａ，ｇ３×ｗ６４ａ）、（−ｇ１×ｗ６４ａ，ｇ２×ｗ６４ａ）、（−ｇ１×ｗ６４ａ，ｇ１×ｗ６４ａ）、（−ｇ１×ｗ６４ａ，−ｇ１×ｗ６４ａ）、（−ｇ１×ｗ６４ａ，−ｇ２×ｗ６４ａ）、（−ｇ１×ｗ６４ａ，−ｇ３×ｗ６４ａ）、（−ｇ１×ｗ６４ａ，−７×ｗ６４ａ）
（−ｇ２×ｗ６４ａ，７×ｗ６４ａ）、（−ｇ２×ｗ６４ａ，ｇ３×ｗ６４ａ）、（−ｇ２×ｗ６４ａ，ｇ２×ｗ６４ａ）、（−ｇ２×ｗ６４ａ，ｇ１×ｗ６４ａ）、（−ｇ２×ｗ６４ａ，−ｇ１×ｗ６４ａ）、（−ｇ２×ｗ６４ａ，−ｇ２×ｗ６４ａ）、（−ｇ２×ｗ６４ａ，−ｇ３×ｗ６４ａ）、（−ｇ２×ｗ６４ａ，−７×ｗ６４ａ）
（−ｇ３×ｗ６４ａ，７×ｗ６４ａ）、（−ｇ３×ｗ６４ａ，ｇ３×ｗ６４ａ）、（−ｇ３×ｗ６４ａ，ｇ２×ｗ６４ａ）、（−ｇ３×ｗ６４ａ，ｇ１×ｗ６４ａ）、（−ｇ３×ｗ６４ａ，−ｇ１×ｗ６４ａ）、（−ｇ３×ｗ６４ａ，−ｇ２×ｗ６４ａ）、（−ｇ３×ｗ６４ａ，−ｇ３×ｗ６４ａ）、（−ｇ３×ｗ６４ａ，−７×ｗ６４ａ）
（−７×ｗ６４ａ，７×ｗ６４ａ）、（−７×ｗ６４ａ，ｇ３×ｗ６４ａ）、（−７×ｗ６４ａ，ｇ２×ｗ６４ａ）、（−７×ｗ６４ａ，ｇ１×ｗ６４ａ）、（−７×ｗ６４ａ，−ｇ１×ｗ６４ａ）、（−７×ｗ６４ａ，−ｇ２×ｗ６４ａ）、（−７×ｗ６４ａ，−ｇ３×ｗ６４ａ）、（−７×ｗ６４ａ，−７×ｗ６４ａ）
となる（ｗ６４ａは０より大きい実数となる）。
【００５４】
ここで、送信するビット（入力ビット）をｂ０、ｂ１、ｂ２、ｂ３、ｂ４、ｂ５とする。例えば、送信するビットが（ｂ０、ｂ１、ｂ２、ｂ３、ｂ４、ｂ５）＝（０、０、０、０、０、０）の場合、図６における信号点Ｈ４０１にマッピングされ、マッピング後のベースバンド信号の同相成分をＩ、直交成分をＱとすると、（Ｉ，Ｑ）＝（７×ｗ６４ａ，７×ｗ６４ａ）となる。
【００５５】
つまり、送信するビット（ｂ０、ｂ１、ｂ２、ｂ３、ｂ４、ｂ５）に基づき、（６４ＱＡＭ時の）マッピング後のベースバンド信号の同相成分Ｉ、直交成分Ｑが決定される。なお、ｂ０、ｂ１、ｂ２、ｂ３、ｂ４、ｂ５のセット（００００００〜１１１１１１）と信号点の座標の関係の一例は図６のとおりである。６４ＱＡＭの６４個の信号点（図６の「○」）
（７×ｗ６４ａ，７×ｗ６４ａ）、（７×ｗ６４ａ，ｇ３×ｗ６４ａ）、（７×ｗ６４ａ，ｇ２×ｗ６４ａ）、（７×ｗ６４ａ，ｇ１×ｗ６４ａ）、（７×ｗ６４ａ，−ｇ１×ｗ６４ａ）、（７×ｗ６４ａ，−ｇ２×ｗ６４ａ）、（７×ｗ６４ａ，−ｇ３×ｗ６４ａ）、（７×ｗ６４ａ，−７×ｗ６４ａ）
（ｇ３×ｗ６４ａ，７×ｗ６４ａ）、（ｇ３×ｗ６４ａ，ｇ３×ｗ６４ａ）、（ｇ３×ｗ６４ａ，ｇ２×ｗ６４ａ）、（ｇ３×ｗ６４ａ，ｇ１×ｗ６４ａ）、（ｇ３×ｗ６４ａ，−ｇ１×ｗ６４ａ）、（ｇ３×ｗ６４ａ，−ｇ２×ｗ６４ａ）、（ｇ３×ｗ６４ａ，−ｇ３×ｗ６４ａ）、（ｇ３×ｗ６４ａ，−７×ｗ６４ａ）
（ｇ２×ｗ６４ａ，７×ｗ６４ａ）、（ｇ２×ｗ６４ａ，ｇ３×ｗ６４ａ）、（ｇ２×ｗ６４ａ，ｇ２×ｗ６４ａ）、（ｇ２×ｗ６４ａ，ｇ１×ｗ６４ａ）、（ｇ２×ｗ６４ａ，−ｇ１×ｗ６４ａ）、（ｇ２×ｗ６４ａ，−ｇ２×ｗ６４ａ）、（ｇ２×ｗ６４ａ，−ｇ３×ｗ６４ａ）、（ｇ２×ｗ６４ａ，−７×ｗ６４ａ）
（ｇ１×ｗ６４ａ，７×ｗ６４ａ）、（ｇ１×ｗ６４ａ，ｇ３×ｗ６４ａ）、（ｇ１×ｗ６４ａ，ｇ２×ｗ６４ａ）、（ｇ１×ｗ６４ａ，ｇ１×ｗ６４ａ）、（ｇ１×ｗ６４ａ，−ｇ１×ｗ６４ａ）、（ｇ１×ｗ６４ａ，−ｇ２×ｗ６４ａ）、（ｇ１×ｗ６４ａ，−ｇ３×ｗ６４ａ）、（ｇ１×ｗ６４ａ，−７×ｗ６４ａ）
（−ｇ１×ｗ６４ａ，７×ｗ６４ａ）、（−ｇ１×ｗ６４ａ，ｇ３×ｗ６４ａ）、（−ｇ１×ｗ６４ａ，ｇ２×ｗ６４ａ）、（−ｇ１×ｗ６４ａ，ｇ１×ｗ６４ａ）、（−ｇ１×ｗ６４ａ，−ｇ１×ｗ６４ａ）、（−ｇ１×ｗ６４ａ，−ｇ２×ｗ６４ａ）、（−ｇ１×ｗ６４ａ，−ｇ３×ｗ６４ａ）、（−ｇ１×ｗ６４ａ，−７×ｗ６４ａ）
（−ｇ２×ｗ６４ａ，７×ｗ６４ａ）、（−ｇ２×ｗ６４ａ，ｇ３×ｗ６４ａ）、（−ｇ２×ｗ６４ａ，ｇ２×ｗ６４ａ）、（−ｇ２×ｗ６４ａ，ｇ１×ｗ６４ａ）、（−ｇ２×ｗ６４ａ，−ｇ１×ｗ６４ａ）、（−ｇ２×ｗ６４ａ，−ｇ２×ｗ６４ａ）、（−ｇ２×ｗ６４ａ，−ｇ３×ｗ６４ａ）、（−ｇ２×ｗ６４ａ，−７×ｗ６４ａ）
（−ｇ３×ｗ６４ａ，７×ｗ６４ａ）、（−ｇ３×ｗ６４ａ，ｇ３×ｗ６４ａ）、（−ｇ３×ｗ６４ａ，ｇ２×ｗ６４ａ）、（−ｇ３×ｗ６４ａ，ｇ１×ｗ６４ａ）、（−ｇ３×ｗ６４ａ，−ｇ１×ｗ６４ａ）、（−ｇ３×ｗ６４ａ，−ｇ２×ｗ６４ａ）、（−ｇ３×ｗ６４ａ，−ｇ３×ｗ６４ａ）、（−ｇ３×ｗ６４ａ，−７×ｗ６４ａ）
（−７×ｗ６４ａ，７×ｗ６４ａ）、（−７×ｗ６４ａ，ｇ３×ｗ６４ａ）、（−７×ｗ６４ａ，ｇ２×ｗ６４ａ）、（−７×ｗ６４ａ，ｇ１×ｗ６４ａ）、（−７×ｗ６４ａ，−ｇ１×ｗ６４ａ）、（−７×ｗ６４ａ，−ｇ２×ｗ６４ａ）、（−７×ｗ６４ａ，−ｇ３×ｗ６４ａ）、（−７×ｗ６４ａ，−７×ｗ６４ａ）
の直下にｂ０、ｂ１、ｂ２、ｂ３、ｂ４、ｂ５のセット００００００〜１１１１１１の値が示されている。ｂ０、ｂ１、ｂ２、ｂ３、ｂ４、ｂ５のセット００００００〜１１１１１１の直上の信号点（「○」）の同相Ｉ−直交Ｑ平面におけるそれぞれの座標が、マッピング後のベースバンド信号の同相成分Ｉおよび直交成分Ｑとなる。なお、６４ＱＡＭ時のｂ０、ｂ１、ｂ２、ｂ３、ｂ４、ｂ５のセット（００００００〜１１１１１１）と信号点の座標の関係は、図６に限ったものではない。
【００５６】
図６の６４個の信号点に対し、「信号点１」「信号点２」・・・「信号点６３」「信号点６４」と名付ける。（６４個の信号点が存在するので、「信号点１」から「信号点６４」が存在することになる。）同相Ｉ―直交Ｑ平面において、「信号点ｉ」と原点の距離をＤｉとする。このとき、ｗ６４ａを以下のように与える。
【００５７】
【数４】
2019193278.tif 000006
【００５８】
すると、マッピング後のベースバンド信号の平均パワーはｚ２となる。
【００５９】
なお、上述の説明の６４ＱＡＭのマッピング方法を、non-uniform 64QAMと一般的に呼ばれる。このマッピング方法をここでは「６４ＱＡＭマッピング方法＃１」とよぶ。
【００６０】
そして、上述の説明において、「（ｇ１、ｇ２、ｇ３）≠（１、３、５）」のときuniform 64QAMとよび、このマッピング方法をここでは「６４ＱＡＭマッピング方法＃０」とよぶ。
【００６１】
図７は、同相Ｉ−直交Ｑ平面における６４ＱＡＭの信号点配置の例を示している。なお、図７において、６４個の○が６４ＱＡＭの信号点であり、横軸Ｉ、縦軸Ｑとなる。
【００６２】
図７においてｇ１＞０（ｇ１は０より大きい実数）、かつ、ｇ２＞０（ｇ２は０より大きい実数）、かつ、ｇ３＞０（ｇ３は０より大きい実数）、かつ、ｇ４＞０（ｇ４は０より大きい実数）、かつ、ｇ５＞０（ｇ５は０より大きい実数）、かつ、ｇ６＞０（ｇ６は０より大きい実数）であり、
｛ｇ１≠７、かつ、ｇ２≠７、かつ、ｇ３≠７、かつ、ｇ１≠ｇ２、かつ、ｇ１≠ｇ３、かつ、ｇ２≠ｇ３｝
かつ、
｛ｇ４≠７、かつ、ｇ５≠７、かつ、ｇ６≠７、かつ、ｇ４≠ｇ５、かつ、ｇ４≠ｇ６、かつ、ｇ５≠ｇ６｝
かつ、
｛｛ｇ１≠ｇ４、または、ｇ２≠ｇ５、または、ｇ３≠ｇ６｝が成立する。｝
が成立する。
【００６３】
６４ＱＡＭの６４個の信号点（図Ｈ５の「○」が信号点である。）の同相Ｉ−直交Ｑ平面におけるそれぞれの座標は、
（７×ｗ６４ｂ，７×ｗ６４ｂ）、（７×ｗ６４ｂ，ｇ６×ｗ６４ｂ）、（７×ｗ６４ｂ，ｇ５×ｗ６４ｂ）、（７×ｗ６４ｂ，ｇ４×ｗ６４ｂ）、（７×ｗ６４ｂ，−ｇ４×ｗ６４ｂ）、（７×ｗ６４ｂ，−ｇ５×ｗ６４ｂ）、（７×ｗ６４ｂ，−ｇ６×ｗ６４ｂ）、（７×ｗ６４ｂ，−７×ｗ６４ｂ）
（ｇ３×ｗ６４ｂ，７×ｗ６４ｂ）、（ｇ３×ｗ６４ｂ，ｇ６×ｗ６４ｂ）、（ｇ３×ｗ６４ｂ，ｇ５×ｗ６４ｂ）、（ｇ３×ｗ６４ｂ，ｇ４×ｗ６４ｂ）、（ｇ３×ｗ６４ｂ，−ｇ４×ｗ６４ｂ）、（ｇ３×ｗ６４ｂ，−ｇ５×ｗ６４ｂ）、（ｇ３×ｗ６４ｂ，−ｇ６×ｗ６４ｂ）、（ｇ３×ｗ６４ｂ，−７×ｗ６４ｂ）
（ｇ２×ｗ６４ｂ，７×ｗ６４ｂ）、（ｇ２×ｗ６４ｂ，ｇ６×ｗ６４ｂ）、（ｇ２×ｗ６４ｂ，ｇ５×ｗ６４ｂ）、（ｇ２×ｗ６４ｂ，ｇ４×ｗ６４ｂ）、（ｇ２×ｗ６４ｂ，−ｇ４×ｗ６４ｂ）、（ｇ２×ｗ６４ｂ，−ｇ５×ｗ６４ｂ）、（ｇ２×ｗ６４ｂ，−ｇ６×ｗ６４ｂ）、（ｇ２×ｗ６４ｂ，−７×ｗ６４ｂ）
（ｇ１×ｗ６４ｂ，７×ｗ６４ｂ）、（ｇ１×ｗ６４ｂ，ｇ６×ｗ６４ｂ）、（ｇ１×ｗ６４ｂ，ｇ５×ｗ６４ｂ）、（ｇ１×ｗ６４ｂ，ｇ４×ｗ６４ｂ）、（ｇ１×ｗ６４ｂ，−ｇ４×ｗ６４ｂ）、（ｇ１×ｗ６４ｂ，−ｇ５×ｗ６４ｂ）、（ｇ１×ｗ６４ｂ，−ｇ６×ｗ６４ｂ）、（ｇ１×ｗ６４ｂ，−７×ｗ６４ｂ）
（−ｇ１×ｗ６４ｂ，７×ｗ６４ｂ）、（−ｇ１×ｗ６４ｂ，ｇ６×ｗ６４ｂ）、（−ｇ１×ｗ６４ｂ，ｇ５×ｗ６４ｂ）、（−ｇ１×ｗ６４ｂ，ｇ４×ｗ６４ｂ）、（−ｇ１×ｗ６４ｂ，−ｇ４×ｗ６４ｂ）、（−ｇ１×ｗ６４ｂ，−ｇ５×ｗ６４ｂ）、（−ｇ１×ｗ６４ｂ，−ｇ６×ｗ６４ｂ）、（−ｇ１×ｗ６４ｂ，−７×ｗ６４ｂ）
（−ｇ２×ｗ６４ｂ，７×ｗ６４ｂ）、（−ｇ２×ｗ６４ｂ，ｇ６×ｗ６４ｂ）、（−ｇ２×ｗ６４ｂ，ｇ５×ｗ６４ｂ）、（−ｇ２×ｗ６４ｂ，ｇ４×ｗ６４ｂ）、（−ｇ２×ｗ６４ｂ，−ｇ４×ｗ６４ｂ）、（−ｇ２×ｗ６４ｂ，−ｇ５×ｗ６４ｂ）、（−ｇ２×ｗ６４ｂ，−ｇ６×ｗ６４ｂ）、（−ｇ２×ｗ６４ｂ，−７×ｗ６４ｂ）
（−ｇ３×ｗ６４ｂ，７×ｗ６４ｂ）、（−ｇ３×ｗ６４ｂ，ｇ６×ｗ６４ｂ）、（−ｇ３×ｗ６４ｂ，ｇ５×ｗ６４ｂ）、（−ｇ３×ｗ６４ｂ，ｇ４×ｗ６４ｂ）、（−ｇ３×ｗ６４ｂ，−ｇ４×ｗ６４ｂ）、（−ｇ３×ｗ６４ｂ，−ｇ５×ｗ６４ｂ）、（−ｇ３×ｗ６４ｂ，−ｇ６×ｗ６４ｂ）、（−ｇ３×ｗ６４ｂ，−７×ｗ６４ｂ）
（−７×ｗ６４ｂ，７×ｗ６４ｂ）、（−７×ｗ６４ｂ，ｇ６×ｗ６４ｂ）、（−７×ｗ６４ｂ，ｇ５×ｗ６４ｂ）、（−７×ｗ６４ｂ，ｇ４×ｗ６４ｂ）、（−７×ｗ６４ｂ，−ｇ４×ｗ６４ｂ）、（−７×ｗ６４ｂ，−ｇ５×ｗ６４ｂ）、（−７×ｗ６４ｂ，−ｇ６×ｗ６４ｂ）、（−７×ｗ６４ｂ，−７×ｗ６４ｂ）
となる（ｗ６４ｂは０より大きい実数となる）。
【００６４】
ここで、送信するビット（入力ビット）をｂ０、ｂ１、ｂ２、ｂ３、ｂ４、ｂ５とする。例えば、送信するビットが（ｂ０、ｂ１、ｂ２、ｂ３、ｂ４、ｂ５）＝（０、０、０、０、０、０）の場合、図７における信号点Ｈ５０１にマッピングされ、マッピング後のベースバンド信号の同相成分をＩ、直交成分をＱとすると、（Ｉ，Ｑ）＝（７×ｗ６４ｂ，７×ｗ６４ｂ）となる。
【００６５】
つまり、送信するビット（ｂ０、ｂ１、ｂ２、ｂ３、ｂ４、ｂ５）に基づき、（６４ＱＡＭ時の）マッピング後のベースバンド信号の同相成分Ｉ、直交成分Ｑが決定される。なお、ｂ０、ｂ１、ｂ２、ｂ３、ｂ４、ｂ５のセット（００００００〜１１１１１１）と信号点の座標の関係の一例は図７のとおりである。６４ＱＡＭの６４個の信号点（図Ｈ５の「○」）
（７×ｗ６４ｂ，７×ｗ６４ｂ）、（７×ｗ６４ｂ，ｇ６×ｗ６４ｂ）、（７×ｗ６４ｂ，ｇ５×ｗ６４ｂ）、（７×ｗ６４ｂ，ｇ４×ｗ６４ｂ）、（７×ｗ６４ｂ，−ｇ４×ｗ６４ｂ）、（７×ｗ６４ｂ，−ｇ５×ｗ６４ｂ）、（７×ｗ６４ｂ，−ｇ６×ｗ６４ｂ）、（７×ｗ６４ｂ，−７×ｗ６４ｂ）
（ｇ３×ｗ６４ｂ，７×ｗ６４ｂ）、（ｇ３×ｗ６４ｂ，ｇ６×ｗ６４ｂ）、（ｇ３×ｗ６４ｂ，ｇ５×ｗ６４ｂ）、（ｇ３×ｗ６４ｂ，ｇ４×ｗ６４ｂ）、（ｇ３×ｗ６４ｂ，−ｇ４×ｗ６４ｂ）、（ｇ３×ｗ６４ｂ，−ｇ５×ｗ６４ｂ）、（ｇ３×ｗ６４ｂ，−ｇ６×ｗ６４ｂ）、（ｇ３×ｗ６４ｂ，−７×ｗ６４ｂ）
（ｇ２×ｗ６４ｂ，７×ｗ６４ｂ）、（ｇ２×ｗ６４ｂ，ｇ６×ｗ６４ｂ）、（ｇ２×ｗ６４ｂ，ｇ５×ｗ６４ｂ）、（ｇ２×ｗ６４ｂ，ｇ４×ｗ６４ｂ）、（ｇ２×ｗ６４ｂ，−ｇ４×ｗ６４ｂ）、（ｇ２×ｗ６４ｂ，−ｇ５×ｗ６４ｂ）、（ｇ２×ｗ６４ｂ，−ｇ６×ｗ６４ｂ）、（ｇ２×ｗ６４ｂ，−７×ｗ６４ｂ）
（ｇ１×ｗ６４ｂ，７×ｗ６４ｂ）、（ｇ１×ｗ６４ｂ，ｇ６×ｗ６４ｂ）、（ｇ１×ｗ６４ｂ，ｇ５×ｗ６４ｂ）、（ｇ１×ｗ６４ｂ，ｇ４×ｗ６４ｂ）、（ｇ１×ｗ６４ｂ，−ｇ４×ｗ６４ｂ）、（ｇ１×ｗ６４ｂ，−ｇ５×ｗ６４ｂ）、（ｇ１×ｗ６４ｂ，−ｇ６×ｗ６４ｂ）、（ｇ１×ｗ６４ｂ，−７×ｗ６４ｂ）
（−ｇ１×ｗ６４ｂ，７×ｗ６４ｂ）、（−ｇ１×ｗ６４ｂ，ｇ６×ｗ６４ｂ）、（−ｇ１×ｗ６４ｂ，ｇ５×ｗ６４ｂ）、（−ｇ１×ｗ６４ｂ，ｇ４×ｗ６４ｂ）、（−ｇ１×ｗ６４ｂ，−ｇ４×ｗ６４ｂ）、（−ｇ１×ｗ６４ｂ，−ｇ５×ｗ６４ｂ）、（−ｇ１×ｗ６４ｂ，−ｇ６×ｗ６４ｂ）、（−ｇ１×ｗ６４ｂ，−７×ｗ６４ｂ）
（−ｇ２×ｗ６４ｂ，７×ｗ６４ｂ）、（−ｇ２×ｗ６４ｂ，ｇ６×ｗ６４ｂ）、（−ｇ２×ｗ６４ｂ，ｇ５×ｗ６４ｂ）、（−ｇ２×ｗ６４ｂ，ｇ４×ｗ６４ｂ）、（−ｇ２×ｗ６４ｂ，−ｇ４×ｗ６４ｂ）、（−ｇ２×ｗ６４ｂ，−ｇ５×ｗ６４ｂ）、（−ｇ２×ｗ６４ｂ，−ｇ６×ｗ６４ｂ）、（−ｇ２×ｗ６４ｂ，−７×ｗ６４ｂ）
（−ｇ３×ｗ６４ｂ，７×ｗ６４ｂ）、（−ｇ３×ｗ６４ｂ，ｇ６×ｗ６４ｂ）、（−ｇ３×ｗ６４ｂ，ｇ５×ｗ６４ｂ）、（−ｇ３×ｗ６４ｂ，ｇ４×ｗ６４ｂ）、（−ｇ３×ｗ６４ｂ，−ｇ４×ｗ６４ｂ）、（−ｇ３×ｗ６４ｂ，−ｇ５×ｗ６４ｂ）、（−ｇ３×ｗ６４ｂ，−ｇ６×ｗ６４ｂ）、（−ｇ３×ｗ６４ｂ，−７×ｗ６４ｂ）
（−７×ｗ６４ｂ，７×ｗ６４ｂ）、（−７×ｗ６４ｂ，ｇ６×ｗ６４ｂ）、（−７×ｗ６４ｂ，ｇ５×ｗ６４ｂ）、（−７×ｗ６４ｂ，ｇ４×ｗ６４ｂ）、（−７×ｗ６４ｂ，−ｇ４×ｗ６４ｂ）、（−７×ｗ６４ｂ，−ｇ５×ｗ６４ｂ）、（−７×ｗ６４ｂ，−ｇ６×ｗ６４ｂ）、（−７×ｗ６４ｂ，−７×ｗ６４ｂ）
の直下にｂ０、ｂ１、ｂ２、ｂ３、ｂ４、ｂ５のセット００００００〜１１１１１１の値が示されている。ｂ０、ｂ１、ｂ２、ｂ３、ｂ４、ｂ５のセット００００００〜１１１１１１の直上の信号点（「○」）の同相Ｉ−直交Ｑ平面におけるそれぞれの座標が、マッピング後のベースバンド信号の同相成分Ｉおよび直交成分Ｑとなる。なお、６４ＱＡＭ時のｂ０、ｂ１、ｂ２、ｂ３、ｂ４、ｂ５のセット（００００００〜１１１１１１）と信号点の座標の関係は、図７に限ったものではない。
【００６６】
図７の６４個の信号点に対し、「信号点１」「信号点２」・・・「信号点６３」「信号点６４」と名付ける。（６４個の信号点が存在するので、「信号点１」から「信号点６４」が存在することになる。）同相Ｉ―直交Ｑ平面において、「信号点ｉ」と原点の距離をＤｉとする。このとき、ｗ６４ｂを以下のように与える。
【００６７】
【数５】
2019193278.tif 000007
【００６８】
すると、マッピング後のベースバンド信号の平均パワーはｚ２となる。
【００６９】
なお、上述の説明の６４ＱＡＭのマッピング方法をここでは「６４ＱＡＭマッピング方法＃２」とよぶ。
【００７０】
図８は、同相Ｉ−直交Ｑ平面における６４ＱＡＭの信号点配置の例を示している。なお、図８において、６４個の○が６４ＱＡＭの信号点であり、横軸Ｉ、縦軸Ｑとなる。
【００７１】
図８において、
「ｍ１＞０（ｍ１は０より大きい実数）、かつ、ｍ２＞０（ｍ２は０より大きい実数）、かつ、ｍ３＞０（ｍ３は０より大きい実数）、かつ、ｍ４＞０（ｍ４は０より大きい実数）、かつ、ｍ５＞０（ｍ５は０より大きい実数）、かつ、ｍ６＞０（ｍ６は０より大きい実数）、かつ、ｍ７＞０（ｍ７は０より大きい実数）、かつ、ｍ８＞０（ｍ８は０より大きい実数）であり、
｛ｍ１≠ｍ２、かつ、ｍ１≠ｍ３、かつ、ｍ１≠ｍ４、かつ、ｍ２≠ｍ３、かつ、ｍ２≠ｍ４、かつ、ｍ３≠ｍ４｝
かつ、
｛ｍ５≠ｍ６、かつ、ｍ５≠ｍ７、かつ、ｍ５≠ｍ８、かつ、ｍ６≠ｍ７、かつ、ｍ６≠ｍ８、かつ、ｍ７≠ｍ８｝
かつ、
｛ｍ１≠ｍ５、または、ｍ２≠ｍ６、または、ｍ３≠ｍ７、または、ｍ４≠ｍ８が成立する。｝
が成立する。」
または、
「ｍ１＞０（ｍ１は０より大きい実数）、かつ、ｍ２＞０（ｍ２は０より大きい実数）、かつ、ｍ３＞０（ｍ３は０より大きい実数）、かつ、ｍ４＞０（ｍ４は０より大きい実数）、かつ、ｍ５＞０（ｍ５は０より大きい実数）、かつ、ｍ６＞０（ｍ６は０より大きい実数）、かつ、ｍ７＞０（ｍ７は０より大きい実数）、かつ、ｍ８＞０（ｍ８は０より大きい実数）であり、
｛ｍ１≠ｍ２、かつ、ｍ１≠ｍ３、かつ、ｍ１≠ｍ４、かつ、ｍ２≠ｍ３、かつ、ｍ２≠ｍ４、かつ、ｍ３≠ｍ４｝
かつ、
｛ｍ５≠ｍ６、かつ、ｍ５≠ｍ７、かつ、ｍ５≠ｍ８、かつ、ｍ６≠ｍ７、かつ、ｍ６≠ｍ８、かつ、ｍ７≠ｍ８｝
かつ、
｛ｍ１≠ｍ５、または、ｍ２≠ｍ６、または、ｍ３≠ｍ７、または、ｍ４≠ｍ８が成立する。｝
かつ、
｛ｍ１＝ｍ５、または、ｍ２＝ｍ６、または、ｍ３＝ｍ７、または、ｍ４＝ｍ８が成立する。｝
が成立する。」
ものとする。
【００７２】
６４ＱＡＭの６４個の信号点（図Ｈ６の「○」が信号点である。）の同相Ｉ−直交Ｑ平面におけるそれぞれの座標は、
（ｍ４×ｗ６４ｃ，ｍ８×ｗ６４ｃ）、（ｍ４×ｗ６４ｃ，ｍ７×ｗ６４ｃ）、（ｍ４×ｗ６４ｃ，ｍ６×ｗ６４ｃ）、（ｍ４×ｗ６４ｃ，ｍ５×ｗ６４ｃ）、（ｍ４×ｗ６４ｃ，−ｍ５×ｗ６４ｃ）、（ｍ４×ｗ６４ｃ，−ｍ６×ｗ６４ｃ）、（ｍ４×ｗ６４ｃ，−ｍ７×ｗ６４ｃ）、（ｍ４×ｗ６４ｃ，−ｍ８×ｗ６４ｃ）
（ｍ３×ｗ６４ｃ，ｍ８×ｗ６４ｃ）、（ｍ３×ｗ６４ｃ，ｍ７×ｗ６４ｃ）、（ｍ３×ｗ６４ｃ，ｍ６×ｗ６４ｃ）、（ｍ３×ｗ６４ｃ，ｍ５×ｗ６４ｃ）、（ｍ３×ｗ６４ｃ，−ｍ５×ｗ６４ｃ）、（ｍ３×ｗ６４ｃ，−ｍ６×ｗ６４ｃ）、（ｍ３×ｗ６４ｃ，−ｍ７×ｗ６４ｃ）、（ｍ３×ｗ６４ｃ，−ｍ８×ｗ６４ｃ）
（ｍ２×ｗ６４ｃ，ｍ８×ｗ６４ｃ）、（ｍ２×ｗ６４ｃ，ｍ７×ｗ６４ｃ）、（ｍ２×ｗ６４ｃ，ｍ６×ｗ６４ｃ）、（ｍ２×ｗ６４ｃ，ｍ５×ｗ６４ｃ）、（ｍ２×ｗ６４ｃ，−ｍ５×ｗ６４ｃ）、（ｍ２×ｗ６４ｃ，−ｍ６×ｗ６４ｃ）、（ｍ２×ｗ６４ｃ，−ｍ７×ｗ６４ｃ）、（ｍ２×ｗ６４ｃ，−ｍ８×ｗ６４ｃ）
（ｍ１×ｗ６４ｃ，ｍ８×ｗ６４ｃ）、（ｍ１×ｗ６４ｃ，ｍ７×ｗ６４ｃ）、（ｍ１×ｗ６４ｃ，ｍ６×ｗ６４ｃ）、（ｍ１×ｗ６４ｃ，ｍ５×ｗ６４ｃ）、（ｍ１×ｗ６４ｃ，−ｍ５×ｗ６４ｃ）、（ｍ１×ｗ６４ｃ，−ｍ６×ｗ６４ｃ）、（ｍ１×ｗ６４ｃ，−ｍ７×ｗ６４ｃ）、（ｍ１×ｗ６４ｃ，−ｍ８×ｗ６４ｃ）
（−ｍ１×ｗ６４ｃ，ｍ８×ｗ６４ｃ）、（−ｍ１×ｗ６４ｃ，ｍ７×ｗ６４ｃ）、（−ｍ１×ｗ６４ｃ，ｍ６×ｗ６４ｃ）、（−ｍ１×ｗ６４ｃ，ｍ５×ｗ６４ｃ）、（−ｍ１×ｗ６４ｃ，−ｍ５×ｗ６４ｃ）、（−ｍ１×ｗ６４ｃ，−ｍ６×ｗ６４ｃ）、（−ｍ１×ｗ６４ｃ，−ｍ７×ｗ６４ｃ）、（−ｍ１×ｗ６４ｃ，−ｍ８×ｗ６４ｃ）
（−ｍ２×ｗ６４ｃ，ｍ８×ｗ６４ｃ）、（−ｍ２×ｗ６４ｃ，ｍ７×ｗ６４ｃ）、（−ｍ２×ｗ６４ｃ，ｍ６×ｗ６４ｃ）、（−ｍ２×ｗ６４ｃ，ｍ５×ｗ６４ｃ）、（−ｍ２×ｗ６４ｃ，−ｍ５×ｗ６４ｃ）、（−ｍ２×ｗ６４ｃ，−ｍ６×ｗ６４ｃ）、（−ｍ２×ｗ６４ｃ，−ｍ７×ｗ６４ｃ）、（−ｍ２×ｗ６４ｃ，−ｍ８×ｗ６４ｃ）
（−ｍ３×ｗ６４ｃ，ｍ８×ｗ６４ｃ）、（−ｍ３×ｗ６４ｃ，ｍ７×ｗ６４ｃ）、（−ｍ３×ｗ６４ｃ，ｍ６×ｗ６４ｃ）、（−ｍ３×ｗ６４ｃ，ｍ５×ｗ６４ｃ）、（−ｍ３×ｗ６４ｃ，−ｍ５×ｗ６４ｃ）、（−ｍ３×ｗ６４ｃ，−ｍ６×ｗ６４ｃ）、（−ｍ３×ｗ６４ｃ，−ｍ７×ｗ６４ｃ）、（−ｍ３×ｗ６４ｃ，−ｍ８×ｗ６４ｃ）
（−ｍ４×ｗ６４ｃ，ｍ８×ｗ６４ｃ）、（−ｍ４×ｗ６４ｃ，ｍ７×ｗ６４ｃ）、（−ｍ４×ｗ６４ｃ，ｍ６×ｗ６４ｃ）、（−ｍ４×ｗ６４ｃ，ｍ５×ｗ６４ｃ）、（−ｍ４×ｗ６４ｃ，−ｍ５×ｗ６４ｃ）、（−ｍ４×ｗ６４ｃ，−ｍ６×ｗ６４ｃ）、（−ｍ４×ｗ６４ｃ，−ｍ７×ｗ６４ｃ）、（−ｍ４×ｗ６４ｃ，−ｍ８×ｗ６４ｃ）
となる（ｗ６４ｃは０より大きい実数となる）。
【００７３】
ここで、送信するビット（入力ビット）をｂ０、ｂ１、ｂ２、ｂ３、ｂ４、ｂ５とする。例えば、送信するビットが（ｂ０、ｂ１、ｂ２、ｂ３、ｂ４、ｂ５）＝（０、０、０、０、０、０）の場合、図８における信号点Ｈ６０１にマッピングされ、マッピング後のベースバンド信号の同相成分をＩ、直交成分をＱとすると、（Ｉ，Ｑ）＝（ｍ４×ｗ６４ｃ，ｍ８×ｗ６４ｃ）となる。
【００７４】
つまり、送信するビット（ｂ０、ｂ１、ｂ２、ｂ３、ｂ４、ｂ５）に基づき、（６４ＱＡＭ時の）マッピング後のベースバンド信号の同相成分Ｉ、直交成分Ｑが決定される。なお、ｂ０、ｂ１、ｂ２、ｂ３、ｂ４、ｂ５のセット（００００００〜１１１１１１）と信号点の座標の関係の一例は図８のとおりである。６４ＱＡＭの６４個の信号点（図８の「○」）
（ｍ４×ｗ６４ｃ，ｍ８×ｗ６４ｃ）、（ｍ４×ｗ６４ｃ，ｍ７×ｗ６４ｃ）、（ｍ４×ｗ６４ｃ，ｍ６×ｗ６４ｃ）、（ｍ４×ｗ６４ｃ，ｍ５×ｗ６４ｃ）、（ｍ４×ｗ６４ｃ，−ｍ５×ｗ６４ｃ）、（ｍ４×ｗ６４ｃ，−ｍ６×ｗ６４ｃ）、（ｍ４×ｗ６４ｃ，−ｍ７×ｗ６４ｃ）、（ｍ４×ｗ６４ｃ，−ｍ８×ｗ６４ｃ）
（ｍ３×ｗ６４ｃ，ｍ８×ｗ６４ｃ）、（ｍ３×ｗ６４ｃ，ｍ７×ｗ６４ｃ）、（ｍ３×ｗ６４ｃ，ｍ６×ｗ６４ｃ）、（ｍ３×ｗ６４ｃ，ｍ５×ｗ６４ｃ）、（ｍ３×ｗ６４ｃ，−ｍ５×ｗ６４ｃ）、（ｍ３×ｗ６４ｃ，−ｍ６×ｗ６４ｃ）、（ｍ３×ｗ６４ｃ，−ｍ７×ｗ６４ｃ）、（ｍ３×ｗ６４ｃ，−ｍ８×ｗ６４ｃ）
（ｍ２×ｗ６４ｃ，ｍ８×ｗ６４ｃ）、（ｍ２×ｗ６４ｃ，ｍ７×ｗ６４ｃ）、（ｍ２×ｗ６４ｃ，ｍ６×ｗ６４ｃ）、（ｍ２×ｗ６４ｃ，ｍ５×ｗ６４ｃ）、（ｍ２×ｗ６４ｃ，−ｍ５×ｗ６４ｃ）、（ｍ２×ｗ６４ｃ，−ｍ６×ｗ６４ｃ）、（ｍ２×ｗ６４ｃ，−ｍ７×ｗ６４ｃ）、（ｍ２×ｗ６４ｃ，−ｍ８×ｗ６４ｃ）
（ｍ１×ｗ６４ｃ，ｍ８×ｗ６４ｃ）、（ｍ１×ｗ６４ｃ，ｍ７×ｗ６４ｃ）、（ｍ１×ｗ６４ｃ，ｍ６×ｗ６４ｃ）、（ｍ１×ｗ６４ｃ，ｍ５×ｗ６４ｃ）、（ｍ１×ｗ６４ｃ，−ｍ５×ｗ６４ｃ）、（ｍ１×ｗ６４ｃ，−ｍ６×ｗ６４ｃ）、（ｍ１×ｗ６４ｃ，−ｍ７×ｗ６４ｃ）、（ｍ１×ｗ６４ｃ，−ｍ８×ｗ６４ｃ）
（−ｍ１×ｗ６４ｃ，ｍ８×ｗ６４ｃ）、（−ｍ１×ｗ６４ｃ，ｍ７×ｗ６４ｃ）、（−ｍ１×ｗ６４ｃ，ｍ６×ｗ６４ｃ）、（−ｍ１×ｗ６４ｃ，ｍ５×ｗ６４ｃ）、（−ｍ１×ｗ６４ｃ，−ｍ５×ｗ６４ｃ）、（−ｍ１×ｗ６４ｃ，−ｍ６×ｗ６４ｃ）、（−ｍ１×ｗ６４ｃ，−ｍ７×ｗ６４ｃ）、（−ｍ１×ｗ６４ｃ，−ｍ８×ｗ６４ｃ）
（−ｍ２×ｗ６４ｃ，ｍ８×ｗ６４ｃ）、（−ｍ２×ｗ６４ｃ，ｍ７×ｗ６４ｃ）、（−ｍ２×ｗ６４ｃ，ｍ６×ｗ６４ｃ）、（−ｍ２×ｗ６４ｃ，ｍ５×ｗ６４ｃ）、（−ｍ２×ｗ６４ｃ，−ｍ５×ｗ６４ｃ）、（−ｍ２×ｗ６４ｃ，−ｍ６×ｗ６４ｃ）、（−ｍ２×ｗ６４ｃ，−ｍ７×ｗ６４ｃ）、（−ｍ２×ｗ６４ｃ，−ｍ８×ｗ６４ｃ）
（−ｍ３×ｗ６４ｃ，ｍ８×ｗ６４ｃ）、（−ｍ３×ｗ６４ｃ，ｍ７×ｗ６４ｃ）、（−ｍ３×ｗ６４ｃ，ｍ６×ｗ６４ｃ）、（−ｍ３×ｗ６４ｃ，ｍ５×ｗ６４ｃ）、（−ｍ３×ｗ６４ｃ，−ｍ５×ｗ６４ｃ）、（−ｍ３×ｗ６４ｃ，−ｍ６×ｗ６４ｃ）、（−ｍ３×ｗ６４ｃ，−ｍ７×ｗ６４ｃ）、（−ｍ３×ｗ６４ｃ，−ｍ８×ｗ６４ｃ）
（−ｍ４×ｗ６４ｃ，ｍ８×ｗ６４ｃ）、（−ｍ４×ｗ６４ｃ，ｍ７×ｗ６４ｃ）、（−ｍ４×ｗ６４ｃ，ｍ６×ｗ６４ｃ）、（−ｍ４×ｗ６４ｃ，ｍ５×ｗ６４ｃ）、（−ｍ４×ｗ６４ｃ，−ｍ５×ｗ６４ｃ）、（−ｍ４×ｗ６４ｃ，−ｍ６×ｗ６４ｃ）、（−ｍ４×ｗ６４ｃ，−ｍ７×ｗ６４ｃ）、（−ｍ４×ｗ６４ｃ，−ｍ８×ｗ６４ｃ）
の直下にｂ０、ｂ１、ｂ２、ｂ３、ｂ４、ｂ５のセット００００００〜１１１１１１の値が示されている。ｂ０、ｂ１、ｂ２、ｂ３、ｂ４、ｂ５のセット００００００〜１１１１１１の直上の信号点（「○」）の同相Ｉ−直交Ｑ平面におけるそれぞれの座標が、マッピング後のベースバンド信号の同相成分Ｉおよび直交成分Ｑとなる。なお、６４ＱＡＭ時のｂ０、ｂ１、ｂ２、ｂ３、ｂ４、ｂ５のセット（００００００〜１１１１１１）と信号点の座標の関係は、図８に限ったものではない。
【００７５】
図８の６４個の信号点に対し、「信号点１」「信号点２」・・・「信号点６３」「信号点６４」と名付ける。（６４個の信号点が存在するので、「信号点１」から「信号点６４」が存在することになる。）同相Ｉ―直交Ｑ平面において、「信号点ｉ」と原点の距離をＤｉとする。このとき、ｗ６４ｃを以下のように与える。
【００７６】
【数６】
2019193278.tif 000008
【００７７】
すると、マッピング後のベースバンド信号の平均パワーはｚ２となる。
【００７８】
なお、上述の説明の６４ＱＡＭのマッピング方法をここでは「６４ＱＡＭマッピング方法＃３」とよぶ。
【００７９】
２５６ＱＡＭのマッピング方法について説明する。
【００８０】
図９は、同相Ｉ−直交Ｑ平面における２５６ＱＡＭの信号点配置の例を示している。なお、図９において、２５６個の○が２５６ＱＡＭの信号点であり、横軸Ｉ、縦軸Ｑとなる。
【００８１】
図９においてｈ１＞０（ｈ１は０より大きい実数）、かつ、ｈ２＞０（ｈ２は０より大きい実数）、かつ、ｈ３＞０（ｈ３は０より大きい実数）、かつ、ｈ４＞０（ｈ４は０より大きい実数）、かつ、ｈ５＞０（ｈ５は０より大きい実数）、かつ、ｈ６＞０（ｈ６は０より大きい実数）、かつ、ｈ７＞０（ｈ７は０より大きい実数）であり、
｛｛ｈ１≠１５、かつ、ｈ２≠１５、かつ、ｈ３≠１５、かつ、ｈ４≠１５、かつ、ｈ５≠１５、かつ、ｈ６≠１５、かつ、ｈ７≠１５｝が成立する｝、
かつ、
｛｛ａ１は１以上７以下の整数、かつ、ａ２は１以上７以下の整数、かつ、ａ３は１以上７以下の整数、かつ、ａ４は１以上７以下の整数、かつ、ａ５は１以上７以下の整数、かつ、ａ６は１以上７以下の整数、かつ、ａ７は１以上７以下の整数｝が成立し、｛ｘは１以上７以下の整数、かつ、ｙは１以上７以下の整数、かつ、ｘ≠ｙ｝が成立したとき、｛すべてのｘ、すべてのｙで、ａｘ≠ａｙが成立する｝とき、（ｈａ１、ｈａ２、ｈａ３、ｈａ４、ｈａ５、ｈａ６、ｈａ７）≠（１、３、５、７、９、１１、１３）が成立する。｝
かつ、｛｛ｈ１≠ｈ２、かつ、ｈ１≠ｈ３、かつ、ｈ１≠ｈ４、かつ、ｈ１≠ｈ５、かつ、ｈ１≠ｈ６、かつ、ｈ１≠ｈ７、
かつ、ｈ２≠ｈ３、かつ、ｈ２≠ｈ４、かつ、ｈ２≠ｈ５、かつ、ｈ２≠ｈ６、かつ、ｈ２≠ｈ７、
かつ、ｈ３≠ｈ４、かつ、ｈ３≠ｈ５、かつ、ｈ３≠ｈ６、かつ、ｈ３≠ｈ７、
かつ、ｈ４≠ｈ５、かつ、ｈ４≠ｈ６、かつ、ｈ４≠ｈ７、
かつ、ｈ５≠ｈ６、かつ、ｈ５≠ｈ７、
かつ、ｈ６≠ｈ７｝が成立する｝
であるものとする。
【００８２】
２５６ＱＡＭの２５６個の信号点（図９の「○」が信号点である。）の同相Ｉ−直交Ｑ平面におけるそれぞれの座標は、
（１５×ｗ２５６ａ，１５×ｗ２５６ａ）、（１５×ｗ２５６ａ，ｈ７×ｗ２５６ａ）、（１５×ｗ２５６ａ，ｈ６×ｗ２５６ａ）、（１５×ｗ２５６ａ，ｈ５×ｗ２５６ａ）、（１５×ｗ２５６ａ，ｈ４×ｗ２５６ａ）、（１５×ｗ２５６ａ，ｈ３×ｗ２５６ａ）、（１５×ｗ２５６ａ，ｈ２×ｗ２５６ａ）、（１５×ｗ２５６ａ，ｈ１×ｗ２５６ａ）、
（１５×ｗ２５６ａ，−１５×ｗ２５６ａ）、（１５×ｗ２５６ａ，−ｈ７×ｗ２５６ａ）、（１５×ｗ２５６ａ，−ｈ６×ｗ２５６ａ）、（１５×ｗ２５６ａ，−ｈ５×ｗ２５６ａ）、（１５×ｗ２５６ａ，−ｈ４×ｗ２５６ａ）、（１５×ｗ２５６ａ，−ｈ３×ｗ２５６ａ）、（１５×ｗ２５６ａ，−ｈ２×ｗ２５６ａ）、（１５×ｗ２５６ａ，−ｈ１×ｗ２５６ａ）、
（ｈ７×ｗ２５６ａ，１５×ｗ２５６ａ）、（ｈ７×ｗ２５６ａ，ｈ７×ｗ２５６ａ）、（ｈ７×ｗ２５６ａ，ｈ６×ｗ２５６ａ）、（ｈ７×ｗ２５６ａ，ｈ５×ｗ２５６ａ）、（ｈ７×ｗ２５６ａ，ｈ４×ｗ２５６ａ）、（ｈ７×ｗ２５６ａ，ｈ３×ｗ２５６ａ）、（ｈ７×ｗ２５６ａ，ｈ２×ｗ２５６ａ）、（ｈ７×ｗ２５６ａ，ｈ１×ｗ２５６ａ）、
（ｈ７×ｗ２５６ａ，−１５×ｗ２５６ａ）、（ｈ７×ｗ２５６ａ，−ｈ７×ｗ２５６ａ）、（ｈ７×ｗ２５６ａ，−ｈ６×ｗ２５６ａ）、（ｈ７×ｗ２５６ａ，−ｈ５×ｗ２５６ａ）、（ｈ７×ｗ２５６ａ，−ｈ４×ｗ２５６ａ）、（ｈ７×ｗ２５６ａ，−ｈ３×ｗ２５６ａ）、（ｈ７×ｗ２５６ａ，−ｈ２×ｗ２５６ａ）、（ｈ７×ｗ２５６ａ，−ｈ１×ｗ２５６ａ）、
（ｈ６×ｗ２５６ａ，１５×ｗ２５６ａ）、（ｈ６×ｗ２５６ａ，ｈ７×ｗ２５６ａ）、（ｈ６×ｗ２５６ａ，ｈ６×ｗ２５６ａ）、（ｈ６×ｗ２５６ａ，ｈ５×ｗ２５６ａ）、（ｈ６×ｗ２５６ａ，ｈ４×ｗ２５６ａ）、（ｈ６×ｗ２５６ａ，ｈ３×ｗ２５６ａ）、（ｈ６×ｗ２５６ａ，ｈ２×ｗ２５６ａ）、（ｈ６×ｗ２５６ａ，ｈ１×ｗ２５６ａ）、
（ｈ６×ｗ２５６ａ，−１５×ｗ２５６ａ）、（ｈ６×ｗ２５６ａ，−ｈ７×ｗ２５６ａ）、（ｈ６×ｗ２５６ａ，−ｈ６×ｗ２５６ａ）、（ｈ６×ｗ２５６ａ，−ｈ５×ｗ２５６ａ）、（ｈ６×ｗ２５６ａ，−ｈ４×ｗ２５６ａ）、（ｈ６×ｗ２５６ａ，−ｈ３×ｗ２５６ａ）、（ｈ６×ｗ２５６ａ，−ｈ２×ｗ２５６ａ）、（ｈ６×ｗ２５６ａ，−ｈ１×ｗ２５６ａ）、
（ｈ５×ｗ２５６ａ，１５×ｗ２５６ａ）、（ｈ５×ｗ２５６ａ，ｈ７×ｗ２５６ａ）、（ｈ５×ｗ２５６ａ，ｈ６×ｗ２５６ａ）、（ｈ５×ｗ２５６ａ，ｈ５×ｗ２５６ａ）、（ｈ５×ｗ２５６ａ，ｈ４×ｗ２５６ａ）、（ｈ５×ｗ２５６ａ，ｈ３×ｗ２５６ａ）、（ｈ５×ｗ２５６ａ，ｈ２×ｗ２５６ａ）、（ｈ５×ｗ２５６ａ，ｈ１×ｗ２５６ａ）、
（ｈ５×ｗ２５６ａ，−１５×ｗ２５６ａ）、（ｈ５×ｗ２５６ａ，−ｈ７×ｗ２５６ａ）、（ｈ５×ｗ２５６ａ，−ｈ６×ｗ２５６ａ）、（ｈ５×ｗ２５６ａ，−ｈ５×ｗ２５６ａ）、（ｈ５×ｗ２５６ａ，−ｈ４×ｗ２５６ａ）、（ｈ５×ｗ２５６ａ，−ｈ３×ｗ２５６ａ）、（ｈ５×ｗ２５６ａ，−ｈ２×ｗ２５６ａ）、（ｈ５×ｗ２５６ａ，−ｈ１×ｗ２５６ａ）、
（ｈ４×ｗ２５６ａ，１５×ｗ２５６ａ）、（ｈ４×ｗ２５６ａ，ｈ７×ｗ２５６ａ）、（ｈ４×ｗ２５６ａ，ｈ６×ｗ２５６ａ）、（ｈ４×ｗ２５６ａ，ｈ５×ｗ２５６ａ）、（ｈ４×ｗ２５６ａ，ｈ４×ｗ２５６ａ）、（ｈ４×ｗ２５６ａ，ｈ３×ｗ２５６ａ）、（ｈ４×ｗ２５６ａ，ｈ２×ｗ２５６ａ）、（ｈ４×ｗ２５６ａ，ｈ１×ｗ２５６ａ）、
（ｈ４×ｗ２５６ａ，−１５×ｗ２５６ａ）、（ｈ４×ｗ２５６ａ，−ｈ７×ｗ２５６ａ）、（ｈ４×ｗ２５６ａ，−ｈ６×ｗ２５６ａ）、（ｈ４×ｗ２５６ａ，−ｈ５×ｗ２５６ａ）、（ｈ４×ｗ２５６ａ，−ｈ４×ｗ２５６ａ）、（ｈ４×ｗ２５６ａ，−ｈ３×ｗ２５６ａ）、（ｈ４×ｗ２５６ａ，−ｈ２×ｗ２５６ａ）、（ｈ４×ｗ２５６ａ，−ｈ１×ｗ２５６ａ）、
（ｈ３×ｗ２５６ａ，１５×ｗ２５６ａ）、（ｈ３×ｗ２５６ａ，ｈ７×ｗ２５６ａ）、（ｈ３×ｗ２５６ａ，ｈ６×ｗ２５６ａ）、（ｈ３×ｗ２５６ａ，ｈ５×ｗ２５６ａ）、（ｈ３×ｗ２５６ａ，ｈ４×ｗ２５６ａ）、（ｈ３×ｗ２５６ａ，ｈ３×ｗ２５６ａ）、（ｈ３×ｗ２５６ａ，ｈ２×ｗ２５６ａ）、（ｈ３×ｗ２５６ａ，ｈ１×ｗ２５６ａ）、
（ｈ３×ｗ２５６ａ，−１５×ｗ２５６ａ）、（ｈ３×ｗ２５６ａ，−ｈ７×ｗ２５６ａ）、（ｈ３×ｗ２５６ａ，−ｈ６×ｗ２５６ａ）、（ｈ３×ｗ２５６ａ，−ｈ５×ｗ２５６ａ）、（ｈ３×ｗ２５６ａ，−ｈ４×ｗ２５６ａ）、（ｈ３×ｗ２５６ａ，−ｈ３×ｗ２５６ａ）、（ｈ３×ｗ２５６ａ，−ｈ２×ｗ２５６ａ）、（ｈ３×ｗ２５６ａ，−ｈ１×ｗ２５６ａ）、
（ｈ２×ｗ２５６ａ，１５×ｗ２５６ａ）、（ｈ２×ｗ２５６ａ，ｈ７×ｗ２５６ａ）、（ｈ２×ｗ２５６ａ，ｈ６×ｗ２５６ａ）、（ｈ２×ｗ２５６ａ，ｈ５×ｗ２５６ａ）、（ｈ２×ｗ２５６ａ，ｈ４×ｗ２５６ａ）、（ｈ２×ｗ２５６ａ，ｈ３×ｗ２５６ａ）、（ｈ２×ｗ２５６ａ，ｈ２×ｗ２５６ａ）、（ｈ２×ｗ２５６ａ，ｈ１×ｗ２５６ａ）、
（ｈ２×ｗ２５６ａ，−１５×ｗ２５６ａ）、（ｈ２×ｗ２５６ａ，−ｈ７×ｗ２５６ａ）、（ｈ２×ｗ２５６ａ，−ｈ６×ｗ２５６ａ）、（ｈ２×ｗ２５６ａ，−ｈ５×ｗ２５６ａ）、（ｈ２×ｗ２５６ａ，−ｈ４×ｗ２５６）、（ｈ２×ｗ２５６ａ，−ｈ３×ｗ２５６ａ）、（ｈ２×ｗ２５６ａ，−ｈ２×ｗ２５６ａ）、（ｈ２×ｗ２５６ａ，−ｈ１×ｗ２５６ａ）、
（ｈ１×ｗ２５６ａ，１５×ｗ２５６ａ）、（ｈ１×ｗ２５６ａ，ｈ７×ｗ２５６ａ）、（ｈ１×ｗ２５６ａ，ｈ６×ｗ２５６ａ）、（ｈ１×ｗ２５６ａ，ｈ５×ｗ２５６ａ）、（ｈ１×ｗ２５６ａ，ｈ４×ｗ２５６ａ）、（ｈ１×ｗ２５６ａ，ｈ３×ｗ２５６ａ）、（ｈ１×ｗ２５６ａ，ｈ２×ｗ２５６ａ）、（ｈ１×ｗ２５６ａ，ｈ１×ｗ２５６ａ）、
（ｈ１×ｗ２５６ａ，−１５×ｗ２５６ａ）、（ｈ１×ｗ２５６ａ，−ｈ７×ｗ２５６ａ）、（ｈ１×ｗ２５６ａ，−ｈ６×ｗ２５６ａ）、（ｈ１×ｗ２５６ａ，−ｈ５×ｗ２５６ａ）、（ｈ１×ｗ２５６ａ，−ｈ４×ｗ２５６ａ）、（ｈ１×ｗ２５６ａ，−ｈ３×ｗ２５６ａ）、（ｈ１×ｗ２５６ａ，−ｈ２×ｗ２５６ａ）、（ｈ１×ｗ２５６ａ，−ｈ１×ｗ２５６ａ）、
（−１５×ｗ２５６ａ，１５×ｗ２５６ａ）、（−１５×ｗ２５６ａ，ｈ７×ｗ２５６ａ）、（−１５×ｗ２５６ａ，ｈ６×ｗ２５６ａ）、（−１５×ｗ２５６ａ，ｈ５×ｗ２５６ａ）、（−１５×ｗ２５６ａ，ｈ４×ｗ２５６ａ）、（−１５×ｗ２５６ａ，ｈ３×ｗ２５６ａ）、（−１５×ｗ２５６ａ，ｈ２×ｗ２５６ａ）、（−１５×ｗ２５６ａ，ｈ１×ｗ２５６ａ）、
（−１５×ｗ２５６ａ，−１５×ｗ２５６ａ）、（−１５×ｗ２５６ａ，−ｈ７×ｗ２５６ａ）、（−１５×ｗ２５６ａ，−ｈ６×ｗ２５６ａ）、（−１５×ｗ２５６ａ，−ｈ５×ｗ２５６ａ）、（−１５×ｗ２５６ａ，−ｈ４×ｗ２５６ａ）、（−１５×ｗ２５６ａ，―ｈ３×ｗ２５６ａ）、（−１５×ｗ２５６ａ，−ｈ２×ｗ２５６ａ）、（−１５×ｗ２５６ａ，−ｈ１×ｗ２５６ａ）、
（−ｈ７×ｗ２５６ａ，１５×ｗ２５６ａ）、（−ｈ７×ｗ２５６ａ，ｈ７×ｗ２５６ａ）、（−ｈ７×ｗ２５６ａ，ｈ６×ｗ２５６ａ）、（−ｈ７×ｗ２５６ａ，ｈ５×ｗ２５６ａ）、（−ｈ７×ｗ２５６ａ，ｈ４×ｗ２５６ａ）、（−ｈ７×ｗ２５６ａ，ｈ３×ｗ２５６ａ）、（−ｈ７×ｗ２５６ａ，ｈ２×ｗ２５６ａ）、（−ｈ７×ｗ２５６ａ，ｈ１×ｗ２５６ａ）、
（−ｈ７×ｗ２５６ａ，−１５×ｗ２５６ａ）、（−ｈ７×ｗ２５６ａ，−ｈ７×ｗ２５６ａ）、（−ｈ７×ｗ２５６ａ，−ｈ６×ｗ２５６ａ）、（−ｈ７×ｗ２５６ａ，−ｈ５×ｗ２５６ａ）、（−ｈ７×ｗ２５６ａ，−ｈ４×ｗ２５６ａ）、（−ｈ７×ｗ２５６ａ，−ｈ３×ｗ２５６ａ）、（−ｈ７×ｗ２５６ａ，−ｈ２×ｗ２５６ａ）、（−ｈ７×ｗ２５６ａ，−ｈ１×ｗ２５６ａ）、
（−ｈ６×ｗ２５６ａ，１５×ｗ２５６ａ）、（−ｈ６×ｗ２５６ａ，ｈ７×ｗ２５６ａ）、（−ｈ６×ｗ２５６ａ，ｈ６×ｗ２５６ａ）、（−ｈ６×ｗ２５６ａ，ｈ５×ｗ２５６ａ）、（−ｈ６×ｗ２５６ａ，ｈ４×ｗ２５６ａ）、（−ｈ６×ｗ２５６ａ，ｈ３×ｗ２５６ａ）、（−ｈ６×ｗ２５６ａ，ｈ２×ｗ２５６ａ）、（−ｈ６×ｗ２５６ａ，ｈ１×ｗ２５６ａ）、
（−ｈ６×ｗ２５６ａ，−１５×ｗ２５６ａ）、（−ｈ６×ｗ２５６ａ，−ｈ７×ｗ２５６ａ）、（−ｈ６×ｗ２５６ａ，−ｈ６×ｗ２５６ａ）、（−ｈ６×ｗ２５６ａ，−ｈ５×ｗ２５６ａ）、（−ｈ６×ｗ２５６ａ，―ｈ４×ｗ２５６ａ）、（−ｈ６×ｗ２５６ａ，−ｈ３×ｗ２５６ａ）、（−ｈ６×ｗ２５６ａ，−ｈ２×ｗ２５６ａ）、（−ｈ６×ｗ２５６ａ，−ｈ１×ｗ２５６ａ）、
（−ｈ５×ｗ２５６ａ，１５×ｗ２５６ａ）、（−ｈ５×ｗ２５６ａ，ｈ７×ｗ２５６ａ）、（−ｈ５×ｗ２５６ａ，ｈ６×ｗ２５６ａ）、（−ｈ５×ｗ２５６ａ，ｈ５×ｗ２５６ａ）、（−ｈ５×ｗ２５６ａ，ｈ４×ｗ２５６ａ）、（−ｈ５×ｗ２５６ａ，ｈ３×ｗ２５６ａ）、（−ｈ５×ｗ２５６ａ，ｈ２×ｗ２５６ａ）、（−ｈ５×ｗ２５６ａ，ｈ１×ｗ２５６ａ）、
（−ｈ５×ｗ２５６ａ，−１５×ｗ２５６ａ）、（−ｈ５×ｗ２５６ａ，−ｈ７×ｗ２５６ａ）、（−ｈ５×ｗ２５６ａ，−ｈ６×ｗ２５６ａ）、（−ｈ５×ｗ２５６ａ，−ｈ５×ｗ２５６ａ）、（−ｈ５×ｗ２５６ａ，−ｈ４×ｗ２５６ａ）、（−ｈ５×ｗ２５６ａ，−ｈ３×ｗ２５６ａ）、（−ｈ５×ｗ２５６ａ，−ｈ２×ｗ２５６ａ）、（−ｈ５×ｗ２５６ａ，−ｈ１×ｗ２５６ａ）、
（−ｈ４×ｗ２５６ａ，１５×ｗ２５６ａ）、（−ｈ４×ｗ２５６ａ，ｈ７×ｗ２５６ａ）、（−ｈ４×ｗ２５６ａ，ｈ６×ｗ２５６ａ）、（−ｈ４×ｗ２５６ａ，ｈ５×ｗ２５６ａ）、（−ｈ４×ｗ２５６ａ，ｈ４×ｗ２５６ａ）、（−ｈ４×ｗ２５６ａ，ｈ３×ｗ２５６ａ）、（−ｈ４×ｗ２５６ａ，ｈ２×ｗ２５６ａ）、（−ｈ４×ｗ２５６ａ，ｈ１×ｗ２５６ａ）、
（−ｈ４×ｗ２５６ａ，−１５×ｗ２５６ａ）、（−ｈ４×ｗ２５６ａ，−ｈ７×ｗ２５６ａ）、（−ｈ４×ｗ２５６ａ，−ｈ６×ｗ２５６ａ）、（−ｈ４×ｗ２５６ａ，−ｈ５×ｗ２５６ａ）、（−ｈ４×ｗ２５６ａ，−ｈ４×ｗ２５６ａ）、（−ｈ４×ｗ２５６ａ，−ｈ３×ｗ２５６ａ）、（−ｈ４×ｗ２５６ａ，−ｈ２×ｗ２５６ａ）、（−ｈ４×ｗ２５６ａ，−ｈ１×ｗ２５６ａ）、
（−ｈ３×ｗ２５６ａ，１５×ｗ２５６ａ）、（−ｈ３×ｗ２５６ａ，ｈ７×ｗ２５６ａ）、（−ｈ３×ｗ２５６ａ，ｈ６×ｗ２５６ａ）、（−ｈ３×ｗ２５６ａ，ｈ５×ｗ２５６ａ）、（−ｈ３×ｗ２５６ａ，ｈ４×ｗ２５６ａ）、（−ｈ３×ｗ２５６ａ，ｈ３×ｗ２５６ａ）、（−ｈ３×ｗ２５６ａ，ｈ２×ｗ２５６ａ）、（−ｈ３×ｗ２５６ａ，ｈ１×ｗ２５６ａ）、
（−ｈ３×ｗ２５６ａ，−１５×ｗ２５６ａ）、（−ｈ３×ｗ２５６ａ，−ｈ７×ｗ２５６ａ）、（−ｈ３×ｗ２５６ａ，−ｈ６×ｗ２５６ａ）、（−ｈ３×ｗ２５６ａ，−ｈ５×ｗ２５６ａ）、（−ｈ３×ｗ２５６ａ，−ｈ４×ｗ２５６ａ）、（−ｈ３×ｗ２５６ａ，−ｈ３×ｗ２５６ａ）、（−ｈ３×ｗ２５６ａ，−ｈ２×ｗ２５６ａ）、（−ｈ３×ｗ２５６ａ，−ｈ１×ｗ２５６ａ）、
（−ｈ２×ｗ２５６ａ，１５×ｗ２５６ａ）、（−ｈ２×ｗ２５６ａ，ｈ７×ｗ２５６ａ）、（−ｈ２×ｗ２５６ａ，ｈ６×ｗ２５６ａ）、（−ｈ２×ｗ２５６ａ，ｈ５×ｗ２５６ａ）、（−ｈ２×ｗ２５６ａ，ｈ４×ｗ２５６ａ）、（−ｈ２×ｗ２５６ａ，ｈ３×ｗ２５６ａ）、（−ｈ２×ｗ２５６ａ，ｈ２×ｗ２５６ａ）、（−ｈ２×ｗ２５６ａ，ｈ１×ｗ２５６ａ）、
（−ｈ２×ｗ２５６ａ，−１５×ｗ２５６ａ）、（−ｈ２×ｗ２５６ａ，−ｈ７×ｗ２５６ａ）、（−ｈ２×ｗ２５６ａ，−ｈ６×ｗ２５６ａ）、（−ｈ２×ｗ２５６ａ，−ｈ５×ｗ２５６ａ）、（−ｈ２×ｗ２５６ａ，−ｈ４×ｗ２５６ａ）、（−ｈ２×ｗ２５６ａ，−ｈ３×ｗ２５６ａ）、（−ｈ２×ｗ２５６ａ，−ｈ２×ｗ２５６ａ）、（−ｈ２×ｗ２５６ａ，−ｈ１×ｗ２５６ａ）、
（−ｈ１×ｗ２５６ａ，１５×ｗ２５６ａ）、（−ｈ１×ｗ２５６ａ，ｈ７×ｗ２５６ａ）、（−ｈ１×ｗ２５６ａ，ｈ６×ｗ２５６ａ）、（−ｈ１×ｗ２５６ａ，ｈ５×ｗ２５６ａ）、（−ｈ１×ｗ２５６ａ，ｈ４×ｗ２５６ａ）、（−ｈ１×ｗ２５６ａ，ｈ３×ｗ２５６ａ）、（−ｈ１×ｗ２５６ａ，ｈ２×ｗ２５６ａ）、（−ｈ１×ｗ２５６ａ，ｈ１×ｗ２５６ａ）、
（−ｈ１×ｗ２５６ａ，−１５×ｗ２５６ａ）、（−ｈ１×ｗ２５６ａ，−ｈ７×ｗ２５６ａ）、（−ｈ１×ｗ２５６ａ，−ｈ６×ｗ２５６ａ）、（−ｈ１×ｗ２５６ａ，−ｈ５×ｗ２５６ａ）、（−ｈ１×ｗ２５６ａ，−ｈ４×ｗ２５６ａ）、（−ｈ１×ｗ２５６ａ，−ｈ３×ｗ２５６ａ）、（−ｈ１×ｗ２５６ａ，−ｈ２×ｗ２５６ａ）、（−ｈ１×ｗ２５６ａ，−ｈ１×ｗ２５６ａ）、
となる（ｗ２５６ａは０より大きい実数となる）。
【００８３】
ここで、送信するビット（入力ビット）をｂ０、ｂ１、ｂ２、ｂ３、ｂ４、ｂ５、ｂ６、ｂ７とする。例えば、送信するビットが（ｂ０、ｂ１、ｂ２、ｂ３、ｂ４、ｂ５、ｂ６、ｂ７）＝（０、０、０、０、０、０、０、０）の場合、図９における信号点Ｈ７０１にマッピングされ、マッピング後のベースバンド信号の同相成分をＩ、直交成分をＱとすると、（Ｉ，Ｑ）＝（１５×ｗ２５６ａ，１５×ｗ２５６ａ）となる。
【００８４】
つまり、送信するビット（ｂ０、ｂ１、ｂ２、ｂ３、ｂ４、ｂ５、ｂ６、ｂ７）に基づき、（２５６ＱＡＭ時の）マッピング後のベースバンド信号の同相成分Ｉ、直交成分Ｑが決定される。なお、ｂ０、ｂ１、ｂ２、ｂ３、ｂ４、ｂ５、ｂ６、ｂ７のセット（００００００００〜１１１１１１１１）と信号点の座標の関係の一例は図９のとおりである。２５６ＱＡＭの２５６個の信号点（図９の「○」）
（１５×ｗ２５６ａ，１５×ｗ２５６ａ）、（１５×ｗ２５６ａ，ｈ７×ｗ２５６ａ）、（１５×ｗ２５６ａ，ｈ６×ｗ２５６ａ）、（１５×ｗ２５６ａ，ｈ５×ｗ２５６ａ）、（１５×ｗ２５６ａ，ｈ４×ｗ２５６ａ）、（１５×ｗ２５６ａ，ｈ３×ｗ２５６ａ）、（１５×ｗ２５６ａ，ｈ２×ｗ２５６ａ）、（１５×ｗ２５６ａ，ｈ１×ｗ２５６ａ）、
（１５×ｗ２５６ａ，−１５×ｗ２５６ａ）、（１５×ｗ２５６ａ，−ｈ７×ｗ２５６ａ）、（１５×ｗ２５６ａ，−ｈ６×ｗ２５６ａ）、（１５×ｗ２５６ａ，−ｈ５×ｗ２５６ａ）、（１５×ｗ２５６ａ，−ｈ４×ｗ２５６ａ）、（１５×ｗ２５６ａ，−ｈ３×ｗ２５６ａ）、（１５×ｗ２５６ａ，−ｈ２×ｗ２５６ａ）、（１５×ｗ２５６ａ，−ｈ１×ｗ２５６ａ）、
（ｈ７×ｗ２５６ａ，１５×ｗ２５６ａ）、（ｈ７×ｗ２５６ａ，ｈ７×ｗ２５６ａ）、（ｈ７×ｗ２５６ａ，ｈ６×ｗ２５６ａ）、（ｈ７×ｗ２５６ａ，ｈ５×ｗ２５６ａ）、（ｈ７×ｗ２５６ａ，ｈ４×ｗ２５６ａ）、（ｈ７×ｗ２５６ａ，ｈ３×ｗ２５６ａ）、（ｈ７×ｗ２５６ａ，ｈ２×ｗ２５６ａ）、（ｈ７×ｗ２５６ａ，ｈ１×ｗ２５６ａ）、
（ｈ７×ｗ２５６ａ，−１５×ｗ２５６ａ）、（ｈ７×ｗ２５６ａ，−ｈ７×ｗ２５６ａ）、（ｈ７×ｗ２５６ａ，−ｈ６×ｗ２５６ａ）、（ｈ７×ｗ２５６ａ，−ｈ５×ｗ２５６ａ）、（ｈ７×ｗ２５６ａ，−ｈ４×ｗ２５６ａ）、（ｈ７×ｗ２５６ａ，−ｈ３×ｗ２５６ａ）、（ｈ７×ｗ２５６ａ，−ｈ２×ｗ２５６ａ）、（ｈ７×ｗ２５６ａ，−ｈ１×ｗ２５６ａ）、
（ｈ６×ｗ２５６ａ，１５×ｗ２５６ａ）、（ｈ６×ｗ２５６ａ，ｈ７×ｗ２５６ａ）、（ｈ６×ｗ２５６ａ，ｈ６×ｗ２５６ａ）、（ｈ６×ｗ２５６ａ，ｈ５×ｗ２５６ａ）、（ｈ６×ｗ２５６ａ，ｈ４×ｗ２５６ａ）、（ｈ６×ｗ２５６ａ，ｈ３×ｗ２５６ａ）、（ｈ６×ｗ２５６ａ，ｈ２×ｗ２５６ａ）、（ｈ６×ｗ２５６ａ，ｈ１×ｗ２５６ａ）、
（ｈ６×ｗ２５６ａ，−１５×ｗ２５６ａ）、（ｈ６×ｗ２５６ａ，−ｈ７×ｗ２５６ａ）、（ｈ６×ｗ２５６ａ，−ｈ６×ｗ２５６ａ）、（ｈ６×ｗ２５６ａ，−ｈ５×ｗ２５６ａ）、（ｈ６×ｗ２５６ａ，−ｈ４×ｗ２５６ａ）、（ｈ６×ｗ２５６ａ，−ｈ３×ｗ２５６ａ）、（ｈ６×ｗ２５６ａ，−ｈ２×ｗ２５６ａ）、（ｈ６×ｗ２５６ａ，−ｈ１×ｗ２５６ａ）、
（ｈ５×ｗ２５６ａ，１５×ｗ２５６ａ）、（ｈ５×ｗ２５６ａ，ｈ７×ｗ２５６ａ）、（ｈ５×ｗ２５６ａ，ｈ６×ｗ２５６ａ）、（ｈ５×ｗ２５６ａ，ｈ５×ｗ２５６ａ）、（ｈ５×ｗ２５６ａ，ｈ４×ｗ２５６ａ）、（ｈ５×ｗ２５６ａ，ｈ３×ｗ２５６ａ）、（ｈ５×ｗ２５６ａ，ｈ２×ｗ２５６ａ）、（ｈ５×ｗ２５６ａ，ｈ１×ｗ２５６ａ）、
（ｈ５×ｗ２５６ａ，−１５×ｗ２５６ａ）、（ｈ５×ｗ２５６ａ，−ｈ７×ｗ２５６ａ）、（ｈ５×ｗ２５６ａ，−ｈ６×ｗ２５６ａ）、（ｈ５×ｗ２５６ａ，−ｈ５×ｗ２５６ａ）、（ｈ５×ｗ２５６ａ，−ｈ４×ｗ２５６ａ）、（ｈ５×ｗ２５６ａ，−ｈ３×ｗ２５６ａ）、（ｈ５×ｗ２５６ａ，−ｈ２×ｗ２５６ａ）、（ｈ５×ｗ２５６ａ，−ｈ１×ｗ２５６ａ）、
（ｈ４×ｗ２５６ａ，１５×ｗ２５６ａ）、（ｈ４×ｗ２５６ａ，ｈ７×ｗ２５６ａ）、（ｈ４×ｗ２５６ａ，ｈ６×ｗ２５６ａ）、（ｈ４×ｗ２５６ａ，ｈ５×ｗ２５６ａ）、（ｈ４×ｗ２５６ａ，ｈ４×ｗ２５６ａ）、（ｈ４×ｗ２５６ａ，ｈ３×ｗ２５６ａ）、（ｈ４×ｗ２５６ａ，ｈ２×ｗ２５６ａ）、（ｈ４×ｗ２５６ａ，ｈ１×ｗ２５６ａ）、
（ｈ４×ｗ２５６ａ，−１５×ｗ２５６ａ）、（ｈ４×ｗ２５６ａ，−ｈ７×ｗ２５６ａ）、（ｈ４×ｗ２５６ａ，−ｈ６×ｗ２５６ａ）、（ｈ４×ｗ２５６ａ，−ｈ５×ｗ２５６ａ）、（ｈ４×ｗ２５６ａ，−ｈ４×ｗ２５６ａ）、（ｈ４×ｗ２５６ａ，−ｈ３×ｗ２５６ａ）、（ｈ４×ｗ２５６ａ，−ｈ２×ｗ２５６ａ）、（ｈ４×ｗ２５６ａ，−ｈ１×ｗ２５６ａ）、
（ｈ３×ｗ２５６ａ，１５×ｗ２５６ａ）、（ｈ３×ｗ２５６ａ，ｈ７×ｗ２５６ａ）、（ｈ３×ｗ２５６ａ，ｈ６×ｗ２５６ａ）、（ｈ３×ｗ２５６ａ，ｈ５×ｗ２５６ａ）、（ｈ３×ｗ２５６ａ，ｈ４×ｗ２５６ａ）、（ｈ３×ｗ２５６ａ，ｈ３×ｗ２５６ａ）、（ｈ３×ｗ２５６ａ，ｈ２×ｗ２５６ａ）、（ｈ３×ｗ２５６ａ，ｈ１×ｗ２５６ａ）、
（ｈ３×ｗ２５６ａ，−１５×ｗ２５６ａ）、（ｈ３×ｗ２５６ａ，−ｈ７×ｗ２５６ａ）、（ｈ３×ｗ２５６ａ，−ｈ６×ｗ２５６ａ）、（ｈ３×ｗ２５６ａ，−ｈ５×ｗ２５６ａ）、（ｈ３×ｗ２５６ａ，−ｈ４×ｗ２５６ａ）、（ｈ３×ｗ２５６ａ，−ｈ３×ｗ２５６ａ）、（ｈ３×ｗ２５６ａ，−ｈ２×ｗ２５６ａ）、（ｈ３×ｗ２５６ａ，−ｈ１×ｗ２５６ａ）、
（ｈ２×ｗ２５６ａ，１５×ｗ２５６ａ）、（ｈ２×ｗ２５６ａ，ｈ７×ｗ２５６ａ）、（ｈ２×ｗ２５６ａ，ｈ６×ｗ２５６ａ）、（ｈ２×ｗ２５６ａ，ｈ５×ｗ２５６ａ）、（ｈ２×ｗ２５６ａ，ｈ４×ｗ２５６ａ）、（ｈ２×ｗ２５６ａ，ｈ３×ｗ２５６ａ）、（ｈ２×ｗ２５６ａ，ｈ２×ｗ２５６ａ）、（ｈ２×ｗ２５６ａ，ｈ１×ｗ２５６ａ）、
（ｈ２×ｗ２５６ａ，−１５×ｗ２５６ａ）、（ｈ２×ｗ２５６ａ，−ｈ７×ｗ２５６ａ）、（ｈ２×ｗ２５６ａ，−ｈ６×ｗ２５６ａ）、（ｈ２×ｗ２５６ａ，−ｈ５×ｗ２５６ａ）、（ｈ２×ｗ２５６ａ，−ｈ４×ｗ２５６）、（ｈ２×ｗ２５６ａ，−ｈ３×ｗ２５６ａ）、（ｈ２×ｗ２５６ａ，−ｈ２×ｗ２５６ａ）、（ｈ２×ｗ２５６ａ，−ｈ１×ｗ２５６ａ）、
（ｈ１×ｗ２５６ａ，１５×ｗ２５６ａ）、（ｈ１×ｗ２５６ａ，ｈ７×ｗ２５６ａ）、（ｈ１×ｗ２５６ａ，ｈ６×ｗ２５６ａ）、（ｈ１×ｗ２５６ａ，ｈ５×ｗ２５６ａ）、（ｈ１×ｗ２５６ａ，ｈ４×ｗ２５６ａ）、（ｈ１×ｗ２５６ａ，ｈ３×ｗ２５６ａ）、（ｈ１×ｗ２５６ａ，ｈ２×ｗ２５６ａ）、（ｈ１×ｗ２５６ａ，ｈ１×ｗ２５６ａ）、
（ｈ１×ｗ２５６ａ，−１５×ｗ２５６ａ）、（ｈ１×ｗ２５６ａ，−ｈ７×ｗ２５６ａ）、（ｈ１×ｗ２５６ａ，−ｈ６×ｗ２５６ａ）、（ｈ１×ｗ２５６ａ，−ｈ５×ｗ２５６ａ）、（ｈ１×ｗ２５６ａ，−ｈ４×ｗ２５６ａ）、（ｈ１×ｗ２５６ａ，−ｈ３×ｗ２５６ａ）、（ｈ１×ｗ２５６ａ，−ｈ２×ｗ２５６ａ）、（ｈ１×ｗ２５６ａ，−ｈ１×ｗ２５６ａ）、
（−１５×ｗ２５６ａ，１５×ｗ２５６ａ）、（−１５×ｗ２５６ａ，ｈ７×ｗ２５６ａ）、（−１５×ｗ２５６ａ，ｈ６×ｗ２５６ａ）、（−１５×ｗ２５６ａ，ｈ５×ｗ２５６ａ）、（−１５×ｗ２５６ａ，ｈ４×ｗ２５６ａ）、（−１５×ｗ２５６ａ，ｈ３×ｗ２５６ａ）、（−１５×ｗ２５６ａ，ｈ２×ｗ２５６ａ）、（−１５×ｗ２５６ａ，ｈ１×ｗ２５６ａ）、
（−１５×ｗ２５６ａ，−１５×ｗ２５６ａ）、（−１５×ｗ２５６ａ，−ｈ７×ｗ２５６ａ）、（−１５×ｗ２５６ａ，−ｈ６×ｗ２５６ａ）、（−１５×ｗ２５６ａ，−ｈ５×ｗ２５６ａ）、（−１５×ｗ２５６ａ，−ｈ４×ｗ２５６ａ）、（−１５×ｗ２５６ａ，−ｈ３×ｗ２５６ａ）、（−１５×ｗ２５６ａ，−ｈ２×ｗ２５６ａ）、（−１５×ｗ２５６ａ，−ｈ１×ｗ２５６ａ）、
（−ｈ７×ｗ２５６ａ，１５×ｗ２５６ａ）、（−ｈ７×ｗ２５６ａ，ｈ７×ｗ２５６ａ）、（−ｈ７×ｗ２５６ａ，ｈ６×ｗ２５６ａ）、（−ｈ７×ｗ２５６ａ，ｈ５×ｗ２５６ａ）、（−ｈ７×ｗ２５６ａ，ｈ４×ｗ２５６ａ）、（−ｈ７×ｗ２５６ａ，ｈ３×ｗ２５６ａ）、（−ｈ７×ｗ２５６ａ，ｈ２×ｗ２５６ａ）、（−ｈ７×ｗ２５６ａ，ｈ１×ｗ２５６ａ）、
（−ｈ７×ｗ２５６ａ，−１５×ｗ２５６ａ）、（−ｈ７×ｗ２５６ａ，−ｈ７×ｗ２５６ａ）、（−ｈ７×ｗ２５６ａ，−ｈ６×ｗ２５６ａ）、（−ｈ７×ｗ２５６ａ，−ｈ５×ｗ２５６ａ）、（−ｈ７×ｗ２５６ａ，−ｈ４×ｗ２５６ａ）、（−ｈ７×ｗ２５６ａ，−ｈ３×ｗ２５６ａ）、（−ｈ７×ｗ２５６ａ，−ｈ２×ｗ２５６ａ）、（−ｈ７×ｗ２５６ａ，−ｈ１×ｗ２５６ａ）、
（−ｈ６×ｗ２５６ａ，１５×ｗ２５６ａ）、（−ｈ６×ｗ２５６ａ，ｈ７×ｗ２５６ａ）、（−ｈ６×ｗ２５６ａ，ｈ６×ｗ２５６ａ）、（−ｈ６×ｗ２５６ａ，ｈ５×ｗ２５６ａ）、（−ｈ６×ｗ２５６ａ，ｈ４×ｗ２５６ａ）、（−ｈ６×ｗ２５６ａ，ｈ３×ｗ２５６ａ）、（−ｈ６×ｗ２５６ａ，ｈ２×ｗ２５６ａ）、（−ｈ６×ｗ２５６ａ，ｈ１×ｗ２５６ａ）、
（−ｈ６×ｗ２５６ａ，−１５×ｗ２５６ａ）、（−ｈ６×ｗ２５６ａ，−ｈ７×ｗ２５６ａ）、（−ｈ６×ｗ２５６ａ，−ｈ６×ｗ２５６ａ）、（−ｈ６×ｗ２５６ａ，−ｈ５×ｗ２５６ａ）、（−ｈ６×ｗ２５６ａ，−ｈ４×ｗ２５６ａ）、（−ｈ６×ｗ２５６ａ，−ｈ３×ｗ２５６ａ）、（−ｈ６×ｗ２５６ａ，−ｈ２×ｗ２５６ａ）、（−ｈ６×ｗ２５６ａ，−ｈ１×ｗ２５６ａ）、
（−ｈ５×ｗ２５６ａ，１５×ｗ２５６ａ）、（−ｈ５×ｗ２５６ａ，ｈ７×ｗ２５６ａ）、（−ｈ５×ｗ２５６ａ，ｈ６×ｗ２５６ａ）、（−ｈ５×ｗ２５６ａ，ｈ５×ｗ２５６ａ）、（−ｈ５×ｗ２５６ａ，ｈ４×ｗ２５６ａ）、（−ｈ５×ｗ２５６ａ，ｈ３×ｗ２５６ａ）、（−ｈ５×ｗ２５６ａ，ｈ２×ｗ２５６ａ）、（−ｈ５×ｗ２５６ａ，ｈ１×ｗ２５６ａ）、
（−ｈ５×ｗ２５６ａ，−１５×ｗ２５６ａ）、（−ｈ５×ｗ２５６ａ，−ｈ７×ｗ２５６ａ）、（−ｈ５×ｗ２５６ａ，−ｈ６×ｗ２５６ａ）、（−ｈ５×ｗ２５６ａ，−ｈ５×ｗ２５６ａ）、（−ｈ５×ｗ２５６ａ，―ｈ４×ｗ２５６ａ）、（−ｈ５×ｗ２５６ａ，−ｈ３×ｗ２５６ａ）、（−ｈ５×ｗ２５６ａ，−ｈ２×ｗ２５６ａ）、（−ｈ５×ｗ２５６ａ，−ｈ１×ｗ２５６ａ）、
（−ｈ４×ｗ２５６ａ，１５×ｗ２５６ａ）、（−ｈ４×ｗ２５６ａ，ｈ７×ｗ２５６ａ）、（−ｈ４×ｗ２５６ａ，ｈ６×ｗ２５６ａ）、（−ｈ４×ｗ２５６ａ，ｈ５×ｗ２５６ａ）、（−ｈ４×ｗ２５６ａ，ｈ４×ｗ２５６ａ）、（−ｈ４×ｗ２５６ａ，ｈ３×ｗ２５６ａ）、（−ｈ４×ｗ２５６ａ，ｈ２×ｗ２５６ａ）、（−ｈ４×ｗ２５６ａ，ｈ１×ｗ２５６ａ）、
（−ｈ４×ｗ２５６ａ，−１５×ｗ２５６ａ）、（−ｈ４×ｗ２５６ａ，−ｈ７×ｗ２５６ａ）、（−ｈ４×ｗ２５６ａ，―ｈ６×ｗ２５６ａ）、（−ｈ４×ｗ２５６ａ，−ｈ５×ｗ２５６ａ）、（−ｈ４×ｗ２５６ａ，−ｈ４×ｗ２５６ａ）、（−ｈ４×ｗ２５６ａ，−ｈ３×ｗ２５６ａ）、（−ｈ４×ｗ２５６ａ，−ｈ２×ｗ２５６ａ）、（−ｈ４×ｗ２５６ａ，−ｈ１×ｗ２５６ａ）、
（−ｈ３×ｗ２５６ａ，１５×ｗ２５６ａ）、（−ｈ３×ｗ２５６ａ，ｈ７×ｗ２５６ａ）、（−ｈ３×ｗ２５６ａ，ｈ６×ｗ２５６ａ）、（−ｈ３×ｗ２５６ａ，ｈ５×ｗ２５６ａ）、（−ｈ３×ｗ２５６ａ，ｈ４×ｗ２５６ａ）、（−ｈ３×ｗ２５６ａ，ｈ３×ｗ２５６ａ）、（−ｈ３×ｗ２５６ａ，ｈ２×ｗ２５６ａ）、（−ｈ３×ｗ２５６ａ，ｈ１×ｗ２５６ａ）、
（−ｈ３×ｗ２５６ａ，―１５×ｗ２５６ａ）、（−ｈ３×ｗ２５６ａ，−ｈ７×ｗ２５６ａ）、（−ｈ３×ｗ２５６ａ，−ｈ６×ｗ２５６ａ）、（−ｈ３×ｗ２５６ａ，−ｈ５×ｗ２５６ａ）、（−ｈ３×ｗ２５６ａ，−ｈ４×ｗ２５６ａ）、（−ｈ３×ｗ２５６ａ，−ｈ３×ｗ２５６ａ）、（−ｈ３×ｗ２５６ａ，−ｈ２×ｗ２５６ａ）、（−ｈ３×ｗ２５６ａ，−ｈ１×ｗ２５６ａ）、
（−ｈ２×ｗ２５６ａ，１５×ｗ２５６ａ）、（−ｈ２×ｗ２５６ａ，ｈ７×ｗ２５６ａ）、（−ｈ２×ｗ２５６ａ，ｈ６×ｗ２５６ａ）、（−ｈ２×ｗ２５６ａ，ｈ５×ｗ２５６ａ）、（−ｈ２×ｗ２５６ａ，ｈ４×ｗ２５６ａ）、（−ｈ２×ｗ２５６ａ，ｈ３×ｗ２５６ａ）、（−ｈ２×ｗ２５６ａ，ｈ２×ｗ２５６ａ）、（−ｈ２×ｗ２５６ａ，ｈ１×ｗ２５６ａ）、
（−ｈ２×ｗ２５６ａ，−１５×ｗ２５６ａ）、（−ｈ２×ｗ２５６ａ，−ｈ７×ｗ２５６ａ）、（−ｈ２×ｗ２５６ａ，−ｈ６×ｗ２５６ａ）、（−ｈ２×ｗ２５６ａ，−ｈ５×ｗ２５６ａ）、（−ｈ２×ｗ２５６ａ，−ｈ４×ｗ２５６ａ）、（−ｈ２×ｗ２５６ａ，−ｈ３×ｗ２５６ａ）、（−ｈ２×ｗ２５６ａ，−ｈ２×ｗ２５６ａ）、（−ｈ２×ｗ２５６ａ，−ｈ１×ｗ２５６ａ）、
（−ｈ１×ｗ２５６ａ，１５×ｗ２５６ａ）、（−ｈ１×ｗ２５６ａ，ｈ７×ｗ２５６ａ）、（−ｈ１×ｗ２５６ａ，ｈ６×ｗ２５６ａ）、（−ｈ１×ｗ２５６ａ，ｈ５×ｗ２５６ａ）、（−ｈ１×ｗ２５６ａ，ｈ４×ｗ２５６ａ）、（−ｈ１×ｗ２５６ａ，ｈ３×ｗ２５６ａ）、（−ｈ１×ｗ２５６ａ，ｈ２×ｗ２５６ａ）、（−ｈ１×ｗ２５６ａ，ｈ１×ｗ２５６ａ）、
（−ｈ１×ｗ２５６ａ，−１５×ｗ２５６ａ）、（−ｈ１×ｗ２５６ａ，−ｈ７×ｗ２５６ａ）、（−ｈ１×ｗ２５６ａ，−ｈ６×ｗ２５６ａ）、（−ｈ１×ｗ２５６ａ，−ｈ５×ｗ２５６ａ）、（−ｈ１×ｗ２５６ａ，−ｈ４×ｗ２５６ａ）、（−ｈ１×ｗ２５６ａ，−ｈ３×ｗ２５６ａ）、（−ｈ１×ｗ２５６ａ，−ｈ２×ｗ２５６ａ）、（−ｈ１×ｗ２５６ａ，−ｈ１×ｗ２５６ａ）、
の直下にｂ０、ｂ１、ｂ２、ｂ３、ｂ４、ｂ５、ｂ６、ｂ７のセット００００００００〜１１１１１１１１の値が示されている。ｂ０、ｂ１、ｂ２、ｂ３、ｂ４、ｂ５、ｂ６、ｂ７のセット００００００００〜１１１１１１１１の直上の信号点（「○」）の同相Ｉ−直交Ｑ平面におけるそれぞれの座標が、マッピング後のベースバンド信号の同相成分Ｉおよび直交成分Ｑとなる。なお、２５６ＱＡＭ時のｂ０、ｂ１、ｂ２、ｂ３、ｂ４、ｂ５、ｂ６、ｂ７のセット（００００００００〜１１１１１１１１）と信号点の座標の関係は、図９に限ったものではない。
【００８５】
図９の２５６個の信号点に対し、「信号点１」「信号点２」・・・「信号点２５５」「信号点２５６」と名付ける。（２５６個の信号点が存在するので、「信号点１」から「信号点２５６」が存在することになる。）同相Ｉ―直交Ｑ平面において、「信号点ｉ」と原点の距離をＤｉとする。このとき、ｗ２５６ａを以下のように与える。
【００８６】
【数７】
2019193278.tif 000009
【００８７】
すると、マッピング後のベースバンド信号の平均パワーはｚ２となる。
【００８８】
なお、上述の説明の２５６ＱＡＭのマッピング方法を、non-uniform 256QAMと一般的に呼ばれる。このマッピング方法をここでは「２５６ＱＡＭマッピング方法＃１」とよぶ。
【００８９】
そして、上述の説明において、「（ｈａ１、ｈａ２、ｈａ３、ｈａ４、ｈａ５、ｈａ６、ｈａ７）＝（１、３、５、７、９、１１、１３）」のときuniform 256QAMとよび、このマッピング方法をここでは「２５６ＱＡＭマッピング方法＃０」とよぶ。
【００９０】
図１０は、同相Ｉ−直交Ｑ平面における２５６ＱＡＭの信号点配置の例を示している。なお、図１０において、２５６個の○が２５６ＱＡＭの信号点であり、横軸Ｉ、縦軸Ｑとなる。
【００９１】
図１０においてｈ１＞０（ｈ１は０より大きい実数）、かつ、ｈ２＞０（ｈ２は０より大きい実数）、かつ、ｈ３＞０（ｈ３は０より大きい実数）、かつ、ｈ４＞０（ｈ４は０より大きい実数）、かつ、ｈ５＞０（ｈ５は０より大きい実数）、かつ、ｈ６＞０（ｈ６は０より大きい実数）、かつ、ｈ７＞０（ｈ７は０より大きい実数）、かつ、ｈ８＞０（ｈ８は０より大きい実数）、かつ、ｈ９＞０（ｈ９は０より大きい実数）、かつ、ｈ１０＞０（ｈ１０は０より大きい実数）、かつ、ｈ１１＞０（ｈ１１は０より大きい実数）、かつ、ｈ１２＞０（ｈ１２は０より大きい実数）、かつ、ｈ１３＞０（ｈ１３は０より大きい実数）、かつ、ｈ１４＞０（ｈ１４は０より大きい実数）であり、
｛ｈ１≠１５、かつ、ｈ２≠１５、かつ、ｈ３≠１５、かつ、ｈ４≠１５、かつ、ｈ５≠１５、かつ、ｈ６≠１５、かつ、ｈ７≠１５、
かつ、ｈ１≠ｈ２、かつ、ｈ１≠ｈ３、かつ、ｈ１≠ｈ４、かつ、ｈ１≠ｈ５、かつ、ｈ１≠ｈ６、かつ、ｈ１≠ｈ７、
かつ、ｈ２≠ｈ３、かつ、ｈ２≠ｈ４、かつ、ｈ２≠ｈ５、かつ、ｈ２≠ｈ６、かつ、ｈ２≠ｈ７、
かつ、ｈ３≠ｈ４、かつ、ｈ３≠ｈ５、かつ、ｈ３≠ｈ６、かつ、ｈ３≠ｈ７、
かつ、ｈ４≠ｈ５、かつ、ｈ４≠ｈ６、かつ、ｈ４≠ｈ７、
かつ、ｈ５≠ｈ６、かつ、ｈ５≠ｈ７、
かつ、ｈ６≠ｈ７｝
かつ、
｛ｈ８≠１５、かつ、ｈ９≠１５、かつ、ｈ１０≠１５、かつ、ｈ１１≠１５、かつ、ｈ１２≠１５、かつ、ｈ１３≠１５、かつ、ｈ１４≠１５、
かつ、ｈ８≠ｈ９、かつ、ｈ８≠ｈ１０、かつ、ｈ８≠ｈ１１、かつ、ｈ８≠ｈ１２、かつ、ｈ８≠ｈ１３、かつ、ｈ８≠ｈ１４、
かつ、ｈ９≠ｈ１０、かつ、ｈ９≠ｈ１１、かつ、ｈ９≠ｈ１２、かつ、ｈ９≠ｈ１３、かつ、ｈ９≠ｈ１４、
かつ、ｈ１０≠ｈ１１、かつ、ｈ１０≠ｈ１２、かつ、ｈ１０≠ｈ１３、かつ、ｈ１０≠ｈ１４、
かつ、ｈ１１≠ｈ１２、かつ、ｈ１１≠ｈ１３、かつ、ｈ１１≠ｈ１４、
かつ、ｈ１２≠ｈ１３、かつ、ｈ１２≠ｈ１４、
かつ、ｈ１３≠ｈ１４｝
かつ、
｛ｈ１≠ｈ８、または、ｈ２≠ｈ９、または、ｈ３≠ｈ１０、または、ｈ４≠ｈ１１、または、ｈ５≠ｈ１２、または、ｈ６≠ｈ１３、または、ｈ７≠ｈ１４が成立する。｝
が成立する。
【００９２】
２５６ＱＡＭの２５６個の信号点（図１０の「○」が信号点である。）の同相Ｉ−直交Ｑ平面におけるそれぞれの座標は、
（１５×ｗ２５６ｂ，１５×ｗ２５６ｂ）、（１５×ｗ２５６ｂ，ｈ１４×ｗ２５６ｂ）、（１５×ｗ２５６ｂ，ｈ１３×ｗ２５６ｂ）、（１５×ｗ２５６ｂ，ｈ１２×ｗ２５６ｂ）、（１５×ｗ２５６ｂ，ｈ１１×ｗ２５６ｂ）、（１５×ｗ２５６ｂ，ｈ１０×ｗ２５６ｂ）、（１５×ｗ２５６ｂ，ｈ９×ｗ２５６ｂ）、（１５×ｗ２５６ｂ，ｈ８×ｗ２５６ｂ）、
（１５×ｗ２５６ｂ，−１５×ｗ２５６ｂ）、（１５×ｗ２５６ｂ，−ｈ１４×ｗ２５６ｂ）、（１５×ｗ２５６ｂ，−ｈ１３×ｗ２５６ｂ）、（１５×ｗ２５６ｂ，−ｈ１２×ｗ２５６ｂ）、（１５×ｗ２５６ｂ，−ｈ１１×ｗ２５６ｂ）、（１５×ｗ２５６ｂ，−ｈ１０×ｗ２５６ｂ）、（１５×ｗ２５６ｂ，−ｈ９×ｗ２５６ｂ）、（１５×ｗ２５６ｂ，−ｈ８×ｗ２５６ｂ）、
（ｈ７×ｗ２５６ｂ，１５×ｗ２５６ｂ）、（ｈ７×ｗ２５６ｂ，ｈ１４×ｗ２５６ｂ）、（ｈ７×ｗ２５６ｂ，ｈ１３×ｗ２５６ｂ）、（ｈ７×ｗ２５６ｂ，ｈ１２×ｗ２５６ｂ）、（ｈ７×ｗ２５６ｂ，ｈ１１×ｗ２５６ｂ）、（ｈ７×ｗ２５６ｂ，ｈ１０×ｗ２５６ｂ）、（ｈ７×ｗ２５６ｂ，ｈ９×ｗ２５６ｂ）、（ｈ７×ｗ２５６ｂ，ｈ８×ｗ２５６ｂ）、
（ｈ７×ｗ２５６ｂ，−１５×ｗ２５６ｂ）、（ｈ７×ｗ２５６ｂ，−ｈ１４×ｗ２５６ｂ）、（ｈ７×ｗ２５６ｂ，−ｈ１３×ｗ２５６ｂ）、（ｈ７×ｗ２５６ｂ，−ｈ１２×ｗ２５６ｂ）、（ｈ７×ｗ２５６ｂ，−ｈ１１×ｗ２５６ｂ）、（ｈ７×ｗ２５６ｂ，−ｈ１０×ｗ２５６ｂ）、（ｈ７×ｗ２５６ｂ，−ｈ９×ｗ２５６ｂ）、（ｈ７×ｗ２５６ｂ，−ｈ８×ｗ２５６ｂ）、
（ｈ６×ｗ２５６ｂ，１５×ｗ２５６ｂ）、（ｈ６×ｗ２５６ｂ，ｈ１４×ｗ２５６ｂ）、（ｈ６×ｗ２５６ｂ，ｈ１３×ｗ２５６ｂ）、（ｈ６×ｗ２５６ｂ，ｈ１２×ｗ２５６ｂ）、（ｈ６×ｗ２５６ｂ，ｈ１１×ｗ２５６ｂ）、（ｈ６×ｗ２５６ｂ，ｈ１０×ｗ２５６ｂ）、（ｈ６×ｗ２５６ｂ，ｈ９×ｗ２５６ｂ）、（ｈ６×ｗ２５６ｂ，ｈ８×ｗ２５６ｂ）、
（ｈ６×ｗ２５６ｂ，−１５×ｗ２５６ｂ）、（ｈ６×ｗ２５６ｂ，−ｈ１４×ｗ２５６ｂ）、（ｈ６×ｗ２５６ｂ，−ｈ１３×ｗ２５６ｂ）、（ｈ６×ｗ２５６ｂ，−ｈ１２×ｗ２５６ｂ）、（ｈ６×ｗ２５６ｂ，−ｈ１１×ｗ２５６ｂ）、（ｈ６×ｗ２５６ｂ，−ｈ１０×ｗ２５６ｂ）、（ｈ６×ｗ２５６ｂ，−ｈ９×ｗ２５６ｂ）、（ｈ６×ｗ２５６ｂ，−ｈ８×ｗ２５６ｂ）、
（ｈ５×ｗ２５６ｂ，１５×ｗ２５６ｂ）、（ｈ５×ｗ２５６ｂ，ｈ１４×ｗ２５６ｂ）、（ｈ５×ｗ２５６ｂ，ｈ１３×ｗ２５６ｂ）、（ｈ５×ｗ２５６ｂ，ｈ１２×ｗ２５６ｂ）、（ｈ５×ｗ２５６ｂ，ｈ１１×ｗ２５６ｂ）、（ｈ５×ｗ２５６ｂ，ｈ１０×ｗ２５６ｂ）、（ｈ５×ｗ２５６ｂ，ｈ９×ｗ２５６ｂ）、（ｈ５×ｗ２５６ｂ，ｈ８×ｗ２５６ｂ）、
（ｈ５×ｗ２５６ｂ，−１５×ｗ２５６ｂ）、（ｈ５×ｗ２５６ｂ，−ｈ１４×ｗ２５６ｂ）、（ｈ５×ｗ２５６ｂ，−ｈ１３×ｗ２５６ｂ）、（ｈ５×ｗ２５６ｂ，−ｈ１２×ｗ２５６ｂ）、（ｈ５×ｗ２５６ｂ，−ｈ１１×ｗ２５６ｂ）、（ｈ５×ｗ２５６ｂ，−ｈ１０×ｗ２５６ｂ）、（ｈ５×ｗ２５６ｂ，−ｈ９×ｗ２５６ｂ）、（ｈ５×ｗ２５６ｂ，−ｈ８×ｗ２５６ｂ）、
（ｈ４×ｗ２５６ｂ，１５×ｗ２５６ｂ）、（ｈ４×ｗ２５６ｂ，ｈ１４×ｗ２５６ｂ）、（ｈ４×ｗ２５６ｂ，ｈ１３×ｗ２５６ｂ）、（ｈ４×ｗ２５６ｂ，ｈ１２×ｗ２５６ｂ）、（ｈ４×ｗ２５６ｂ，ｈ１１×ｗ２５６ｂ）、（ｈ４×ｗ２５６ｂ，ｈ１０×ｗ２５６ｂ）、（ｈ４×ｗ２５６ｂ，ｈ９×ｗ２５６ｂ）、（ｈ４×ｗ２５６ｂ，ｈ８×ｗ２５６ｂ）、
（ｈ４×ｗ２５６ｂ，−１５×ｗ２５６ｂ）、（ｈ４×ｗ２５６ｂ，−ｈ１４×ｗ２５６ｂ）、（ｈ４×ｗ２５６ｂ，−ｈ１３×ｗ２５６ｂ）、（ｈ４×ｗ２５６ｂ，−ｈ１２×ｗ２５６ｂ）、（ｈ４×ｗ２５６ｂ，−ｈ１１×ｗ２５６ｂ）、（ｈ４×ｗ２５６ｂ，−ｈ１０×ｗ２５６ｂ）、（ｈ４×ｗ２５６ｂ，−ｈ９×ｗ２５６ｂ）、（ｈ４×ｗ２５６ｂ，−ｈ８×ｗ２５６ｂ）、
（ｈ３×ｗ２５６ｂ，１５×ｗ２５６ｂ）、（ｈ３×ｗ２５６ｂ，ｈ１４×ｗ２５６ｂ）、（ｈ３×ｗ２５６ｂ，ｈ１３×ｗ２５６ｂ）、（ｈ３×ｗ２５６ｂ，ｈ１２×ｗ２５６ｂ）、（ｈ３×ｗ２５６ｂ，ｈ１１×ｗ２５６ｂ）、（ｈ３×ｗ２５６ｂ，ｈ１０×ｗ２５６ｂ）、（ｈ３×ｗ２５６ｂ，ｈ９×ｗ２５６ｂ）、（ｈ３×ｗ２５６ｂ，ｈ８×ｗ２５６ｂ）、
（ｈ３×ｗ２５６ｂ，−１５×ｗ２５６ｂ）、（ｈ３×ｗ２５６ｂ，−ｈ１４×ｗ２５６ｂ）、（ｈ３×ｗ２５６ｂ，−ｈ１３×ｗ２５６ｂ）、（ｈ３×ｗ２５６ｂ，−ｈ１２×ｗ２５６ｂ）、（ｈ３×ｗ２５６ｂ，−ｈ１１×ｗ２５６ｂ）、（ｈ３×ｗ２５６ｂ，−ｈ１０×ｗ２５６ｂ）、（ｈ３×ｗ２５６ｂ，−ｈ９×ｗ２５６ｂ）、（ｈ３×ｗ２５６ｂ，−ｈ８×ｗ２５６ｂ）、
（ｈ２×ｗ２５６ｂ，１５×ｗ２５６ｂ）、（ｈ２×ｗ２５６ｂ，ｈ１４×ｗ２５６ｂ）、（ｈ２×ｗ２５６ｂ，ｈ１３×ｗ２５６ｂ）、（ｈ２×ｗ２５６ｂ，ｈ１２×ｗ２５６ｂ）、（ｈ２×ｗ２５６ｂ，ｈ１１×ｗ２５６ｂ）、（ｈ２×ｗ２５６ｂ，ｈ１０×ｗ２５６ｂ）、（ｈ２×ｗ２５６ｂ，ｈ９×ｗ２５６ｂ）、（ｈ２×ｗ２５６ｂ，ｈ８×ｗ２５６ｂ）、
（ｈ２×ｗ２５６ｂ，−１５×ｗ２５６ｂ）、（ｈ２×ｗ２５６ｂ，−ｈ１４×ｗ２５６ｂ）、（ｈ２×ｗ２５６ｂ，−ｈ１３×ｗ２５６ｂ）、（ｈ２×ｗ２５６ｂ，−ｈ１２×ｗ２５６ｂ）、（ｈ２×ｗ２５６ｂ，−ｈ１１×ｗ２５６ｂ）、（ｈ２×ｗ２５６ｂ，−ｈ１０×ｗ２５６ｂ）、（ｈ２×ｗ２５６ｂ，−ｈ９×ｗ２５６ｂ）、（ｈ２×ｗ２５６ｂ，−ｈ８×ｗ２５６ｂ）、
（ｈ１×ｗ２５６ｂ，１５×ｗ２５６ｂ）、（ｈ１×ｗ２５６ｂ，ｈ１４×ｗ２５６ｂ）、（ｈ１×ｗ２５６ｂ，ｈ１３×ｗ２５６ｂ）、（ｈ１×ｗ２５６ｂ，ｈ１２×ｗ２５６ｂ）、（ｈ１×ｗ２５６ｂ，ｈ１１×ｗ２５６ｂ）、（ｈ１×ｗ２５６ｂ，ｈ１０×ｗ２５６ｂ）、（ｈ１×ｗ２５６ｂ，ｈ９×ｗ２５６ｂ）、（ｈ１×ｗ２５６ｂ，ｈ８×ｗ２５６ｂ）、
（ｈ１×ｗ２５６ｂ，−１５×ｗ２５６ｂ）、（ｈ１×ｗ２５６ｂ，−ｈ１４×ｗ２５６ｂ）、（ｈ１×ｗ２５６ｂ，−ｈ１３×ｗ２５６ｂ）、（ｈ１×ｗ２５６ｂ，−ｈ１２×ｗ２５６ｂ）、（ｈ１×ｗ２５６ｂ，−ｈ１１×ｗ２５６ｂ）、（ｈ１×ｗ２５６ｂ，−ｈ１０×ｗ２５６ｂ）、（ｈ１×ｗ２５６ｂ，−ｈ９×ｗ２５６ｂ）、（ｈ１×ｗ２５６ｂ，−ｈ８×ｗ２５６ｂ）、
（−１５×ｗ２５６ｂ，１５×ｗ２５６ｂ）、（−１５×ｗ２５６ｂ，ｈ１４×ｗ２５６ｂ）、（−１５×ｗ２５６ｂ，ｈ１３×ｗ２５６ｂ）、（−１５×ｗ２５６ｂ，ｈ１２×ｗ２５６ｂ）、（−１５×ｗ２５６ｂ，ｈ１１×ｗ２５６ｂ）、（−１５×ｗ２５６ｂ，ｈ１０×ｗ２５６ｂ）、（−１５×ｗ２５６ｂ，ｈ９×ｗ２５６ｂ）、（−１５×ｗ２５６ｂ，ｈ８×ｗ２５６ｂ）、
（−１５×ｗ２５６ｂ，−１５×ｗ２５６ｂ）、（−１５×ｗ２５６ｂ，−ｈ１４×ｗ２５６ｂ）、（−１５×ｗ２５６ｂ，−ｈ１３×ｗ２５６ｂ）、（−１５×ｗ２５６ｂ，−ｈ１２×ｗ２５６ｂ）、（−１５×ｗ２５６ｂ，−ｈ１１×ｗ２５６ｂ）、（−１５×ｗ２５６ｂ，−ｈ１０×ｗ２５６ｂ）、（−１５×ｗ２５６ｂ，−ｈ９×ｗ２５６ｂ）、（−１５×ｗ２５６ｂ，−ｈ８×ｗ２５６ｂ）、
（−ｈ７×ｗ２５６ｂ，１５×ｗ２５６ｂ）、（−ｈ７×ｗ２５６ｂ，ｈ１４×ｗ２５６ｂ）、（−ｈ７×ｗ２５６ｂ，ｈ１３×ｗ２５６ｂ）、（−ｈ７×ｗ２５６ｂ，ｈ１２×ｗ２５６ｂ）、（−ｈ７×ｗ２５６ｂ，ｈ１１×ｗ２５６ｂ）、（−ｈ７×ｗ２５６ｂ，ｈ１０×ｗ２５６ｂ）、（−ｈ７×ｗ２５６ｂ，ｈ９×ｗ２５６ｂ）、（−ｈ７×ｗ２５６ｂ，ｈ８×ｗ２５６ｂ）、
（−ｈ７×ｗ２５６ｂ，−１５×ｗ２５６ｂ）、（−ｈ７×ｗ２５６ｂ，−ｈ１４×ｗ２５６ｂ）、（−ｈ７×ｗ２５６ｂ，−ｈ１３×ｗ２５６ｂ）、（−ｈ７×ｗ２５６ｂ，−ｈ１２×ｗ２５６ｂ）、（−ｈ７×ｗ２５６ｂ，−ｈ１１×ｗ２５６ｂ）、（−ｈ７×ｗ２５６ｂ，−ｈ１０×ｗ２５６ｂ）、（−ｈ７×ｗ２５６ｂ，−ｈ９×ｗ２５６ｂ）、（−ｈ７×ｗ２５６ｂ，−ｈ８×ｗ２５６ｂ）、
（−ｈ６×ｗ２５６ｂ，１５×ｗ２５６ｂ）、（−ｈ６×ｗ２５６ｂ，ｈ１４×ｗ２５６ｂ）、（−ｈ６×ｗ２５６ｂ，ｈ１３×ｗ２５６ｂ）、（−ｈ６×ｗ２５６ｂ，ｈ１２×ｗ２５６ｂ）、（−ｈ６×ｗ２５６ｂ，ｈ１１×ｗ２５６ｂ）、（−ｈ６×ｗ２５６ｂ，ｈ１０×ｗ２５６ｂ）、（−ｈ６×ｗ２５６ｂ，ｈ９×ｗ２５６ｂ）、（−ｈ６×ｗ２５６ｂ，ｈ８×ｗ２５６ｂ）、
（−ｈ６×ｗ２５６ｂ，−１５×ｗ２５６ｂ）、（−ｈ６×ｗ２５６ｂ，−ｈ１４×ｗ２５６ｂ）、（−ｈ６×ｗ２５６ｂ，−ｈ１３×ｗ２５６ｂ）、（−ｈ６×ｗ２５６ｂ，−ｈ１２×ｗ２５６ｂ）、（−ｈ６×ｗ２５６ｂ，−ｈ１１×ｗ２５６ｂ）、（−ｈ６×ｗ２５６ｂ，−ｈ１０×ｗ２５６ｂ）、（−ｈ６×ｗ２５６ｂ，−ｈ９×ｗ２５６ｂ）、（−ｈ６×ｗ２５６ｂ，−ｈ８×ｗ２５６ｂ）、
（−ｈ５×ｗ２５６ｂ，１５×ｗ２５６ｂ）、（−ｈ５×ｗ２５６ｂ，ｈ１４×ｗ２５６ｂ）、（−ｈ５×ｗ２５６ｂ，ｈ１３×ｗ２５６ｂ）、（−ｈ５×ｗ２５６ｂ，ｈ１２×ｗ２５６ｂ）、（−ｈ５×ｗ２５６ｂ，ｈ１１×ｗ２５６ｂ）、（−ｈ５×ｗ２５６ｂ，ｈ１０×ｗ２５６ｂ）、（−ｈ５×ｗ２５６ｂ，ｈ９×ｗ２５６ｂ）、（−ｈ５×ｗ２５６ｂ，ｈ８×ｗ２５６ｂ）、
（−ｈ５×ｗ２５６ｂ，−１５×ｗ２５６ｂ）、（−ｈ５×ｗ２５６ｂ，−ｈ１４×ｗ２５６ｂ）、（−ｈ５×ｗ２５６ｂ，−ｈ１３×ｗ２５６ｂ）、（−ｈ５×ｗ２５６ｂ，−ｈ１２×ｗ２５６ｂ）、（−ｈ５×ｗ２５６ｂ，−ｈ１１×ｗ２５６ｂ）、（−ｈ５×ｗ２５６ｂ，−ｈ１０×ｗ２５６ｂ）、（−ｈ５×ｗ２５６ｂ，−ｈ９×ｗ２５６ｂ）、（−ｈ５×ｗ２５６ｂ，−ｈ８×ｗ２５６ｂ）、
（−ｈ４×ｗ２５６ｂ，１５×ｗ２５６ｂ）、（−ｈ４×ｗ２５６ｂ，ｈ１４×ｗ２５６ｂ）、（−ｈ４×ｗ２５６ｂ，ｈ１３×ｗ２５６ｂ）、（−ｈ４×ｗ２５６ｂ，ｈ１２×ｗ２５６ｂ）、（−ｈ４×ｗ２５６ｂ，ｈ１１×ｗ２５６ｂ）、（−ｈ４×ｗ２５６ｂ，ｈ１０×ｗ２５６ｂ）、（−ｈ４×ｗ２５６ｂ，ｈ９×ｗ２５６ｂ）、（−ｈ４×ｗ２５６ｂ，ｈ８×ｗ２５６ｂ）、
（−ｈ４×ｗ２５６ｂ，−１５×ｗ２５６ｂ）、（−ｈ４×ｗ２５６ｂ，−ｈ１４×ｗ２５６ｂ）、（−ｈ４×ｗ２５６ｂ，−ｈ１３×ｗ２５６ｂ）、（−ｈ４×ｗ２５６ｂ，−ｈ１２×ｗ２５６ｂ）、（−ｈ４×ｗ２５６ｂ，−ｈ１１×ｗ２５６ｂ）、（−ｈ４×ｗ２５６ｂ，−ｈ１０×ｗ２５６ｂ）、（−ｈ４×ｗ２５６ｂ，−ｈ９×ｗ２５６ｂ）、（−ｈ４×ｗ２５６ｂ，−ｈ８×ｗ２５６ｂ）、
（−ｈ３×ｗ２５６ｂ，１５×ｗ２５６ｂ）、（−ｈ３×ｗ２５６ｂ，ｈ１４×ｗ２５６ｂ）、（−ｈ３×ｗ２５６ｂ，ｈ１３×ｗ２５６ｂ）、（−ｈ３×ｗ２５６ｂ，ｈ１２×ｗ２５６ｂ）、（−ｈ３×ｗ２５６ｂ，ｈ１１×ｗ２５６ｂ）、（−ｈ３×ｗ２５６ｂ，ｈ１０×ｗ２５６ｂ）、（−ｈ３×ｗ２５６ｂ，ｈ９×ｗ２５６ｂ）、（−ｈ３×ｗ２５６ｂ，ｈ８×ｗ２５６ｂ）、
（−ｈ３×ｗ２５６ｂ，−１５×ｗ２５６ｂ）、（−ｈ３×ｗ２５６ｂ，−ｈ１４×ｗ２５６ｂ）、（−ｈ３×ｗ２５６ｂ，−ｈ１３×ｗ２５６ｂ）、（−ｈ３×ｗ２５６ｂ，−ｈ１２×ｗ２５６ｂ）、（−ｈ３×ｗ２５６ｂ，−ｈ１１×ｗ２５６ｂ）、（−ｈ３×ｗ２５６ｂ，−ｈ１０×ｗ２５６ｂ）、（−ｈ３×ｗ２５６ｂ，−ｈ９×ｗ２５６ｂ）、（−ｈ３×ｗ２５６ｂ，−ｈ８×ｗ２５６ｂ）、
（−ｈ２×ｗ２５６ｂ，１５×ｗ２５６ｂ）、（−ｈ２×ｗ２５６ｂ，ｈ１４×ｗ２５６ｂ）、（−ｈ２×ｗ２５６ｂ，ｈ１３×ｗ２５６ｂ）、（−ｈ２×ｗ２５６ｂ，ｈ１２×ｗ２５６ｂ）、（−ｈ２×ｗ２５６ｂ，ｈ１１×ｗ２５６ｂ）、（−ｈ２×ｗ２５６ｂ，ｈ１０×ｗ２５６ｂ）、（−ｈ２×ｗ２５６ｂ，ｈ９×ｗ２５６ｂ）、（−ｈ２×ｗ２５６ｂ，ｈ８×ｗ２５６ｂ）、
（−ｈ２×ｗ２５６ｂ，−１５×ｗ２５６ｂ）、（−ｈ２×ｗ２５６ｂ，−ｈ１４×ｗ２５６ｂ）、（−ｈ２×ｗ２５６ｂ，−ｈ１３×ｗ２５６ｂ）、（−ｈ２×ｗ２５６ｂ，−ｈ１２×ｗ２５６ｂ）、（−ｈ２×ｗ２５６ｂ，−ｈ１１×ｗ２５６ｂ）、（−ｈ２×ｗ２５６ｂ，−ｈ１０×ｗ２５６ｂ）、（−ｈ２×ｗ２５６ｂ，―ｈ９×ｗ２５６ｂ）、（−ｈ２×ｗ２５６ｂ，−ｈ８×ｗ２５６ｂ）、
（−ｈ１×ｗ２５６ｂ，１５×ｗ２５６ｂ）、（−ｈ１×ｗ２５６ｂ，ｈ１４×ｗ２５６ｂ）、（−ｈ１×ｗ２５６ｂ，ｈ１３×ｗ２５６ｂ）、（−ｈ１×ｗ２５６ｂ，ｈ１２×ｗ２５６ｂ）、（−ｈ１×ｗ２５６ｂ，ｈ１１×ｗ２５６ｂ）、（−ｈ１×ｗ２５６ｂ，ｈ１０×ｗ２５６ｂ）、（−ｈ１×ｗ２５６ｂ，ｈ９×ｗ２５６ｂ）、（−ｈ１×ｗ２５６ｂ，ｈ８×ｗ２５６ｂ）、
（−ｈ１×ｗ２５６ｂ，−１５×ｗ２５６ｂ）、（−ｈ１×ｗ２５６ｂ，−ｈ１４×ｗ２５６ｂ）、（−ｈ１×ｗ２５６ｂ，−ｈ１３×ｗ２５６ｂ）、（−ｈ１×ｗ２５６ｂ，−ｈ１２×ｗ２５６ｂ）、（−ｈ１×ｗ２５６ｂ，―ｈ１１×ｗ２５６ｂ）、（−ｈ１×ｗ２５６ｂ，−ｈ１０×ｗ２５６ｂ）、（−ｈ１×ｗ２５６ｂ，−ｈ９×ｗ２５６ｂ）、（−ｈ１×ｗ２５６ｂ，−ｈ８×ｗ２５６ｂ）、
となる（ｗ２５６ｂは０より大きい実数となる）。
【００９３】
ここで、送信するビット（入力ビット）をｂ０、ｂ１、ｂ２、ｂ３、ｂ４、ｂ５、ｂ６、ｂ７とする。例えば、送信するビットが（ｂ０、ｂ１、ｂ２、ｂ３、ｂ４、ｂ５、ｂ６、ｂ７）＝（０、０、０、０、０、０、０、０）の場合、図１０における信号点Ｈ８０１にマッピングされ、マッピング後のベースバンド信号の同相成分をＩ、直交成分をＱとすると、（Ｉ，Ｑ）＝（１５×ｗ２５６ｂ，１５×ｗ２５６ｂ）となる。
【００９４】
つまり、送信するビット（ｂ０、ｂ１、ｂ２、ｂ３、ｂ４、ｂ５、ｂ６、ｂ７）に基づき、（２５６ＱＡＭ時の）マッピング後のベースバンド信号の同相成分Ｉ、直交成分Ｑが決定される。なお、ｂ０、ｂ１、ｂ２、ｂ３、ｂ４、ｂ５、ｂ６、ｂ７のセット（００００００００〜１１１１１１１１）と信号点の座標の関係の一例は図Ｈ８のとおりである。２５６ＱＡＭの２５６個の信号点（図１０の「○」）
（１５×ｗ２５６ｂ，１５×ｗ２５６ｂ）、（１５×ｗ２５６ｂ，ｈ１４×ｗ２５６ｂ）、（１５×ｗ２５６ｂ，ｈ１３×ｗ２５６ｂ）、（１５×ｗ２５６ｂ，ｈ１２×ｗ２５６ｂ）、（１５×ｗ２５６ｂ，ｈ１１×ｗ２５６ｂ）、（１５×ｗ２５６ｂ，ｈ１０×ｗ２５６ｂ）、（１５×ｗ２５６ｂ，ｈ９×ｗ２５６ｂ）、（１５×ｗ２５６ｂ，ｈ８×ｗ２５６ｂ）、
（１５×ｗ２５６ｂ，−１５×ｗ２５６ｂ）、（１５×ｗ２５６ｂ，−ｈ１４×ｗ２５６ｂ）、（１５×ｗ２５６ｂ，−ｈ１３×ｗ２５６ｂ）、（１５×ｗ２５６ｂ，−ｈ１２×ｗ２５６ｂ）、（１５×ｗ２５６ｂ，−ｈ１１×ｗ２５６ｂ）、（１５×ｗ２５６ｂ，−ｈ１０×ｗ２５６ｂ）、（１５×ｗ２５６ｂ，−ｈ９×ｗ２５６ｂ）、（１５×ｗ２５６ｂ，−ｈ８×ｗ２５６ｂ）、
（ｈ７×ｗ２５６ｂ，１５×ｗ２５６ｂ）、（ｈ７×ｗ２５６ｂ，ｈ１４×ｗ２５６ｂ）、（ｈ７×ｗ２５６ｂ，ｈ１３×ｗ２５６ｂ）、（ｈ７×ｗ２５６ｂ，ｈ１２×ｗ２５６ｂ）、（ｈ７×ｗ２５６ｂ，ｈ１１×ｗ２５６ｂ）、（ｈ７×ｗ２５６ｂ，ｈ１０×ｗ２５６ｂ）、（ｈ７×ｗ２５６ｂ，ｈ９×ｗ２５６ｂ）、（ｈ７×ｗ２５６ｂ，ｈ８×ｗ２５６ｂ）、
（ｈ７×ｗ２５６ｂ，−１５×ｗ２５６ｂ）、（ｈ７×ｗ２５６ｂ，−ｈ１４×ｗ２５６ｂ）、（ｈ７×ｗ２５６ｂ，−ｈ１３×ｗ２５６ｂ）、（ｈ７×ｗ２５６ｂ，−ｈ１２×ｗ２５６ｂ）、（ｈ７×ｗ２５６ｂ，−ｈ１１×ｗ２５６ｂ）、（ｈ７×ｗ２５６ｂ，−ｈ１０×ｗ２５６ｂ）、（ｈ７×ｗ２５６ｂ，−ｈ９×ｗ２５６ｂ）、（ｈ７×ｗ２５６ｂ，−ｈ８×ｗ２５６ｂ）、
（ｈ６×ｗ２５６ｂ，１５×ｗ２５６ｂ）、（ｈ６×ｗ２５６ｂ，ｈ１４×ｗ２５６ｂ）、（ｈ６×ｗ２５６ｂ，ｈ１３×ｗ２５６ｂ）、（ｈ６×ｗ２５６ｂ，ｈ１２×ｗ２５６ｂ）、（ｈ６×ｗ２５６ｂ，ｈ１１×ｗ２５６ｂ）、（ｈ６×ｗ２５６ｂ，ｈ１０×ｗ２５６ｂ）、（ｈ６×ｗ２５６ｂ，ｈ９×ｗ２５６ｂ）、（ｈ６×ｗ２５６ｂ，ｈ８×ｗ２５６ｂ）、
（ｈ６×ｗ２５６ｂ，−１５×ｗ２５６ｂ）、（ｈ６×ｗ２５６ｂ，−ｈ１４×ｗ２５６ｂ）、（ｈ６×ｗ２５６ｂ，−ｈ１３×ｗ２５６ｂ）、（ｈ６×ｗ２５６ｂ，−ｈ１２×ｗ２５６ｂ）、（ｈ６×ｗ２５６ｂ，−ｈ１１×ｗ２５６ｂ）、（ｈ６×ｗ２５６ｂ，−ｈ１０×ｗ２５６ｂ）、（ｈ６×ｗ２５６ｂ，−ｈ９×ｗ２５６ｂ）、（ｈ６×ｗ２５６ｂ，−ｈ８×ｗ２５６ｂ）、
（ｈ５×ｗ２５６ｂ，１５×ｗ２５６ｂ）、（ｈ５×ｗ２５６ｂ，ｈ１４×ｗ２５６ｂ）、（ｈ５×ｗ２５６ｂ，ｈ１３×ｗ２５６ｂ）、（ｈ５×ｗ２５６ｂ，ｈ１２×ｗ２５６ｂ）、（ｈ５×ｗ２５６ｂ，ｈ１１×ｗ２５６ｂ）、（ｈ５×ｗ２５６ｂ，ｈ１０×ｗ２５６ｂ）、（ｈ５×ｗ２５６ｂ，ｈ９×ｗ２５６ｂ）、（ｈ５×ｗ２５６ｂ，ｈ８×ｗ２５６ｂ）、
（ｈ５×ｗ２５６ｂ，−１５×ｗ２５６ｂ）、（ｈ５×ｗ２５６ｂ，−ｈ１４×ｗ２５６ｂ）、（ｈ５×ｗ２５６ｂ，−ｈ１３×ｗ２５６ｂ）、（ｈ５×ｗ２５６ｂ，−ｈ１２×ｗ２５６ｂ）、（ｈ５×ｗ２５６ｂ，−ｈ１１×ｗ２５６ｂ）、（ｈ５×ｗ２５６ｂ，−ｈ１０×ｗ２５６ｂ）、（ｈ５×ｗ２５６ｂ，−ｈ９×ｗ２５６ｂ）、（ｈ５×ｗ２５６ｂ，−ｈ８×ｗ２５６ｂ）、
（ｈ４×ｗ２５６ｂ，１５×ｗ２５６ｂ）、（ｈ４×ｗ２５６ｂ，ｈ１４×ｗ２５６ｂ）、（ｈ４×ｗ２５６ｂ，ｈ１３×ｗ２５６ｂ）、（ｈ４×ｗ２５６ｂ，ｈ１２×ｗ２５６ｂ）、（ｈ４×ｗ２５６ｂ，ｈ１１×ｗ２５６ｂ）、（ｈ４×ｗ２５６ｂ，ｈ１０×ｗ２５６ｂ）、（ｈ４×ｗ２５６ｂ，ｈ９×ｗ２５６ｂ）、（ｈ４×ｗ２５６ｂ，ｈ８×ｗ２５６ｂ）、
（ｈ４×ｗ２５６ｂ，−１５×ｗ２５６ｂ）、（ｈ４×ｗ２５６ｂ，−ｈ１４×ｗ２５６ｂ）、（ｈ４×ｗ２５６ｂ，−ｈ１３×ｗ２５６ｂ）、（ｈ４×ｗ２５６ｂ，−ｈ１２×ｗ２５６ｂ）、（ｈ４×ｗ２５６ｂ，−ｈ１１×ｗ２５６ｂ）、（ｈ４×ｗ２５６ｂ，−ｈ１０×ｗ２５６ｂ）、（ｈ４×ｗ２５６ｂ，−ｈ９×ｗ２５６ｂ）、（ｈ４×ｗ２５６ｂ，−ｈ８×ｗ２５６ｂ）、
（ｈ３×ｗ２５６ｂ，１５×ｗ２５６ｂ）、（ｈ３×ｗ２５６ｂ，ｈ１４×ｗ２５６ｂ）、（ｈ３×ｗ２５６ｂ，ｈ１３×ｗ２５６ｂ）、（ｈ３×ｗ２５６ｂ，ｈ１２×ｗ２５６ｂ）、（ｈ３×ｗ２５６ｂ，ｈ１１×ｗ２５６ｂ）、（ｈ３×ｗ２５６ｂ，ｈ１０×ｗ２５６ｂ）、（ｈ３×ｗ２５６ｂ，ｈ９×ｗ２５６ｂ）、（ｈ３×ｗ２５６ｂ，ｈ８×ｗ２５６ｂ）、
（ｈ３×ｗ２５６ｂ，−１５×ｗ２５６ｂ）、（ｈ３×ｗ２５６ｂ，−ｈ１４×ｗ２５６ｂ）、（ｈ３×ｗ２５６ｂ，−ｈ１３×ｗ２５６ｂ）、（ｈ３×ｗ２５６ｂ，−ｈ１２×ｗ２５６ｂ）、（ｈ３×ｗ２５６ｂ，−ｈ１１×ｗ２５６ｂ）、（ｈ３×ｗ２５６ｂ，−ｈ１０×ｗ２５６ｂ）、（ｈ３×ｗ２５６ｂ，−ｈ９×ｗ２５６ｂ）、（ｈ３×ｗ２５６ｂ，−ｈ８×ｗ２５６ｂ）、
（ｈ２×ｗ２５６ｂ，１５×ｗ２５６ｂ）、（ｈ２×ｗ２５６ｂ，ｈ１４×ｗ２５６ｂ）、（ｈ２×ｗ２５６ｂ，ｈ１３×ｗ２５６ｂ）、（ｈ２×ｗ２５６ｂ，ｈ１２×ｗ２５６ｂ）、（ｈ２×ｗ２５６ｂ，ｈ１１×ｗ２５６ｂ）、（ｈ２×ｗ２５６ｂ，ｈ１０×ｗ２５６ｂ）、（ｈ２×ｗ２５６ｂ，ｈ９×ｗ２５６ｂ）、（ｈ２×ｗ２５６ｂ，ｈ８×ｗ２５６ｂ）、
（ｈ２×ｗ２５６ｂ，−１５×ｗ２５６ｂ）、（ｈ２×ｗ２５６ｂ，−ｈ１４×ｗ２５６ｂ）、（ｈ２×ｗ２５６ｂ，−ｈ１３×ｗ２５６ｂ）、（ｈ２×ｗ２５６ｂ，−ｈ１２×ｗ２５６ｂ）、（ｈ２×ｗ２５６ｂ，−ｈ１１×ｗ２５６ｂ）、（ｈ２×ｗ２５６ｂ，−ｈ１０×ｗ２５６ｂ）、（ｈ２×ｗ２５６ｂ，−ｈ９×ｗ２５６ｂ）、（ｈ２×ｗ２５６ｂ，−ｈ８×ｗ２５６ｂ）、
（ｈ１×ｗ２５６ｂ，１５×ｗ２５６ｂ）、（ｈ１×ｗ２５６ｂ，ｈ１４×ｗ２５６ｂ）、（ｈ１×ｗ２５６ｂ，ｈ１３×ｗ２５６ｂ）、（ｈ１×ｗ２５６ｂ，ｈ１２×ｗ２５６ｂ）、（ｈ１×ｗ２５６ｂ，ｈ１１×ｗ２５６ｂ）、（ｈ１×ｗ２５６ｂ，ｈ１０×ｗ２５６ｂ）、（ｈ１×ｗ２５６ｂ，ｈ９×ｗ２５６ｂ）、（ｈ１×ｗ２５６ｂ，ｈ８×ｗ２５６ｂ）、
（ｈ１×ｗ２５６ｂ，−１５×ｗ２５６ｂ）、（ｈ１×ｗ２５６ｂ，−ｈ１４×ｗ２５６ｂ）、（ｈ１×ｗ２５６ｂ，−ｈ１３×ｗ２５６ｂ）、（ｈ１×ｗ２５６ｂ，−ｈ１２×ｗ２５６ｂ）、（ｈ１×ｗ２５６ｂ，−ｈ１１×ｗ２５６ｂ）、（ｈ１×ｗ２５６ｂ，−ｈ１０×ｗ２５６ｂ）、（ｈ１×ｗ２５６ｂ，−ｈ９×ｗ２５６ｂ）、（ｈ１×ｗ２５６ｂ，−ｈ８×ｗ２５６ｂ）、
（−１５×ｗ２５６ｂ，１５×ｗ２５６ｂ）、（−１５×ｗ２５６ｂ，ｈ１４×ｗ２５６ｂ）、（−１５×ｗ２５６ｂ，ｈ１３×ｗ２５６ｂ）、（−１５×ｗ２５６ｂ，ｈ１２×ｗ２５６ｂ）、（−１５×ｗ２５６ｂ，ｈ１１×ｗ２５６ｂ）、（−１５×ｗ２５６ｂ，ｈ１０×ｗ２５６ｂ）、（−１５×ｗ２５６ｂ，ｈ９×ｗ２５６ｂ）、（−１５×ｗ２５６ｂ，ｈ８×ｗ２５６ｂ）、
（−１５×ｗ２５６ｂ，−１５×ｗ２５６ｂ）、（−１５×ｗ２５６ｂ，―ｈ１４×ｗ２５６ｂ）、（−１５×ｗ２５６ｂ，−ｈ１３×ｗ２５６ｂ）、（−１５×ｗ２５６ｂ，−ｈ１２×ｗ２５６ｂ）、（−１５×ｗ２５６ｂ，−ｈ１１×ｗ２５６ｂ）、（−１５×ｗ２５６ｂ，−ｈ１０×ｗ２５６ｂ）、（−１５×ｗ２５６ｂ，−ｈ９×ｗ２５６ｂ）、（−１５×ｗ２５６ｂ，−ｈ８×ｗ２５６ｂ）、
（−ｈ７×ｗ２５６ｂ，１５×ｗ２５６ｂ）、（−ｈ７×ｗ２５６ｂ，ｈ１４×ｗ２５６ｂ）、（−ｈ７×ｗ２５６ｂ，ｈ１３×ｗ２５６ｂ）、（−ｈ７×ｗ２５６ｂ，ｈ１２×ｗ２５６ｂ）、（−ｈ７×ｗ２５６ｂ，ｈ１１×ｗ２５６ｂ）、（−ｈ７×ｗ２５６ｂ，ｈ１０×ｗ２５６ｂ）、（−ｈ７×ｗ２５６ｂ，ｈ９×ｗ２５６ｂ）、（−ｈ７×ｗ２５６ｂ，ｈ８×ｗ２５６ｂ）、
（−ｈ７×ｗ２５６ｂ，−１５×ｗ２５６ｂ）、（−ｈ７×ｗ２５６ｂ，−ｈ１４×ｗ２５６ｂ）、（−ｈ７×ｗ２５６ｂ，−ｈ１３×ｗ２５６ｂ）、（−ｈ７×ｗ２５６ｂ，−ｈ１２×ｗ２５６ｂ）、（−ｈ７×ｗ２５６ｂ，−ｈ１１×ｗ２５６ｂ）、（−ｈ７×ｗ２５６ｂ，−ｈ１０×ｗ２５６ｂ）、（−ｈ７×ｗ２５６ｂ，−ｈ９×ｗ２５６ｂ）、（−ｈ７×ｗ２５６ｂ，−ｈ８×ｗ２５６ｂ）、
（−ｈ６×ｗ２５６ｂ，１５×ｗ２５６ｂ）、（−ｈ６×ｗ２５６ｂ，ｈ１４×ｗ２５６ｂ）、（−ｈ６×ｗ２５６ｂ，ｈ１３×ｗ２５６ｂ）、（−ｈ６×ｗ２５６ｂ，ｈ１２×ｗ２５６ｂ）、（−ｈ６×ｗ２５６ｂ，ｈ１１×ｗ２５６ｂ）、（−ｈ６×ｗ２５６ｂ，ｈ１０×ｗ２５６ｂ）、（−ｈ６×ｗ２５６ｂ，ｈ９×ｗ２５６ｂ）、（−ｈ６×ｗ２５６ｂ，ｈ８×ｗ２５６ｂ）、
（−ｈ６×ｗ２５６ｂ，−１５×ｗ２５６ｂ）、（−ｈ６×ｗ２５６ｂ，−ｈ１４×ｗ２５６ｂ）、（−ｈ６×ｗ２５６ｂ，−ｈ１３×ｗ２５６ｂ）、（−ｈ６×ｗ２５６ｂ，−ｈ１２×ｗ２５６ｂ）、（−ｈ６×ｗ２５６ｂ，−ｈ１１×ｗ２５６ｂ）、（−ｈ６×ｗ２５６ｂ，−ｈ１０×ｗ２５６ｂ）、（−ｈ６×ｗ２５６ｂ，―ｈ９×ｗ２５６ｂ）、（−ｈ６×ｗ２５６ｂ，−ｈ８×ｗ２５６ｂ）、
（−ｈ５×ｗ２５６ｂ，１５×ｗ２５６ｂ）、（−ｈ５×ｗ２５６ｂ，ｈ１４×ｗ２５６ｂ）、（−ｈ５×ｗ２５６ｂ，ｈ１３×ｗ２５６ｂ）、（−ｈ５×ｗ２５６ｂ，ｈ１２×ｗ２５６ｂ）、（−ｈ５×ｗ２５６ｂ，ｈ１１×ｗ２５６ｂ）、（−ｈ５×ｗ２５６ｂ，ｈ１０×ｗ２５６ｂ）、（−ｈ５×ｗ２５６ｂ，ｈ９×ｗ２５６ｂ）、（−ｈ５×ｗ２５６ｂ，ｈ８×ｗ２５６ｂ）、
（−ｈ５×ｗ２５６ｂ，−１５×ｗ２５６ｂ）、（−ｈ５×ｗ２５６ｂ，−ｈ１４×ｗ２５６ｂ）、（−ｈ５×ｗ２５６ｂ，−ｈ１３×ｗ２５６ｂ）、（−ｈ５×ｗ２５６ｂ，−ｈ１２×ｗ２５６ｂ）、（−ｈ５×ｗ２５６ｂ，−ｈ１１×ｗ２５６ｂ）、（−ｈ５×ｗ２５６ｂ，−ｈ１０×ｗ２５６ｂ）、（−ｈ５×ｗ２５６ｂ，−ｈ９×ｗ２５６ｂ）、（−ｈ５×ｗ２５６ｂ，−ｈ８×ｗ２５６ｂ）、
（−ｈ４×ｗ２５６ｂ，１５×ｗ２５６ｂ）、（−ｈ４×ｗ２５６ｂ，ｈ１４×ｗ２５６ｂ）、（−ｈ４×ｗ２５６ｂ，ｈ１３×ｗ２５６ｂ）、（−ｈ４×ｗ２５６ｂ，ｈ１２×ｗ２５６ｂ）、（−ｈ４×ｗ２５６ｂ，ｈ１１×ｗ２５６ｂ）、（−ｈ４×ｗ２５６ｂ，ｈ１０×ｗ２５６ｂ）、（−ｈ４×ｗ２５６ｂ，ｈ９×ｗ２５６ｂ）、（−ｈ４×ｗ２５６ｂ，ｈ８×ｗ２５６ｂ）、
（−ｈ４×ｗ２５６ｂ，−１５×ｗ２５６ｂ）、（−ｈ４×ｗ２５６ｂ，−ｈ１４×ｗ２５６ｂ）、（−ｈ４×ｗ２５６ｂ，−ｈ１３×ｗ２５６ｂ）、（−ｈ４×ｗ２５６ｂ，−ｈ１２×ｗ２５６ｂ）、（−ｈ４×ｗ２５６ｂ，−ｈ１１×ｗ２５６ｂ）、（−ｈ４×ｗ２５６ｂ，−ｈ１０×ｗ２５６ｂ）、（−ｈ４×ｗ２５６ｂ，−ｈ９×ｗ２５６ｂ）、（−ｈ４×ｗ２５６ｂ，−ｈ８×ｗ２５６ｂ）、
（−ｈ３×ｗ２５６ｂ，１５×ｗ２５６ｂ）、（−ｈ３×ｗ２５６ｂ，ｈ１４×ｗ２５６ｂ）、（−ｈ３×ｗ２５６ｂ，ｈ１３×ｗ２５６ｂ）、（−ｈ３×ｗ２５６ｂ，ｈ１２×ｗ２５６ｂ）、（−ｈ３×ｗ２５６ｂ，ｈ１１×ｗ２５６ｂ）、（−ｈ３×ｗ２５６ｂ，ｈ１０×ｗ２５６ｂ）、（−ｈ３×ｗ２５６ｂ，ｈ９×ｗ２５６ｂ）、（−ｈ３×ｗ２５６ｂ，ｈ８×ｗ２５６ｂ）、
（−ｈ３×ｗ２５６ｂ，−１５×ｗ２５６ｂ）、（−ｈ３×ｗ２５６ｂ，−ｈ１４×ｗ２５６ｂ）、（−ｈ３×ｗ２５６ｂ，−ｈ１３×ｗ２５６ｂ）、（−ｈ３×ｗ２５６ｂ，−ｈ１２×ｗ２５６ｂ）、（−ｈ３×ｗ２５６ｂ，−ｈ１１×ｗ２５６ｂ）、（−ｈ３×ｗ２５６ｂ，−ｈ１０×ｗ２５６ｂ）、（−ｈ３×ｗ２５６ｂ，−ｈ９×ｗ２５６ｂ）、（−ｈ３×ｗ２５６ｂ，−ｈ８×ｗ２５６ｂ）、
（−ｈ２×ｗ２５６ｂ，１５×ｗ２５６ｂ）、（−ｈ２×ｗ２５６ｂ，ｈ１４×ｗ２５６ｂ）、（−ｈ２×ｗ２５６ｂ，ｈ１３×ｗ２５６ｂ）、（−ｈ２×ｗ２５６ｂ，ｈ１２×ｗ２５６ｂ）、（−ｈ２×ｗ２５６ｂ，ｈ１１×ｗ２５６ｂ）、（−ｈ２×ｗ２５６ｂ，ｈ１０×ｗ２５６ｂ）、（−ｈ２×ｗ２５６ｂ，ｈ９×ｗ２５６ｂ）、（−ｈ２×ｗ２５６ｂ，ｈ８×ｗ２５６ｂ）、
（−ｈ２×ｗ２５６ｂ，−１５×ｗ２５６ｂ）、（−ｈ２×ｗ２５６ｂ，−ｈ１４×ｗ２５６ｂ）、（−ｈ２×ｗ２５６ｂ，−ｈ１３×ｗ２５６ｂ）、（−ｈ２×ｗ２５６ｂ，−ｈ１２×ｗ２５６ｂ）、（−ｈ２×ｗ２５６ｂ，−ｈ１１×ｗ２５６ｂ）、（−ｈ２×ｗ２５６ｂ，−ｈ１０×ｗ２５６ｂ）、（−ｈ２×ｗ２５６ｂ，―ｈ９×ｗ２５６ｂ）、（−ｈ２×ｗ２５６ｂ，−ｈ８×ｗ２５６ｂ）、
（−ｈ１×ｗ２５６ｂ，１５×ｗ２５６ｂ）、（−ｈ１×ｗ２５６ｂ，ｈ１４×ｗ２５６ｂ）、（−ｈ１×ｗ２５６ｂ，ｈ１３×ｗ２５６ｂ）、（−ｈ１×ｗ２５６ｂ，ｈ１２×ｗ２５６ｂ）、（−ｈ１×ｗ２５６ｂ，ｈ１１×ｗ２５６ｂ）、（−ｈ１×ｗ２５６ｂ，ｈ１０×ｗ２５６ｂ）、（−ｈ１×ｗ２５６ｂ，ｈ９×ｗ２５６ｂ）、（−ｈ１×ｗ２５６ｂ，ｈ８×ｗ２５６ｂ）、
（−ｈ１×ｗ２５６ｂ，−１５×ｗ２５６ｂ）、（−ｈ１×ｗ２５６ｂ，−ｈ１４×ｗ２５６ｂ）、（−ｈ１×ｗ２５６ｂ，−ｈ１３×ｗ２５６ｂ）、（−ｈ１×ｗ２５６ｂ，−ｈ１２×ｗ２５６ｂ）、（−ｈ１×ｗ２５６ｂ，−ｈ１１×ｗ２５６ｂ）、（−ｈ１×ｗ２５６ｂ，−ｈ１０×ｗ２５６ｂ）、（−ｈ１×ｗ２５６ｂ，−ｈ９×ｗ２５６ｂ）、（−ｈ１×ｗ２５６ｂ，−ｈ８×ｗ２５６ｂ）、
の直下にｂ０、ｂ１、ｂ２、ｂ３、ｂ４、ｂ５、ｂ６、ｂ７のセット００００００００〜１１１１１１１１の値が示されている。ｂ０、ｂ１、ｂ２、ｂ３、ｂ４、ｂ５、ｂ６、ｂ７のセット００００００００〜１１１１１１１１の直上の信号点（「○」）の同相Ｉ−直交Ｑ平面におけるそれぞれの座標が、マッピング後のベースバンド信号の同相成分Ｉおよび直交成分Ｑとなる。なお、２５６ＱＡＭ時のｂ０、ｂ１、ｂ２、ｂ３、ｂ４、ｂ５、ｂ６、ｂ７のセット（００００００００〜１１１１１１１１）と信号点の座標の関係は、図１０に限ったものではない。
【００９５】
図１０の２５６個の信号点に対し、「信号点１」「信号点２」・・・「信号点２５５」「信号点２５６」と名付ける。（２５６個の信号点が存在するので、「信号点１」から「信号点２５６」が存在することになる。）同相Ｉ―直交Ｑ平面において、「信号点ｉ」と原点の距離をＤｉとする。このとき、ｗ２５６ｂを以下のように与える。
【００９６】
【数８】
2019193278.tif 000010
【００９７】
すると、マッピング後のベースバンド信号の平均パワーはｚ２となる。
【００９８】
なお、上述の説明の２５６ＱＡＭのマッピング方法をここでは「２５６ＱＡＭマッピング方法＃２」とよぶ。
【００９９】
図１１は、同相Ｉ−直交Ｑ平面における２５６ＱＡＭの信号点配置の例を示している。なお、図１１において、２５６個の○が２５６ＱＡＭの信号点であり、横軸Ｉ、縦軸Ｑとなる。
【０１００】
図１１において、
「ｎ１＞０（ｎ１は０より大きい実数）、かつ、ｎ２＞０（ｎ２は０より大きい実数）、かつ、ｎ３＞０（ｎ３は０より大きい実数）、かつ、ｎ４＞０（ｎ４は０より大きい実数）、かつ、ｎ５＞０（ｎ５は０より大きい実数）、かつ、ｎ６＞０（ｎ６は０より大きい実数）、かつ、ｎ７＞０（ｎ７は０より大きい実数）、かつ、ｎ８＞０（ｎ８は０より大きい実数）、かつ、ｎ９＞０（ｎ９は０より大きい実数）、かつ、ｎ１０＞０（ｎ１０は０より大きい実数）、かつ、ｎ１１＞０（ｎ１１は０より大きい実数）、かつ、ｎ１２＞０（ｎ１２は０より大きい実数）、かつ、ｎ１３＞０（ｎ１３は０より大きい実数）、かつ、ｎ１４＞０（ｎ１４は０より大きい実数）、かつ、ｎ１５＞０（ｎ１５は０より大きい実数）、かつ、ｎ１６＞０（ｎ１６は０より大きい実数）であり、
｛ｎ１≠ｎ２、かつ、ｎ１≠ｎ３、かつ、ｎ１≠ｎ４、かつ、ｎ１≠ｎ５、かつ、ｎ１≠ｎ６、かつ、ｎ１≠ｎ７、かつ、ｎ１≠ｎ８、
かつ、ｎ２≠ｎ３、かつ、ｎ２≠ｎ４、かつ、ｎ２≠ｎ５、かつ、ｎ２≠ｎ６、かつ、ｎ２≠ｎ７、かつ、ｎ２≠ｎ８、
かつ、ｎ３≠ｎ４、かつ、ｎ３≠ｎ５、かつ、ｎ３≠ｎ６、かつ、ｎ３≠ｎ７、かつ、ｎ３≠ｎ８、
かつ、ｎ４≠ｎ５、かつ、ｎ４≠ｎ６、かつ、ｎ４≠ｎ７、かつ、ｎ４≠ｎ８、
かつ、ｎ５≠ｎ６、かつ、ｎ５≠ｎ７、かつ、ｎ５≠ｎ８、
かつ、ｎ６≠ｎ７、かつ、ｎ６≠ｎ８、
かつ、ｎ７≠ｎ８｝
かつ、
｛ｎ９≠ｎ１０、かつ、ｎ９≠ｎ１１、かつ、ｎ９≠ｎ１２、かつ、ｎ９≠ｎ１３、かつ、ｎ９≠ｎ１４、かつ、ｎ９≠ｎ１５、かつ、ｎ９≠ｎ１６、
かつ、ｎ１０≠ｎ１１、かつ、ｎ１０≠ｎ１２、かつ、ｎ１０≠ｎ１３、かつ、ｎ１０≠ｎ１４、かつ、ｎ１０≠ｎ１５、かつ、ｎ１０≠ｎ１６、
かつ、ｎ１１≠ｎ１２、かつ、ｎ１１≠ｎ１３、かつ、ｎ１１≠ｎ１４、かつ、ｎ１１≠ｎ１５、かつ、ｎ１１≠ｎ１６、
かつ、ｎ１２≠ｎ１３、かつ、ｎ１２≠ｎ１４、かつ、ｎ１２≠ｎ１５、かつ、ｎ１２≠ｎ１６、
かつ、ｎ１３≠ｎ１４、かつ、ｎ１３≠ｎ１５、かつ、ｎ１３≠ｎ１６、
かつ、ｎ１４≠ｎ１５、かつ、ｎ１４≠ｎ１６、
かつ、ｎ１５≠ｎ１６｝
かつ、
｛ｎ１≠ｎ９、または、ｎ２≠ｎ１０、または、ｎ３≠ｎ１１、または、ｎ４≠ｎ１２、または、ｎ５≠ｎ１３、または、ｎ６≠ｎ１４、または、ｎ７≠ｎ１５、または、ｎ８≠ｎ１６が成立する。｝
が成立する。」
または、
「ｎ１＞０（ｎ１は０より大きい実数）、かつ、ｎ２＞０（ｎ２は０より大きい実数）、かつ、ｎ３＞０（ｎ３は０より大きい実数）、かつ、ｎ４＞０（ｎ４は０より大きい実数）、かつ、ｎ５＞０（ｎ５は０より大きい実数）、かつ、ｎ６＞０（ｎ６は０より大きい実数）、かつ、ｎ７＞０（ｎ７は０より大きい実数）、かつ、ｎ８＞０（ｎ８は０より大きい実数）、かつ、ｎ９＞０（ｎ９は０より大きい実数）、かつ、ｎ１０＞０（ｎ１０は０より大きい実数）、かつ、ｎ１１＞０（ｎ１１は０より大きい実数）、かつ、ｎ１２＞０（ｎ１２は０より大きい実数）、かつ、ｎ１３＞０（ｎ１３は０より大きい実数）、かつ、ｎ１４＞０（ｎ１４は０より大きい実数）、かつ、ｎ１５＞０（ｎ１５は０より大きい実数）、かつ、ｎ１６＞０（ｎ１６は０より大きい実数）であり、
｛ｎ１≠ｎ２、かつ、ｎ１≠ｎ３、かつ、ｎ１≠ｎ４、かつ、ｎ１≠ｎ５、かつ、ｎ１≠ｎ６、かつ、ｎ１≠ｎ７、かつ、ｎ１≠ｎ８、
かつ、ｎ２≠ｎ３、かつ、ｎ２≠ｎ４、かつ、ｎ２≠ｎ５、かつ、ｎ２≠ｎ６、かつ、ｎ２≠ｎ７、かつ、ｎ２≠ｎ８、
かつ、ｎ３≠ｎ４、かつ、ｎ３≠ｎ５、かつ、ｎ３≠ｎ６、かつ、ｎ３≠ｎ７、かつ、ｎ３≠ｎ８、
かつ、ｎ４≠ｎ５、かつ、ｎ４≠ｎ６、かつ、ｎ４≠ｎ７、かつ、ｎ４≠ｎ８、
かつ、ｎ５≠ｎ６、かつ、ｎ５≠ｎ７、かつ、ｎ５≠ｎ８、
かつ、ｎ６≠ｎ７、かつ、ｎ６≠ｎ８、
かつ、ｎ７≠ｎ８｝
かつ、
｛ｎ９≠ｎ１０、かつ、ｎ９≠ｎ１１、かつ、ｎ９≠ｎ１２、かつ、ｎ９≠ｎ１３、かつ、ｎ９≠ｎ１４、かつ、ｎ９≠ｎ１５、かつ、ｎ９≠ｎ１６、
かつ、ｎ１０≠ｎ１１、かつ、ｎ１０≠ｎ１２、かつ、ｎ１０≠ｎ１３、かつ、ｎ１０≠ｎ１４、かつ、ｎ１０≠ｎ１５、かつ、ｎ１０≠ｎ１６、
かつ、ｎ１１≠ｎ１２、かつ、ｎ１１≠ｎ１３、かつ、ｎ１１≠ｎ１４、かつ、ｎ１１≠ｎ１５、かつ、ｎ１１≠ｎ１６、
かつ、ｎ１２≠ｎ１３、かつ、ｎ１２≠ｎ１４、かつ、ｎ１２≠ｎ１５、かつ、ｎ１２≠ｎ１６、
かつ、ｎ１３≠ｎ１４、かつ、ｎ１３≠ｎ１５、かつ、ｎ１３≠ｎ１６、
かつ、ｎ１４≠ｎ１５、かつ、ｎ１４≠ｎ１６、
かつ、ｎ１５≠ｎ１６｝
かつ、
｛ｎ１≠ｎ９、または、ｎ２≠ｎ１０、または、ｎ３≠ｎ１１、または、ｎ４≠ｎ１２、または、ｎ５≠ｎ１３、または、ｎ６≠ｎ１４、または、ｎ７≠ｎ１５、または、ｎ８≠ｎ１６が成立する。｝
かつ、
｛ｎ１＝ｎ９、または、ｎ２＝ｎ１０、または、ｎ３＝ｎ１１、または、ｎ４＝ｎ１２、または、ｎ５＝ｎ１３、または、ｎ６＝ｎ１４、または、ｎ７＝ｎ１５、または、ｎ８＝ｎ１６が成立する。｝
が成立する。」
ものとする。
【０１０１】
２５６ＱＡＭの２５６個の信号点（図１１の「○」が信号点である。）の同相Ｉ−直交Ｑ平面におけるそれぞれの座標は、
（ｎ８×ｗ２５６ｃ，ｎ１６×ｗ２５６ｃ）、（ｎ８×ｗ２５６ｃ，ｎ１５×ｗ２５６ｃ）、（ｎ８×ｗ２５６ｃ，ｎ１４×ｗ２５６ｃ）、（ｎ８×ｗ２５６ｃ，ｎ１３×ｗ２５６ｃ）、（ｎ８×ｗ２５６ｃ，ｎ１２×ｗ２５６ｃ）、（ｎ８×ｗ２５６ｃ，ｎ１１×ｗ２５６ｃ）、（ｎ８×ｗ２５６ｃ，ｎ１０×ｗ２５６ｃ）、（ｎ８×ｗ２５６ｃ，ｎ９×ｗ２５６ｃ）、
（ｎ８×ｗ２５６ｃ，−ｎ１６×ｗ２５６ｃ）、（ｎ８×ｗ２５６ｃ，−ｎ１５×ｗ２５６ｃ）、（ｎ８×ｗ２５６ｃ，−ｎ１４×ｗ２５６ｃ）、（ｎ８×ｗ２５６ｃ，−ｎ１３×ｗ２５６ｃ）、（ｎ８×ｗ２５６ｃ，−ｎ１２×ｗ２５６ｃ）、（ｎ８×ｗ２５６ｃ，−ｎ１１×ｗ２５６ｃ）、（ｎ８×ｗ２５６ｃ，−ｎ１０×ｗ２５６ｃ）、（ｎ８×ｗ２５６ｃ，−ｎ９×ｗ２５６ｃ）、
（ｎ７×ｗ２５６ｃ，ｎ１６×ｗ２５６ｃ）、（ｎ７×ｗ２５６ｃ，ｎ１５×ｗ２５６ｃ）、（ｎ７×ｗ２５６ｃ，ｎ１４×ｗ２５６ｃ）、（ｎ７×ｗ２５６ｃ，ｎ１３×ｗ２５６ｃ）、（ｎ７×ｗ２５６ｃ，ｎ１２×ｗ２５６ｃ）、（ｎ７×ｗ２５６ｃ，ｎ１１×ｗ２５６ｃ）、（ｎ７×ｗ２５６ｃ，ｎ１０×ｗ２５６ｃ）、（ｎ７×ｗ２５６ｃ，ｎ９×ｗ２５６ｃ）、
（ｎ７×ｗ２５６ｃ，−ｎ１６×ｗ２５６ｃ）、（ｎ７×ｗ２５６ｃ，−ｎ１５×ｗ２５６ｃ）、（ｎ７×ｗ２５６ｃ，−ｎ１４×ｗ２５６ｃ）、（ｎ７×ｗ２５６ｃ，−ｎ１３×ｗ２５６ｃ）、（ｎ７×ｗ２５６ｃ，−ｎ１２×ｗ２５６ｃ）、（ｎ７×ｗ２５６ｃ，−ｎ１１×ｗ２５６ｃ）、（ｎ７×ｗ２５６ｃ，−ｎ１０×ｗ２５６ｃ）、（ｎ７×ｗ２５６ｃ，−ｎ９×ｗ２５６ｃ）、
（ｎ６×ｗ２５６ｃ，ｎ１６×ｗ２５６ｃ）、（ｎ６×ｗ２５６ｃ，ｎ１５×ｗ２５６ｃ）、（ｎ６×ｗ２５６ｃ，ｎ１４×ｗ２５６ｃ）、（ｎ６×ｗ２５６ｃ，ｎ１３×ｗ２５６ｃ）、（ｎ６×ｗ２５６ｃ，ｎ１２×ｗ２５６ｃ）、（ｎ６×ｗ２５６ｃ，ｎ１１×ｗ２５６ｃ）、（ｎ６×ｗ２５６ｃ，ｎ１０×ｗ２５６ｃ）、（ｎ６×ｗ２５６ｃ，ｎ９×ｗ２５６ｃ）、
（ｎ６×ｗ２５６ｃ，−ｎ１６×ｗ２５６ｃ）、（ｎ６×ｗ２５６ｃ，−ｎ１５×ｗ２５６ｃ）、（ｎ６×ｗ２５６ｃ，−ｎ１４×ｗ２５６ｃ）、（ｎ６×ｗ２５６ｃ，−ｎ１３×ｗ２５６ｃ）、（ｎ６×ｗ２５６ｃ，−ｎ１２×ｗ２５６ｃ）、（ｎ６×ｗ２５６ｃ，−ｎ１１×ｗ２５６ｃ）、（ｎ６×ｗ２５６ｃ，−ｎ１０×ｗ２５６ｃ）、（ｎ６×ｗ２５６ｃ，−ｎ９×ｗ２５６ｃ）、
（ｎ５×ｗ２５６ｃ，ｎ１６×ｗ２５６ｃ）、（ｎ５×ｗ２５６ｃ，ｎ１５×ｗ２５６ｃ）、（ｎ５×ｗ２５６ｃ，ｎ１４×ｗ２５６ｃ）、（ｎ５×ｗ２５６ｃ，ｎ１３×ｗ２５６ｃ）、（ｎ５×ｗ２５６ｃ，ｎ１２×ｗ２５６ｃ）、（ｎ５×ｗ２５６ｃ，ｎ１１×ｗ２５６ｃ）、（ｎ５×ｗ２５６ｃ，ｎ１０×ｗ２５６ｃ）、（ｎ５×ｗ２５６ｃ，ｎ９×ｗ２５６ｃ）、
（ｎ５×ｗ２５６ｃ，−ｎ１６×ｗ２５６ｃ）、（ｎ５×ｗ２５６ｃ，−ｎ１５×ｗ２５６ｃ）、（ｎ５×ｗ２５６ｃ，−ｎ１４×ｗ２５６ｃ）、（ｎ５×ｗ２５６ｃ，−ｎ１３×ｗ２５６ｃ）、（ｎ５×ｗ２５６ｃ，−ｎ１２×ｗ２５６ｃ）、（ｎ５×ｗ２５６ｃ，−ｎ１１×ｗ２５６ｃ）、（ｎ５×ｗ２５６ｃ，−ｎ１０×ｗ２５６ｃ）、（ｎ５×ｗ２５６ｃ，−ｎ９×ｗ２５６ｃ）、
（ｎ４×ｗ２５６ｃ，ｎ１６×ｗ２５６ｃ）、（ｎ４×ｗ２５６ｃ，ｎ１５×ｗ２５６ｃ）、（ｎ４×ｗ２５６ｃ，ｎ１４×ｗ２５６ｃ）、（ｎ４×ｗ２５６ｃ，ｎ１３×ｗ２５６ｃ）、（ｎ４×ｗ２５６ｃ，ｎ１２×ｗ２５６ｃ）、（ｎ４×ｗ２５６ｃ，ｎ１１×ｗ２５６ｃ）、（ｎ４×ｗ２５６ｃ，ｎ１０×ｗ２５６ｃ）、（ｎ４×ｗ２５６ｃ，ｎ９×ｗ２５６ｃ）、
（ｎ４×ｗ２５６ｃ，−ｎ１６×ｗ２５６ｃ）、（ｎ４×ｗ２５６ｃ，−ｎ１５×ｗ２５６ｃ）、（ｎ４×ｗ２５６ｃ，−ｎ１４×ｗ２５６ｃ）、（ｎ４×ｗ２５６ｃ，−ｎ１３×ｗ２５６ｃ）、（ｎ４×ｗ２５６ｃ，−ｎ１２×ｗ２５６ｃ）、（ｎ４×ｗ２５６ｃ，−ｎ１１×ｗ２５６ｃ）、（ｎ４×ｗ２５６ｃ，−ｎ１０×ｗ２５６ｃ）、（ｎ４×ｗ２５６ｃ，−ｎ９×ｗ２５６ｃ）、
（ｎ３×ｗ２５６ｃ，ｎ１６×ｗ２５６ｃ）、（ｎ３×ｗ２５６ｃ，ｎ１５×ｗ２５６ｃ）、（ｎ３×ｗ２５６ｃ，ｎ１４×ｗ２５６ｃ）、（ｎ３×ｗ２５６ｃ，ｎ１３×ｗ２５６ｃ）、（ｎ３×ｗ２５６ｃ，ｎ１２×ｗ２５６ｃ）、（ｎ３×ｗ２５６ｃ，ｎ１１×ｗ２５６ｃ）、（ｎ３×ｗ２５６ｃ，ｎ１０×ｗ２５６ｃ）、（ｎ３×ｗ２５６ｃ，ｎ９×ｗ２５６ｃ）、
（ｎ３×ｗ２５６ｃ，−ｎ１６×ｗ２５６ｃ）、（ｎ３×ｗ２５６ｃ，−ｎ１５×ｗ２５６ｃ）、（ｎ３×ｗ２５６ｃ，−ｎ１４×ｗ２５６ｃ）、（ｎ３×ｗ２５６ｃ，−ｎ１３×ｗ２５６ｃ）、（ｎ３×ｗ２５６ｃ，−ｎ１２×ｗ２５６ｃ）、（ｎ３×ｗ２５６ｃ，−ｎ１１×ｗ２５６ｃ）、（ｎ３×ｗ２５６ｃ，−ｎ１０×ｗ２５６ｃ）、（ｎ３×ｗ２５６ｃ，−ｎ９×ｗ２５６ｃ）、
（ｎ２×ｗ２５６ｃ，ｎ１６×ｗ２５６ｃ）、（ｎ２×ｗ２５６ｃ，ｎ１５×ｗ２５６ｃ）、（ｎ２×ｗ２５６ｃ，ｎ１４×ｗ２５６ｃ）、（ｎ２×ｗ２５６ｃ，ｎ１３×ｗ２５６ｃ）、（ｎ２×ｗ２５６ｃ，ｎ１２×ｗ２５６ｃ）、（ｎ２×ｗ２５６ｃ，ｎ１１×ｗ２５６ｃ）、（ｎ２×ｗ２５６ｃ，ｎ１０×ｗ２５６ｃ）、（ｎ２×ｗ２５６ｃ，ｎ９×ｗ２５６ｃ）、
（ｎ２×ｗ２５６ｃ，−ｎ１６×ｗ２５６ｃ）、（ｎ２×ｗ２５６ｃ，−ｎ１５×ｗ２５６ｃ）、（ｎ２×ｗ２５６ｃ，−ｎ１４×ｗ２５６ｃ）、（ｎ２×ｗ２５６ｃ，−ｎ１３×ｗ２５６ｃ）、（ｎ２×ｗ２５６ｃ，−ｎ１２×ｗ２５６ｃ）、（ｎ２×ｗ２５６ｃ，−ｎ１１×ｗ２５６ｃ）、（ｎ２×ｗ２５６ｃ，−ｎ１０×ｗ２５６ｃ）、（ｎ２×ｗ２５６ｃ，−ｎ９×ｗ２５６ｃ）、
（ｎ１×ｗ２５６ｃ，ｎ１６×ｗ２５６ｃ）、（ｎ１×ｗ２５６ｃ，ｎ１５×ｗ２５６ｃ）、（ｎ１×ｗ２５６ｃ，ｎ１４×ｗ２５６ｃ）、（ｎ１×ｗ２５６ｃ，ｎ１３×ｗ２５６ｃ）、（ｎ１×ｗ２５６ｃ，ｎ１２×ｗ２５６ｃ）、（ｎ１×ｗ２５６ｃ，ｎ１１×ｗ２５６ｃ）、（ｎ１×ｗ２５６ｃ，ｎ１０×ｗ２５６ｃ）、（ｎ１×ｗ２５６ｃ，ｎ９×ｗ２５６ｃ）、
（ｎ１×ｗ２５６ｃ，−ｎ１６×ｗ２５６ｃ）、（ｎ１×ｗ２５６ｃ，−ｎ１５×ｗ２５６ｃ）、（ｎ１×ｗ２５６ｃ，−ｎ１４×ｗ２５６ｃ）、（ｎ１×ｗ２５６ｃ，−ｎ１３×ｗ２５６ｃ）、（ｎ１×ｗ２５６ｃ，−ｎ１２×ｗ２５６ｃ）、（ｎ１×ｗ２５６ｃ，−ｎ１１×ｗ２５６ｃ）、（ｎ１×ｗ２５６ｃ，−ｎ１０×ｗ２５６ｃ）、（ｎ１×ｗ２５６ｃ，−ｎ９×ｗ２５６ｃ）、
（−ｎ８×ｗ２５６ｃ，ｎ１６×ｗ２５６ｃ）、（−ｎ８×ｗ２５６ｃ，ｎ１５×ｗ２５６ｃ）、（−ｎ８×ｗ２５６ｃ，ｎ１４×ｗ２５６ｃ）、（−ｎ８×ｗ２５６ｃ，ｎ１３×ｗ２５６ｃ）、（−ｎ８×ｗ２５６ｃ，ｎ１２×ｗ２５６ｃ）、（−ｎ８×ｗ２５６ｃ，ｎ１１×ｗ２５６ｃ）、（−ｎ８×ｗ２５６ｃ，ｎ１０×ｗ２５６ｃ）、（−ｎ８×ｗ２５６ｃ，ｎ９×ｗ２５６ｃ）、
（−ｎ８×ｗ２５６ｃ，−ｎ１６×ｗ２５６ｃ）、（−ｎ８×ｗ２５６ｃ，−ｎ１５×ｗ２５６ｃ）、（−ｎ８×ｗ２５６ｃ，−ｎ１４×ｗ２５６ｃ）、（−ｎ８×ｗ２５６ｃ，−ｎ１３×ｗ２５６ｃ）、（−ｎ８×ｗ２５６ｃ，−ｎ１２×ｗ２５６ｃ）、（−ｎ８×ｗ２５６ｃ，−ｎ１１×ｗ２５６ｃ）、（−ｎ８×ｗ２５６ｃ，―ｎ１０×ｗ２５６ｃ）、（−ｎ８×ｗ２５６ｃ，−ｎ９×ｗ２５６ｃ）、
（−ｎ７×ｗ２５６ｃ，ｎ１６×ｗ２５６ｃ）、（−ｎ７×ｗ２５６ｃ，ｎ１５×ｗ２５６ｃ）、（−ｎ７×ｗ２５６ｃ，ｎ１４×ｗ２５６ｃ）、（−ｎ７×ｗ２５６ｃ，ｎ１３×ｗ２５６ｃ）、（−ｎ７×ｗ２５６ｃ，ｎ１２×ｗ２５６ｃ）、（−ｎ７×ｗ２５６ｃ，ｎ１１×ｗ２５６ｃ）、（−ｎ７×ｗ２５６ｃ，ｎ１０×ｗ２５６ｃ）、（−ｎ７×ｗ２５６ｃ，ｎ９×ｗ２５６ｃ）、
（−ｎ７×ｗ２５６ｃ，−ｎ１６×ｗ２５６ｃ）、（−ｎ７×ｗ２５６ｃ，−ｎ１５×ｗ２５６ｃ）、（−ｎ７×ｗ２５６ｃ，−ｎ１４×ｗ２５６ｃ）、（−ｎ７×ｗ２５６ｃ，−ｎ１３×ｗ２５６ｃ）、（−ｎ７×ｗ２５６ｃ，−ｎ１２×ｗ２５６ｃ）、（−ｎ７×ｗ２５６ｃ，−ｎ１１×ｗ２５６ｃ）、（−ｎ７×ｗ２５６ｃ，−ｎ１０×ｗ２５６ｃ）、（−ｎ７×ｗ２５６ｃ，−ｎ９×ｗ２５６ｃ）、
（−ｎ６×ｗ２５６ｃ，ｎ１６×ｗ２５６ｃ）、（−ｎ６×ｗ２５６ｃ，ｎ１５×ｗ２５６ｃ）、（−ｎ６×ｗ２５６ｃ，ｎ１４×ｗ２５６ｃ）、（−ｎ６×ｗ２５６ｃ，ｎ１３×ｗ２５６ｃ）、（−ｎ６×ｗ２５６ｃ，ｎ１２×ｗ２５６ｃ）、（−ｎ６×ｗ２５６ｃ，ｎ１１×ｗ２５６ｃ）、（−ｎ６×ｗ２５６ｃ，ｎ１０×ｗ２５６ｃ）、（−ｎ６×ｗ２５６ｃ，ｎ９×ｗ２５６ｃ）、
（−ｎ６×ｗ２５６ｃ，−ｎ１６×ｗ２５６ｃ）、（−ｎ６×ｗ２５６ｃ，−ｎ１５×ｗ２５６ｃ）、（−ｎ６×ｗ２５６ｃ，−ｎ１４×ｗ２５６ｃ）、（−ｎ６×ｗ２５６ｃ，−ｎ１３×ｗ２５６ｃ）、（−ｎ６×ｗ２５６ｃ，−ｎ１２×ｗ２５６ｃ）、（−ｎ６×ｗ２５６ｃ，−ｎ１１×ｗ２５６ｃ）、（−ｎ６×ｗ２５６ｃ，−ｎ１０×ｗ２５６ｃ）、（−ｎ６×ｗ２５６ｃ，−ｎ９×ｗ２５６ｃ）、
（−ｎ５×ｗ２５６ｃ，ｎ１６×ｗ２５６ｃ）、（−ｎ５×ｗ２５６ｃ，ｎ１５×ｗ２５６ｃ）、（−ｎ５×ｗ２５６ｃ，ｎ１４×ｗ２５６ｃ）、（−ｎ５×ｗ２５６ｃ，ｎ１３×ｗ２５６ｃ）、（−ｎ５×ｗ２５６ｃ，ｎ１２×ｗ２５６ｃ）、（−ｎ５×ｗ２５６ｃ，ｎ１１×ｗ２５６ｃ）、（−ｎ５×ｗ２５６ｃ，ｎ１０×ｗ２５６ｃ）、（−ｎ５×ｗ２５６ｃ，ｎ９×ｗ２５６ｃ）、
（−ｎ５×ｗ２５６ｃ，−ｎ１６×ｗ２５６ｃ）、（−ｎ５×ｗ２５６ｃ，−ｎ１５×ｗ２５６ｃ）、（−ｎ５×ｗ２５６ｃ，−ｎ１４×ｗ２５６ｃ）、（−ｎ５×ｗ２５６ｃ，−ｎ１３×ｗ２５６ｃ）、（−ｎ５×ｗ２５６ｃ，−ｎ１２×ｗ２５６ｃ）、（−ｎ５×ｗ２５６ｃ，−ｎ１１×ｗ２５６ｃ）、（−ｎ５×ｗ２５６ｃ，−ｎ１０×ｗ２５６ｃ）、（−ｎ５×ｗ２５６ｃ，−ｎ９×ｗ２５６ｃ）、
（−ｎ４×ｗ２５６ｃ，ｎ１６×ｗ２５６ｃ）、（−ｎ４×ｗ２５６ｃ，ｎ１５×ｗ２５６ｃ）、（−ｎ４×ｗ２５６ｃ，ｎ１４×ｗ２５６ｃ）、（−ｎ４×ｗ２５６ｃ，ｎ１３×ｗ２５６ｃ）、（−ｎ４×ｗ２５６ｃ，ｎ１２×ｗ２５６ｃ）、（−ｎ４×ｗ２５６ｃ，ｎ１１×ｗ２５６ｃ）、（−ｎ４×ｗ２５６ｃ，ｎ１０×ｗ２５６ｃ）、（−ｎ４×ｗ２５６ｃ，ｎ９×ｗ２５６ｃ）、
（−ｎ４×ｗ２５６ｃ，−ｎ１６×ｗ２５６ｃ）、（−ｎ４×ｗ２５６ｃ，−ｎ１５×ｗ２５６ｃ）、（−ｎ４×ｗ２５６ｃ，−ｎ１４×ｗ２５６ｃ）、（−ｎ４×ｗ２５６ｃ，−ｎ１３×ｗ２５６ｃ）、（−ｎ４×ｗ２５６ｃ，−ｎ１２×ｗ２５６ｃ）、（−ｎ４×ｗ２５６ｃ，−ｎ１１×ｗ２５６ｃ）、（−ｎ４×ｗ２５６ｃ，−ｎ１０×ｗ２５６ｃ）、（−ｎ４×ｗ２５６ｃ，−ｎ９×ｗ２５６ｃ）、
（−ｎ３×ｗ２５６ｃ，ｎ１６×ｗ２５６ｃ）、（−ｎ３×ｗ２５６ｃ，ｎ１５×ｗ２５６ｃ）、（−ｎ３×ｗ２５６ｃ，ｎ１４×ｗ２５６ｃ）、（−ｎ３×ｗ２５６ｃ，ｎ１３×ｗ２５６ｃ）、（−ｎ３×ｗ２５６ｃ，ｎ１２×ｗ２５６ｃ）、（−ｎ３×ｗ２５６ｃ，ｎ１１×ｗ２５６ｃ）、（−ｎ３×ｗ２５６ｃ，ｎ１０×ｗ２５６ｃ）、（−ｎ３×ｗ２５６ｃ，ｎ９×ｗ２５６ｃ）、
（−ｎ３×ｗ２５６ｃ，−ｎ１６×ｗ２５６ｃ）、（−ｎ３×ｗ２５６ｃ，−ｎ１５×ｗ２５６ｃ）、（−ｎ３×ｗ２５６ｃ，−ｎ１４×ｗ２５６ｃ）、（−ｎ３×ｗ２５６ｃ，−ｎ１３×ｗ２５６ｃ）、（−ｎ３×ｗ２５６ｃ，−ｎ１２×ｗ２５６ｃ）、（−ｎ３×ｗ２５６ｃ，−ｎ１１×ｗ２５６ｃ）、（−ｎ３×ｗ２５６ｃ，―ｎ１０×ｗ２５６ｃ）、（−ｎ３×ｗ２５６ｃ，−ｎ９×ｗ２５６ｃ）、
（−ｎ２×ｗ２５６ｃ，ｎ１６×ｗ２５６ｃ）、（−ｎ２×ｗ２５６ｃ，ｎ１５×ｗ２５６ｃ）、（−ｎ２×ｗ２５６ｃ，ｎ１４×ｗ２５６ｃ）、（−ｎ２×ｗ２５６ｃ，ｎ１３×ｗ２５６ｃ）、（−ｎ２×ｗ２５６ｃ，ｎ１２×ｗ２５６ｃ）、（−ｎ２×ｗ２５６ｃ，ｎ１１×ｗ２５６ｃ）、（−ｎ２×ｗ２５６ｃ，ｎ１０×ｗ２５６ｃ）、（−ｎ２×ｗ２５６ｃ，ｎ９×ｗ２５６ｃ）、
（−ｎ２×ｗ２５６ｃ，−ｎ１６×ｗ２５６ｃ）、（−ｎ２×ｗ２５６ｃ，−ｎ１５×ｗ２５６ｃ）、（−ｎ２×ｗ２５６ｃ，−ｎ１４×ｗ２５６ｃ）、（−ｎ２×ｗ２５６ｃ，−ｎ１３×ｗ２５６ｃ）、（−ｎ２×ｗ２５６ｃ，−ｎ１２×ｗ２５６ｃ）、（−ｎ２×ｗ２５６ｃ，−ｎ１１×ｗ２５６ｃ）、（−ｎ２×ｗ２５６ｃ，−ｎ１０×ｗ２５６ｃ）、（−ｎ２×ｗ２５６ｃ，−ｎ９×ｗ２５６ｃ）、
（−ｎ１×ｗ２５６ｃ，ｎ１６×ｗ２５６ｃ）、（−ｎ１×ｗ２５６ｃ，ｎ１５×ｗ２５６ｃ）、（−ｎ１×ｗ２５６ｃ，ｎ１４×ｗ２５６ｃ）、（−ｎ１×ｗ２５６ｃ，ｎ１３×ｗ２５６ｃ）、（−ｎ１×ｗ２５６ｃ，ｎ１２×ｗ２５６ｃ）、（−ｎ１×ｗ２５６ｃ，ｎ１１×ｗ２５６ｃ）、（−ｎ１×ｗ２５６ｃ，ｎ１０×ｗ２５６ｃ）、（−ｎ１×ｗ２５６ｃ，ｎ９×ｗ２５６ｃ）、
（−ｎ１×ｗ２５６ｃ，−ｎ１６×ｗ２５６ｃ）、（−ｎ１×ｗ２５６ｃ，−ｎ１５×ｗ２５６ｃ）、（−ｎ１×ｗ２５６ｃ，−ｎ１４×ｗ２５６ｃ）、（−ｎ１×ｗ２５６ｃ，−ｎ１３×ｗ２５６ｃ）、（−ｎ１×ｗ２５６ｃ，−ｎ１２×ｗ２５６ｃ）、（−ｎ１×ｗ２５６ｃ，−ｎ１１×ｗ２５６ｃ）、（−ｎ１×ｗ２５６ｃ，−ｎ１０×ｗ２５６ｃ）、（−ｎ１×ｗ２５６ｃ，−ｎ９×ｗ２５６ｃ）、
となる（ｗ２５６ｃは０より大きい実数となる）。
【０１０２】
ここで、送信するビット（入力ビット）をｂ０、ｂ１、ｂ２、ｂ３、ｂ４、ｂ５、ｂ６、ｂ７とする。例えば、送信するビットが（ｂ０、ｂ１、ｂ２、ｂ３、ｂ４、ｂ５、ｂ６、ｂ７）＝（０、０、０、０、０、０、０、０）の場合、図１１における信号点Ｈ９０１にマッピングされ、マッピング後のベースバンド信号の同相成分をＩ、直交成分をＱとすると、（Ｉ，Ｑ）＝（ｎ８×ｗ２５６ｃ，ｎ１６×ｗ２５６ｃ）となる。
【０１０３】
つまり、送信するビット（ｂ０、ｂ１、ｂ２、ｂ３、ｂ４、ｂ５、ｂ６、ｂ７）に基づき、（２５６ＱＡＭ時の）マッピング後のベースバンド信号の同相成分Ｉ、直交成分Ｑが決定される。なお、ｂ０、ｂ１、ｂ２、ｂ３、ｂ４、ｂ５、ｂ６、ｂ７のセット（００００００００〜１１１１１１１１）と信号点の座標の関係の一例は図Ｈ９のとおりである。２５６ＱＡＭの２５６個の信号点（図１１の「○」）
（ｎ８×ｗ２５６ｃ，ｎ１６×ｗ２５６ｃ）、（ｎ８×ｗ２５６ｃ，ｎ１５×ｗ２５６ｃ）、（ｎ８×ｗ２５６ｃ，ｎ１４×ｗ２５６ｃ）、（ｎ８×ｗ２５６ｃ，ｎ１３×ｗ２５６ｃ）、（ｎ８×ｗ２５６ｃ，ｎ１２×ｗ２５６ｃ）、（ｎ８×ｗ２５６ｃ，ｎ１１×ｗ２５６ｃ）、（ｎ８×ｗ２５６ｃ，ｎ１０×ｗ２５６ｃ）、（ｎ８×ｗ２５６ｃ，ｎ９×ｗ２５６ｃ）、
（ｎ８×ｗ２５６ｃ，−ｎ１６×ｗ２５６ｃ）、（ｎ８×ｗ２５６ｃ，−ｎ１５×ｗ２５６ｃ）、（ｎ８×ｗ２５６ｃ，−ｎ１４×ｗ２５６ｃ）、（ｎ８×ｗ２５６ｃ，−ｎ１３×ｗ２５６ｃ）、（ｎ８×ｗ２５６ｃ，−ｎ１２×ｗ２５６ｃ）、（ｎ８×ｗ２５６ｃ，−ｎ１１×ｗ２５６ｃ）、（ｎ８×ｗ２５６ｃ，−ｎ１０×ｗ２５６ｃ）、（ｎ８×ｗ２５６ｃ，−ｎ９×ｗ２５６ｃ）、
（ｎ７×ｗ２５６ｃ，ｎ１６×ｗ２５６ｃ）、（ｎ７×ｗ２５６ｃ，ｎ１５×ｗ２５６ｃ）、（ｎ７×ｗ２５６ｃ，ｎ１４×ｗ２５６ｃ）、（ｎ７×ｗ２５６ｃ，ｎ１３×ｗ２５６ｃ）、（ｎ７×ｗ２５６ｃ，ｎ１２×ｗ２５６ｃ）、（ｎ７×ｗ２５６ｃ，ｎ１１×ｗ２５６ｃ）、（ｎ７×ｗ２５６ｃ，ｎ１０×ｗ２５６ｃ）、（ｎ７×ｗ２５６ｃ，ｎ９×ｗ２５６ｃ）、
（ｎ７×ｗ２５６ｃ，−ｎ１６×ｗ２５６ｃ）、（ｎ７×ｗ２５６ｃ，−ｎ１５×ｗ２５６ｃ）、（ｎ７×ｗ２５６ｃ，−ｎ１４×ｗ２５６ｃ）、（ｎ７×ｗ２５６ｃ，−ｎ１３×ｗ２５６ｃ）、（ｎ７×ｗ２５６ｃ，−ｎ１２×ｗ２５６ｃ）、（ｎ７×ｗ２５６ｃ，−ｎ１１×ｗ２５６ｃ）、（ｎ７×ｗ２５６ｃ，−ｎ１０×ｗ２５６ｃ）、（ｎ７×ｗ２５６ｃ，−ｎ９×ｗ２５６ｃ）、
（ｎ６×ｗ２５６ｃ，ｎ１６×ｗ２５６ｃ）、（ｎ６×ｗ２５６ｃ，ｎ１５×ｗ２５６ｃ）、（ｎ６×ｗ２５６ｃ，ｎ１４×ｗ２５６ｃ）、（ｎ６×ｗ２５６ｃ，ｎ１３×ｗ２５６ｃ）、（ｎ６×ｗ２５６ｃ，ｎ１２×ｗ２５６ｃ）、（ｎ６×ｗ２５６ｃ，ｎ１１×ｗ２５６ｃ）、（ｎ６×ｗ２５６ｃ，ｎ１０×ｗ２５６ｃ）、（ｎ６×ｗ２５６ｃ，ｎ９×ｗ２５６ｃ）、
（ｎ６×ｗ２５６ｃ，−ｎ１６×ｗ２５６ｃ）、（ｎ６×ｗ２５６ｃ，−ｎ１５×ｗ２５６ｃ）、（ｎ６×ｗ２５６ｃ，−ｎ１４×ｗ２５６ｃ）、（ｎ６×ｗ２５６ｃ，−ｎ１３×ｗ２５６ｃ）、（ｎ６×ｗ２５６ｃ，−ｎ１２×ｗ２５６ｃ）、（ｎ６×ｗ２５６ｃ，−ｎ１１×ｗ２５６ｃ）、（ｎ６×ｗ２５６ｃ，−ｎ１０×ｗ２５６ｃ）、（ｎ６×ｗ２５６ｃ，−ｎ９×ｗ２５６ｃ）、
（ｎ５×ｗ２５６ｃ，ｎ１６×ｗ２５６ｃ）、（ｎ５×ｗ２５６ｃ，ｎ１５×ｗ２５６ｃ）、（ｎ５×ｗ２５６ｃ，ｎ１４×ｗ２５６ｃ）、（ｎ５×ｗ２５６ｃ，ｎ１３×ｗ２５６ｃ）、（ｎ５×ｗ２５６ｃ，ｎ１２×ｗ２５６ｃ）、（ｎ５×ｗ２５６ｃ，ｎ１１×ｗ２５６ｃ）、（ｎ５×ｗ２５６ｃ，ｎ１０×ｗ２５６ｃ）、（ｎ５×ｗ２５６ｃ，ｎ９×ｗ２５６ｃ）、
（ｎ５×ｗ２５６ｃ，−ｎ１６×ｗ２５６ｃ）、（ｎ５×ｗ２５６ｃ，−ｎ１５×ｗ２５６ｃ）、（ｎ５×ｗ２５６ｃ，−ｎ１４×ｗ２５６ｃ）、（ｎ５×ｗ２５６ｃ，−ｎ１３×ｗ２５６ｃ）、（ｎ５×ｗ２５６ｃ，−ｎ１２×ｗ２５６ｃ）、（ｎ５×ｗ２５６ｃ，−ｎ１１×ｗ２５６ｃ）、（ｎ５×ｗ２５６ｃ，−ｎ１０×ｗ２５６ｃ）、（ｎ５×ｗ２５６ｃ，−ｎ９×ｗ２５６ｃ）、
（ｎ４×ｗ２５６ｃ，ｎ１６×ｗ２５６ｃ）、（ｎ４×ｗ２５６ｃ，ｎ１５×ｗ２５６ｃ）、（ｎ４×ｗ２５６ｃ，ｎ１４×ｗ２５６ｃ）、（ｎ４×ｗ２５６ｃ，ｎ１３×ｗ２５６ｃ）、（ｎ４×ｗ２５６ｃ，ｎ１２×ｗ２５６ｃ）、（ｎ４×ｗ２５６ｃ，ｎ１１×ｗ２５６ｃ）、（ｎ４×ｗ２５６ｃ，ｎ１０×ｗ２５６ｃ）、（ｎ４×ｗ２５６ｃ，ｎ９×ｗ２５６ｃ）、
（ｎ４×ｗ２５６ｃ，−ｎ１６×ｗ２５６ｃ）、（ｎ４×ｗ２５６ｃ，−ｎ１５×ｗ２５６ｃ）、（ｎ４×ｗ２５６ｃ，−ｎ１４×ｗ２５６ｃ）、（ｎ４×ｗ２５６ｃ，−ｎ１３×ｗ２５６ｃ）、（ｎ４×ｗ２５６ｃ，−ｎ１２×ｗ２５６ｃ）、（ｎ４×ｗ２５６ｃ，−ｎ１１×ｗ２５６ｃ）、（ｎ４×ｗ２５６ｃ，−ｎ１０×ｗ２５６ｃ）、（ｎ４×ｗ２５６ｃ，−ｎ９×ｗ２５６ｃ）、
（ｎ３×ｗ２５６ｃ，ｎ１６×ｗ２５６ｃ）、（ｎ３×ｗ２５６ｃ，ｎ１５×ｗ２５６ｃ）、（ｎ３×ｗ２５６ｃ，ｎ１４×ｗ２５６ｃ）、（ｎ３×ｗ２５６ｃ，ｎ１３×ｗ２５６ｃ）、（ｎ３×ｗ２５６ｃ，ｎ１２×ｗ２５６ｃ）、（ｎ３×ｗ２５６ｃ，ｎ１１×ｗ２５６ｃ）、（ｎ３×ｗ２５６ｃ，ｎ１０×ｗ２５６ｃ）、（ｎ３×ｗ２５６ｃ，ｎ９×ｗ２５６ｃ）、
（ｎ３×ｗ２５６ｃ，−ｎ１６×ｗ２５６ｃ）、（ｎ３×ｗ２５６ｃ，−ｎ１５×ｗ２５６ｃ）、（ｎ３×ｗ２５６ｃ，−ｎ１４×ｗ２５６ｃ）、（ｎ３×ｗ２５６ｃ，−ｎ１３×ｗ２５６ｃ）、（ｎ３×ｗ２５６ｃ，−ｎ１２×ｗ２５６ｃ）、（ｎ３×ｗ２５６ｃ，−ｎ１１×ｗ２５６ｃ）、（ｎ３×ｗ２５６ｃ，−ｎ１０×ｗ２５６ｃ）、（ｎ３×ｗ２５６ｃ，−ｎ９×ｗ２５６ｃ）、
（ｎ２×ｗ２５６ｃ，ｎ１６×ｗ２５６ｃ）、（ｎ２×ｗ２５６ｃ，ｎ１５×ｗ２５６ｃ）、（ｎ２×ｗ２５６ｃ，ｎ１４×ｗ２５６ｃ）、（ｎ２×ｗ２５６ｃ，ｎ１３×ｗ２５６ｃ）、（ｎ２×ｗ２５６ｃ，ｎ１２×ｗ２５６ｃ）、（ｎ２×ｗ２５６ｃ，ｎ１１×ｗ２５６ｃ）、（ｎ２×ｗ２５６ｃ，ｎ１０×ｗ２５６ｃ）、（ｎ２×ｗ２５６ｃ，ｎ９×ｗ２５６ｃ）、
（ｎ２×ｗ２５６ｃ，−ｎ１６×ｗ２５６ｃ）、（ｎ２×ｗ２５６ｃ，−ｎ１５×ｗ２５６ｃ）、（ｎ２×ｗ２５６ｃ，−ｎ１４×ｗ２５６ｃ）、（ｎ２×ｗ２５６ｃ，−ｎ１３×ｗ２５６ｃ）、（ｎ２×ｗ２５６ｃ，−ｎ１２×ｗ２５６ｃ）、（ｎ２×ｗ２５６ｃ，−ｎ１１×ｗ２５６ｃ）、（ｎ２×ｗ２５６ｃ，−ｎ１０×ｗ２５６ｃ）、（ｎ２×ｗ２５６ｃ，−ｎ９×ｗ２５６ｃ）、
（ｎ１×ｗ２５６ｃ，ｎ１６×ｗ２５６ｃ）、（ｎ１×ｗ２５６ｃ，ｎ１５×ｗ２５６ｃ）、（ｎ１×ｗ２５６ｃ，ｎ１４×ｗ２５６ｃ）、（ｎ１×ｗ２５６ｃ，ｎ１３×ｗ２５６ｃ）、（ｎ１×ｗ２５６ｃ，ｎ１２×ｗ２５６ｃ）、（ｎ１×ｗ２５６ｃ，ｎ１１×ｗ２５６ｃ）、（ｎ１×ｗ２５６ｃ，ｎ１０×ｗ２５６ｃ）、（ｎ１×ｗ２５６ｃ，ｎ９×ｗ２５６ｃ）、
（ｎ１×ｗ２５６ｃ，−ｎ１６×ｗ２５６ｃ）、（ｎ１×ｗ２５６ｃ，−ｎ１５×ｗ２５６ｃ）、（ｎ１×ｗ２５６ｃ，−ｎ１４×ｗ２５６ｃ）、（ｎ１×ｗ２５６ｃ，−ｎ１３×ｗ２５６ｃ）、（ｎ１×ｗ２５６ｃ，−ｎ１２×ｗ２５６ｃ）、（ｎ１×ｗ２５６ｃ，−ｎ１１×ｗ２５６ｃ）、（ｎ１×ｗ２５６ｃ，−ｎ１０×ｗ２５６ｃ）、（ｎ１×ｗ２５６ｃ，−ｎ９×ｗ２５６ｃ）、
（−ｎ８×ｗ２５６ｃ，ｎ１６×ｗ２５６ｃ）、（−ｎ８×ｗ２５６ｃ，ｎ１５×ｗ２５６ｃ）、（−ｎ８×ｗ２５６ｃ，ｎ１４×ｗ２５６ｃ）、（−ｎ８×ｗ２５６ｃ，ｎ１３×ｗ２５６ｃ）、（−ｎ８×ｗ２５６ｃ，ｎ１２×ｗ２５６ｃ）、（−ｎ８×ｗ２５６ｃ，ｎ１１×ｗ２５６ｃ）、（−ｎ８×ｗ２５６ｃ，ｎ１０×ｗ２５６ｃ）、（−ｎ８×ｗ２５６ｃ，ｎ９×ｗ２５６ｃ）、
（−ｎ８×ｗ２５６ｃ，−ｎ１６×ｗ２５６ｃ）、（−ｎ８×ｗ２５６ｃ，−ｎ１５×ｗ２５６ｃ）、（−ｎ８×ｗ２５６ｃ，−ｎ１４×ｗ２５６ｃ）、（−ｎ８×ｗ２５６ｃ，−ｎ１３×ｗ２５６ｃ）、（−ｎ８×ｗ２５６ｃ，−ｎ１２×ｗ２５６ｃ）、（−ｎ８×ｗ２５６ｃ，−ｎ１１×ｗ２５６ｃ）、（−ｎ８×ｗ２５６ｃ，−ｎ１０×ｗ２５６ｃ）、（−ｎ８×ｗ２５６ｃ，−ｎ９×ｗ２５６ｃ）、
（−ｎ７×ｗ２５６ｃ，ｎ１６×ｗ２５６ｃ）、（−ｎ７×ｗ２５６ｃ，ｎ１５×ｗ２５６ｃ）、（−ｎ７×ｗ２５６ｃ，ｎ１４×ｗ２５６ｃ）、（−ｎ７×ｗ２５６ｃ，ｎ１３×ｗ２５６ｃ）、（−ｎ７×ｗ２５６ｃ，ｎ１２×ｗ２５６ｃ）、（−ｎ７×ｗ２５６ｃ，ｎ１１×ｗ２５６ｃ）、（−ｎ７×ｗ２５６ｃ，ｎ１０×ｗ２５６ｃ）、（−ｎ７×ｗ２５６ｃ，ｎ９×ｗ２５６ｃ）、
（−ｎ７×ｗ２５６ｃ，−ｎ１６×ｗ２５６ｃ）、（−ｎ７×ｗ２５６ｃ，−ｎ１５×ｗ２５６ｃ）、（−ｎ７×ｗ２５６ｃ，−ｎ１４×ｗ２５６ｃ）、（−ｎ７×ｗ２５６ｃ，−ｎ１３×ｗ２５６ｃ）、（−ｎ７×ｗ２５６ｃ，−ｎ１２×ｗ２５６ｃ）、（−ｎ７×ｗ２５６ｃ，−ｎ１１×ｗ２５６ｃ）、（−ｎ７×ｗ２５６ｃ，−ｎ１０×ｗ２５６ｃ）、（−ｎ７×ｗ２５６ｃ，−ｎ９×ｗ２５６ｃ）、
（−ｎ６×ｗ２５６ｃ，ｎ１６×ｗ２５６ｃ）、（−ｎ６×ｗ２５６ｃ，ｎ１５×ｗ２５６ｃ）、（−ｎ６×ｗ２５６ｃ，ｎ１４×ｗ２５６ｃ）、（−ｎ６×ｗ２５６ｃ，ｎ１３×ｗ２５６ｃ）、（−ｎ６×ｗ２５６ｃ，ｎ１２×ｗ２５６ｃ）、（−ｎ６×ｗ２５６ｃ，ｎ１１×ｗ２５６ｃ）、（−ｎ６×ｗ２５６ｃ，ｎ１０×ｗ２５６ｃ）、（−ｎ６×ｗ２５６ｃ，ｎ９×ｗ２５６ｃ）、
（−ｎ６×ｗ２５６ｃ，−ｎ１６×ｗ２５６ｃ）、（−ｎ６×ｗ２５６ｃ，−ｎ１５×ｗ２５６ｃ）、（−ｎ６×ｗ２５６ｃ，−ｎ１４×ｗ２５６ｃ）、（−ｎ６×ｗ２５６ｃ，−ｎ１３×ｗ２５６ｃ）、（−ｎ６×ｗ２５６ｃ，−ｎ１２×ｗ２５６ｃ）、（−ｎ６×ｗ２５６ｃ，−ｎ１１×ｗ２５６ｃ）、（−ｎ６×ｗ２５６ｃ，−ｎ１０×ｗ２５６ｃ）、（−ｎ６×ｗ２５６ｃ，−ｎ９×ｗ２５６ｃ）、
（−ｎ５×ｗ２５６ｃ，ｎ１６×ｗ２５６ｃ）、（−ｎ５×ｗ２５６ｃ，ｎ１５×ｗ２５６ｃ）、（−ｎ５×ｗ２５６ｃ，ｎ１４×ｗ２５６ｃ）、（−ｎ５×ｗ２５６ｃ，ｎ１３×ｗ２５６ｃ）、（−ｎ５×ｗ２５６ｃ，ｎ１２×ｗ２５６ｃ）、（−ｎ５×ｗ２５６ｃ，ｎ１１×ｗ２５６ｃ）、（−ｎ５×ｗ２５６ｃ，ｎ１０×ｗ２５６ｃ）、（−ｎ５×ｗ２５６ｃ，ｎ９×ｗ２５６ｃ）、
（−ｎ５×ｗ２５６ｃ，−ｎ１６×ｗ２５６ｃ）、（−ｎ５×ｗ２５６ｃ，−ｎ１５×ｗ２５６ｃ）、（−ｎ５×ｗ２５６ｃ，−ｎ１４×ｗ２５６ｃ）、（−ｎ５×ｗ２５６ｃ，−ｎ１３×ｗ２５６ｃ）、（−ｎ５×ｗ２５６ｃ，−ｎ１２×ｗ２５６ｃ）、（−ｎ５×ｗ２５６ｃ，−ｎ１１×ｗ２５６ｃ）、（−ｎ５×ｗ２５６ｃ，−ｎ１０×ｗ２５６ｃ）、（−ｎ５×ｗ２５６ｃ，−ｎ９×ｗ２５６ｃ）、
（−ｎ４×ｗ２５６ｃ，ｎ１６×ｗ２５６ｃ）、（−ｎ４×ｗ２５６ｃ，ｎ１５×ｗ２５６ｃ）、（−ｎ４×ｗ２５６ｃ，ｎ１４×ｗ２５６ｃ）、（−ｎ４×ｗ２５６ｃ，ｎ１３×ｗ２５６ｃ）、（−ｎ４×ｗ２５６ｃ，ｎ１２×ｗ２５６ｃ）、（−ｎ４×ｗ２５６ｃ，ｎ１１×ｗ２５６ｃ）、（−ｎ４×ｗ２５６ｃ，ｎ１０×ｗ２５６ｃ）、（−ｎ４×ｗ２５６ｃ，ｎ９×ｗ２５６ｃ）、
（−ｎ４×ｗ２５６ｃ，−ｎ１６×ｗ２５６ｃ）、（−ｎ４×ｗ２５６ｃ，−ｎ１５×ｗ２５６ｃ）、（−ｎ４×ｗ２５６ｃ，−ｎ１４×ｗ２５６ｃ）、（−ｎ４×ｗ２５６ｃ，−ｎ１３×ｗ２５６ｃ）、（−ｎ４×ｗ２５６ｃ，−ｎ１２×ｗ２５６ｃ）、（−ｎ４×ｗ２５６ｃ，−ｎ１１×ｗ２５６ｃ）、（−ｎ４×ｗ２５６ｃ，−ｎ１０×ｗ２５６ｃ）、（−ｎ４×ｗ２５６ｃ，−ｎ９×ｗ２５６ｃ）、
（−ｎ３×ｗ２５６ｃ，ｎ１６×ｗ２５６ｃ）、（−ｎ３×ｗ２５６ｃ，ｎ１５×ｗ２５６ｃ）、（−ｎ３×ｗ２５６ｃ，ｎ１４×ｗ２５６ｃ）、（−ｎ３×ｗ２５６ｃ，ｎ１３×ｗ２５６ｃ）、（−ｎ３×ｗ２５６ｃ，ｎ１２×ｗ２５６ｃ）、（−ｎ３×ｗ２５６ｃ，ｎ１１×ｗ２５６ｃ）、（−ｎ３×ｗ２５６ｃ，ｎ１０×ｗ２５６ｃ）、（−ｎ３×ｗ２５６ｃ，ｎ９×ｗ２５６ｃ）、
（−ｎ３×ｗ２５６ｃ，−ｎ１６×ｗ２５６ｃ）、（−ｎ３×ｗ２５６ｃ，−ｎ１５×ｗ２５６ｃ）、（−ｎ３×ｗ２５６ｃ，−ｎ１４×ｗ２５６ｃ）、（−ｎ３×ｗ２５６ｃ，−ｎ１３×ｗ２５６ｃ）、（−ｎ３×ｗ２５６ｃ，−ｎ１２×ｗ２５６ｃ）、（−ｎ３×ｗ２５６ｃ，−ｎ１１×ｗ２５６ｃ）、（−ｎ３×ｗ２５６ｃ，−ｎ１０×ｗ２５６ｃ）、（−ｎ３×ｗ２５６ｃ，−ｎ９×ｗ２５６ｃ）、
（−ｎ２×ｗ２５６ｃ，ｎ１６×ｗ２５６ｃ）、（−ｎ２×ｗ２５６ｃ，ｎ１５×ｗ２５６ｃ）、（−ｎ２×ｗ２５６ｃ，ｎ１４×ｗ２５６ｃ）、（−ｎ２×ｗ２５６ｃ，ｎ１３×ｗ２５６ｃ）、（−ｎ２×ｗ２５６ｃ，ｎ１２×ｗ２５６ｃ）、（−ｎ２×ｗ２５６ｃ，ｎ１１×ｗ２５６ｃ）、（−ｎ２×ｗ２５６ｃ，ｎ１０×ｗ２５６ｃ）、（−ｎ２×ｗ２５６ｃ，ｎ９×ｗ２５６ｃ）、
（−ｎ２×ｗ２５６ｃ，−ｎ１６×ｗ２５６ｃ）、（−ｎ２×ｗ２５６ｃ，−ｎ１５×ｗ２５６ｃ）、（−ｎ２×ｗ２５６ｃ，−ｎ１４×ｗ２５６ｃ）、（−ｎ２×ｗ２５６ｃ，―ｎ１３×ｗ２５６ｃ）、（−ｎ２×ｗ２５６ｃ，−ｎ１２×ｗ２５６ｃ）、（−ｎ２×ｗ２５６ｃ，−ｎ１１×ｗ２５６ｃ）、（−ｎ２×ｗ２５６ｃ，−ｎ１０×ｗ２５６ｃ）、（−ｎ２×ｗ２５６ｃ，−ｎ９×ｗ２５６ｃ）、
（−ｎ１×ｗ２５６ｃ，ｎ１６×ｗ２５６ｃ）、（−ｎ１×ｗ２５６ｃ，ｎ１５×ｗ２５６ｃ）、（−ｎ１×ｗ２５６ｃ，ｎ１４×ｗ２５６ｃ）、（−ｎ１×ｗ２５６ｃ，ｎ１３×ｗ２５６ｃ）、（−ｎ１×ｗ２５６ｃ，ｎ１２×ｗ２５６ｃ）、（−ｎ１×ｗ２５６ｃ，ｎ１１×ｗ２５６ｃ）、（−ｎ１×ｗ２５６ｃ，ｎ１０×ｗ２５６ｃ）、（−ｎ１×ｗ２５６ｃ，ｎ９×ｗ２５６ｃ）、
（−ｎ１×ｗ２５６ｃ，−ｎ１６×ｗ２５６ｃ）、（−ｎ１×ｗ２５６ｃ，−ｎ１５×ｗ２５６ｃ）、（−ｎ１×ｗ２５６ｃ，−ｎ１４×ｗ２５６ｃ）、（−ｎ１×ｗ２５６ｃ，−ｎ１３×ｗ２５６ｃ）、（−ｎ１×ｗ２５６ｃ，−ｎ１２×ｗ２５６ｃ）、（−ｎ１×ｗ２５６ｃ，−ｎ１１×ｗ２５６ｃ）、（−ｎ１×ｗ２５６ｃ，−ｎ１０×ｗ２５６ｃ）、（−ｎ１×ｗ２５６ｃ，−ｎ９×ｗ２５６ｃ）、
の直下にｂ０、ｂ１、ｂ２、ｂ３、ｂ４、ｂ５、ｂ６、ｂ７のセット００００００００〜１１１１１１１１の値が示されている。ｂ０、ｂ１、ｂ２、ｂ３、ｂ４、ｂ５、ｂ６、ｂ７のセット００００００００〜１１１１１１１１の直上の信号点（「○」）の同相Ｉ−直交Ｑ平面におけるそれぞれの座標が、マッピング後のベースバンド信号の同相成分Ｉおよび直交成分Ｑとなる。なお、２５６ＱＡＭ時のｂ０、ｂ１、ｂ２、ｂ３、ｂ４、ｂ５、ｂ６、ｂ７のセット（００００００００〜１１１１１１１１）と信号点の座標の関係は、図１１に限ったものではない。
【０１０４】
図１１の２５６個の信号点に対し、「信号点１」「信号点２」・・・「信号点２５５」「信号点２５６」と名付ける。（２５６個の信号点が存在するので、「信号点１」から「信号点２５６」が存在することになる。）同相Ｉ―直交Ｑ平面において、「信号点ｉ」と原点の距離をＤｉとする。このとき、ｗ２５６ｃを以下のように与える。
【０１０５】
【数９】
2019193278.tif 000011
【０１０６】
すると、マッピング後のベースバンド信号の平均パワーはｚ２となる。
【０１０７】
なお、上述の説明の２５６ＱＡＭのマッピング方法をここでは「２５６ＱＡＭマッピング方法＃３」とよぶ。
【０１０８】
以上が、それぞれの変調方式におけるマッピング方法に関する説明であるが、送信装置での詳細の使用方法に関する説明は、後で行う。
【０１０９】
次に、送信装置の構成について説明する。
【０１１０】
図１２は、マッピング部Ｈ１００２は、情報に対し、誤り訂正符号化、インタリーブ（データの並び換え）等の処理を行った後に得られるデータＨ１００１、および、制御信号Ｈ１０１２を入力とし、制御信号Ｈ１０１２に基づき、ｓ１の変調方式、ｓ２の変調方式を設定し、ｓ１のためのマッピング、およびｓ２のためのマッピングを行い、マッピング後の信号ｓ１（ｔ）、（Ｈ１００３Ａ）およびマッピング後の信号ｓ２（ｔ）（Ｈ１００３Ｂ）を出力とする（ｓ１（ｔ）、ｓ２（ｔ）は複素数。）。なお、ｔは時間とするが、ｓ１，ｓ２は、周波数ｆの関数であってもよいし、時間ｔおよび周波数ｆの関数であってもよい（したがって、ｓ１（ｆ）、ｓ２（ｆ）、または、ｓ１（ｔ，ｆ）、ｓ２（ｔ，ｆ）とあらわしてもよい、）が、ここでは、一例として、時間ｔの関数であるものとする。
【０１１１】
パワー変更部Ｈ１００４Ａは、マッピング後の信号ｓ１（ｔ）、（Ｈ１００３Ａ）、および、制御信号Ｈ１０１２を入力とし、制御信号Ｈ１０１２に基づいて、係数ｕを設定し（ｕは実数。ただし、ｕはゼロではない（ｕ≠０）。）、マッピング後の信号ｓ１（ｔ）に係数ｕを乗算し、パワー変更後の信号Ｈ１００５Ａ（ｘ１（ｔ）＝ｕ×ｓ１（ｔ））を出力する（パワー変更後の信号Ｈ１００５Ａをｘ１（ｔ）とする）。
【０１１２】
パワー変更部Ｈ１００４Ｂは、マッピング後の信号ｓ２（ｔ）、（Ｈ１００３Ｂ）、および、制御信号Ｈ１０１２を入力とし、制御信号Ｈ１０１２に基づいて、係数ｖを設定し（ｖは実数。ただし、ｖはゼロではない（ｖ≠０）。）、マッピング後の信号ｓ２（ｔ）に係数ｖを乗算し、パワー変更後の信号Ｈ１００５Ｂ（ｘ２（ｔ）＝ｖ×ｓ２（ｔ））を出力する（パワー変更後の信号Ｈ１００５Ｂをｘ２（ｔ）とする）。
【０１１３】
なお、パワー変更部Ｈ１００４Ａ、パワー変更部Ｈ１００４Ｂは、パワーを変更せずに、入力信号であるマッピング後の信号をそのまま出力してもよい。（このとき、ｕ＝１．０、ｖ＝１．０となる。）このような処理をするとき、パワー変更部Ｈ１００４Ａ、パワー変更部Ｈ１００４Ｂは、図１２において存在しなくてもよい（図１３についても同様）。
【０１１４】
重み付け合成部Ｈ１００６は、パワー変更後の信号Ｈ１００５Ａ（ｘ１（ｔ））、パワー変更後の信号Ｈ１００５Ｂ（ｘ２（ｔ））、制御信号Ｈ１０１２を入力とし、制御信号Ｈ１０１２に基づき、２行２列の複素数を要素とする行列（プリコーディング行列）Ｗを設定し、この行列Ｗとパワー変更後の信号Ｈ１００５Ａ（ｘ１（ｔ））、パワー変更後の信号Ｈ１００５Ｂ（ｘ２（ｔ））を乗算し（プリコーディング）、重み付け合成後の信号ｚ１’（ｔ）（Ｈ１００７Ａ）および重み付け合成後の信号ｚ２’（ｔ）（Ｈ１００７Ｂ）を出力する。
【０１１５】
上述の行列（プリコーディング行列）Ｗを次式であらわすものとする。
【０１１６】
【数１０】
2019193278.tif 000012
【０１１７】
なお、ｗ１１、ｗ１２、ｗ２１、ｗ２２は時間ｔの関数であってもよいし、時間ｔの関数でなくてもよい。なお、ｗ１１、ｗ１２、ｗ２１、ｗ２２は実数であってもよいし、複素数であってもよい。
【０１１８】
すると、重み付け合成後の信号ｚ１’（ｔ）（Ｈ１００７Ａ）および重み付け合成後の信号ｚ２’（ｔ）（Ｈ１００７Ｂ）は次式であらわされる。
【０１１９】
【数１１】
2019193278.tif 000013
【０１２０】
位相変更部Ｈ１００８は、重み付け合成後の信号ｚ２’（ｔ）（Ｈ１００７Ｂ）、制御信号Ｈ１０１２を入力とし、制御信号Ｈ１０１２に基づき、規則的に変更する位相変更値θ（ｔ）を設定し、重み付け合成後の信号ｚ２’（ｔ）（Ｈ１００７Ｂ）に対し、位相変更を行い、位相変更後の信号Ｈ１００９（ｚ２’’（ｔ））を出力する。したがって、位相変更後の信号Ｈ１００９（ｚ２’’（ｔ））は次式であらわされる。
【０１２１】
【数１２】
2019193278.tif 000014
【０１２２】
ただし、ｊは虚数単位である。なお、θ（ｔ）は時間ｔの関数として扱っているが、θは周波数ｆの関数、または、周波数ｆおよび時間ｔの関数であってもよい。位相変更については、後で説明する。
【０１２３】
パワー変更部Ｈ１０１０Ａは、重み付け合成後の信号ｚ１’（ｔ）（Ｈ１００７Ａ）、制御信号Ｈ１０１２を入力とし、制御信号Ｈ１０１２に基づき、係数ａを設定し（ａは実数。ただし、ａはゼロではない（ａ≠０）。）、重み付け合成後の信号ｚ１’（ｔ）（Ｈ１００７Ａ）に係数ａを乗算し、パワー変更後の信号Ｈ１０１１Ａ（ｚ１（ｔ）＝ａ×ｚ１’（ｔ））を出力する（パワー変更後の信号Ｈ１０１１Ａをｚ１（ｔ）とする）。
【０１２４】
パワー変更部Ｈ１０１０Ｂは、位相変更後の信号Ｈ１００９（ｚ２’’（ｔ））、制御信号Ｈ１０１２を入力とし、制御信号Ｈ１０１２に基づき、係数ｂを設定し（ｂは実数。ただし、ｂはゼロではない（ｂ≠０）。）、位相変更後の信号Ｈ１００９（ｚ２’’（ｔ））に係数ｂを乗算し、パワー変更後の信号Ｈ１０１１Ｂ（ｚ２（ｔ）＝ｂ×ｚ２’’（ｔ））を出力する（パワー変更後の信号Ｈ１０１１Ｂをｚ２（ｔ）とする）。
【０１２５】
なお、パワー変更部Ｈ１０１０Ａ、パワー変更部Ｈ１０１０Ｂは、パワーを変更せずに、入力信号であるマッピング後の信号をそのまま出力してもよい。（このとき、ａ＝１．０、ｂ＝１．０となる。）このような処理をするとき、パワー変更部Ｈ１０１０Ａ、パワー変更部Ｈ１０１０Ｂは、図１２において存在しなくてもよい（図Ｈ１１についても同様）。
【０１２６】
以上より、ｓ１（ｔ）、ｓ２（ｔ）とｚ１（ｔ）、ｚ２（ｔ）の関係は、以下のようにあらわされる。
【０１２７】
【数１３】
2019193278.tif 000015
【０１２８】
上式を、次式としても、上式と等価である。
【０１２９】
【数１４】
2019193278.tif 000016
【０１３０】
上式を実現するためには、図１２において、位相変更部Ｈ１００８とパワー変更部Ｈ１０１０Ｂの位置を入れ替えることになる。そのときの構成を図１３に示す。図１３は、図１２と同様に、（式１４）を実行することになり、説明は同様となるので、詳細の説明は省略する。なお、図１３において、「位相変更部Ｈ１０２０は、入力信号に対し、位相変更を行い、位相変更後の信号を出力し」、「パワー変更部Ｈ１０１０Ｂは、入力信号に対し、パワー変更を行い、パワー変更後の信号を出力する」、という動作を行うことになる。
【０１３１】
なお、ｚ１（ｔ）、ｚ２（ｔ）は、同一時刻、同一周波数（共通の周波数）を用いて、異なるアンテナから送信されることになる。
【０１３２】
ｚ１（ｔ）、ｚ２（ｔ）は時間ｔの関数と扱っているが、ｚ１（ｔ）、ｚ２（ｔ）は、周波数ｆの関数であってもよいし、時間ｔおよび周波数ｆの関数であってもよい（したがって、ｚ１（ｆ）、ｚ２（ｆ）、または、ｚ１（ｔ，ｆ）、ｚ２（ｔ，ｆ）とあらわしてもよい、）が、ここでは、一例として、時間ｔの関数であるものとして説明した。
【０１３３】
よって、ｚ１（ｔ）、ｚ２（ｔ）、ｚ１’（ｔ）、ｚ２’（ｔ）、ｚ２’’（ｔ）も時間の関数としているが、周波数ｆの関数であってもよいし、時間ｔおよび周波数ｆの関数であってもよい。
【０１３４】
図１４は、図１２、図１３の信号処理を行ったあとの信号処理に関する構成を示している。挿入部Ｈ１２２４Ａは、変調信号Ｈ１２２１Ａ、パイロットシンボルの信号Ｈ１２２２Ａ、制御情報シンボルの信号Ｈ１２２３Ａ、制御信号Ｈ１２１２を入力とし、制御信号Ｈ１２１２に含まれる送信方法およびフレーム構成に関する情報に基づき、変調信号Ｈ１２２１Ａ、パイロットシンボルの信号Ｈ１２２２Ａ、制御情報シンボルの信号Ｈ１２２３Ａからフレーム構成に基づいたベースバンド信号Ｈ１２２５Ａを生成し、出力する。なお、変調信号Ｈ１２２１Ａは、図１２、または、図１３におけるｚ１（ｔ）に相当する。
【０１３５】
同様に、挿入部Ｈ１２２４Ｂは、変調信号Ｈ１２２１Ｂ、パイロットシンボルの信号Ｈ１２２２Ｂ、制御情報シンボルの信号Ｈ１２２３Ｂ、制御信号Ｈ１２１２を入力とし、制御信号Ｈ１２１２に含まれる送信方法およびフレーム構成に関する情報に基づき、変調信号Ｈ１２２１Ｂ、パイロットシンボルの信号Ｈ１２２２Ｂ、制御情報シンボルの信号Ｈ１２２３Ｂからフレーム構成に基づいたベースバンド信号Ｈ１２２５Ｂを生成し、出力する。なお、変調信号Ｈ１２２１Ｂは、図１２、または、図１３におけるｚ２（ｔ）に相当する。
【０１３６】
無線部Ｈ１２２６Ａは、ベースバンド信号Ｈ１２２５Ａ、制御信号Ｈ１２１２を入力とし、制御信号Ｈ１２１２に基づき、例えば、ＯＦＤＭ（Orthogonal Frequency Division Multiplexing）方式を使用しているとき、逆フーリエ変換を施し、また、直交変調、周波数変換、増幅などの処理を施し、送信信号Ｈ１２２６Ａを生成し、出力する。そして、送信信号Ｈ１２２６Ａは電波として、アンテナＨ１２２８Ａから出力される。
【０１３７】
同様に、無線部Ｈ１２２６Ｂは、ベースバンド信号Ｈ１２２５Ｂ、制御信号Ｈ１２１２を入力とし、制御信号Ｈ１２１２に基づき、例えば、ＯＦＤＭ方式を使用しているとき、逆フーリエ変換を施し、また、直交変調、周波数変換、増幅などの処理を施し、送信信号Ｈ１２２６Ｂを生成し、出力する。そして、送信信号Ｈ１２２６Ｂは電波として、アンテナＨ１２２８Ｂから出力される。
【０１３８】
図１５は、図１２、図１３で説明したｚ１（ｔ）、ｚ２（ｔ）を含む各アンテナで送信する変調信号のフレーム構成の一例を示している。図１５において、横軸周波数（キャリア）、縦軸時間を示している。なお、簡単のため、図１５のフレーム構成では、制御情報シンボルを記載していない。
【０１３９】
図１５のフレーム構成では、キャリア１からキャリア３６、時刻＄１から時刻＄１１のフレーム構成を示している。図１５のＨ１３０１はパイロットシンボル（グループ１の規則にしたがっている。）を示しており、Ｈ１３０２はパイロットシンボル（グループ２の規則にしたがっている。）を示しており、Ｈ１３０３はデータシンボルを示している。
【０１４０】
図１４の送信信号Ｈ１２２７Ａのフレーム構成は、図１５のとおりであり、データシンボルとパイロットシンボルを含んだシンボルを送信している。このとき、データシンボルＨ１３０３がｚ１（ｔ）に相当するシンボルであり、ｓ１（ｔ）の成分とｓ２（ｔ）の成分を含んでいる（ただし、プリコーディング行列しだいでは、ｓ１（ｔ）の成分、ｓ２（ｔ）の成分いずれかいっぽうしか含んでいないことがある）。
【０１４１】
図１４の送信信号Ｈ１２２７Ｂのフレーム構成は、図１５のとおりであり、データシンボルとパイロットシンボルを含んだシンボルを送信している。このとき、データシンボルＨ１３０３がｚ２（ｔ）に相当するシンボルであり、ｓ１（ｔ）の成分とｓ２（ｔ）の成分を含んでいる（ただし、プリコーディング行列しだいでは、ｓ１（ｔ）の成分、ｓ２（ｔ）の成分いずれかいっぽうしか含んでいないことがある）。
【０１４２】
なお、送信信号Ｈ１２２７Ａのフレーム構成におけるパイロットシンボルと送信信号Ｈ１２２７Ｂのフレーム構成におけるパイロットシンボルは、同一の構成（同一の同相成分と直交成分をもつ）ということを意味しているわけではなく、それぞれ、送信信号Ｈ１２２７Ａ、送信信号Ｈ１２２７Ｂはそれぞれある規則にしたがったパイロットシンボルを含んでいることになる。
【０１４３】
なお、フレーム構成は、図１５に限ったものではなく、伝送方法、変調方式、誤り訂正方法に関する情報を含む制御情報シンボルをフレームの中に含んでいてもよい。
【０１４４】
また、パイロットシンボルとヌルシンボル（同相成分Ｉ＝０、直交成分Ｑ＝０）による構成であってもよい。例えば、送信信号Ｈ１２２７Ａでパイロットシンボルを送信したキャリア、時刻において、送信信号Ｈ１２２７Ｂはヌルシンボルを送信する。逆に、送信信号Ｈ１２２７Ｂでパイロットシンボルを送信したキャリア、時刻において、送信信号Ｈ１２２７Ａはヌルシンボルを送信する。
【０１４５】
また、これらとは異なるパイロットシンボルの構成であってもよい。重要な点は、受信装置において、送信信号Ｈ１２２７Ａのチャネル変動と送信信号Ｈ１２２７Ｂのチャネル変動が求められることである。
【０１４６】
図１６は、本実施の形態における送信装置と受信装置の関係を示している。そして、上記では、送信装置の動作について説明した。以下では、受信装置の動作について説明する。
【０１４７】
図１６において、Ｈ１４０１は送信装置、Ｈ１４０２は受信装置を示している。受信装置のアンテナＲ１の受信信号をｒ１、アンテナＲ２の受信信号をｒ２、送受信機のアンテナ間の電波伝搬の係数（チャネル変動）をｈ１１，ｈ１２、ｈ２１、ｈ２２とすると、以下の関係式が成立する。
【０１４８】
【数１５】
2019193278.tif 000017
【０１４９】
上式において、ｎ１、ｎ２はノイズである。
【０１５０】
なお、（式１５）において、各変数は、時間ｔの関数としているが、周波数ｆの関数であってもよいし、時間ｔおよび周波数ｆの関数であってもよい（ここでは、一例とし、時間ｔの関数として説明している）。
【０１５１】
図１６のチャネル推定部Ｈ１４０３Ａは、上式のｈ１１（ｔ）、ｈ１２（ｔ）を推定することになり、これらの値の推定は、例えば、図１５のパイロットシンボルを用いて、行われることになる。図１６のチャネル推定部Ｈ１４０３Ｂは、上式のｈ２１（ｔ）、ｈ２２（ｔ）を推定することになり、これらの値の推定は、例えば、図１５のパイロットシンボルを用いて、行われることになる。
【０１５２】
そして、図１６の信号処理部Ｈ１４０４は、上式の関係を用いて、送信装置が伝送したデータの各ビットの対数尤度比を得、その後、デインタリーブや誤り訂正復号等の処理を行い、受信情報を得ることになる。
【０１５３】
次に、図１２、図１３の、ｓ１、ｓ２のマッピング方法、プリコーディング行列、位相変更に関する切り替え方の例について説明する。
【０１５４】
まず、（式１２）のθ（ｔ）の与え方について説明する。シンボル番号をｉ（ｉは０以上の整数とする。）とする。このとき、θ（ｉ）が取り得る値として、Ｎ種類（ただし、Ｎは２以上の整数とする）の位相の値を与えるものとする。このとき、Ｎ種類の位相の値をPhase[ｋ]（ただし、ｋは0以上Ｎ−１以下の整数とし、０ラジアン≦Phase[ｋ]  ＜２πラジアンとする。）とあらわす。なお、θ（ｉ）において、Phase[k]のＮ種類の位相の値はすべて使用されるものとする。すると、以下の条件が成立することが、受信装置が高いデータの受信品質を得るために重要となる。
【０１５５】
＜条件＃１＞
ｘは0以上Ｎ−１以下の整数とし、ｙは0以上Ｎ-1以下の整数とし、ｘ≠ｙとし、これらを満たす、すべてのｘ、すべてのｙにおいて、Phase[ｘ]≠Phase[ｙ]が成立する。
【０１５６】
さらに、次の条件を満たすとよい。
【０１５７】
＜条件＃２＞
ｘは0以上Ｎ−３以下の整数とし、これらを満たす、すべてのｘにおいて、Phase[ｘ＋２]-Phase[ｘ＋１]=Phase[ｘ＋１]―Phase[ｘ]が成立する（ただし、＜条件＃２＞を満たさなくても、受信装置は高いデータの受信品質を得られる可能性がある）。
【０１５８】
そして、ｉを０以上Ｇ以下の整数として使用した場合（ただし、ＧはＮ−１以上の整数であるものとする。）、θ（ｉ）は、Phase[k]（kは0以上N-1以下の整数）のＮ種類の位相の値、すべてを使用することになる。
【０１５９】
一例として、θ（ｉ）＝Phase[ｉ mod Ｎ]と与える方法がある。なお、mod はmoduloであり、したがって、「ｉ mod Ｎ」ｉをＮで除算したときの余りを意味する。
【０１６０】
次に、図１２、図１３のｓ１、ｓ２のマッピングについて説明する。
【０１６１】
はじめに、（ｓ１（ｔ）の変調方式，ｓ２（ｔ）の変調方式）＝（１６ＱＡＭ，１６ＱＡＭ）のときを考える。
【０１６２】
上述のように、１６ＱＡＭのマッピング方法として、「１６ＱＡＭマッピング方法＃０」、「１６ＱＡＭマッピング方法＃１」、「１６ＱＡＭマッピング方法＃２」、「１６ＱＡＭマッピング方法＃３」について説明した。
【０１６３】
このとき、「１６ＱＡＭマッピング方法＃０」、「１６ＱＡＭマッピング方法＃１」、「１６ＱＡＭマッピング方法＃２」、「１６ＱＡＭマッピング方法＃３」のいずれかに属する１６ＱＡＭの信号点配置方法をＭ種類用意する（Ｍは２以上の整数とする、）（送信装置において）。このとき、以下条件を満たすことになる。
【０１６４】
＜条件＃３＞
以下の＜３−１＞、＜３−２＞、＜３−３＞、＜３−４＞のいずれかを満たすものとする。
【０１６５】
＜３−１＞
ｓ１（ｉ）において、Ｍ種類の信号点配置方法すべてが使用される。
【０１６６】
＜３−２＞
ｓ２（ｉ）において、Ｍ種類の信号点配置方法すべてが使用される。
【０１６７】
＜３−３＞
ｓ１（ｉ）において、Ｍ種類の信号点配置方法すべてが使用されるものとし、かつ、ｓ２（ｉ）においても、Ｍ種類の信号点配置方法すべてが使用されるものとする。
【０１６８】
＜３−４＞
ｓ１（ｉ）で使用されている信号点配置方法とｓ２（ｉ）で使用されている信号点配置方法をあわせた場合に、Ｍ種類の信号点配置方法すべてが使用されている。
【０１６９】
そして、Ｍ種類の１６ＱＡＭのマッピングを、「１６ＱＡＭ信号点配置＄ｋ」とあらわす。（ｋは０以上Ｍ−１以下の整数とする）すると、以下が成立する。
【０１７０】
＜条件＃４＞
ｘは０以上Ｍ−１以下の整数とし、ｙは０以上Ｍ−１以下の整数とし、ｘ≠ｙとし、これらを満たす、すべてのｘ、すべてのｙで以下が成立する。
【０１７１】
｛
「１６ＱＡＭ信号点配置＄ｘ」の同相Ｉ―直交Ｑ平面における１６個の信号点の座標を（Ｉｘ，ｉ，Ｑｘ，ｉ）とあらわし（ｉは０以上１５以下の整数）、「１６ＱＡＭ信号点配置＄ｙ」の同相Ｉ―直交Ｑ平面における１６個の信号点の座標を（Ｉｙ，ｊ，Ｑｙ，ｊ）とあらわすものとする（ｊは０以上１５以下の整数）。このとき、
｛ｊは０以上１５以下の整数としたとき、これを満たす、すべてのｊにおいて、Ｉｘ，ｉ≠Ｉｙ，ｊを満たすｉが存在する｝、または｛ｊは０以上１５以下の整数としたとき、これを満たす、すべてのｊにおいて、Ｑｘ，ｉ≠Ｑｙ，ｊを満たすｉが存在する｝
｝
これらの条件を満たすことで、受信装置において、同相Ｉ−直交Ｑ平面における２５６点の受信候補信号点（１６ＱＡＭの信号を２系統同時に受信することになるため、候補信号点は１６×１６＝２５６点存在することになる。）の最小ユークリッドが小さい状態が定常的に発生する（特に、電波伝搬環境において直接波が支配的な場合。）可能性を低くすることができ、これにより、受信装置は、高いデータの受信品質を得ることができる可能性が高くなるという効果を得ることができる。
【０１７２】
ところで、１６ＱＡＭ信号点配置＄ｇ、１６ＱＡＭ信号点配置＄ｈにおいて、「ｇ＝ｈ」とした場合、以下が成立するものとする。
【０１７３】
｛
「１６ＱＡＭ信号点配置＄ｇ」の同相Ｉ―直交Ｑ平面における１６個の信号点の座標を（Ｉｇ，ｉ，Ｑｇ，ｉ）とあらわし（ｉは０以上１５以下の整数）、「１６ＱＡＭ信号点配置＄ｈ」の同相Ｉ―直交Ｑ平面における１６個の信号点の座標を（Ｉｈ，ｊ，Ｑｈ，ｊ）とあらわすものとする（ｊは０以上１５以下の整数）。このとき、
｛ｋは０以上１５以下の整数としたとき、これを満たす、すべてのｋにおいて、Ｉｇ，ｋ＝Ｉｈ，ｋ、かつ、Ｑｇ，ｋ＝Ｑｈ，ｋ、が成立する場合が存在する｝
｝
「ｇ≠ｈ」とした場合、以下を満たす。
【０１７４】
｛
「１６ＱＡＭ信号点配置＄ｇ」の同相Ｉ―直交Ｑ平面における１６個の信号点の座標を（Ｉｇ，ｉ，Ｑｇ，ｉ）とあらわし（ｉは０以上１５以下の整数）、「１６ＱＡＭ信号点配置＄ｈ」の同相Ｉ―直交Ｑ平面における１６個の信号点の座標を（Ｉｈ，ｊ，Ｑｈ，ｊ）とあらわすものとする（ｊは０以上１５以下の整数）。このとき、
｛ｋは０以上１５以下の整数としたとき、これを満たす、すべてのｋにおいて、Ｉｇ，ｋ＝Ｉｈ，ｋ、かつ、Ｑｇ，ｋ＝Ｑｈ，ｋ、が成立する場合が存在しない｝
｝
ここで、マッピングセットを定義する。
【０１７５】
マッピングセットを、「（ｓ１（ｔ）の１６ＱＡＭ信号点配置＄ｐ１，ｓ２（ｔ）の１６ＱＡＭ信号点配置＄ｐ２）」と定義する。
【０１７６】
このとき、同一のマッピングのセットとは以下が成立することである。
【０１７７】
「第１のマッピングセットが（ｓ１（ｔ）の１６ＱＡＭ信号点配置＄ｐ１，ｓ２（ｔ）の１６ＱＡＭ信号点配置＄ｐ２）であり、第２のマッピングセットが（ｓ１（ｔ）の１６ＱＡＭ信号点配置＄ｑ１，ｓ２（ｔ）の１６ＱＡＭ信号点配置＄ｑ２）のとき、第１のマッピングセットど第２のマッピングセットが同一のマッピングセットの場合、ｐ１＝ｑ１、かつ、ｐ２＝ｑ２が成立する。」
そして、異なるマッピングセットとは以下が成立することである。
【０１７８】
「第１のマッピングセットが（ｓ１（ｔ）の１６ＱＡＭ信号点配置＄ｐ１，ｓ２（ｔ）の１６ＱＡＭ信号点配置＄ｐ２）であり、第２のマッピングセットが（ｓ１（ｔ）の１６ＱＡＭ信号点配置＄ｑ１，ｓ２（ｔ）の１６ＱＡＭ信号点配置＄ｑ２）のとき、第１のマッピングセットど第２のマッピングセットが異なるのマッピングセットの場合、ｐ１≠ｑ１、または、ｐ２≠ｑ２が成立する。」
このとき、送信装置（図１２、図１３のマッピング部）は、Ｌ種類のマッピングセットを用意し（Ｌは２以上の整数とする。）、Ｌ種類のマッピングセットを「マッピングセット※ｋ」（ｋは０以上Ｌ−１以下の整数とする）する。このとき、以下を満たすことになる。
【０１７９】
＜条件＃５＞
ｘは０以上Ｌ−１以下の整数とし、ｙは０以上Ｌ−１以下の整数とし、ｘ≠ｙとし、これらを満たす、すべてのｘ、すべてのｙにおいて、「マッピングセット※ｘ」と「マッピングセット※ｙ」は異なるマッピングセットである。
【０１８０】
そして、以下の条件を与える。
【０１８１】
＜条件＃６＞
ｘは０以上Ｌ−１以下の整数とし、これを満たす、すべてのｘにおいて、以下を満たす。
【０１８２】
｛「マッピングセット※ｘ」で生成したｓ１、ｓ２を用いて生成した信号に対し、図１２または図１３（または、図１８、図１９、図２０、図２１）の（重み付け合成部の後の）位相変更部で位相変更を行うことになる。このとき、位相変更値θとして、Phase[k]のＮ種類の位相の値はすべて使用されるものとする。｝
ここで、＜条件＃６＞の例を説明する。位相変更値として、Ｎ＝２種類の位相の値があるものとする。したがって、Phase[0],  Phase[1]が存在することになる。そして、Ｌ＝３種類のマッピングセットが存在するものとする。したがって、「マッピングセット※０」、「マッピングセット※１」、「マッピングセット※２」が存在することになる。このとき、＜条件＃６＞を満たす場合を図Ｈ１５に図示している。
【０１８３】
図１７において、横軸は時間番号（スロット番号）ｉとしている。
【０１８４】
このとき、「マッピングセット※０」に着目する。時間番号０において、図１２、または、図１３におけるマッピング部では「マッピングセット※０」によるマッピングを行い、その後、位相変更部はPhase[0]用いて位相変更を行うことになる。
【０１８５】
時間番号１において、図１２、または、図１３におけるマッピング部では「マッピングセット※０」によるマッピングを行い、その後、位相変更部はPhase[1]用いて位相変更を行うことになる。
【０１８６】
したがって、「マッピングセット※０」のとき、図１２、または、図１３の位相変更部はPhase[k]のＮ＝２種類の位相の値すべてを使用していることになる。
【０１８７】
次に、「マッピングセット※１」に着目する。時間番号２において、図１２、または、図１３におけるマッピング部では「マッピングセット※１」によるマッピングを行い、その後、位相変更部はPhase[0]用いて位相変更を行うことになる。
【０１８８】
時間番号３において、図１２、または、図１３におけるマッピング部では「マッピングセット※０」によるマッピングを行い、その後、位相変更部はPhase[1]用いて位相変更を行うことになる。
【０１８９】
したがって、「マッピングセット※１」のとき、図１２、または、図１３の位相変更部はPhase[k]のＮ＝２種類の位相の値すべてを使用していることになる。
【０１９０】
「マッピングセット※２」に着目する。時間番号４において、図１２、または、図１３におけるマッピング部では「マッピングセット※２」によるマッピングを行い、その後、位相変更部はPhase[0]用いて位相変更を行うことになる。
【０１９１】
時間番号５において、図１２、または、図１３におけるマッピング部では「マッピングセット※２」によるマッピングを行い、その後、位相変更部はPhase[1]用いて位相変更を行うことになる。
【０１９２】
したがって、「マッピングセット※２」のとき、図１２、または、図１３の位相変更部はPhase[k]のＮ＝２種類の位相の値すべてを使用していることになる。
【０１９３】
以上より、図１７の場合、＜条件＃６＞を満たしていることになる。これにより、受信装置において、同相Ｉ−直交Ｑ平面における２５６点の受信候補信号点（１６ＱＡＭの信号を２系統同時に受信することになるため、候補信号点は１６×１６＝２５６点存在することになる。）の最小ユークリッドが小さい状態が定常的に発生する（特に、電波伝搬環境において直接波が支配的な場合。）可能性を低くすることができ、これにより、受信装置は、高いデータの受信品質を得ることができる可能性が高くなるという効果を得ることができる。
【０１９４】
なお、＜条件＃６＞のかわりに、以下の条件を満たす場合でも同様の効果を得ることができる可能性がある。
【０１９５】
＜条件＃７＞
ｘは０以上Ｌ−１以下の整数とし、これを満たす、ｘにおいて、以下を満たす、ｘが存在する。
【０１９６】
｛「マッピングセット※ｘ」で生成したｓ１、ｓ２を用いて生成した信号に対し、図１２または図１３（または、図１８、図１９、図２０、図２１）の（重み付け合成部の後の）位相変更部で位相変更を行うことになる。このとき、位相変更値θとして、Phase[k]のＮ種類の位相の値はすべて使用されるものとする。｝
次に、図１２、図１３のｓ１、ｓ２のマッピングにおいて、（ｓ１（ｔ）の変調方式，ｓ２（ｔ）の変調方式）＝（６４ＱＡＭ，６４ＱＡＭ）のときを考える。
【０１９７】
上述のように、６４ＱＡＭのマッピング方法として、「６４ＱＡＭマッピング方法＃０」、「６４ＱＡＭマッピング方法＃１」、「６４ＱＡＭマッピング方法＃２」、「６４ＱＡＭマッピング方法＃３」について説明した。
【０１９８】
このとき、「６４ＱＡＭマッピング方法＃０」、「６４ＱＡＭマッピング方法＃１」、「６４ＱＡＭマッピング方法＃２」、「６４ＱＡＭマッピング方法＃３」のいずれかに属する６４ＱＡＭの信号点配置方法をＭ種類用意する（Ｍは２以上の整数とする、）（送信装置において）。このとき、以下条件を満たすことになる。
【０１９９】
＜条件＃８＞
以下の＜８−１＞、＜８−２＞、＜８−３＞、＜８−４＞のいずれかを満たすものとする。
【０２００】
＜８−１＞
ｓ１（ｉ）において、Ｍ種類の信号点配置方法すべてが使用される。
【０２０１】
＜８−２＞
ｓ２（ｉ）において、Ｍ種類の信号点配置方法すべてが使用される。
【０２０２】
＜８−３＞
ｓ１（ｉ）において、Ｍ種類の信号点配置方法すべてが使用されるものとし、かつ、ｓ２（ｉ）においても、Ｍ種類の信号点配置方法すべてが使用されるものとする。
【０２０３】
＜８−４＞
ｓ１（ｉ）で使用されている信号点配置方法とｓ２（ｉ）で使用されている信号点配置方法をあわせた場合に、Ｍ種類の信号点配置方法すべてが使用されている。
【０２０４】
そして、Ｍ種類の６４ＱＡＭのマッピングを、「６４ＱＡＭ信号点配置＄ｋ」とあらわす。（ｋは０以上Ｍ−１以下の整数とする）すると、以下が成立する。
【０２０５】
＜条件＃９＞
ｘは０以上Ｍ−１以下の整数とし、ｙは０以上Ｍ−１以下の整数とし、ｘ≠ｙとし、これらを満たす、すべてのｘ、すべてのｙで以下が成立する。
【０２０６】
｛
「６４ＱＡＭ信号点配置＄ｘ」の同相Ｉ―直交Ｑ平面における６４個の信号点の座標を（Ｉｘ，ｉ，Ｑｘ，ｉ）とあらわし（ｉは０以上６３以下の整数）、「６４ＱＡＭ信号点配置＄ｙ」の同相Ｉ―直交Ｑ平面における６４個の信号点の座標を（Ｉｙ，ｊ，Ｑｙ，ｊ）とあらわすものとする（ｊは０以上６３以下の整数）。このとき、
｛ｊは０以上６３以下の整数としたとき、これを満たす、すべてのｊにおいて、Ｉｘ，ｉ≠Ｉｙ，ｊを満たすｉが存在する｝、または｛ｊは０以上６３以下の整数としたとき、これを満たす、すべてのｊにおいて、Ｑｘ，ｉ≠Ｑｙ，ｊを満たすｉが存在する｝
｝
これらの条件を満たすことで、受信装置において、同相Ｉ−直交Ｑ平面における４０９６点の受信候補信号点（６４ＱＡＭの信号を２系統同時に受信することになるため、候補信号点は６４×６４＝４０９６点存在することになる。）の最小ユークリッドが小さい状態が定常的に発生する（特に、電波伝搬環境において直接波が支配的な場合。）可能性を低くすることができ、これにより、受信装置は、高いデータの受信品質を得ることができる可能性が高くなるという効果を得ることができる。
【０２０７】
ところで、６４ＱＡＭ信号点配置＄ｇ、６４ＱＡＭ信号点配置＄ｈにおいて、「ｇ＝ｈ」が成立した場合、以下が成立するものとする。
【０２０８】
｛
「６４ＱＡＭ信号点配置＄ｇ」の同相Ｉ―直交Ｑ平面における６４個の信号点の座標を（Ｉｇ，ｉ，Ｑｇ，ｉ）とあらわし（ｉは０以上６３以下の整数）、「６４ＱＡＭ信号点配置＄ｈ」の同相Ｉ―直交Ｑ平面における６４個の信号点の座標を（Ｉｈ，ｊ，Ｑｈ，ｊ）とあらわすものとする（ｊは０以上６３以下の整数）。このとき、
｛ｋは０以上６３以下の整数としたとき、これを満たす、すべてのｋにおいて、Ｉｇ，ｋ＝Ｉｈ，ｋ、かつ、Ｑｇ，ｋ＝Ｑｈ，ｋ、が成立する場合が存在する｝
｝
「ｇ≠ｈ」とした場合、以下を満たす。
【０２０９】
｛
「６４ＱＡＭ信号点配置＄ｇ」の同相Ｉ―直交Ｑ平面における６４個の信号点の座標を（Ｉｇ，ｉ，Ｑｇ，ｉ）とあらわし（ｉは０以上６３以下の整数）、「６４ＱＡＭ信号点配置＄ｈ」の同相Ｉ―直交Ｑ平面における６４個の信号点の座標を（Ｉｈ，ｊ，Ｑｈ，ｊ）とあらわすものとする（ｊは０以上６３以下の整数）。このとき、
｛ｋは０以上６３以下の整数としたとき、これを満たす、すべてのｋにおいて、Ｉｇ，ｋ＝Ｉｈ，ｋ、かつ、Ｑｇ，ｋ＝Ｑｈ，ｋ、が成立する場合が存在しない｝
｝
ここで、マッピングセットを定義する。
【０２１０】
マッピングセットを、「（ｓ１（ｔ）の６４ＱＡＭ信号点配置＄ｐ１，ｓ２（ｔ）の６４ＱＡＭ信号点配置＄ｐ２）」と定義する。
【０２１１】
このとき、同一のマッピングのセットとは以下が成立することである。
【０２１２】
「第１のマッピングセットが（ｓ１（ｔ）の６４ＱＡＭ信号点配置＄ｐ１，ｓ２（ｔ）の６４ＱＡＭ信号点配置＄ｐ２）であり、第２のマッピングセットが（ｓ１（ｔ）の６４ＱＡＭ信号点配置＄ｑ１，ｓ２（ｔ）の６４ＱＡＭ信号点配置＄ｑ２）のとき、第１のマッピングセットど第２のマッピングセットが同一のマッピングセットの場合、ｐ１＝ｑ１、かつ、ｐ２＝ｑ２が成立する。」
そして、異なるマッピングセットとは以下が成立することである。
【０２１３】
「第１のマッピングセットが（ｓ１（ｔ）の６４ＱＡＭ信号点配置＄ｐ１，ｓ２（ｔ）の６４ＱＡＭ信号点配置＄ｐ２）であり、第２のマッピングセットが（ｓ１（ｔ）の６４ＱＡＭ信号点配置＄ｑ１，ｓ２（ｔ）の６４ＱＡＭ信号点配置＄ｑ２）のとき、第１のマッピングセットど第２のマッピングセットが異なるのマッピングセットの場合、ｐ１≠ｑ１、または、ｐ２≠ｑ２が成立する。」
このとき、送信装置（図１２、図１３のマッピング部）は、Ｌ種類のマッピングセットを用意し（Ｌは２以上の整数とする。）、Ｌ種類のマッピングセットを「マッピングセット※ｋ」（ｋは０以上Ｌ−１以下の整数とする）する。このとき、以下を満たすことになる。
【０２１４】
＜条件＃１０＞
ｘは０以上Ｌ−１以下の整数とし、ｙは０以上Ｌ−１以下の整数とし、ｘ≠ｙとし、これらを満たす、すべてのｘ、すべてのｙにおいて、「マッピングセット※ｘ」と「マッピングセット※ｙ」は異なるマッピングセットである。
【０２１５】
そして、以下の条件を与える。
【０２１６】
＜条件＃１１＞
ｘは０以上Ｌ−１以下の整数とし、これを満たす、すべてのｘにおいて、以下を満たす。
【０２１７】
｛「マッピングセット※ｘ」で生成したｓ１、ｓ２を用いて生成した信号に対し、図１２または図１３（または、図１８、図１９、図２０、図２１）の（重み付け合成部の後の）位相変更部で位相変更を行うことになる。このとき、位相変更値θとして、Phase[k]のＮ種類の位相の値はすべて使用されるものとする。｝
ここで、＜条件＃１１＞の例を説明する。位相変更値として、Ｎ＝２種類の位相の値があるものとする。したがって、Phase[0],  Phase[1]が存在することになる。そして、Ｌ＝３種類のマッピングセットが存在するものとする。したがって、「マッピングセット※０」、「マッピングセット※１」、「マッピングセット※２」が存在することになる。このとき、＜条件＃１１＞を満たす場合を図１７に図示している。
【０２１８】
図１７において、横軸は時間番号（スロット番号）ｉとしている。
【０２１９】
このとき、「マッピングセット※０」に着目する。時間番号０において、図１２、または、図１３におけるマッピング部では「マッピングセット※０」によるマッピングを行い、その後、位相変更部はPhase[0]用いて位相変更を行うことになる。
【０２２０】
時間番号１において、図１２、または、図１３におけるマッピング部では「マッピングセット※０」によるマッピングを行い、その後、位相変更部はPhase[1]用いて位相変更を行うことになる。
【０２２１】
したがって、「マッピングセット※０」のとき、図１２、または、図１３の位相変更部はPhase[k]のＮ＝２種類の位相の値すべてを使用していることになる。
【０２２２】
次に、「マッピングセット※１」に着目する。時間番号２において、図１２、または、図１３におけるマッピング部では「マッピングセット※１」によるマッピングを行い、その後、位相変更部はPhase[0]用いて位相変更を行うことになる。
【０２２３】
時間番号３において、図１２、または、図１３におけるマッピング部では「マッピングセット※０」によるマッピングを行い、その後、位相変更部はPhase[1]用いて位相変更を行うことになる。
【０２２４】
したがって、「マッピングセット※１」のとき、図１２、または、図１３の位相変更部はPhase[k]のＮ＝２種類の位相の値すべてを使用していることになる。
【０２２５】
「マッピングセット※２」に着目する。時間番号４において、図１２、または、図１３におけるマッピング部では「マッピングセット※２」によるマッピングを行い、その後、位相変更部はPhase[0]用いて位相変更を行うことになる。
【０２２６】
時間番号５において、図１２、または、図１３におけるマッピング部では「マッピングセット※２」によるマッピングを行い、その後、位相変更部はPhase[1]用いて位相変更を行うことになる。
【０２２７】
したがって、「マッピングセット※２」のとき、図１２、または、図１３の位相変更部はPhase[k]のＮ＝２種類の位相の値すべてを使用していることになる。
【０２２８】
以上より、図１７の場合、＜条件＃１１＞を満たしていることになる。これにより、受信装置において、同相Ｉ−直交Ｑ平面における４０９６点の受信候補信号点（６４ＱＡＭの信号を２系統同時に受信することになるため、候補信号点は６４×６４＝４０９６点存在することになる。）の最小ユークリッドが小さい状態が定常的に発生する（特に、電波伝搬環境において直接波が支配的な場合。）可能性を低くすることができ、これにより、受信装置は、高いデータの受信品質を得ることができる可能性が高くなるという効果を得ることができる。
【０２２９】
なお、＜条件＃１１＞のかわりに、以下の条件を満たす場合でも同様の効果を得ることができる可能性がある。
【０２３０】
＜条件＃１２＞
ｘは０以上Ｌ−１以下の整数とし、これを満たす、ｘにおいて、以下を満たす、ｘが存在する。
【０２３１】
｛「マッピングセット※ｘ」で生成したｓ１、ｓ２を用いて生成した信号に対し、図１２または図１３（または、図１８、図１９、図２０、図２１）の（重み付け合成部の後の）位相変更部で位相変更を行うことになる。このとき、位相変更値θとして、Phase[k]のＮ種類の位相の値はすべて使用されるものとする。｝
次に、図１２、図１３のｓ１、ｓ２のマッピングにおいて、（ｓ１（ｔ）の変調方式，ｓ２（ｔ）の変調方式）＝（２５６ＱＡＭ，２５６ＱＡＭ）のときを考える。
【０２３２】
上述のように、２５６ＱＡＭのマッピング方法として、「２５６ＱＡＭマッピング方法＃０」、「２５６ＱＡＭマッピング方法＃１」、「２５６ＱＡＭマッピング方法＃２」、「２５６ＱＡＭマッピング方法＃３」について説明した。
【０２３３】
このとき、「２５６ＱＡＭマッピング方法＃０」、「２５６ＱＡＭマッピング方法＃１」、「２５６ＱＡＭマッピング方法＃２」、「２５６ＱＡＭマッピング方法＃３」のいずれかに属する２５６ＱＡＭの信号点配置方法をＭ種類用意する（Ｍは２以上の整数とする、）（送信装置において）。このとき、以下条件を満たすことになる。
【０２３４】
＜条件＃１３＞
以下の＜１３−１＞、＜１３−２＞、＜１３−３＞、＜１３−４＞のいずれかを満たすものとする。
【０２３５】
＜１３−１＞
ｓ１（ｉ）において、Ｍ種類の信号点配置方法すべてが使用される。
【０２３６】
＜１３−２＞
ｓ２（ｉ）において、Ｍ種類の信号点配置方法すべてが使用される。
【０２３７】
＜１３−３＞
ｓ１（ｉ）において、Ｍ種類の信号点配置方法すべてが使用されるものとし、かつ、ｓ２（ｉ）においても、Ｍ種類の信号点配置方法すべてが使用されるものとする。
【０２３８】
＜１３−４＞
ｓ１（ｉ）で使用されている信号点配置方法とｓ２（ｉ）で使用されている信号点配置方法をあわせた場合に、Ｍ種類の信号点配置方法すべてが使用されている。
【０２３９】
そして、Ｍ種類の２５６ＱＡＭのマッピングを、「２５６ＱＡＭ信号点配置＄ｋ」とあらわす。（ｋは０以上Ｍ−１以下の整数とする）すると、以下が成立する。
【０２４０】
＜条件＃１４＞
ｘは０以上Ｍ−１以下の整数とし、ｙは０以上Ｍ−１以下の整数とし、ｘ≠ｙとし、これらを満たす、すべてのｘ、すべてのｙで以下が成立する。
【０２４１】
｛
「２５６ＱＡＭ信号点配置＄ｘ」の同相Ｉ―直交Ｑ平面における２５６個の信号点の座標を（Ｉｘ，ｉ，Ｑｘ，ｉ）とあらわし（ｉは０以上２５５以下の整数）、「２５６ＱＡＭ信号点配置＄ｙ」の同相Ｉ―直交Ｑ平面における２５６個の信号点の座標を（Ｉｙ，ｊ，Ｑｙ，ｊ）とあらわすものとする（ｊは０以上２５５以下の整数）。このとき、
｛ｊは０以上２５５以下の整数としたとき、これを満たす、すべてのｊにおいて、Ｉｘ，ｉ≠Ｉｙ，ｊを満たすｉが存在する｝、または｛ｊは０以上２５５以下の整数としたとき、これを満たす、すべてのｊにおいて、Ｑｘ，ｉ≠Ｑｙ，ｊを満たすｉが存在する｝
｝
これらの条件を満たすことで、受信装置において、同相Ｉ−直交Ｑ平面における６５５３６点の受信候補信号点（２５６ＱＡＭの信号を２系統同時に受信することになるため、候補信号点は２５６×２５６＝６５５３６点存在することになる。）の最小ユークリッドが小さい状態が定常的に発生する（特に、電波伝搬環境において直接波が支配的な場合。）可能性を低くすることができ、これにより、受信装置は、高いデータの受信品質を得ることができる可能性が高くなるという効果を得ることができる。
【０２４２】
ところで、２５６ＱＡＭ信号点配置＄ｇ、２５６ＱＡＭ信号点配置＄ｈにおいて、「ｇ＝ｈ」が成立した場合、以下が成立するものとする。
【０２４３】
｛
「２５６ＱＡＭ信号点配置＄ｇ」の同相Ｉ―直交Ｑ平面における２５６個の信号点の座標を（Ｉｇ，ｉ，Ｑｇ，ｉ）とあらわし（ｉは０以上２５５以下の整数）、「２５６ＱＡＭ信号点配置＄ｈ」の同相Ｉ―直交Ｑ平面における２５６個の信号点の座標を（Ｉｈ，ｊ，Ｑｈ，ｊ）とあらわすものとする（ｊは０以上２５５以下の整数）。このとき、
｛ｋは０以上２５５以下の整数としたとき、これを満たす、すべてのｋにおいて、Ｉｇ，ｋ＝Ｉｈ，ｋ、かつ、Ｑｇ，ｋ＝Ｑｈ，ｋ、が成立する場合が存在する｝
｝
「ｇ≠ｈ」とした場合、以下を満たす。
【０２４４】
｛
「２５６ＱＡＭ信号点配置＄ｇ」の同相Ｉ―直交Ｑ平面における２５６個の信号点の座標を（Ｉｇ，ｉ，Ｑｇ，ｉ）とあらわし（ｉは０以上２５５以下の整数）、「２５６ＱＡＭ信号点配置＄ｈ」の同相Ｉ―直交Ｑ平面における２５６個の信号点の座標を（Ｉｈ，ｊ，Ｑｈ，ｊ）とあらわすものとする（ｊは０以上２５５以下の整数）。このとき、
｛ｋは０以上２５５以下の整数としたとき、これを満たす、すべてのｋにおいて、Ｉｇ，ｋ＝Ｉｈ，ｋ、かつ、Ｑｇ，ｋ＝Ｑｈ，ｋ、が成立する場合が存在しない｝
｝
ここで、マッピングセットを定義する。
【０２４５】
マッピングセットを、「（ｓ１（ｔ）の２５６ＱＡＭ信号点配置＄ｐ１，ｓ２（ｔ）の２５６ＱＡＭ信号点配置＄ｐ２）」と定義する。
【０２４６】
このとき、同一のマッピングのセットとは以下が成立することである。
【０２４７】
「第１のマッピングセットが（ｓ１（ｔ）の２５６ＱＡＭ信号点配置＄ｐ１，ｓ２（ｔ）の２５６ＱＡＭ信号点配置＄ｐ２）であり、第２のマッピングセットが（ｓ１（ｔ）の２５６ＱＡＭ信号点配置＄ｑ１，ｓ２（ｔ）の２５６ＱＡＭ信号点配置＄ｑ２）のとき、第１のマッピングセットど第２のマッピングセットが同一のマッピングセットの場合、ｐ１＝ｑ１、かつ、ｐ２＝ｑ２が成立する。」
そして、異なるマッピングセットとは以下が成立することである。
【０２４８】
「第１のマッピングセットが（ｓ１（ｔ）の２５６ＱＡＭ信号点配置＄ｐ１，ｓ２（ｔ）の２５６ＱＡＭ信号点配置＄ｐ２）であり、第２のマッピングセットが（ｓ１（ｔ）の２５６ＱＡＭ信号点配置＄ｑ１，ｓ２（ｔ）の２５６ＱＡＭ信号点配置＄ｑ２）のとき、第１のマッピングセットど第２のマッピングセットが異なるのマッピングセットの場合、ｐ１≠ｑ１、または、ｐ２≠ｑ２が成立する。」
このとき、送信装置（図１２、図１３のマッピング部）は、Ｌ種類のマッピングセットを用意し（Ｌは２以上の整数とする。）、Ｌ種類のマッピングセットを「マッピングセット※ｋ」（ｋは０以上Ｌ−１以下の整数とする）する。このとき、以下を満たすことになる。
【０２４９】
＜条件＃１５＞
ｘは０以上Ｌ−１以下の整数とし、ｙは０以上Ｌ−１以下の整数とし、ｘ≠ｙとし、これらを満たす、すべてのｘ、すべてのｙにおいて、「マッピングセット※ｘ」と「マッピングセット※ｙ」は異なるマッピングセットである。
【０２５０】
そして、以下の条件を与える。
【０２５１】
＜条件＃１６＞
ｘは０以上Ｌ−１以下の整数とし、これを満たす、すべてのｘにおいて、以下を満たす。
【０２５２】
｛「マッピングセット※ｘ」で生成したｓ１、ｓ２を用いて生成した信号に対し、図１２または図１３（または、図１８、図１９、図２０、図２１）の（重み付け合成部の後の）位相変更部で位相変更を行うことになる。このとき、位相変更値θとして、Phase[k]のＮ種類の位相の値はすべて使用されるものとする。｝
ここで、＜条件＃１６＞の例を説明する。位相変更値として、Ｎ＝２種類の位相の値があるものとする。したがって、Phase[0],  Phase[1]が存在することになる。そして、Ｌ＝３種類のマッピングセットが存在するものとする。したがって、「マッピングセット※０」、「マッピングセット※１」、「マッピングセット※２」が存在することになる。このとき、＜条件＃１６＞を満たす場合を図１７に図示している。
【０２５３】
図１７において、横軸は時間番号（スロット番号）ｉとしている。
【０２５４】
このとき、「マッピングセット※０」に着目する。時間番号０において、図１２、または、図１３におけるマッピング部では「マッピングセット※０」によるマッピングを行い、その後、位相変更部はPhase[0]用いて位相変更を行うことになる。
【０２５５】
時間番号１において、図１２、または、図１３におけるマッピング部では「マッピングセット※０」によるマッピングを行い、その後、位相変更部はPhase[1]用いて位相変更を行うことになる。
【０２５６】
したがって、「マッピングセット※０」のとき、図１２、または、図１３の位相変更部はPhase[k]のＮ＝２種類の位相の値すべてを使用していることになる。
【０２５７】
次に、「マッピングセット※１」に着目する。時間番号２において、図１２、または、図１３におけるマッピング部では「マッピングセット※１」によるマッピングを行い、その後、位相変更部はPhase[0]用いて位相変更を行うことになる。
【０２５８】
時間番号３において、図１２、または、図１３におけるマッピング部では「マッピングセット※０」によるマッピングを行い、その後、位相変更部はPhase[1]用いて位相変更を行うことになる。
【０２５９】
したがって、「マッピングセット※１」のとき、図１２、または、図１３の位相変更部はPhase[k]のＮ＝２種類の位相の値すべてを使用していることになる。
【０２６０】
「マッピングセット※２」に着目する。時間番号４において、図１２、または、図１３におけるマッピング部では「マッピングセット※２」によるマッピングを行い、その後、位相変更部はPhase[0]用いて位相変更を行うことになる。
【０２６１】
時間番号５において、図１２、または、図１３におけるマッピング部では「マッピングセット※２」によるマッピングを行い、その後、位相変更部はPhase[1]用いて位相変更を行うことになる。
【０２６２】
したがって、「マッピングセット※２」のとき、図１２、または、図１３の位相変更部はPhase[k]のＮ＝２種類の位相の値すべてを使用していることになる。
【０２６３】
以上より、図１７の場合、＜条件＃１６＞を満たしていることになる。これにより、受信装置において、同相Ｉ−直交Ｑ平面における６５５３６点の受信候補信号点（２５６ＱＡＭの信号を２系統同時に受信することになるため、候補信号点は２５６×２５６＝６５５３６点存在することになる。）の最小ユークリッドが小さい状態が定常的に発生する（特に、電波伝搬環境において直接波が支配的な場合。）可能性を低くすることができ、これにより、受信装置は、高いデータの受信品質を得ることができる可能性が高くなるという効果を得ることができる。
【０２６４】
なお、＜条件＃１６＞のかわりに、以下の条件を満たす場合でも同様の効果を得ることができる可能性がある。
【０２６５】
＜条件＃１７＞
ｘは０以上Ｌ−１以下の整数とし、これを満たす、ｘにおいて、以下を満たす、ｘが存在する。
【０２６６】
｛「マッピングセット※ｘ」で生成したｓ１、ｓ２を用いて生成した信号に対し、図１２または図１３（または、図１８、図１９、図２０、図２１）の（重み付け合成部の後の）位相変更部で位相変更を行うことになる。このとき、位相変更値θとして、Phase[k]のＮ種類の位相の値はすべて使用されるものとする。｝
上述では、図１２、図１３で生成したｚ１（ｔ）、ｚ２（ｔ）を、図１４を介して変調信号を送信する送信装置について説明したが、図１２、図１３のかわりに図１８、図１９、図２０、図２１で生成したｚ１（ｔ）、ｚ２（ｔ）を、図１４を介して変調信号を送信する送信装置であってもよい。以下では、図１８、図１９、図２０、図２１について説明する。
【０２６７】
まず、図１８について説明する。図１８において、図１２と同様に動作するものについては、同一番号を付している。
【０２６８】
図１８は、マッピング部Ｈ１００２は、情報に対し、誤り訂正符号化、インタリーブ（データの並び換え）等の処理を行った後に得られるデータＨ１００１、および、制御信号Ｈ１０１２を入力とし、制御信号Ｈ１０１２に基づき、ｓ１の変調方式、ｓ２の変調方式を設定し、ｓ１のためのマッピング、およびｓ２のためのマッピングを行い、マッピング後の信号ｓ１（ｔ）、（Ｈ１００３Ａ）およびマッピング後の信号ｓ２（ｔ）（Ｈ１００３Ｂ）を出力とする（ｓ１（ｔ）、ｓ２（ｔ）は複素数。）。なお、ｔは時間とするが、ｓ１，ｓ２は、周波数ｆの関数であってもよいし、時間ｔおよび周波数ｆの関数であってもよい（したがって、ｓ１（ｆ）、ｓ２（ｆ）、または、ｓ１（ｔ，ｆ）、ｓ２（ｔ，ｆ）とあらわしてもよい、）が、ここでは、一例として、時間ｔの関数であるものとする。
【０２６９】
位相変更部Ｈ１６０１は、マッピング後の信号ｓ２（ｔ）（Ｈ１００３Ｂ）および制御信号Ｈ１０１２を入力とし、制御信号Ｈ１０１２に基づき、規則的に変更する位相変更値λ（ｔ）を設定し、マッピング後の信号ｓ２（ｔ）（Ｈ１００３Ｂ）に対し、位相変更を行い、位相変更後の信号Ｈ１６０２（ｓ２’（ｔ））を出力する。したがって、位相変更後の信号Ｈ１６０２（ｓ２’（ｔ））は次式であらわされる。
【０２７０】
【数１６】
2019193278.tif 000018
【０２７１】
ただし、ｊは虚数単位である。なお、θ（ｔ）は時間ｔの関数として扱っているが、θは周波数ｆの関数、または、周波数ｆおよび時間ｔの関数であってもよい。位相変更については、後で説明する。
【０２７２】
パワー変更部Ｈ１００４Ａは、マッピング後の信号ｓ１（ｔ）、（Ｈ１００３Ａ）、および、制御信号Ｈ１０１２を入力とし、制御信号Ｈ１０１２に基づいて、係数ｕを設定し（ｕは実数。ただし、ｕはゼロではない（ｕ≠０）。）、マッピング後の信号ｓ１（ｔ）に係数ｕを乗算し、パワー変更後の信号Ｈ１００５Ａ（ｘ１（ｔ）＝ｕ×ｓ１（ｔ））を出力する（パワー変更後の信号Ｈ１００５Ａをｘ１（ｔ）とする）。
【０２７３】
パワー変更部Ｈ１００４Ｂは、位相変更後の信号Ｈ１６０２（ｓ２’（ｔ））、および、制御信号Ｈ１０１２を入力とし、制御信号Ｈ１０１２に基づいて、係数ｖを設定し（ｖは実数。ただし、ｖはゼロではない（ｖ≠０）。）、位相変更後の信号Ｈ１６０２（ｓ２’（ｔ））に係数ｖを乗算し、パワー変更後の信号Ｈ１００５Ｂ（ｘ２（ｔ）＝ｖ×ｓ２’（ｔ））を出力する（パワー変更後の信号Ｈ１００５Ｂをｘ２（ｔ）とする）。
【０２７４】
なお、パワー変更部Ｈ１００４Ａ、パワー変更部Ｈ１００４Ｂは、パワーを変更せずに、入力信号であるマッピング後の信号をそのまま出力してもよい。（このとき、ｕ＝１．０、ｖ＝１．０となる。）このような処理をするとき、パワー変更部Ｈ１００４Ａ、パワー変更部Ｈ１００４Ｂは、図１８において存在しなくてもよい（図１９、図２０、図２１についても同様）。
【０２７５】
重み付け合成部Ｈ１００６は、パワー変更後の信号Ｈ１００５Ａ（ｘ１（ｔ））、パワー変更後の信号Ｈ１００５Ｂ（ｘ２（ｔ））、制御信号Ｈ１０１２を入力とし、制御信号Ｈ１０１２に基づき、２行２列の複素数を要素とする行列（プリコーディング行列）Ｗを設定し、この行列Ｗとパワー変更後の信号Ｈ１００５Ａ（ｘ１（ｔ））、パワー変更後の信号Ｈ１００５Ｂ（ｘ２（ｔ））を乗算し（プリコーディング）、重み付け合成後の信号ｚ１’（ｔ）（Ｈ１００７Ａ）および重み付け合成後の信号ｚ２’（ｔ）（Ｈ１００７Ｂ）を出力する。
【０２７６】
上述の行列（プリコーディング行列）Ｗを次式であらわすものとする。
【０２７７】
【数１７】
2019193278.tif 000019
【０２７８】
なお、ｗ１１、ｗ１２、ｗ２１、ｗ２２は時間ｔの関数であってもよいし、時間ｔの関数でなくてもよい。なお、ｗ１１、ｗ１２、ｗ２１、ｗ２２は実数であってもよいし、複素数であってもよい。
【０２７９】
すると、重み付け合成後の信号ｚ１’（ｔ）（Ｈ１００７Ａ）および重み付け合成後の信号ｚ２’（ｔ）（Ｈ１００７Ｂ）は次式であらわされる。
【０２８０】
【数１８】
2019193278.tif 000020
【０２８１】
位相変更部Ｈ１００８は、重み付け合成後の信号ｚ２’（ｔ）（Ｈ１００７Ｂ）、制御信号Ｈ１０１２を入力とし、制御信号Ｈ１０１２に基づき、規則的に変更する位相変更値θ（ｔ）を設定し、重み付け合成後の信号ｚ２’（ｔ）（Ｈ１００７Ｂ）に対し、位相変更を行い、位相変更後の信号Ｈ１００９（ｚ２’’（ｔ））を出力する。したがって、位相変更後の信号Ｈ１００９（ｚ２’’（ｔ））は次式であらわされる。
【０２８２】
【数１９】
2019193278.tif 000021
【０２８３】
ただし、ｊは虚数単位である。なお、θ（ｔ）は時間ｔの関数として扱っているが、θは周波数ｆの関数、または、周波数ｆおよび時間ｔの関数であってもよい。位相変更については、後で説明する。
【０２８４】
パワー変更部Ｈ１０１０Ａは、重み付け合成後の信号ｚ１’（ｔ）（Ｈ１００７Ａ）、制御信号Ｈ１０１２を入力とし、制御信号Ｈ１０１２に基づき、係数ａを設定し（ａは実数。ただし、ａはゼロではない（ａ≠０）。）、重み付け合成後の信号ｚ１’（ｔ）（Ｈ１００７Ａ）に係数ａを乗算し、パワー変更後の信号Ｈ１０１１Ａ（ｚ１（ｔ）＝ａ×ｚ１’（ｔ））を出力する（パワー変更後の信号Ｈ１０１１Ａをｚ１（ｔ）とする）。
【０２８５】
パワー変更部Ｈ１０１０Ｂは、位相変更後の信号Ｈ１００９（ｚ２’’（ｔ））、制御信号Ｈ１０１２を入力とし、制御信号Ｈ１０１２に基づき、係数ｂを設定し（ｂは実数。ただし、ｂはゼロではない（ｂ≠０）。）、位相変更後の信号Ｈ１００９（ｚ２’’（ｔ））に係数ｂを乗算し、パワー変更後の信号Ｈ１０１１Ｂ（ｚ２（ｔ）＝ｂ×ｚ２’’（ｔ））を出力する（パワー変更後の信号Ｈ１０１１Ｂをｚ２（ｔ）とする）。
【０２８６】
なお、パワー変更部Ｈ１０１０Ａ、パワー変更部Ｈ１０１０Ｂは、パワーを変更せずに、入力信号であるマッピング後の信号をそのまま出力してもよい。（このとき、ａ＝１．０、ｂ＝１．０となる。）このような処理をするとき、パワー変更部Ｈ１０１０Ａ、パワー変更部Ｈ１０１０Ｂは、図１２において存在しなくてもよい（図１９、図２０、図２１についても同様）。
【０２８７】
以上より、ｓ１（ｔ）、ｓ２（ｔ）とｚ１（ｔ）、ｚ２（ｔ）の関係は、以下のようにあらわされる。
【０２８８】
【数２０】
2019193278.tif 000022
【０２８９】
上式を、次式としても、上式と等価である。
【０２９０】
【数２１】
2019193278.tif 000023
【０２９１】
上式を実現するためには、図１８において、位相変更部Ｈ１６０１とパワー変更部Ｈ１００４Ｂの位置を入れ替えることになる。そのときの構成を図１９に示す。図１９は、図１８と同様に、（式２１）を実行することになり、説明は同様となるので、詳細の説明は省略する。なお、図１９において、「位相変更部Ｈ１７０１は、入力信号に対し、位相変更を行い、位相変更後の信号を出力し」、「パワー変更部Ｈ１００４Ｂは、入力信号に対し、パワー変更を行い、パワー変更後の信号を出力する」、という動作を行うことになる。
【０２９２】
また、（式２０）、（式２１）を次式としても等価である。
【０２９３】
【数２２】
2019193278.tif 000024
【０２９４】
上式を実現するためには、図１８において、位相変更部Ｈ１００８とパワー変更部Ｈ１０１０Ｂの位置を入れ替えることになる。そのときの構成を図２０に示す。図２０は、図１８と同様に、（式２２）を実行することになり、説明は同様となるので、詳細の説明は省略する。なお、図２０において、「位相変更部Ｈ１８０１は、入力信号に対し、位相変更を行い、位相変更後の信号を出力し」、「パワー変更部Ｈ１０１０Ｂは、入力信号に対し、パワー変更を行い、パワー変更後の信号を出力する」、という動作を行うことになる。
【０２９５】
また、（式２０）、（式２１）、（式２２）を次式としても等価である。
【０２９６】
【数２３】
2019193278.tif 000025
【０２９７】
上式を実現するためには、図１９において、位相変更部Ｈ１００８とパワー変更部Ｈ１０１０Ｂの位置を入れ替えることになる。そのときの構成を図２１に示す。図２１は、図１８と同様に、（式２３）を実行することになり、説明は同様となるので、詳細の説明は省略する。なお、図２１において、「位相変更部Ｈ１９０１は、入力信号に対し、位相変更を行い、位相変更後の信号を出力し」、「パワー変更部Ｈ１０１０Ｂは、入力信号に対し、パワー変更を行い、パワー変更後の信号を出力する」、という動作を行うことになる。
【０２９８】
なお、ｚ１（ｔ）、ｚ２（ｔ）は、同一時刻、同一周波数（共通の周波数）を用いて、異なるアンテナから送信されることになる。
【０２９９】
ｚ１（ｔ）、ｚ２（ｔ）は時間ｔの関数と扱っているが、ｚ１（ｔ）、ｚ２（ｔ）は、周波数ｆの関数であってもよいし、時間ｔおよび周波数ｆの関数であってもよい（したがって、ｚ１（ｆ）、ｚ２（ｆ）、または、ｚ１（ｔ，ｆ）、ｚ２（ｔ，ｆ）とあらわしてもよい、）が、ここでは、一例として、時間ｔの関数であるものとして説明した。
【０３００】
よって、ｚ１（ｔ）、ｚ２（ｔ）、ｚ１’（ｔ）、ｚ２’（ｔ）、ｚ２’’（ｔ）も時間の関数としているが、周波数ｆの関数であってもよいし、時間ｔおよび周波数ｆの関数であってもよい。
【０３０１】
図１４、図１５については、上述と同様に動作するので、詳細の説明を省略する。
【０３０２】
図１６は、上述（図１８、図１９、図２０、図２１）における送信装置と受信装置の関係を示している。そして、上記では、送信装置の動作について説明した。以下では、受信装置の動作について説明する。
【０３０３】
図１６において、Ｈ１４０１は送信装置、Ｈ１４０２は受信装置を示している。受信装置のアンテナＲ１の受信信号をｒ１、アンテナＲ２の受信信号をｒ２、送受信機のアンテナ間の電波伝搬の係数（チャネル変動）をｈ１１，ｈ１２、ｈ２１、ｈ２２とすると、以下の関係式が成立する。
【０３０４】
【数２４】
2019193278.tif 000026
【０３０５】
上式において、ｎ１、ｎ２はノイズである。
【０３０６】
なお、（式２４）において、各変数は、時間ｔの関数としているが、周波数ｆの関数であってもよいし、時間ｔおよび周波数ｆの関数であってもよい（ここでは、一例とし、時間ｔの関数として説明している）。
【０３０７】
図１６のチャネル推定部Ｈ１４０３Ａは、上式のｈ１１（ｔ）、ｈ１２（ｔ）を推定することになり、これらの値の推定は、例えば、図１５のパイロットシンボルを用いて、行われることになる。図１６のチャネル推定部Ｈ１４０３Ｂは、上式のｈ２１（ｔ）、ｈ２２（ｔ）を推定することになり、これらの値の推定は、例えば、図１５のパイロットシンボルを用いて、行われることになる。
【０３０８】
そして、図１６の信号処理部Ｈ１４０４は、上式の関係を用いて、送信装置が伝送したデータの各ビットの対数尤度比を得、その後、デインタリーブや誤り訂正復号等の処理を行い、受信情報を得ることになる（非特許文献５、非特許文献６）。
【０３０９】
次に、図１８、図１９、図２０、図２１の、ｓ１、ｓ２のマッピング方法、プリコーディング行列、位相変更に関する切り替え方の例について説明する。
【０３１０】
まず、（式１９）のθ（ｔ）の与え方について説明する。シンボル番号をｉ（ｉは０以上の整数とする。）とする。このとき、θ（ｉ）が取り得る値として、Ｎ種類（ただし、Ｎは２以上の整数とする）の位相の値を与えるものとする。このとき、Ｎ種類の位相の値をPhase[ｋ]（ただし、ｋは0以上Ｎ−１以下の整数とし、０ラジアン≦Phase[ｋ]＜２πラジアンとする。）とあらわす。なお、θ（ｉ）において、Phase[k]のＮ種類の位相の値はすべて使用されるものとする。すると、上記の＜条件＃１＞が成立することが、受信装置が高いデータの受信品質を得るために重要となる。
【０３１１】
さらに、上記の＜条件＃２＞を満たすとよい（ただし、上記の＜条件＃２＞を満たさなくても、受信装置は高いデータの受信品質を得られる可能性がある）。
【０３１２】
そして、ｉを０以上Ｇ以下の整数として使用した場合（ただし、ＧはＮ−１以上の整数であるものとする。）、θ（ｉ）は、Phase[k]（kは0以上N-1以下の整数）のＮ種類の位相の値、すべてを使用することになる。
【０３１３】
一例として、θ（ｉ）＝Phase[ｉ mod Ｎ]と与える方法がある。なお、mod はmoduloであり、したがって、「ｉ mod Ｎ」ｉをＮで除算したときの余りを意味する。
【０３１４】
次に、図１８、図１９、図２０、図２１のｓ１、ｓ２のマッピングについて説明する。
【０３１５】
はじめに、（ｓ１（ｔ）の変調方式，ｓ２（ｔ）の変調方式）＝（１６ＱＡＭ，１６ＱＡＭ）のときを考える。
【０３１６】
上述のように、１６ＱＡＭのマッピング方法として、「１６ＱＡＭマッピング方法＃０」、「１６ＱＡＭマッピング方法＃１」、「１６ＱＡＭマッピング方法＃２」、「１６ＱＡＭマッピング方法＃３」について説明した。
【０３１７】
このとき、「１６ＱＡＭマッピング方法＃０」、「１６ＱＡＭマッピング方法＃１」、「１６ＱＡＭマッピング方法＃２」、「１６ＱＡＭマッピング方法＃３」のいずれかに属する１６ＱＡＭの信号点配置方法をＭ種類用意する（Ｍは２以上の整数とする、）（送信装置において）。このとき、上記の＜条件＃３＞を満たすことになる。
【０３１８】
そして、Ｍ種類の１６ＱＡＭのマッピングを、「１６ＱＡＭ信号点配置＄ｋ」とあらわす。（ｋは０以上Ｍ−１以下の整数とする）すると、上記の＜条件＃４＞が成立する。
【０３１９】
これらの条件を満たすことで、受信装置において、同相Ｉ−直交Ｑ平面における２５６点の受信候補信号点（１６ＱＡＭの信号を２系統同時に受信することになるため、候補信号点は１６×１６＝２５６点存在することになる。）の最小ユークリッドが小さい状態が定常的に発生する（特に、電波伝搬環境において直接波が支配的な場合。）可能性を低くすることができ、これにより、受信装置は、高いデータの受信品質を得ることができる可能性が高くなるという効果を得ることができる。
【０３２０】
ところで、１６ＱＡＭ信号点配置＄ｇ、１６ＱＡＭ信号点配置＄ｈにおいて、「ｇ＝ｈ」が成立した場合、以下が成立するものとする。
【０３２１】
｛
「１６ＱＡＭ信号点配置＄ｇ」の同相Ｉ―直交Ｑ平面における１６個の信号点の座標を（Ｉｇ，ｉ，Ｑｇ，ｉ）とあらわし（ｉは０以上１５以下の整数）、「１６ＱＡＭ信号点配置＄ｈ」の同相Ｉ―直交Ｑ平面における１６個の信号点の座標を（Ｉｈ，ｊ，Ｑｈ，ｊ）とあらわすものとする（ｊは０以上１５以下の整数）。このとき、
｛ｋは０以上１５以下の整数としたとき、これを満たす、すべてのｋにおいて、Ｉｇ，ｋ＝Ｉｈ，ｋ、かつ、Ｑｇ，ｋ＝Ｑｈ，ｋ、が成立する場合が存在する｝
｝
「ｇ≠ｈ」とした場合、以下を満たす。
【０３２２】
｛
「１６ＱＡＭ信号点配置＄ｇ」の同相Ｉ―直交Ｑ平面における１６個の信号点の座標を（Ｉｇ，ｉ，Ｑｇ，ｉ）とあらわし（ｉは０以上１５以下の整数）、「１６ＱＡＭ信号点配置＄ｈ」の同相Ｉ―直交Ｑ平面における１６個の信号点の座標を（Ｉｈ，ｊ，Ｑｈ，ｊ）とあらわすものとする（ｊは０以上１５以下の整数）。このとき、
｛ｋは０以上１５以下の整数としたとき、これを満たす、すべてのｋにおいて、Ｉｇ，ｋ＝Ｉｈ，ｋ、かつ、Ｑｇ，ｋ＝Ｑｈ，ｋ、が成立する場合が存在しない｝
｝
ここで、マッピングセットを定義する。
【０３２３】
マッピングセットを、「（ｓ１（ｔ）の１６ＱＡＭ信号点配置＄ｐ１，ｓ２（ｔ）の１６ＱＡＭ信号点配置＄ｐ２）」と定義する。
【０３２４】
このとき、同一のマッピングのセットとは以下が成立することである。
【０３２５】
「第１のマッピングセットが（ｓ１（ｔ）の１６ＱＡＭ信号点配置＄ｐ１，ｓ２（ｔ）の１６ＱＡＭ信号点配置＄ｐ２）であり、第２のマッピングセットが（ｓ１（ｔ）の１６ＱＡＭ信号点配置＄ｑ１，ｓ２（ｔ）の１６ＱＡＭ信号点配置＄ｑ２）のとき、第１のマッピングセットど第２のマッピングセットが同一のマッピングセットの場合、ｐ１＝ｑ１、かつ、ｐ２＝ｑ２が成立する。」
そして、異なるマッピングセットとは以下が成立することである。
【０３２６】
「第１のマッピングセットが（ｓ１（ｔ）の１６ＱＡＭ信号点配置＄ｐ１，ｓ２（ｔ）の１６ＱＡＭ信号点配置＄ｐ２）であり、第２のマッピングセットが（ｓ１（ｔ）の１６ＱＡＭ信号点配置＄ｑ１，ｓ２（ｔ）の１６ＱＡＭ信号点配置＄ｑ２）のとき、第１のマッピングセットど第２のマッピングセットが異なるのマッピングセットの場合、ｐ１≠ｑ１、または、ｐ２≠ｑ２が成立する。」
このとき、送信装置（図１８、図１９、図２０、図２１のマッピング部）は、Ｌ種類のマッピングセットを用意し（Ｌは２以上の整数とする。）、Ｌ種類のマッピングセットを「マッピングセット※ｋ」（ｋは０以上Ｌ−１以下の整数とする）する。このとき、上記の＜条件＃５＞を満たすことになる。
【０３２７】
そして、上記の＜条件＃６＞を与える。ここで、上記の＜条件＃６＞の例を説明する。位相変更値として、Ｎ＝２種類の位相の値があるものとする。したがって、Phase[0],  Phase[1]が存在することになる。そして、Ｌ＝３種類のマッピングセットが存在するものとする。したがって、「マッピングセット※０」、「マッピングセット※１」、「マッピングセット※２」が存在することになる。このとき、上記の＜条件＃６＞を満たす場合を図１７に図示している。
【０３２８】
図１７において、横軸は時間番号（スロット番号）ｉとしている。
【０３２９】
このとき、「マッピングセット※０」に着目する。時間番号０において、図１８、または、図１９、または、図２０、または、図２１におけるマッピング部では「マッピングセット※０」によるマッピングを行い、その後、位相変更部Ｈ１００８またはＨ１８０１またはＨ１９０１はPhase[0]用いて位相変更を行うことになる。
【０３３０】
時間番号１において、図１８、または、図１９、または、図２０、または、図２１におけるマッピング部では「マッピングセット※０」によるマッピングを行い、その後、位相変更部Ｈ１００８またはＨ１８０１またはＨ１９０１はPhase[1]用いて位相変更を行うことになる。
【０３３１】
したがって、「マッピングセット※０」のとき、図１８、または、図１９、または、図２０、または、図２１の位相変更部Ｈ１００８またはＨ１８０１またはＨ１９０１はPhase[k]のＮ＝２種類の位相の値すべてを使用していることになる。
【０３３２】
次に、「マッピングセット※１」に着目する。時間番号２において、図１８、または、図１９、または、図２０、または、図２１におけるマッピング部では「マッピングセット※１」によるマッピングを行い、その後、位相変更部Ｈ１００８またはＨ１８０１またはＨ１９０１はPhase[0]用いて位相変更を行うことになる。
【０３３３】
時間番号３において、図１８、または、図１９、または、図２０、または、図２１におけるマッピング部では「マッピングセット※０」によるマッピングを行い、その後、位相変更部Ｈ１００８またはＨ１８０１またはＨ１９０１はPhase[1]用いて位相変更を行うことになる。
【０３３４】
したがって、「マッピングセット※１」のとき、図１８、または、図１９、または、図２０、または、図２１の位相変更部Ｈ１００８またはＨ１８０１またはＨ１９０１はPhase[k]のＮ＝２種類の位相の値すべてを使用していることになる。
【０３３５】
「マッピングセット※２」に着目する。時間番号４において、図１８、または、図１９、または、図２０、または、図２１におけるマッピング部では「マッピングセット※２」によるマッピングを行い、その後、位相変更部Ｈ１００８またはＨ１８０１またはＨ１９０１はPhase[0]用いて位相変更を行うことになる。
【０３３６】
時間番号５において、図１８、または、図１９、または、図２０、または、図２１におけるマッピング部では「マッピングセット※２」によるマッピングを行い、その後、位相変更部Ｈ１００８またはＨ１８０１またはＨ１９０１はPhase[1]用いて位相変更を行うことになる。
【０３３７】
したがって、「マッピングセット※２」のとき、図１８、または、図１９、または、図２０、または、図２１の位相変更部Ｈ１００８またはＨ１８０１またはＨ１９０１はPhase[k]のＮ＝２種類の位相の値すべてを使用していることになる。
【０３３８】
以上より、図１７の場合、上記の＜条件＃６＞を満たしていることになる。これにより、受信装置において、同相Ｉ−直交Ｑ平面における２５６点の受信候補信号点（１６ＱＡＭの信号を２系統同時に受信することになるため、候補信号点は１６×１６＝２５６点存在することになる。）の最小ユークリッドが小さい状態が定常的に発生する（特に、電波伝搬環境において直接波が支配的な場合。）可能性を低くすることができ、これにより、受信装置は、高いデータの受信品質を得ることができる可能性が高くなるという効果を得ることができる。
【０３３９】
なお、上記の＜条件＃６＞のかわりに、上記の＜条件＃７＞を満たす場合でも同様の効果を得ることができる可能性がある。
【０３４０】
次に、図１８、図１９、図２０、図２１のｓ１、ｓ２のマッピングにおいて、（ｓ１（ｔ）の変調方式，ｓ２（ｔ）の変調方式）＝（６４ＱＡＭ，６４ＱＡＭ）のときを考える。
【０３４１】
上述のように、６４ＱＡＭのマッピング方法として、「６４ＱＡＭマッピング方法＃０」、「６４ＱＡＭマッピング方法＃１」、「６４ＱＡＭマッピング方法＃２」、「６４ＱＡＭマッピング方法＃３」について説明した。
【０３４２】
このとき、「６４ＱＡＭマッピング方法＃０」、「６４ＱＡＭマッピング方法＃１」、「６４ＱＡＭマッピング方法＃２」、「６４ＱＡＭマッピング方法＃３」のいずれかに属する６４ＱＡＭの信号点配置方法をＭ種類用意する（Ｍは２以上の整数とする、）（送信装置において）。このとき、上記の＜条件＃８＞を満たすことになる。
【０３４３】
そして、Ｍ種類の６４ＱＡＭのマッピングを、「６４ＱＡＭ信号点配置＄ｋ」とあらわす。（ｋは０以上Ｍ−１以下の整数とする）すると、上記の＜条件＃９＞が成立する。
【０３４４】
これらの条件を満たすことで、受信装置において、同相Ｉ−直交Ｑ平面における４０９６点の受信候補信号点（６４ＱＡＭの信号を２系統同時に受信することになるため、候補信号点は６４×６４＝４０９６点存在することになる。）の最小ユークリッドが小さい状態が定常的に発生する（特に、電波伝搬環境において直接波が支配的な場合。）可能性を低くすることができ、これにより、受信装置は、高いデータの受信品質を得ることができる可能性が高くなるという効果を得ることができる。
【０３４５】
ところで、６４ＱＡＭ信号点配置＄ｇ、６４ＱＡＭ信号点配置＄ｈにおいて、「ｇ＝ｈ」が成立した場合、以下が成立するものとする。
【０３４６】
｛
「６４ＱＡＭ信号点配置＄ｇ」の同相Ｉ―直交Ｑ平面における６４個の信号点の座標を（Ｉｇ，ｉ，Ｑｇ，ｉ）とあらわし（ｉは０以上６３以下の整数）、「６４ＱＡＭ信号点配置＄ｈ」の同相Ｉ―直交Ｑ平面における６４個の信号点の座標を（Ｉｈ，ｊ，Ｑｈ，ｊ）とあらわすものとする（ｊは０以上６３以下の整数）このとき、
｛ｋは０以上６３以下の整数としたとき、これを満たす、すべてのｋにおいて、Ｉｇ，ｋ＝Ｉｈ，ｋ、かつ、Ｑｇ，ｋ＝Ｑｈ，ｋ、が成立する場合が存在する｝
｝
「ｇ≠ｈ」とした場合、以下を満たす。
【０３４７】
｛
「６４ＱＡＭ信号点配置＄ｇ」の同相Ｉ―直交Ｑ平面における６４個の信号点の座標を（Ｉｇ，ｉ，Ｑｇ，ｉ）とあらわし（ｉは０以上６３以下の整数）、「６４ＱＡＭ信号点配置＄ｈ」の同相Ｉ―直交Ｑ平面における６４個の信号点の座標を（Ｉｈ，ｊ，Ｑｈ，ｊ）とあらわすものとする（ｊは０以上６３以下の整数）このとき、
｛ｋは０以上６３以下の整数としたとき、これを満たす、すべてのｋにおいて、Ｉｇ，ｋ＝Ｉｈ，ｋ、かつ、Ｑｇ，ｋ＝Ｑｈ，ｋ、が成立する場合が存在しない｝
｝
ここで、マッピングセットを定義する。
【０３４８】
マッピングセットを、「（ｓ１（ｔ）の６４ＱＡＭ信号点配置＄ｐ１，ｓ２（ｔ）の６４ＱＡＭ信号点配置＄ｐ２）」と定義する。
【０３４９】
このとき、同一のマッピングのセットとは以下が成立することである。
【０３５０】
「第１のマッピングセットが（ｓ１（ｔ）の６４ＱＡＭ信号点配置＄ｐ１，ｓ２（ｔ）の６４ＱＡＭ信号点配置＄ｐ２）であり、第２のマッピングセットが（ｓ１（ｔ）の６４ＱＡＭ信号点配置＄ｑ１，ｓ２（ｔ）の６４ＱＡＭ信号点配置＄ｑ２）のとき、第１のマッピングセットど第２のマッピングセットが同一のマッピングセットの場合、ｐ１＝ｑ１、かつ、ｐ２＝ｑ２が成立する。」
そして、異なるマッピングセットとは以下が成立することである。
【０３５１】
「第１のマッピングセットが（ｓ１（ｔ）の６４ＱＡＭ信号点配置＄ｐ１，ｓ２（ｔ）の６４ＱＡＭ信号点配置＄ｐ２）であり、第２のマッピングセットが（ｓ１（ｔ）の６４ＱＡＭ信号点配置＄ｑ１，ｓ２（ｔ）の６４ＱＡＭ信号点配置＄ｑ２）のとき、第１のマッピングセットど第２のマッピングセットが異なるのマッピングセットの場合、ｐ１≠ｑ１、または、ｐ２≠ｑ２が成立する。」
このとき、送信装置（図１８、図１９、図２０、図２１のマッピング部）は、Ｌ種類のマッピングセットを用意し（Ｌは２以上の整数とする。）、Ｌ種類のマッピングセットを「マッピングセット※ｋ」（ｋは０以上Ｌ−１以下の整数とする）する。このとき、上記の＜条件＃１０＞を満たすことになる。
【０３５２】
そして、上記の＜条件＃１１＞を与える。ここで、上記の＜条件＃１１＞の例を説明する。位相変更値として、Ｎ＝２種類の位相の値があるものとする。したがって、Phase[0],  Phase[1]が存在することになる。そして、Ｌ＝３種類のマッピングセットが存在するものとする。したがって、「マッピングセット※０」、「マッピングセット※１」、「マッピングセット※２」が存在することになる。このとき、上記の＜条件＃１１＞を満たす場合を図１７に図示している。
【０３５３】
図１７において、横軸は時間番号（スロット番号）ｉとしている。
【０３５４】
このとき、「マッピングセット※０」に着目する。時間番号０において、図１８、または、図１９、または、図２０、または、図２１におけるマッピング部では「マッピングセット※０」によるマッピングを行い、その後、位相変更部Ｈ１００８またはＨ１８０１またはＨ１９０１はPhase[0]用いて位相変更を行うことになる。
【０３５５】
時間番号１において、図１８、または、図１９、または、図２０、または、図２１におけるマッピング部では「マッピングセット※０」によるマッピングを行い、その後、位相変更部Ｈ１００８またはＨ１８０１またはＨ１９０１はPhase[1]用いて位相変更を行うことになる。
【０３５６】
したがって、「マッピングセット※０」のとき、図１８、または、図１９、または、図２０、または、図２１の位相変更部Ｈ１００８またはＨ１８０１またはＨ１９０１はPhase[k]のＮ＝２種類の位相の値すべてを使用していることになる。
【０３５７】
次に、「マッピングセット※１」に着目する。時間番号２において、図１８、または、図１９、または、図２０、または、図２１におけるマッピング部では「マッピングセット※１」によるマッピングを行い、その後、位相変更部Ｈ１００８またはＨ１８０１またはＨ１９０１はPhase[0]用いて位相変更を行うことになる。
【０３５８】
時間番号３において、図１８、または、図１９、または、図２０、または、図２１におけるマッピング部では「マッピングセット※０」によるマッピングを行い、その後、位相変更部Ｈ１００８またはＨ１８０１またはＨ１９０１はPhase[1]用いて位相変更を行うことになる。
【０３５９】
したがって、「マッピングセット※１」のとき、図１８、または、図１９、または、図２０、または、図２１の位相変更部Ｈ１００８またはＨ１８０１またはＨ１９０１はPhase[k]のＮ＝２種類の位相の値すべてを使用していることになる。
【０３６０】
「マッピングセット※２」に着目する。時間番号４において、図１８、または、図１９、または、図２０、または、図２１におけるマッピング部では「マッピングセット※２」によるマッピングを行い、その後、位相変更部Ｈ１００８またはＨ１８０１またはＨ１９０１はPhase[0]用いて位相変更を行うことになる。
【０３６１】
時間番号５において、図１８、または、図１９、または、図２０、または、図２１におけるマッピング部では「マッピングセット※２」によるマッピングを行い、その後、位相変更部Ｈ１００８またはＨ１８０１またはＨ１９０１はPhase[1]用いて位相変更を行うことになる。
【０３６２】
したがって、「マッピングセット※２」のとき、図１８、または、図１９、または、図２０、または、図２１の位相変更部Ｈ１００８またはＨ１８０１またはＨ１９０１はPhase[k]のＮ＝２種類の位相の値すべてを使用していることになる。
【０３６３】
以上より、図１７の場合、上記の＜条件＃１１＞を満たしていることになる。これにより、受信装置において、同相Ｉ−直交Ｑ平面における４０９６点の受信候補信号点（６４ＱＡＭの信号を２系統同時に受信することになるため、候補信号点は６４×６４＝４０９６点存在することになる。）の最小ユークリッドが小さい状態が定常的に発生する（特に、電波伝搬環境において直接波が支配的な場合。）可能性を低くすることができ、これにより、受信装置は、高いデータの受信品質を得ることができる可能性が高くなるという効果を得ることができる。
【０３６４】
なお、上記の＜条件＃１１＞のかわりに、上記の＜条件＃１２＞を満たす場合でも同様の効果を得ることができる可能性がある。
【０３６５】
次に、図１８、図１９、図２０、図２１の、ｓ１、ｓ２のマッピングにおいて、（ｓ１（ｔ）の変調方式，ｓ２（ｔ）の変調方式）＝（２５６ＱＡＭ，２５６ＱＡＭ）のときを考える。
【０３６６】
上述のように、２５６ＱＡＭのマッピング方法として、「２５６ＱＡＭマッピング方法＃０」、「２５６ＱＡＭマッピング方法＃１」、「２５６ＱＡＭマッピング方法＃２」、「２５６ＱＡＭマッピング方法＃３」について説明した。
【０３６７】
このとき、「２５６ＱＡＭマッピング方法＃０」、「２５６ＱＡＭマッピング方法＃１」、「２５６ＱＡＭマッピング方法＃２」、「２５６ＱＡＭマッピング方法＃３」のいずれかに属する２５６ＱＡＭの信号点配置方法をＭ種類用意する（Ｍは２以上の整数とする、）（送信装置において）。このとき、上記の＜条件＃１３＞を満たすことになる。
【０３６８】
そして、Ｍ種類の２５６ＱＡＭのマッピングを、「２５６ＱＡＭ信号点配置＄ｋ」とあらわす。（ｋは０以上Ｍ−１以下の整数とする）すると、上記の＜条件＃１４＞が成立する。
【０３６９】
これらの条件を満たすことで、受信装置において、同相Ｉ−直交Ｑ平面における６５５３６点の受信候補信号点（２５６ＱＡＭの信号を２系統同時に受信することになるため、候補信号点は２５６×２５６＝６５５３６点存在することになる。）の最小ユークリッドが小さい状態が定常的に発生する（特に、電波伝搬環境において直接波が支配的な場合。）可能性を低くすることができ、これにより、受信装置は、高いデータの受信品質を得ることができる可能性が高くなるという効果を得ることができる。
【０３７０】
ところで、２５６ＱＡＭ信号点配置＄ｇ、２５６ＱＡＭ信号点配置＄ｈにおいて、「ｇ＝ｈ」が成立した場合、以下が成立するものとする。
【０３７１】
｛
「２５６ＱＡＭ信号点配置＄ｇ」の同相Ｉ―直交Ｑ平面における２５６個の信号点の座標を（Ｉｇ，ｉ，Ｑｇ，ｉ）とあらわし（ｉは０以上２５５以下の整数）、「２５６ＱＡＭ信号点配置＄ｈ」の同相Ｉ―直交Ｑ平面における２５６個の信号点の座標を（Ｉｈ，ｊ，Ｑｈ，ｊ）とあらわすものとする（ｊは０以上２５５以下の整数）。このとき、
｛ｋは０以上２５５以下の整数としたとき、これを満たす、すべてのｋにおいて、Ｉｇ，ｋ＝Ｉｈ，ｋ、かつ、Ｑｇ，ｋ＝Ｑｈ，ｋ、が成立する場合が存在する｝
｝
「ｇ≠ｈ」とした場合、以下を満たす。
【０３７２】
｛
「２５６ＱＡＭ信号点配置＄ｇ」の同相Ｉ―直交Ｑ平面における２５６個の信号点の座標を（Ｉｇ，ｉ，Ｑｇ，ｉ）とあらわし（ｉは０以上２５５以下の整数）、「２５６ＱＡＭ信号点配置＄ｈ」の同相Ｉ―直交Ｑ平面における２５６個の信号点の座標を（Ｉｈ，ｊ，Ｑｈ，ｊ）とあらわすものとする（ｊは０以上２５５以下の整数）。このとき、
｛ｋは０以上２５５以下の整数としたとき、これを満たす、すべてのｋにおいて、Ｉｇ，ｋ＝Ｉｈ，ｋ、かつ、Ｑｇ，ｋ＝Ｑｈ，ｋ、が成立する場合が存在しない｝
｝
ここで、マッピングセットを定義する。
【０３７３】
マッピングセットを、「（ｓ１（ｔ）の２５６ＱＡＭ信号点配置＄ｐ１，ｓ２（ｔ）の２５６ＱＡＭ信号点配置＄ｐ２）」と定義する。
【０３７４】
このとき、同一のマッピングのセットとは以下が成立することである。
【０３７５】
「第１のマッピングセットが（ｓ１（ｔ）の２５６ＱＡＭ信号点配置＄ｐ１，ｓ２（ｔ）の２５６ＱＡＭ信号点配置＄ｐ２）であり、第２のマッピングセットが（ｓ１（ｔ）の２５６ＱＡＭ信号点配置＄ｑ１，ｓ２（ｔ）の２５６ＱＡＭ信号点配置＄ｑ２）のとき、第１のマッピングセットど第２のマッピングセットが同一のマッピングセットの場合、ｐ１＝ｑ１、かつ、ｐ２＝ｑ２が成立する。」
そして、異なるマッピングセットとは以下が成立することである。
【０３７６】
「第１のマッピングセットが（ｓ１（ｔ）の２５６ＱＡＭ信号点配置＄ｐ１，ｓ２（ｔ）の２５６ＱＡＭ信号点配置＄ｐ２）であり、第２のマッピングセットが（ｓ１（ｔ）の２５６ＱＡＭ信号点配置＄ｑ１，ｓ２（ｔ）の２５６ＱＡＭ信号点配置＄ｑ２）のとき、第１のマッピングセットど第２のマッピングセットが異なるのマッピングセットの場合、ｐ１≠ｑ１、または、ｐ２≠ｑ２が成立する。」
このとき、送信装置（図１８、図１９、図２０、図２１のマッピング部）は、Ｌ種類のマッピングセットを用意し（Ｌは２以上の整数とする。）、Ｌ種類のマッピングセットを「マッピングセット※ｋ」（ｋは０以上Ｌ−１以下の整数とする）する。このとき、上記の＜条件＃１５＞を満たすことになる。
【０３７７】
そして、上記の＜条件＃１６＞を与える。ここで、上記の＜条件＃１６＞の例を説明する。位相変更値として、Ｎ＝２種類の位相の値があるものとする。したがって、Phase[0],  Phase[1]が存在することになる。そして、Ｌ＝３種類のマッピングセットが存在するものとする。したがって、「マッピングセット※０」、「マッピングセット※１」、「マッピングセット※２」が存在することになる。このとき、上記の＜条件＃１６＞を満たす場合を図１７に図示している。
【０３７８】
図１７において、横軸は時間番号（スロット番号）ｉとしている。
【０３７９】
このとき、「マッピングセット※０」に着目する。時間番号０において、図１８、または、図１９、または、図２０、または、図２１におけるマッピング部では「マッピングセット※０」によるマッピングを行い、その後、位相変更部Ｈ１００８またはＨ１８０１またはＨ１９０１はPhase[0]用いて位相変更を行うことになる。
【０３８０】
時間番号１において、図１８、または、図１９、または、図２０、または、図２１におけるマッピング部では「マッピングセット※０」によるマッピングを行い、その後、位相変更部Ｈ１００８またはＨ１８０１またはＨ１９０１はPhase[1]用いて位相変更を行うことになる。
【０３８１】
したがって、「マッピングセット※０」のとき、図１８、または、図１９、または、図２０、または、図２１の位相変更部Ｈ１００８またはＨ１８０１またはＨ１９０１はPhase[k]のＮ＝２種類の位相の値すべてを使用していることになる。
【０３８２】
次に、「マッピングセット※１」に着目する。時間番号２において、図１８、または、図１９、または、図２０、または、図２１におけるマッピング部では「マッピングセット※１」によるマッピングを行い、その後、位相変更部Ｈ１００８またはＨ１８０１またはＨ１９０１はPhase[0]用いて位相変更を行うことになる。
【０３８３】
時間番号３において、図１８、または、図１９、または、図２０、または、図２１におけるマッピング部では「マッピングセット※０」によるマッピングを行い、その後、位相変更部Ｈ１００８またはＨ１８０１またはＨ１９０１はPhase[1]用いて位相変更を行うことになる。
【０３８４】
したがって、「マッピングセット※１」のとき、図１８、または、図１９、または、図２０、または、図２１の位相変更部Ｈ１００８またはＨ１８０１またはＨ１９０１はPhase[k]のＮ＝２種類の位相の値すべてを使用していることになる。
【０３８５】
「マッピングセット※２」に着目する。時間番号４において、図１８、または、図１９、または、図２０、または、図２１におけるマッピング部では「マッピングセット※２」によるマッピングを行い、その後、位相変更部Ｈ１００８またはＨ１８０１またはＨ１９０１はPhase[0]用いて位相変更を行うことになる。
【０３８６】
時間番号５において、図１８、または、図１９、または、図２０、または、図２１におけるマッピング部では「マッピングセット※２」によるマッピングを行い、その後、位相変更部Ｈ１００８またはＨ１８０１またはＨ１９０１はPhase[1]用いて位相変更を行うことになる。
【０３８７】
したがって、「マッピングセット※２」のとき、図１８、または、図１９、または、図２０、または、図２１の位相変更部Ｈ１００８またはＨ１８０１またはＨ１９０１はPhase[k]のＮ＝２種類の位相の値すべてを使用していることになる。
【０３８８】
以上より、図１７の場合、上記の＜条件＃１６＞を満たしていることになる。これにより、受信装置において、同相Ｉ−直交Ｑ平面における６５５３６点の受信候補信号点（２５６ＱＡＭの信号を２系統同時に受信することになるため、候補信号点は２５６×２５６＝６５５３６点存在することになる。）の最小ユークリッドが小さい状態が定常的に発生する（特に、電波伝搬環境において直接波が支配的な場合。）可能性を低くすることができ、これにより、受信装置は、高いデータの受信品質を得ることができる可能性が高くなるという効果を得ることができる。
【０３８９】
なお、上記の＜条件＃１６＞のかわりに、上記の＜条件＃１７＞を満たす場合でも同様の効果を得ることができる可能性がある。
【０３９０】
図１８、図１９、図２０、図２１の位相変更部Ｈ１６０１、Ｈ１７０１が使用する位相変更値λ（ｔ）（式１６参照）は、規則的に変更してもよい（例えば、θ（ｔ）と同様に。）。または、時間ｔの関数（または、「周波数ｆの関数」、または、「時間ｔおよび周波数ｆの関数」）としているが、固定値であってもよい。
【０３９１】
また、本実施の形態で説明した、（式１０）、（式１７）のプリコーディング行列Ｗは、固定のプリコーディング行列であってもよいし、時間ｔ（または、「周波数ｆ」、または、「時間ｔおよび周波数ｆ」）によって、切り替わってもよい。なお、プリコーディング行列Ｗの例を以下に記載する。
【０３９２】
【数２５】
2019193278.tif 000027
【０３９３】
または、
【０３９４】
【数２６】
2019193278.tif 000028
【０３９５】
または、
【０３９６】
【数２７】
2019193278.tif 000029
【０３９７】
または、
【０３９８】
【数２８】
2019193278.tif 000030
【０３９９】
または、
【０４００】
【数２９】
2019193278.tif 000031
【０４０１】
または、
【０４０２】
【数３０】
2019193278.tif 000032
【０４０３】
または、
【０４０４】
【数３１】
2019193278.tif 000033
【０４０５】
または、
【０４０６】
【数３２】
2019193278.tif 000034
【０４０７】
なお、（式２５）、（式２６）、（式２７）、（式２８）、（式２９）、（式３０）、（式３１）、（式３２）において、αは実数であってもよいし、虚数であってもよく、βは実数であってもよいし、虚数であってもよい。ただし、αは０（ゼロ）ではない。そして、βも０（ゼロ）ではない。
【０４０８】
または、
【０４０９】
【数３３】
2019193278.tif 000035
【０４１０】
または、
【０４１１】
【数３４】
2019193278.tif 000036
【０４１２】
または、
【０４１３】
【数３５】
2019193278.tif 000037
【０４１４】
または、
【０４１５】
【数３６】
2019193278.tif 000038
【０４１６】
または、
【０４１７】
【数３７】
2019193278.tif 000039
【０４１８】
または、
【０４１９】
【数３８】
2019193278.tif 000040
【０４２０】
または、
【０４２１】
【数３９】
2019193278.tif 000041
【０４２２】
または、
【０４２３】
【数４０】
2019193278.tif 000042
【０４２４】
なお、（式３３）、（式３４）、（式３５）、（式３６）、（式３７）、（式３８）、（式３９）、（式４０）において、xは角度（単位は「ラジアン」、または、「度」）（実数）であり、（式３３）、（式３５）、（式３７）、（式３９）において、βは実数であってもよいし、虚数であってもよい。ただし、βは０（ゼロ）ではない。
【０４２５】
または、
【０４２６】
【数４１】
2019193278.tif 000043
【０４２７】
または、
【０４２８】
【数４２】
2019193278.tif 000044
【０４２９】
または、
【０４３０】
【数４３】
2019193278.tif 000045
【０４３１】
または、
【０４３２】
【数４４】
2019193278.tif 000046
【０４３３】
なお、（式４１）、（式４２）、（式４３）、（式４４）において、Ｘ１１、Ｘ２１は実数（単位は「ラジアン」、または、「度」）（固定の値）であり、Ｙは固定の値（実数）であり、αは実数であってもよいし、虚数であってもよい。そして、（式４１）、（式４３）のβは実数であってもよいし、虚数であってもよい。ただし、αは０（ゼロ）ではない。そして、βも０（ゼロ）ではない。
【０４３４】
または、
【０４３５】
【数４５】
2019193278.tif 000047
【０４３６】
または、
【０４３７】
【数４６】
2019193278.tif 000048
【０４３８】
または、
【０４３９】
【数４７】
2019193278.tif 000049
【０４４０】
または、
【０４４１】
【数４８】
2019193278.tif 000050
【０４４２】
なお、（式４５）、（式４６）、（式４７）、（式４８）において、Ｘ１１（ｉ）、Ｘ２１（ｉ）は実数（単位は「ラジアン」、または、「度」）であり、Ｘ１１（ｉ）、Ｘ２１（ｉ）はｉの（「時間」、または、「周波数」、または、「時間および周波数」の）関数であり、Ｙは固定の値（実数）であり、αは実数であってもよいし、虚数であってもよい。そして、（式４５）、（式４７）のβは実数であってもよいし、虚数であってもよい。ただし、αは０（ゼロ）ではない。そして、βも０（ゼロ）ではない。
【０４４３】
または、
【０４４４】
【数４９】
2019193278.tif 000051
【０４４５】
または、
【０４４６】
【数５０】
2019193278.tif 000052
【０４４７】
なお、（式４９）、（式５０）において、ｐ、ｑは実数（固定の値）であってもよいし、虚数（固定値）であってもよい。ただし、ｐは０（ゼロ）ではない、かつ、ｑも０（ゼロ）ではない。
【０４４８】
または、
【０４４９】
【数５１】
2019193278.tif 000053
【０４５０】
または、
【０４５１】
【数５２】
2019193278.tif 000054
【０４５２】
なお、（式５１）、（式５２）において、ｐ（ｉ）、ｑ（ｉ）は実数であってもよいし、虚数であってもよく、ｉの（「時間」、または、「周波数」、または、「時間および周波数」の）関数である。ただし、ｐ（ｉ）は０（ゼロ）ではない、かつ、ｑ（ｉ）も０（ゼロ）ではない。
【０４５３】
上記以外のプリコーディング行列を用いたときも実施することが可能である。このとき、プリコーディング行列Ｗはフルランクとなる。
【０４５４】
また、マッピングについて、以下のような条件を満たす場合についても、本実施の形態は実施することができる。
【０４５５】
図１２、図１３のｓ１、ｓ２のマッピングにおいて、（ｓ１（ｔ）の変調方式，ｓ２（ｔ）の変調方式）＝（Ｉ−Ｑ平面に１６個の信号点をもつ変調方式（シンボルあたり４ビット伝送），Ｉ−Ｑ平面に１６個の信号点をもつ変調方式（シンボルあたり４ビット伝送））のときを考える。
【０４５６】
Ｉ−Ｑ平面に１６個の信号点をもつ変調方式（シンボルあたり４ビット伝送）の信号点配置方法をＭ種類用意する（Ｍは２以上の整数とする、）（送信装置において）。このとき、以下条件を満たすことになる。
【０４５７】
＜条件＃１８＞
以下の＜１８−１＞、＜１８−２＞、＜１８−３＞、＜１８−４＞のいずれかを満たすものとする。
【０４５８】
＜１８−１＞
ｓ１（ｉ）において、Ｍ種類のマッピング方法すべてが使用される。
【０４５９】
＜１８−２＞
ｓ２（ｉ）において、Ｍ種類のマッピング方法すべてが使用される。
【０４６０】
＜１８−３＞
ｓ１（ｉ）において、Ｍ種類のマッピング方法すべてが使用されるものとし、かつ、ｓ２（ｉ）においても、Ｍ種類のマッピング方法すべてが使用されるものとする。
【０４６１】
＜１８−４＞
ｓ１（ｉ）で使用されているマッピング方法とｓ２（ｉ）で使用されているマッピング方法をあわせた場合に、Ｍ種類のマッピング方法すべてが使用されている。
【０４６２】
そして、Ｍ種類のＩ−Ｑ平面に１６個の信号点をもつ変調方式（シンボルあたり４ビット伝送）のマッピングを、「１６個の信号点をもつ変調方式の信号点配置＄ｋ」とあらわす。（ｋは０以上Ｍ−１以下の整数とする）すると、以下が成立する。
【０４６３】
＜条件＃１９＞
ｘは０以上Ｍ−１以下の整数とし、ｙは０以上Ｍ−１以下の整数とし、ｘ≠ｙとし、これらを満たす、すべてのｘ、すべてのｙで以下が成立する。
【０４６４】
｛
「１６個の信号点をもつ変調方式の信号点配置＄ｘ」の同相Ｉ―直交Ｑ平面における１６個の信号点の座標を（Ｉｘ，ｉ，Ｑｘ，ｉ）とあらわし（ｉは０以上１５以下の整数）、「１６個の信号点をもつ変調方式の信号点配置＄ｙ」の同相Ｉ―直交Ｑ平面における１６個の信号点の座標を（Ｉｙ，ｊ，Ｑｙ，ｊ）とあらわすものとする（ｊは０以上１５以下の整数）。このとき、
｛ｊは０以上１５以下の整数としたとき、これを満たす、すべてのｊにおいて、Ｉｘ，ｉ≠Ｉｙ，ｊを満たすｉが存在する｝、または｛ｊは０以上１５以下の整数としたとき、これを満たす、すべてのｊにおいて、Ｑｘ，ｉ≠Ｑｙ，ｊを満たすｉが存在する｝
｝
これらの条件を満たすことで、受信装置において、同相Ｉ−直交Ｑ平面における２５６点の受信候補信号点の最小ユークリッドが小さい状態が定常的に発生する（特に、電波伝搬環境において直接波が支配的な場合。）可能性を低くすることができ、これにより、受信装置は、高いデータの受信品質を得ることができる可能性が高くなるという効果を得ることができる。
【０４６５】
ところで、１６個の信号点をもつ変調方式の信号点配置＄ｇ、１６個の信号点をもつ変調方式の信号点配置＄ｈにおいて、「ｇ＝ｈ」が成立した場合、以下が成立するものとする。
【０４６６】
｛
「１６個の信号点をもつ変調方式の信号点配置＄ｇ」の同相Ｉ―直交Ｑ平面における１６個の信号点の座標を（Ｉｇ，ｉ，Ｑｇ，ｉ）とあらわし（ｉは０以上１５以下の整数）、「１６個の信号点をもつ変調方式の信号点配置＄ｈ」の同相Ｉ―直交Ｑ平面における１６個の信号点の座標を（Ｉｈ，ｊ，Ｑｈ，ｊ）とあらわすものとする（ｊは０以上１５以下の整数）。このとき、
｛ｋは０以上１５以下の整数としたとき、これを満たす、すべてのｋにおいて、Ｉｇ，ｋ＝Ｉｈ，ｋ、かつ、Ｑｇ，ｋ＝Ｑｈ，ｋ、が成立する場合が存在する｝
｝
「ｇ≠ｈ」とした場合、以下を満たす。
【０４６７】
｛
「１６個の信号点をもつ変調方式の信号点配置＄ｇ」の同相Ｉ―直交Ｑ平面における１６個の信号点の座標を（Ｉｇ，ｉ，Ｑｇ，ｉ）とあらわし（ｉは０以上１５以下の整数）、「１６個の信号点をもつ変調方式の信号点配置＄ｈ」の同相Ｉ―直交Ｑ平面における１６個の信号点の座標を（Ｉｈ，ｊ，Ｑｈ，ｊ）とあらわすものとする（ｊは０以上１５以下の整数）。このとき、
｛ｋは０以上１５以下の整数としたとき、これを満たす、すべてのｋにおいて、Ｉｇ，ｋ＝Ｉｈ，ｋ、かつ、Ｑｇ，ｋ＝Ｑｈ，ｋ、が成立する場合が存在しない｝
｝
ここで、マッピングセットを定義する。
【０４６８】
マッピングセットを、「（ｓ１（ｔ）の１６個の信号点をもつ変調方式の信号点配置＄ｐ１，ｓ２（ｔ）の１６個の信号点をもつ変調方式の信号点配置＄ｐ２）」と定義する。
【０４６９】
このとき、同一のマッピングのセットとは以下が成立することである。
【０４７０】
「第１のマッピングセットが（ｓ１（ｔ）の１６個の信号点をもつ変調方式の信号点配置＄ｐ１，ｓ２（ｔ）の１６個の信号点をもつ変調方式の信号点配置＄ｐ２）であり、第２のマッピングセットが（ｓ１（ｔ）の１６個の信号点をもつ変調方式の信号点配置＄ｑ１，ｓ２（ｔ）の１６個の信号点をもつ変調方式の信号点配置＄ｑ２）のとき、第１のマッピングセットど第２のマッピングセットが同一のマッピングセットの場合、ｐ１＝ｑ１、かつ、ｐ２＝ｑ２が成立する。」
そして、異なるマッピングセットとは以下が成立することである。
【０４７１】
「第１のマッピングセットが（ｓ１（ｔ）の１６個の信号点をもつ変調方式の信号点配置＄ｐ１，ｓ２（ｔ）の１６個の信号点をもつ変調方式の信号点配置＄ｐ２）であり、第２のマッピングセットが（ｓ１（ｔ）の１６個の信号点をもつ変調方式の信号点配置＄ｑ１，ｓ２（ｔ）の１６個の信号点をもつ変調方式の信号点配置＄ｑ２）のとき、第１のマッピングセットど第２のマッピングセットが異なるのマッピングセットの場合、ｐ１≠ｑ１、または、ｐ２≠ｑ２が成立する。」
このとき、送信装置（図１２、図１３のマッピング部）は、Ｌ種類のマッピングセットを用意し（Ｌは２以上の整数とする。）、Ｌ種類のマッピングセットを「マッピングセット※ｋ」（ｋは０以上Ｌ−１以下の整数とする）する。このとき、以下を満たすことになる。
【０４７２】
＜条件＃２０＞
ｘは０以上Ｌ−１以下の整数とし、ｙは０以上Ｌ−１以下の整数とし、ｘ≠ｙとし、これらを満たす、すべてのｘ、すべてのｙにおいて、「マッピングセット※ｘ」と「マッピングセット※ｙ」は異なるマッピングセットである。
【０４７３】
そして、以下の条件を与える。
【０４７４】
＜条件＃２１＞
ｘは０以上Ｌ−１以下の整数とし、これを満たす、すべてのｘにおいて、以下を満たす。
【０４７５】
｛「マッピングセット※ｘ」で生成したｓ１、ｓ２を用いて生成した信号に対し、図１２または図１３（または、図１８、図１９、図２０、図２１）の（重み付け合成部の後の）位相変更部で位相変更を行うことになる。このとき、位相変更値θとして、Phase[k]のＮ種類の位相の値はすべて使用されるものとする。｝
ここで、＜条件＃２１＞の例を説明する。位相変更値として、Ｎ＝２種類の位相の値があるものとする。したがって、Phase[0],Phase[1]が存在することになる。そして、Ｌ＝３種類のマッピングセットが存在するものとする。したがって、「マッピングセット※０」、「マッピングセット※１」、「マッピングセット※２」が存在することになる。このとき、＜条件＃２１＞を満たす場合を図１７に図示している。
【０４７６】
図１７において、横軸は時間番号（スロット番号）ｉとしている。
【０４７７】
このとき、「マッピングセット※０」に着目する。時間番号０において、図１２、または、図１３におけるマッピング部では「マッピングセット※０」によるマッピングを行い、その後、位相変更部はPhase[0]用いて位相変更を行うことになる。
【０４７８】
時間番号１において、図１２、または、図１３におけるマッピング部では「マッピングセット※０」によるマッピングを行い、その後、位相変更部はPhase[1]用いて位相変更を行うことになる。
【０４７９】
したがって、「マッピングセット※０」のとき、図１２、または、図１３の位相変更部はPhase[k]のＮ＝２種類の位相の値すべてを使用していることになる。
【０４８０】
次に、「マッピングセット※１」に着目する。時間番号２において、図１２、または、図１３におけるマッピング部では「マッピングセット※１」によるマッピングを行い、その後、位相変更部はPhase[0]用いて位相変更を行うことになる。
【０４８１】
時間番号３において、図１２、または、図１３におけるマッピング部では「マッピングセット※０」によるマッピングを行い、その後、位相変更部はPhase[1]用いて位相変更を行うことになる。
【０４８２】
したがって、「マッピングセット※１」のとき、図１２、または、図１３の位相変更部はPhase[k]のＮ＝２種類の位相の値すべてを使用していることになる。
【０４８３】
「マッピングセット※２」に着目する。時間番号４において、図１２、または、図１３におけるマッピング部では「マッピングセット※２」によるマッピングを行い、その後、位相変更部はPhase[0]用いて位相変更を行うことになる。
【０４８４】
時間番号５において、図１２、または、図１３におけるマッピング部では「マッピングセット※２」によるマッピングを行い、その後、位相変更部はPhase[1]用いて位相変更を行うことになる。
【０４８５】
したがって、「マッピングセット※２」のとき、図１２、または、図１３の位相変更部はPhase[k]のＮ＝２種類の位相の値すべてを使用していることになる。
【０４８６】
以上より、図１７の場合、＜条件＃２１＞を満たしていることになる。これにより、受信装置において、同相Ｉ−直交Ｑ平面における２５６点の受信候補信号点の最小ユークリッドが小さい状態が定常的に発生する（特に、電波伝搬環境において直接波が支配的な場合。）可能性を低くすることができ、これにより、受信装置は、高いデータの受信品質を得ることができる可能性が高くなるという効果を得ることができる。
【０４８７】
なお、＜条件＃２１＞のかわりに、以下の条件を満たす場合でも同様の効果を得ることができる可能性がある。
【０４８８】
＜条件＃２２＞
ｘは０以上Ｌ−１以下の整数とし、これを満たす、ｘにおいて、以下を満たす、ｘが存在する。
【０４８９】
｛「マッピングセット※ｘ」で生成したｓ１、ｓ２を用いて生成した信号に対し、図１２または図１３（または、図１８、図１９、図２０、図２１）の（重み付け合成部の後の）位相変更部で位相変更を行うことになる。このとき、位相変更値θとして、Phase[k]のＮ種類の位相の値はすべて使用されるものとする。｝
図１２、図１３のｓ１、ｓ２のマッピングにおいて、（ｓ１（ｔ）の変調方式，ｓ２（ｔ）の変調方式）＝（Ｉ−Ｑ平面に６４個の信号点をもつ変調方式（シンボルあたり６ビット伝送），Ｉ−Ｑ平面に６４個の信号点をもつ変調方式（シンボルあたり６ビット伝送））のときを考える。
【０４９０】
Ｉ−Ｑ平面に６４個の信号点をもつ変調方式（シンボルあたり６ビット伝送）の信号点配置方法をＭ種類用意する（Ｍは２以上の整数とする、）（送信装置において）。このとき、以下条件を満たすことになる。
【０４９１】
＜条件＃２３＞
以下の＜２３−１＞、＜２３−２＞、＜２３−３＞、＜２３−４＞のいずれかを満たすものとする。
【０４９２】
＜２３−１＞
ｓ１（ｉ）において、Ｍ種類の信号点配置方法すべてが使用される。
【０４９３】
＜２３−２＞
ｓ２（ｉ）において、Ｍ種類の信号点配置方法すべてが使用される。
【０４９４】
＜２３−３＞
ｓ１（ｉ）において、Ｍ種類の信号点配置方法すべてが使用されるものとし、かつ、ｓ２（ｉ）においても、Ｍ種類の信号点配置方法すべてが使用されるものとする。
【０４９５】
＜２３−４＞
ｓ１（ｉ）で使用されている信号点配置方法とｓ２（ｉ）で使用されている信号点配置方法をあわせた場合に、Ｍ種類の信号点配置方法すべてが使用されている。
【０４９６】
そして、Ｍ種類のＩ−Ｑ平面に６４個の信号点をもつ変調方式（シンボルあたり６ビット伝送）のマッピングを、「６４個の信号点をもつ変調方式の信号点配置＄ｋ」とあらわす。（ｋは０以上Ｍ−１以下の整数とする）すると、以下が成立する。
【０４９７】
＜条件＃２４＞
ｘは０以上Ｍ−１以下の整数とし、ｙは０以上Ｍ−１以下の整数とし、ｘ≠ｙとし、これらを満たす、すべてのｘ、すべてのｙで以下が成立する。
【０４９８】
｛
「６４個の信号点をもつ変調方式の信号点配置＄ｘ」の同相Ｉ―直交Ｑ平面における６４個の信号点の座標を（Ｉｘ，ｉ，Ｑｘ，ｉ）とあらわし（ｉは０以上６３以下の整数）、「６４個の信号点をもつ変調方式の信号点配置＄ｙ」の同相Ｉ―直交Ｑ平面における６４個の信号点の座標を（Ｉｙ，ｊ，Ｑｙ，ｊ）とあらわすものとする（ｊは０以上６３以下の整数）。このとき、
｛ｊは０以上６３以下の整数としたとき、これを満たす、すべてのｊにおいて、Ｉｘ，ｉ≠Ｉｙ，ｊを満たすｉが存在する｝、または｛ｊは０以上６３以下の整数としたとき、これを満たす、すべてのｊにおいて、Ｑｘ，ｉ≠Ｑｙ，ｊを満たすｉが存在する｝
｝
これらの条件を満たすことで、受信装置において、同相Ｉ−直交Ｑ平面における４０９６点の受信候補信号点の最小ユークリッドが小さい状態が定常的に発生する（特に、電波伝搬環境において直接波が支配的な場合。）可能性を低くすることができ、これにより、受信装置は、高いデータの受信品質を得ることができる可能性が高くなるという効果を得ることができる。
【０４９９】
ところで、６４個の信号点をもつ変調方式の信号点配置＄ｇ、６４個の信号点をもつ変調方式の信号点配置＄ｈにおいて、「ｇ＝ｈ」が成立した場合、以下が成立するものとする。
【０５００】
｛
「６４個の信号点をもつ変調方式の信号点配置＄ｇ」の同相Ｉ―直交Ｑ平面における６４個の信号点の座標を（Ｉｇ，ｉ，Ｑｇ，ｉ）とあらわし（ｉは０以上６３以下の整数）、「６４個の信号点をもつ変調方式の信号点配置＄ｈ」の同相Ｉ―直交Ｑ平面における６４個の信号点の座標を（Ｉｈ，ｊ，Ｑｈ，ｊ）とあらわすものとする（ｊは０以上６３以下の整数）。このとき、
｛ｋは０以上６３以下の整数としたとき、これを満たす、すべてのｋにおいて、Ｉｇ，ｋ＝Ｉｈ，ｋ、かつ、Ｑｇ，ｋ＝Ｑｈ，ｋ、が成立する場合が存在する｝
｝
「ｇ≠ｈ」とした場合、以下を満たす。
【０５０１】
｛
「６４個の信号点をもつ変調方式の信号点配置＄ｇ」の同相Ｉ―直交Ｑ平面における６４個の信号点の座標を（Ｉｇ，ｉ，Ｑｇ，ｉ）とあらわし（ｉは０以上６３以下の整数）、「６４個の信号点をもつ変調方式の信号点配置＄ｈ」の同相Ｉ―直交Ｑ平面における６４個の信号点の座標を（Ｉｈ，ｊ，Ｑｈ，ｊ）とあらわすものとする（ｊは０以上６３以下の整数）。このとき、
｛ｋは０以上６３以下の整数としたとき、これを満たす、すべてのｋにおいて、Ｉｇ，ｋ＝Ｉｈ，ｋ、かつ、Ｑｇ，ｋ＝Ｑｈ，ｋ、が成立する場合が存在しない｝
｝
ここで、マッピングセットを定義する。
【０５０２】
マッピングセットを、「（ｓ１（ｔ）の６４個の信号点をもつ変調方式の信号点配置＄ｐ１，ｓ２（ｔ）の６４個の信号点をもつ変調方式の信号点配置＄ｐ２）」と定義する。
【０５０３】
このとき、同一のマッピングのセットとは以下が成立することである。
【０５０４】
「第１のマッピングセットが（ｓ１（ｔ）の６４個の信号点をもつ変調方式の信号点配置＄ｐ１，ｓ２（ｔ）の６４個の信号点をもつ変調方式の信号点配置＄ｐ２）であり、第２のマッピングセットが（ｓ１（ｔ）の６４個の信号点をもつ変調方式の信号点配置＄ｑ１，ｓ２（ｔ）の６４個の信号点をもつ変調方式の信号点配置＄ｑ２）のとき、第１のマッピングセットど第２のマッピングセットが同一のマッピングセットの場合、ｐ１＝ｑ１、かつ、ｐ２＝ｑ２が成立する。」
そして、異なるマッピングセットとは以下が成立することである。
【０５０５】
「第１のマッピングセットが（ｓ１（ｔ）の６４個の信号点をもつ変調方式の信号点配置＄ｐ１，ｓ２（ｔ）の６４個の信号点をもつ変調方式の信号点配置＄ｐ２）であり、第２のマッピングセットが（ｓ１（ｔ）の６４個の信号点をもつ変調方式の信号点配置＄ｑ１，ｓ２（ｔ）の６４個の信号点をもつ変調方式の信号点配置＄ｑ２）のとき、第１のマッピングセットど第２のマッピングセットが異なるのマッピングセットの場合、ｐ１≠ｑ１、または、ｐ２≠ｑ２が成立する。」
このとき、送信装置（図１２、図１３のマッピング部）は、Ｌ種類のマッピングセットを用意し（Ｌは２以上の整数とする。）、Ｌ種類のマッピングセットを「マッピングセット※ｋ」（ｋは０以上Ｌ−１以下の整数とする）する。このとき、以下を満たすことになる。
【０５０６】
＜条件＃２５＞
ｘは０以上Ｌ−１以下の整数とし、ｙは０以上Ｌ−１以下の整数とし、ｘ≠ｙとし、これらを満たす、すべてのｘ、すべてのｙにおいて、「マッピングセット※ｘ」と「マッピングセット※ｙ」は異なるマッピングセットである。
【０５０７】
そして、以下の条件を与える。
【０５０８】
＜条件＃２６＞
ｘは０以上Ｌ−１以下の整数とし、これを満たす、すべてのｘにおいて、以下を満たす。
【０５０９】
｛「マッピングセット※ｘ」で生成したｓ１、ｓ２を用いて生成した信号に対し、図１２または図１３（または、図１８、図１９、図２０、図２１）の（重み付け合成部の後の）位相変更部で位相変更を行うことになる。このとき、位相変更値θとして、Phase[k]のＮ種類の位相の値はすべて使用されるものとする。｝
ここで、＜条件＃２６＞の例を説明する。位相変更値として、Ｎ＝２種類の位相の値があるものとする。したがって、Phase[0],Phase[1]が存在することになる。そして、Ｌ＝３種類のマッピングセットが存在するものとする。したがって、「マッピングセット※０」、「マッピングセット※１」、「マッピングセット※２」が存在することになる。このとき、＜条件＃２６＞を満たす場合を図１７に図示している。
【０５１０】
図１７において、横軸は時間番号（スロット番号）ｉとしている。
【０５１１】
このとき、「マッピングセット※０」に着目する。時間番号０において、図１２、または、図１３におけるマッピング部では「マッピングセット※０」によるマッピングを行い、その後、位相変更部はPhase[0]用いて位相変更を行うことになる。
【０５１２】
時間番号１において、図１２、または、図１３におけるマッピング部では「マッピングセット※０」によるマッピングを行い、その後、位相変更部はPhase[1]用いて位相変更を行うことになる。
【０５１３】
したがって、「マッピングセット※０」のとき、図１２、または、図１３の位相変更部はPhase[k]のＮ＝２種類の位相の値すべてを使用していることになる。
【０５１４】
次に、「マッピングセット※１」に着目する。時間番号２において、図１２、または、図１３におけるマッピング部では「マッピングセット※１」によるマッピングを行い、その後、位相変更部はPhase[0]用いて位相変更を行うことになる。
【０５１５】
時間番号３において、図１２、または、図１３におけるマッピング部では「マッピングセット※０」によるマッピングを行い、その後、位相変更部はPhase[1]用いて位相変更を行うことになる。
【０５１６】
したがって、「マッピングセット※１」のとき、図１２、または、図１３の位相変更部はPhase[k]のＮ＝２種類の位相の値すべてを使用していることになる。
【０５１７】
「マッピングセット※２」に着目する。時間番号４において、図１２、または、図１３におけるマッピング部では「マッピングセット※２」によるマッピングを行い、その後、位相変更部はPhase[0]用いて位相変更を行うことになる。
【０５１８】
時間番号５において、図１２、または、図１３におけるマッピング部では「マッピングセット※２」によるマッピングを行い、その後、位相変更部はPhase[1]用いて位相変更を行うことになる。
【０５１９】
したがって、「マッピングセット※２」のとき、図１２、または、図１３の位相変更部はPhase[k]のＮ＝２種類の位相の値すべてを使用していることになる。
【０５２０】
以上より、図１７の場合、＜条件＃２６＞を満たしていることになる。これにより、受信装置において、同相Ｉ−直交Ｑ平面における４０９６点の受信候補信号点の最小ユークリッドが小さい状態が定常的に発生する（特に、電波伝搬環境において直接波が支配的な場合。）可能性を低くすることができ、これにより、受信装置は、高いデータの受信品質を得ることができる可能性が高くなるという効果を得ることができる。
【０５２１】
なお、＜条件＃２６＞のかわりに、以下の条件を満たす場合でも同様の効果を得ることができる可能性がある。
【０５２２】
＜条件＃２７＞
ｘは０以上Ｌ−１以下の整数とし、これを満たす、ｘにおいて、以下を満たす、ｘが存在する。
【０５２３】
｛「マッピングセット※ｘ」で生成したｓ１、ｓ２を用いて生成した信号に対し、図１２または図１３（または、図１８、図１９、図２０、図２１）の（重み付け合成部の後の）位相変更部で位相変更を行うことになる。このとき、位相変更値θとして、Phase[k]のＮ種類の位相の値はすべて使用されるものとする。｝
図１２、図１３のｓ１、ｓ２のマッピングにおいて、（Ｉ−Ｑ平面に２５６個の信号点をもつ変調方式（シンボルあたり８ビット伝送），Ｉ−Ｑ平面に２５６個の信号点をもつ変調方式（シンボルあたり８ビット伝送））のときを考える。
【０５２４】
Ｉ−Ｑ平面に２５６個の信号点をもつ変調方式（シンボルあたり８ビット伝送）の信号点配置方法をＭ種類用意する（Ｍは２以上の整数とする、）（送信装置において）。このとき、以下条件を満たすことになる。
【０５２５】
＜条件＃２８＞
以下の＜２８−１＞、＜２８−２＞、＜２８−３＞、＜２８−４＞のいずれかを満たすものとする。
【０５２６】
＜２８−１＞
ｓ１（ｉ）において、Ｍ種類の信号点配置方法すべてが使用される。
【０５２７】
＜２８−２＞
ｓ２（ｉ）において、Ｍ種類の信号点配置方法すべてが使用される。
【０５２８】
＜２８−３＞
ｓ１（ｉ）において、Ｍ種類の信号点配置方法すべてが使用されるものとし、かつ、ｓ２（ｉ）においても、Ｍ種類の信号点配置方法すべてが使用されるものとする。
【０５２９】
＜２８−４＞
ｓ１（ｉ）で使用されている信号点配置方法とｓ２（ｉ）で使用されている信号点配置方法をあわせた場合に、Ｍ種類の信号点配置方法すべてが使用されている。
【０５３０】
そして、Ｍ種類のＩ−Ｑ平面に２５６個の信号点をもつ変調方式（シンボルあたり８ビット伝送）のマッピングを、「２５６個の信号点をもつ変調方式の信号点配置＄ｋ」とあらわす。（ｋは０以上Ｍ−１以下の整数とする）すると、以下が成立する。
【０５３１】
＜条件＃２９＞
ｘは０以上Ｍ−１以下の整数とし、ｙは０以上Ｍ−１以下の整数とし、ｘ≠ｙとし、これらを満たす、すべてのｘ、すべてのｙで以下が成立する。
【０５３２】
｛
「２５６個の信号点をもつ変調方式の信号点配置＄ｘ」の同相Ｉ―直交Ｑ平面における２５６個の信号点の座標を（Ｉｘ，ｉ，Ｑｘ，ｉ）とあらわし（ｉは０以上２５５以下の整数）、「２５６個の信号点をもつ変調方式の信号点配置＄ｙ」の同相Ｉ―直交Ｑ平面における２５６個の信号点の座標を（Ｉｙ，ｊ，Ｑｙ，ｊ）とあらわすものとする（ｊは０以上２５５以下の整数）。このとき、
｛ｊは０以上２５５以下の整数としたとき、これを満たす、すべてのｊにおいて、Ｉｘ，ｉ≠Ｉｙ，ｊを満たすｉが存在する｝、または｛ｊは０以上２５５以下の整数としたとき、これを満たす、すべてのｊにおいて、Ｑｘ，ｉ≠Ｑｙ，ｊを満たすｉが存在する｝
｝
これらの条件を満たすことで、受信装置において、同相Ｉ−直交Ｑ平面における６５５３６点の受信候補信号点の最小ユークリッドが小さい状態が定常的に発生する（特に、電波伝搬環境において直接波が支配的な場合。）可能性を低くすることができ、これにより、受信装置は、高いデータの受信品質を得ることができる可能性が高くなるという効果を得ることができる。
【０５３３】
ところで、２５６個の信号点をもつ変調方式の信号点配置＄ｇ、２５６個の信号点をもつ変調方式の信号点配置＄ｈにおいて、「ｇ＝ｈ」が成立した場合、以下が成立するものとする。
【０５３４】
｛
「２５６個の信号点をもつ変調方式の信号点配置＄ｇ」の同相Ｉ―直交Ｑ平面における２５６個の信号点の座標を（Ｉｇ，ｉ，Ｑｇ，ｉ）とあらわし（ｉは０以上２５５以下の整数）、「２５６個の信号点をもつ変調方式の信号点配置＄ｈ」の同相Ｉ―直交Ｑ平面における２５６個の信号点の座標を（Ｉｈ，ｊ，Ｑｈ，ｊ）とあらわすものとする（ｊは０以上２５５以下の整数）。このとき、
｛ｋは０以上２５５以下の整数としたとき、これを満たす、すべてのｋにおいて、Ｉｇ，ｋ＝Ｉｈ，ｋ、かつ、Ｑｇ，ｋ＝Ｑｈ，ｋ、が成立する場合が存在する｝
｝
「ｇ≠ｈ」とした場合、以下を満たす。
【０５３５】
｛
「２５６個の信号点をもつ変調方式の信号点配置＄ｇ」の同相Ｉ―直交Ｑ平面における２５６個の信号点の座標を（Ｉｇ，ｉ，Ｑｇ，ｉ）とあらわし（ｉは０以上２５５以下の整数）、「２５６個の信号点をもつ変調方式の信号点配置＄ｈ」の同相Ｉ―直交Ｑ平面における２５６個の信号点の座標を（Ｉｈ，ｊ，Ｑｈ，ｊ）とあらわすものとする（ｊは０以上２５５以下の整数）。このとき、
｛ｋは０以上２５５以下の整数としたとき、これを満たす、すべてのｋにおいて、Ｉｇ，ｋ＝Ｉｈ，ｋ、かつ、Ｑｇ，ｋ＝Ｑｈ，ｋ、が成立する場合が存在しない｝
｝
ここで、マッピングセットを定義する。
【０５３６】
マッピングセットを、「（ｓ１（ｔ）の２５６個の信号点をもつ変調方式の信号点配置＄ｐ１，ｓ２（ｔ）の２５６個の信号点をもつ変調方式の信号点配置＄ｐ２）」と定義する。
【０５３７】
このとき、同一のマッピングのセットとは以下が成立することである。
【０５３８】
「第１のマッピングセットが（ｓ１（ｔ）の２５６個の信号点をもつ変調方式の信号点配置＄ｐ１，ｓ２（ｔ）の２５６個の信号点をもつ変調方式の信号点配置＄ｐ２）であり、第２のマッピングセットが（ｓ１（ｔ）の２５６個の信号点をもつ変調方式の信号点配置＄ｑ１，ｓ２（ｔ）の２５６個の信号点をもつ変調方式の信号点配置＄ｑ２）のとき、第１のマッピングセットど第２のマッピングセットが同一のマッピングセットの場合、ｐ１＝ｑ１、かつ、ｐ２＝ｑ２が成立する。」
そして、異なるマッピングセットとは以下が成立することである。
【０５３９】
「第１のマッピングセットが（ｓ１（ｔ）の２５６個の信号点をもつ変調方式の信号点配置＄ｐ１，ｓ２（ｔ）の２５６個の信号点をもつ変調方式の信号点配置＄ｐ２）であり、第２のマッピングセットが（ｓ１（ｔ）の２５６個の信号点をもつ変調方式の信号点配置＄ｑ１，ｓ２（ｔ）の２５６個の信号点をもつ変調方式の信号点配置＄ｑ２）のとき、第１のマッピングセットど第２のマッピングセットが異なるのマッピングセットの場合、ｐ１≠ｑ１、または、ｐ２≠ｑ２が成立する。」
このとき、送信装置（図１２、図１３のマッピング部）は、Ｌ種類のマッピングセットを用意し（Ｌは２以上の整数とする。）、Ｌ種類のマッピングセットを「マッピングセット※ｋ」（ｋは０以上Ｌ−１以下の整数とする）する。このとき、以下を満たすことになる。
【０５４０】
＜条件＃３０＞
ｘは０以上Ｌ−１以下の整数とし、ｙは０以上Ｌ−１以下の整数とし、ｘ≠ｙとし、これらを満たす、すべてのｘ、すべてのｙにおいて、「マッピングセット※ｘ」と「マッピングセット※ｙ」は異なるマッピングセットである。
【０５４１】
そして、以下の条件を与える。
【０５４２】
＜条件＃３１＞
ｘは０以上Ｌ−１以下の整数とし、これを満たす、すべてのｘにおいて、以下を満たす。
【０５４３】
｛「マッピングセット※ｘ」で生成したｓ１、ｓ２を用いて生成した信号に対し、図１２または図１３（または、図１８、図１９、図２０、図２１）の（重み付け合成部の後の）位相変更部で位相変更を行うことになる。このとき、位相変更値θとして、Phase[k]のＮ種類の位相の値はすべて使用されるものとする。｝
ここで、＜条件＃３１＞の例を説明する。位相変更値として、Ｎ＝２種類の位相の値があるものとする。したがって、Phase[0],Phase[1]が存在することになる。そして、Ｌ＝３種類のマッピングセットが存在するものとする。したがって、「マッピングセット※０」、「マッピングセット※１」、「マッピングセット※２」が存在することになる。このとき、＜条件＃３１＞を満たす場合を図１７に図示している。
【０５４４】
図１７において、横軸は時間番号（スロット番号）ｉとしている。
【０５４５】
このとき、「マッピングセット※０」に着目する。時間番号０において、図１２、または、図１３におけるマッピング部では「マッピングセット※０」によるマッピングを行い、その後、位相変更部はPhase[0]用いて位相変更を行うことになる。
【０５４６】
時間番号１において、図１２、または、図１３におけるマッピング部では「マッピングセット※０」によるマッピングを行い、その後、位相変更部はPhase[1]用いて位相変更を行うことになる。
【０５４７】
したがって、「マッピングセット※０」のとき、図１２、または、図１３の位相変更部はPhase[k]のＮ＝２種類の位相の値すべてを使用していることになる。
【０５４８】
次に、「マッピングセット※１」に着目する。時間番号２において、図１２、または、図１３におけるマッピング部では「マッピングセット※１」によるマッピングを行い、その後、位相変更部はPhase[0]用いて位相変更を行うことになる。
【０５４９】
時間番号３において、図１２、または、図１３におけるマッピング部では「マッピングセット※０」によるマッピングを行い、その後、位相変更部はPhase[1]用いて位相変更を行うことになる。
【０５５０】
したがって、「マッピングセット※１」のとき、図１２、または、図１３の位相変更部はPhase[k]のＮ＝２種類の位相の値すべてを使用していることになる。
【０５５１】
「マッピングセット※２」に着目する。時間番号４において、図１２、または、図１３におけるマッピング部では「マッピングセット※２」によるマッピングを行い、その後、位相変更部はPhase[0]用いて位相変更を行うことになる。
【０５５２】
時間番号５において、図１２、または、図１３におけるマッピング部では「マッピングセット※２」によるマッピングを行い、その後、位相変更部はPhase[1]用いて位相変更を行うことになる。
【０５５３】
したがって、「マッピングセット※２」のとき、図１２、または、図１３の位相変更部はPhase[k]のＮ＝２種類の位相の値すべてを使用していることになる。
【０５５４】
以上より、図１７の場合、＜条件＃３１＞を満たしていることになる。これにより、受信装置において、同相Ｉ−直交Ｑ平面における６５５３６点の受信候補信号点の最小ユークリッドが小さい状態が定常的に発生する（特に、電波伝搬環境において直接波が支配的な場合。）可能性を低くすることができ、これにより、受信装置は、高いデータの受信品質を得ることができる可能性が高くなるという効果を得ることができる。
【０５５５】
なお、＜条件＃３１＞のかわりに、以下の条件を満たす場合でも同様の効果を得ることができる可能性がある。
【０５５６】
＜条件＃３２＞
ｘは０以上Ｌ−１以下の整数とし、これを満たす、ｘにおいて、以下を満たす、ｘが存在する。
【０５５７】
｛「マッピングセット※ｘ」で生成したｓ１、ｓ２を用いて生成した信号に対し、図１２または図１３（または、図１８、図１９、図２０、図２１）の（重み付け合成部の後の）位相変更部で位相変更を行うことになる。このとき、位相変更値θとして、Phase[k]のＮ種類の位相の値はすべて使用されるものとする。｝
なお、本実施の形態において、ＯＦＤＭ方式を適用した例で説明したが、これに限ったものではなく、他のマルチキャリア方式、シングルキャリア方式でも同様に適用することがでいる。また、wavelet変換を用いたOFDM方式（非特許文献７）を用いた場合、スペクトル拡散通信方式を適用した場合についても同様に適用することができる。
【０５５８】
（補足）
当然であるが、本明細書において説明した実施の形態に、その他の内容を複数組み合わせて実施してもよい。
【０５５９】
また、各実施の形態、その他の内容については、あくまでも例であり、例えば、「変調方式、誤り訂正符号化方式（使用する誤り訂正符号、符号長、符号化率等）、制御情報など」を例示していても、別の「変調方式、誤り訂正符号化方式（使用する誤り訂正符号、符号長、符号化率等）、制御情報など」を適用した場合でも同様の構成で実施することが可能である。
【０５６０】
変調方式については、本明細書で記載している変調方式以外の変調方式を使用しても、本明細書において説明した実施の形態、その他の内容を実施することが可能である。例えば、ＡＰＳＫ（Amplitude Phase Shift Keying）（例えば、16APSK,64APSK,128APSK,256APSK,1024APSK,4096APSKなど）、ＰＡＭ（Pulse Amplitude Modulation）（例えば、4PAM,8PAM,16PAM,64PAM,128PAM,256PAM,1024PAM,4096PAMなど）、ＰＳＫ（Phase Shift Keying）（例えば、BPSK,QPSK,8PSK,16PSK,64PSK,128PSK,256PSK,1024PSK,4096PSKなど）、ＱＡＭ（Quadrature Amplitude Modulation）（例えば4QAM,8QAM,16QAM,64QAM,128QAM,256QAM,1024QAM,4096QAMなど）などを適用してもよいし、各変調方式において、均一マッピング、非均一マッピングとしてもよい。
【０５６１】
また、Ｉ−Ｑ平面における２個、４個、８個、１６個、６４個、１２８個、２５６個、１０２４個等の信号点の配置方法（２個、４個、８個、１６個、６４個、１２８個、２５６個、１０２４個等の信号点をもつ変調方式）は、本明細書で示した変調方式の信号点配置方法に限ったものではない。したがって、複数のビットに基づき同相成分と直交成分を出力するという機能がマッピング部での機能となり、その後、プリコーディングおよび位相変更を施すことが本開示の一つの有効な機能となる。
【０５６２】
そして、本明細書において、「∀」「∃」が存在する場合、「∀」は全称記号（universal quantifier）をあらわしており、「∃」は存在記号（existential quantifier）をあらわしている。
【０５６３】
また、本明細書において、複素平面がある場合、例えば、偏角のような、位相の単位は、「ラジアン（radian）」としている。
【０５６４】
複素平面を利用すると、複素数の極座標による表示として極形式で表示できる。複素数z=a+ｊb（ａ、ｂはともに実数であり、ｊは虚数単位である）に、複素平面上の点(ａ,ｂ)を対応させたとき、この点が極座標で[r,θ]とあらわされるなら、（式５３）が成り立ち、ａ＝ｒ×ｃｏｓθ、ｂ＝ｒ×ｓｉｎθ
rはzの絶対値(r=|z|)であり、θが偏角(argument)となる。そして、z=a+ｊbは、ｒ×ｅｊθとあらわされる。
【０５６５】
【数５３】
2019193278.tif 000055
【０５６６】
本実施の形態において、時間軸において、プリコーディングウェイト、位相を変更するときの実施の形態を説明したが、実施の形態１で説明したように、ＯＦＤＭ伝送等のマルチキャリア伝送方式を用いたときでも本実施の形態は同様に実施することができる。また、特に、プリコーディング切り替え方法が、送信信号数のみによって変更されているとき、受信装置は、送信装置が送信する送信信号数の情報を得ることで、プリコーディングウェイト、位相の切り替え方法をしることができる。
【０５６７】
本明細書において、端末の受信装置とアンテナが別々となっている構成であってもよい。例えば、アンテナで受信した信号、または、アンテナで受信した信号に対し、周波数変換を施した信号を、ケーブルを通して、入力するインターフェースを受信装置が具備し、受信装置はその後の処理を行うことになる。
【０５６８】
また、受信装置が得たデータ・情報は、その後、映像や音に変換され、ディスプレイ（モニタ）に表示されたり、スピーカから音が出力されたりする。さらに、受信装置が得たデータ・情報は、映像や音に関する信号処理が施され（信号処理を施さなくてもよい）、受信装置が具備するＲＣＡ端子（映像端子、音用端子）、ＵＳＢ（Universal Serial Bus）、ＨＤＭＩ（登録商標）（High-Definition Multimedia Interface）、デジタル用端子等から出力されてもよい。
【０５６９】
本明細書において、送信装置を具備しているのは、例えば、放送局、基地局、アクセスポイント、端末、携帯電話（ｍｏｂｉｌｅ  ｐｈｏｎｅ）等の通信・放送機器であることが考えられ、このとき、受信装置を具備しているのは、テレビ、ラジオ、端末、パーソナルコンピュータ、携帯電話、アクセスポイント、基地局等の通信機器であることが考えられる。また、本開示における送信装置、受信装置は、通信機能を有している機器であって、その機器が、テレビ、ラジオ、パーソナルコンピュータ、携帯電話等のアプリケーションを実行するための装置に何らかのインターフェースを解して接続できるような形態であることも考えられる。
【０５７０】
また、本実施の形態では、データシンボル以外のシンボル、例えば、パイロットシンボル（プリアンブル、ユニークワード、ポストアンブル、リファレンスシンボル等）、制御情報用のシンボルなどが、フレームにどのように配置されていてもよい。そして、ここでは、パイロットシンボル、制御情報用のシンボルと名付けているが、どのような名付け方を行ってもよく、機能自身が重要となっている。
【０５７１】
パイロットシンボルは、例えば、送受信機において、ＰＳＫ変調を用いて変調した既知のシンボル（または、受信機が同期をとることによって、受信機は、送信機が送信したシンボルを知ることができてもよい。）であればよく、受信機は、このシンボルを用いて、周波数同期、時間同期、（各変調信号の）チャネル推定（ＣＳＩ（Ｃｈａｎｎｅｌ  Ｓｔａｔｅ  Ｉｎｆｏｒｍａｔｉｏｎ）の推定）、信号の検出等を行うことになる。
【０５７２】
また、制御情報用のシンボルは、（アプリケーション等の）データ以外の通信を実現するための、通信相手に伝送する必要がある情報（例えば、通信に用いている変調方式・誤り訂正符号化方式・誤り訂正符号化方式の符号化率、上位レイヤーでの設定情報等）を伝送するためのシンボルである。
【０５７３】
なお、本開示は各実施の形態に限定されず、種々変更して実施することが可能である。例えば、各実施の形態では、通信装置として行う場合について説明しているが、これに限られるものではなく、この通信方法をソフトウェアとして行うことも可能である。
【０５７４】
また、上記では、２つの変調信号を２つのアンテナから送信する方法におけるプリコーディング切り替え方法について説明したが、これに限ったものではなく、４つのマッピング後の信号に対し、プリコーディングを行い、４つの変調信号を生成し、４つのアンテナから送信する方法、つまり、Ｎ個のマッピング後の信号に対し、プリコーディングを行い、Ｎ個の変調信号を生成し、Ｎ個のアンテナから送信する方法においても同様にプリコーディングウェイト（行列）を変更する、プリコーディング切り替え方法としても同様に実施することができる。
【０５７５】
本明細書では、「プリコーディング」「プリコーディングウェイト」等の用語を用いているが、呼び方自身は、どのようなものでもよく、本開示では、その信号処理自身が重要となる。
【０５７６】
ストリームｓ１（ｔ）、ｓ２（ｔ）により、異なるデータを伝送してもよいし、同一のデータを伝送してもよい。
【０５７７】
送信装置の送信アンテナ、受信装置の受信アンテナ、共に、図面で記載されている１つのアンテナは、複数のアンテナにより構成されていても良い。
【０５７８】
送信装置、受信装置に対し、送信方法（ＭＩＭＯ、ＳＩＳＯ、時空間ブロック符号、インタリーブ方式）、変調方式、誤り訂正符号化方式を通知する必要がある実施の形態によっては省略されている送信装置が送信するフレームに存在することになる受信装置はこれを得ることで、動作を変更することになる。
【０５７９】
なお、例えば、上記通信方法を実行するプログラムを予めＲＯＭ（Ｒｅａｄ  Ｏｎｌｙ  Ｍｅｍｏｒｙ）に格納しておき、そのプログラムをＣＰＵ（Ｃｅｎｔｒａｌ  Ｐｒｏｃｅｓｓｏｒ  Ｕｎｉｔ）によって動作させるようにしても良い。
【０５８０】
また、上記通信方法を実行するプログラムをコンピュータで読み取り可能な記憶媒体に格納し、記憶媒体に格納されたプログラムをコンピュータのＲＡＭ（Ｒａｎｄｏｍ  Ａｃｃｅｓｓ  Ｍｅｍｏｒｙ）に記録して、コンピュータをそのプログラムにしたがって動作させるようにしても良い。
【０５８１】
そして、上記の各実施の形態などの各構成は、典型的には集積回路であるＬＳＩ（Ｌａｒｇｅ  Ｓｃａｌｅ  Ｉｎｔｅｇｒａｔｉｏｎ）として実現されてもよい。これらは、個別に１チップ化されてもよいし、各実施の形態の全ての構成または一部の構成を含むように１チップ化されてもよい。
【０５８２】
ここでは、ＬＳＩとし臣貁胣蚛ꧧꚺ臣閁臣ꮁ苣誂胣ꦼ볯袼볯躽뷯薽뷯銽뷯钽뷯蒽†볯覽뷯莽뷯覽뷯覼胣랂苣蚃菣겼볯ꦼ胣릂菣醃菣겼볯ꦼ胣Ꚃ菣袃菣겼볯ꦼ臣벑꟧閁苣讂臣ꢁ苣芁苣芀臣龁胣蚛ꧧ麛럨隌臣讉돦꾁볯뎼볯ꮁ駩覂苣讂苣꺁臣꾁臣辁胣芰铧麛럨뺁臣꾁뇦ꢔ菣궃苣莃苣ꞁ껥뺏臣ꚁ苣꾉臣芀볯뎼볯붣胩貾臣膀菣궃苣ꦃ菣馁苣鎁臣貁迥붃臣ꚼ볯Ꞽ볯袼볯覽뷯貽뷯₄낼뷯辽뷯銽뷯趽뷯膽뷯貽뷯₅Ꞽ뷯钽뷯₅ꆼ뷯銽뷯馽볯蒂胣겼볯ꦼ蛥ꢃ臣麛럨뮂菣꺁軦骶苣궨껥銂蛥讧裦꾏菨ꪁ菣뎂菣閃苣꺂菣ꦃ菣ꮃ菣鞃菣뮂菣떂苣ꦈ铧鞁臣节觨蒁胣ં⼼䥄㹖㰊䥄㹖䐼噉邀볯閼볯鎼胣㲑䐯噉ਾ†臣覂臣膀跥躰뷤肊ꇨ꺁胩ꦭ迥꾁듦龔臣讂裥肊ꇨꮁ苣誂볯뎼볯ꮁ뷧趁迦辂苣蚛ꧧ麛럨隌臣肊ꇨ貁駧뒠臣貂臣膀뷥뚄胣鶁臣肊ꇨ銂铧蒁臣龩菨隃菣莃苣꺁鯩趩賥銂ꇨꎁ臣节觨蒁胣邃苣ꪂ諦鎡臣ꦁ뿥覭臣꾏菨Ꞁ臣鞁臣芁苣鞾苣芀㰊䐯噉ਾ⼼䥄㹖㰊䥄㹖䐼噉邀铧궥룤꺁裥ꢔ迥붃胦醀⼼䥄㹖㰊䥄㹖胣邼볯颼볯醀⼼䥄㹖 겜雩몤臣膀ꓨ낕臣ꊂ菣蚃菣讁苣鶁苣麁苣낕臣讂ꓥ뾪뿤랏苣膀뿤馁苣ꆄ럧랂苣蚃菣ꮁ뫥辁臩ꢔ臣趁苣芀臣龁胣螤闦꺁胩ꆿ껧肉苣膌臣覜럧骀뿤랂苣蚃菣袼뻤袁臣膀볯겼볯袼볯辽뷯薽뷯ₒ겼뷯躽뷯₅ꎼ뷯趽뷯閽뷯覽뷯膽뷯覽뷯躽볯랂苣蚃菣膀藥骀뿤랂苣蚃菣膀볯뎼볯袼볯覽뷯覽뷯膽뷯₌뎼뷯芽뷯莽뷯覽뷯薽뷯ₒ겼뷯躽뷯骼菣뢂苣ꮃ諥ꖅ胨骷볯랂苣蚃菣覼臣誁臣ꚁ胣궼볯궼볯鶼胩銂ꇨ蚁ꃥ袐臣ꒁ臣ꚁ苣ꦁ铧馁苣鎁臣貁臣趁苣芀㰊䐯噉ਾ䐼噉㰾䥄㹖胣뎛볯醀⼼䥄㹖㰊䥄㹖愼栠敲㵦㈢㄰ㄹ㌹㜲⸸楴≦㈾㄰ㄹ㌹㜲⸸楴쉦゠〰㔰㰶愯㰾䐯噉ਾ䐼噉邀鯥銼胣㲑䐯噉ਾ䐼噉㰾⁡牨晥∽〲㤱㤱㈳㠷琮晩㸢〲㤱㤱㈳㠷琮晩ꃂ〰〰㜵⼼㹡⼼䥄㹖㰊䥄㹖胣뎛볯醀⼼䥄㹖㰊䥄㹖愼栠敲㵦㈢㄰ㄹ㌹㜲⸸楴≦㈾㄰ㄹ㌹㜲⸸楴쉦゠〰㔰㰸愯㰾䐯噉ਾ䐼噉邀鯥钼胣㲑䐯噉ਾ䐼噉㰾⁡牨晥∽〲㤱㤱㈳㠷琮晩㸢〲㤱㤱㈳㠷琮晩ꃂ〰〰㤵⼼㹡⼼䥄㹖㰊䥄㹖胣뎛볯醀⼼䥄㹖㰊䥄㹖愼栠敲㵦㈢㄰ㄹ㌹㜲⸸楴≦㈾㄰ㄹ㌹㜲⸸楴쉦゠〰㘰㰰愯㰾䐯噉ਾ䐼噉邀鯥隼胣㲑䐯噉ਾ䐼噉㰾⁡牨晥∽〲㤱㤱㈳㠷琮晩㸢〲㤱㤱㈳㠷琮晩ꃂ〰〰ㄶ⼼㹡⼼䥄㹖㰊䥄㹖胣뎛볯醀⼼䥄㹖㰊䥄㹖愼栠敲㵦㈢㄰ㄹ㌹㜲⸸楴≦㈾㄰ㄹ㌹㜲⸸楴쉦゠〰㘰㰲愯㰾䐯噉ਾ䐼噉邀鯥颼胣㲑䐯噉ਾ䐼噉㰾⁡牨晥∽〲㤱㤱㈳㠷琮晩㸢〲㤱㤱㈳㠷琮晩ꃂ〰〰㌶⼼㹡⼼䥄㹖㰊䥄㹖胣뎛볯醀⼼䥄㹖㰊䥄㹖愼栠敲㵦㈢㄰ㄹ㌹㜲⸸楴≦㈾㄰ㄹ㌹㜲⸸楴쉦゠〰㘰㰴愯㰾䐯噉ਾ䐼噉邀鯥醼볯醀⼼䥄㹖㰊䥄㹖愼栠敲㵦㈢㄰ㄹ㌹㜲⸸楴≦㈾㄰ㄹ㌹㜲⸸楴쉦゠〰㘰㰵愯㰾䐯噉ਾ䐼噉邀鯥醼볯醀⼼䥄㹖㰊䥄㹖愼栠敲㵦㈢㄰ㄹ㌹㜲⸸楴≦㈾㄰ㄹ㌹㜲⸸楴쉦゠〰㘰㰶愯㰾䐯噉ਾ䐼噉邀鯥醼볯醀⼼䥄㹖㰊䥄㹖愼栠敲㵦㈢㄰ㄹ㌹㜲⸸楴≦㈾㄰ㄹ㌹㜲⸸楴쉦゠〰㘰㰷愯㰾䐯噉ਾ䐼噉邀鯥醼볯醀⼼䥄㹖㰊䥄㹖愼栠敲㵦㈢㄰ㄹ㌹㜲⸸楴≦㈾㄰ㄹ㌹㜲⸸楴쉦゠〰㘰㰸愯㰾䐯噉ਾ䐼噉邀鯥醼볯醀⼼䥄㹖㰊䥄㹖愼栠敲㵦㈢㄰ㄹ㌹㜲⸸楴≦㈾㄰ㄹ㌹㜲⸸楴쉦゠〰㘰㰹愯㰾䐯噉ਾ䐼噉邀鯥醼볯醀⼼䥄㹖㰊䥄㹖愼栠敲㵦㈢㄰ㄹ㌹㜲⸸楴≦㈾㄰ㄹ㌹㜲⸸楴쉦゠〰㜰㰰愯㰾䐯噉ਾ䐼噉邀鯥醼볯醀⼼䥄㹖㰊䥄㹖愼栠敲㵦㈢㄰ㄹ㌹㜲⸸楴≦㈾㄰ㄹ㌹㜲⸸楴쉦゠〰㜰㰱愯㰾䐯噉ਾ䐼噉邀鯥醼볯醀⼼䥄㹖㰊䥄㹖愼栠敲㵦㈢㄰ㄹ㌹㜲⸸楴≦㈾㄰ㄹ㌹㜲⸸楴쉦゠〰㜰㰲愯㰾䐯噉ਾ䐼噉邀鯥醼볯醀⼼䥄㹖㰊䥄㹖愼栠敲㵦㈢㄰ㄹ㌹㜲⸸楴≦㈾㄰ㄹ㌹㜲⸸楴쉦゠〰㜰㰳愯㰾䐯噉ਾ䐼噉邀鯥醼볯醀⼼䥄㹖㰊䥄㹖愼栠敲㵦㈢㄰ㄹ㌹㜲⸸楴≦㈾㄰ㄹ㌹㜲⸸楴쉦゠〰㜰㰴愯㰾䐯噉ਾ䐼噉邀鯥銼볯醀⼼䥄㹖㰊䥄㹖愼栠敲㵦㈢㄰ㄹ㌹㜲⸸楴≦㈾㄰ㄹ㌹㜲⸸楴쉦゠〰㜰㰵愯㰾䐯噉ਾ䐼噉邀鯥銼볯醀⼼䥄㹖㰊䥄㹖愼栠敲㵦㈢㄰ㄹ㌹㜲⸸楴≦㈾㄰ㄹ㌹㜲⸸楴쉦゠〰㜰㰶愯㰾䐯噉ਾ⼼䥄㹖㰊戯摯㹹㰊栯浴㹬